【手続補正書】
【提出日】平成26年2月6日(2014.2.6)
【手続補正１】
【補正対象書類名】明細書
【補正対象項目名】００１１
【補正方法】変更
【補正の内容】
【００１１】
【図１】図１は、エコロジー・スマート・システムのイメージ概念図である。 太陽光について、GPSを用いて位置・角度の測定を行い、（ブラックボディーのような）センターボール表面に、パラボラミラーの反射光の焦点をセンターボールに受光することで主に受光・集光を行い、オプションとして、ナノグラスの（マイクロ）レンズアレイによって被覆したセンターボールのハウジングの光（熱）入力手段において、該ハウジング内の上部に装着されたスチームによって、発電機を起動して、超伝導体磁石によって、電気を発電する太陽光（熱）発電システム。 電波について、GPSを用いて位置・角度の測定を行い、パラボラアンテナの反射波の焦点を焦点に受信して、電波の発信源に向けて、自動で適宜に受信ユニットの受信面の（位置）・角度を調整することを特徴とするパラボラアンテナシステム。
【図２】図２は、エコロジー・システム・燃料・チャートのイメージ概念図である。光・レーザー・ビーム・電磁波・電（磁）気・光触媒・エネルギーの適宜な組み合わせを用いて、二酸化炭素、水、メタンハイドレードから、砂糖・グルコース・エタノール・メタンを作り、可能性として、水素と酸素と水を作る、エコロジー・システム。
【図３】図３は、エコロジー・システム・燃料・チャートのイメージ概念図である。
【図４】図４は、エコロジー・システムのイメージ概念図である。
【図５】図５は、エコロジー・システムのイメージ概念図である。
【図６】図６は、エコロジー・システムのイメージ概念図である。
【図７】図７は、エコロジー・システムのイメージ概念図である。
【図８】図８は、エコロジー・システムのイメージ概念図である。
【図９】図９は、エコロジー・システムのイメージ概念図である。
【図１０】図１０は、エコロジー・システムのイメージ概念図である。
【図１１】図１１は、エコロジー・システムのイメージ概念図である。
【図１２】図１２は、エコロジー・システムのイメージ概念図である。
【図１３】図１３は、エコロジー・システムのイメージ概念図である。
【図１４】図１４は、エコロジー・システムのイメージ概念図である。海水から、ジェット水を噴出して、駆動・推進して、オプションとして飲料水・塩を作るエコロジー・システム。
【図１５】図１５は、エコロジー・システムのイメージ概念図である。
【図１６】図１６は、エコロジー・システムのイメージ概念図である。
【図１７】図１７は、エコロジー・システムの数式（問題）と解答（ヒント）のイメージ概念図である。
【図１８】図１８は、エコロジー・システムの数式（問題）と解答（ヒント）のイメージ概念図である。
【図１９】図１９は、自動論理構築アルゴリズム（オート・ロジック・ネットワーク・メイキング・アルゴリズム）のイメージ概念図である。（セルフ・イクスプレナタリー）コンピューター、人工知能、等による自動論理構築のアルゴリズム。
【図２０】図２０は、エコロジー・エネルギー・システム(エア・ジェット型飲料水・塩精製システム（船）シップ)のイメージ概念図である。  吉野カズトラ宇宙世界皇帝の飲料水・塩精製（所）船（シップ）は、プロペラ（＋モーター／ジェットエンジンで、空気を取り入れて、ジェットタオル風（オプション：熱風）を作り、（インクジェット等の）ノズルで霧化（ミスト化）されたてローラーに付着された海水を、乾燥させて塩を作って（スクーパーで）回収して、オプションとして気体の水（蒸気、スチーム）を、（航行の際に（／ポンプによって）汲み上げれる海水で冷却して）飲料水にして回収する飲料水・塩精製システム（船）シップである。
【図２１】図２１は、エコロジー・エネルギー・システム(飲料水・塩精製システム)のイメージ概念図である。太陽光などのエネルギーを用いて、太陽光電池を利用したり、（水を太陽光や燃料（石油、石炭、ガス、等）やヒーターなどで熱して水蒸気（スチーム）にして）発電機（モーター）を回転して、オプションとしてバッテリー（電池）に充電して、モーター（ポンプ）を用いて、地下水（飲料水）をくみ上げる。オプションとして、海水を、飲料水と塩にしても良い。オプションとして、水を太陽光で温め、（コンプレッサー）モーター（ポンプ）とスプレイノズルで霧化して、ヒーターで熱して、水蒸気にする。オプションとして、（海水汲み上げ用）モーター（ポンプ）、（コンプレッサー用）モーター（ポンプ）、（地下水くみ上げ用）モーター（ポンプ）を有する。とオプションとして、発電機（モーター）とモーター（ポンプ）のシャフトをクラッチ（ギヤ）で、適宜に繋いだり（適宜に、切り離して）、１．タービン（モーター（ポンプ））を直接回転する、２．モーター（ポンプ）を発電機からの直接電流で回転する、３．バッテリー（電池）からの電流で回転する、を、コンピューター制御などで適宜に選択することを可能にする。飲料水をボトル（や水道管）に入れて、運搬、配送するシステム。
【図２２】図２２は、エコロジー・エネルギー・システムのイメージ概念図である。  吉野カズトラ宇宙世界皇帝は、雪（コロラド（ロッキー山脈）、ウィスコンシン、新潟のように積雪量が多い地域で特に有効）、湖、川、海などの水を取り入れて、（空間やダクトや渓谷によって）重力を用いて羽（プロペラ／タービン／発電機）を回転させる水力発電を作っていた。オプションとして、浄水するのも良い。積雪をヒーターで溶かして、羽（プロペラ／タービン／発電機）を回転して発電して、雪解け水（飲料水）を作っても良い。（潮の満ち引きや）海水の出入りをゲートで、管理しても良い。水力発電で得た電気を、（オプションとして蓄電池に蓄えて）、モーター（ポンプ）の駆動に用いて、地下水を汲み上げる。
【図２３】図２３は、人類の地球移住面積倍増計画による吉野レベッカハル女王の暗黒帝国（海底地下都市）（Kazutora Yoshino Universe Empire: Rebecca Haru Yoshino Under the Sea Empire）のエコロジー・エネルギー・システムのイメージ概念図である。  吉野カズトラ宇宙世界皇帝と吉野レベッカハル女王は、ロッキー山脈、ハワイ、ソロモン諸島、沖縄、東京、新潟、入間、横浜などで暗黒帝国（地下都市）の開発を進めていた。吉野カズトラ宇宙世界皇帝は、地下都市が、地震にも強いという特徴を生かしていた。また、吉野カズトラ宇宙世界皇帝は、海水（と重力）が豊富にある特徴を生かして、海底地下都市の電力の供給に、浄水力発電システムを作った。浄水力発電システムは、海水圧と重力を用いて、圧力を作り、（オプションとして）海水をフィルターで浄化して、飲料水を作り、羽（プロペラ）を回転させて、発電して、（オプションとして）電気を蓄電池に貯め、（オプションとして）直接ポンプを回転するか、モーター（ポンプ）を駆動して、（オプションとして）地下水を汲み上げるシステムである。吉野カズトラ宇宙世界皇帝と吉野アシュレーアヤメ女王は、太陽光熱電発電（温度差発電）システムを作った。太陽光熱電発電（温度差発電）システムは、太陽光（熱）で温めた（海上／地上）プレートと（海底／海中／地下）プレートの温度差を用いて、熱電発電するものである。オプションとして、熱電発電素子には、ｐ型半導体とｎ型半導体を用いる。（ゼーベック効果を用いてもよい。）発電で得られた電気（オプションとして蓄電池に貯められた電気）は、（海底／地下）核融合炉、（国際）線形加速器（ILC（International Linear Collider）Accelerator)、地下都市運営、地下鉄、地下デパート、地下農場、地下製薬工場、地下病院、地下工場、地下ビルディング、などに用いられても良い。参照：ISBN０−８１１８−０８９７−１ISBN４−７８５３−６１１２−３  Ｃ３０５４ISBN４−３３９０９９５５２−５
【図２４】図２４は、エコロジー・システム・アプリケーションのイメージ概念図である。シャチ型（飛行機）宇宙船内にある浮きの浮力を水の量で管理する。水を取り入れる際、コンプレッサーで取り入れるか、走行による圧力を利用して、取り入れる。この際、空気に圧力をかけて、空気をコンプレスする。空気圧などで、水をジェット噴射して、海中から海上、空中に飛び上がる。羽を広げ、ゲートを開けて、ロケットジェットエンジンを運転して、ジェットを噴出する。空で、飛行モードに入る。この際、空気を取り入れてコンプレスして貯めて、空気を大気圏外でも用いれるようにする。ロケットジェットエンジンを運転して、宇宙に行く。
【図２５】図２５は、吉野カズトラ宇宙世界皇帝の（ネオ・）エコロジー・システムのイメージ概念図である。吉野カズトラ宇宙世界皇帝の（ネオ・）エコロジー・システムのフローチャート０      植物・細胞・植物性微生物（プランクトン）・葉緑体から、葉緑素を抽出する。１’    （MgとFeの交換器で）葉緑素から、ヘモグロビンを作る。ヘモグロビンから（人工）血液を作る。２’    マグネシウムを生成する。１      （人工）光合成によって、光、二酸化炭素、水から、グルコース（ブドウ糖）、酸素と水を作る。２      人間、動物、微生物が、食べ物（植物（細胞、微生物）、等）を食べて、メタン（ガス）を生成する。３      ヒカリ、メタン（ガス）から、水素、二酸化炭素を生成する。４      水素を、エコロジーシステムに用いる。二酸化炭素を、光合成に用いる。        （１に戻り又同様に進む。）参照：ISBN４-０６-１１７７６２-１  C０２４５
【図２６】図２６は、吉野カズトラ宇宙世界皇帝の（ネオ・）エコロジー・システムのイメージ概念図である。再生可能エネルギーのサイクルを作る。オプションとして、野菜（の皮）などを回収する。若しくは、国際環境条約（国際環境条約：エネルギー法）によって、主要食糧の生産と、野菜（の皮）などの回収を、システマティックに行う。
【図２７】図２７は、吉野カズトラ宇宙世界皇帝の（ネオ・）エコロジー・システム（太陽光熱電発電システム）のイメージ概念図である。パラボラミラーや、ミラーや、レンズ、等で、光（熱）（太陽光（熱））を集める。ヒカリ（光、熱、等）吸収物質によって、高温となる部分と、水（海水、等）によって、低温になる部分の間に、ｐ型半導体と、ｎ型半導体を、（其々、組にして、単数／複数）入れて、熱電発電をする。（ゼーベック効果などを利用しても良い。）オプションとして、温まった、海水を、飲料水と、塩にしても良い。発電された電気を用いて、１．水を水素と酸素に電気分解する。２．バッテリーに充電する。３．電気を直接利用する、４．等をして、水素と酸素を用いて、燃焼で、エネルギーを得たり、燃料電池などで電気を得たり、バッテリーから電気を得たりする。
【図２８】図２８は、吉野カズトラ宇宙世界皇帝の（ネオ・）エコロジー・システムのイメージ概念図である。
【図２９】図２９は、吉野カズトラ宇宙世界皇帝の（ネオ・）エコロジー・システムのイメージ概念図である。
【図３０】図３０は、吉野カズトラ宇宙世界皇帝の（ネオ・）エコロジー・システムのイメージ概念図である。
【図３１】図３１は、吉野カズトラ宇宙世界皇帝のエコジー・システムのイメージ概念図である。エコロジーシステム（エネルギー循環システム（熱循環器）、飲料水・浄水システム、塩製造機、等）である。
【図３２】図３２は、吉野カズトラ宇宙世界皇帝のエコロジー・システムのイメージ概念図である。水素と酸素から水を作る。水素や酸素を燃料とする宇宙ロケットなどでの宇宙旅行に用いれる。
【図３３】図３３は、吉野カズトラ宇宙世界皇帝のエコロジー・システム（太陽光エネルギー（清涼飲料水製造）システム）のイメージ概念図である。吉野カズトラ宇宙世界皇帝は、吉野カズトラ宇宙世界皇帝の父親の吉野信法王と、オレンジのような柑橘類のような果物(フルーツ)などと吉野の綺麗な電子水(水道水/地下水に浄水槽に電圧を掛けて綺麗な水にする)で、オレンジ水を作り、ペットボトルに入れて、太陽光（熱）エネルギー（／発電）、風力発電、地熱エネルギー（／発電）、熱エネルギー（／発電）、電気炉(吉野エミリー女王の電子レンジ)で、加熱、加圧して、より安全な水にして、製品化して、水商売をしていた。吉野カズトラ宇宙世界皇帝は、吉野カズトラ宇宙世界皇帝の義理の父親であるデイビッドヒッチンズ(水質調査の専門家プロフェッショナル)と、水質調査を行い、食品衛生法の清涼飲料水の基準に合格したのが、成功の秘訣となった。・・・。 吉野カズトラ宇宙世界皇帝は、吉野友子女王と、太陽光煮沸法によるオレンジティー(オレンジ茶)のようなハーブティーを作っていた。これにより、より効率的に果物のエキスを抽出することが出来て、ビタミン剤を飲むよりも体に良い効果になり、若さと健康を、維持することが、比較的に、可能になったのである。・・・。 吉野カズトラ宇宙世界皇帝と吉野友子女王は、ハーブティー(オレンジティー、レモンティー、等)等を、基本に、入間茶業協会を作り、日本の埼玉県入間市を世界の中心にして(日華思想)、入間ティーパーティーを作り、世界中に、お茶を販売して利益にした。吉野カズトラ宇宙世界皇帝は、吉野カズトラ宇宙世界皇帝のお茶(ハーブティー、オレンジティー、レモンティー、等)と、吉野友子女王のどら焼き等を共に、太陽光風力発電帆船(母船)によって運搬、販売したので、大航海時代になり、吉野カズトラ宇宙世界皇帝は、エコロジーシステム(太陽光システム、等)で、世界中で有名になった。
【図３４】図３４は、吉野カズトラ宇宙世界皇帝のエコロジー・システム（太陽光エネルギー（清涼飲料水製造・水商売）ネットワーク・システム）のビジネスモデルのイメージ概念図である。
【図３５】図３５は、吉野カズトラ宇宙世界皇帝のエコロジー・システム（太陽光エネルギー（清涼飲料水製造・水商売）ネットワーク・システム）のビジネスモデル（目的・タイミング・時系列・組織図）のイメージ概念図である。
【図３６】図３６は、吉野カズトラ宇宙世界皇帝のエコロジー・システム（太陽光エネルギー（清涼飲料水製造・水商売・医療品・日常品）ネットワーク・システム）のビジネス商品（花粉対策用プラグ：商品名『花粉（ダスト）ブロック』）のイメージ概念図である。素材（フィルター、紙、ティッシュ、光触媒ファイバー、光触媒表面塗料、熱触媒、スポンジ、保水材、吸水材、等）によって、（そのままか、消毒水、アルコール水、（生理）食塩水、等をしみこませて）、花粉やダストをブロックして、鼻水を保水や吸水するが、空気を通すので、鼻で呼吸が、出来るのを特徴とした、花粉（ダスト）対策用プラグ。
【図３７】図３７は、吉野カズトラ宇宙世界皇帝のエコロジー・システム（脳工学）のビジネスモデルのイメージ概念図である。 Yoshino UniverseKazutora Yoshino Universe EmpireDNA Design for Neural NetworkLovely, 遺伝的な神経ネットワークの脳工学について、吉野の第一の仮説について、『（本能等の）神経ネットワーク（神経結合定数ネットワーク）は、複合的なシステムで、幾つもが互いに助け合える神経・自己複合グループバックアップ（ネットワーク）システム（Neural Self Multiple Group Back Up Network System: ニューラルセルフマルチグループバックアップネットワークシステム）である。』 この仮説を基本として、遺伝的な神経ネットワークのデザインが可能である。例えば、トカゲの遺伝子に、鳥の羽根の遺伝子を組み込み、トカゲに羽を付けて、竜を作る際、鳥の本能や、人間の本能・知能を、竜に埋め込むのに、鳥の本能遺伝子や、人間の本能遺伝子や学習遺伝子を組み込むことが可能である。その際、真剣細胞が、発生（発育）の時に、幾つもの適宜な神経グループが、神経ネットワークとその結合定数を確保・獲得するように遺伝子群（ジェネティックグループ）を選択して、組み込むようにする（設計する）。これらのトカゲや鳥や人間の遺伝子群が、適宜に組み合わさり、生命活動をするために、適宜に機能するように、設計する。また、直接、飛ぶときのメカニカル・ダイナミクスを脳に書き込めるように、遺伝子群を設計しても良い。同様に、羽の付いた人間の設計も、可能である（Design Child：デザインチャイルド、Design Human:デザインヒューマン）。同様に、アレルギー抗力（効力）を持つ、遺伝子（群）を組み込むのも可能である。
【図３８】図３８は、吉野カズトラ宇宙世界皇帝の（ネオ・）エコロジー・システムのイメージ概念図である。吉野カズトラ宇宙世界皇帝の（ネオ・）エコロジー・システムのミドリムシ・植物性微生物（プランクトン）（葉緑体、葉緑素を保有する微生物）の大量生産の方法。微生物を、藻などから抽出する。藻に付着した微生物を、藻を細分化して、容器に入った綺麗な水に入れる。一部（プレート）だけに光（太陽光（日光）、電球、蛍光灯、LEDランプ、等）を当てて、ミドリムシをプレートに集めて、プレートに付着した、ミドリムシを、細分化する。これを何度か繰り返すことによって、ミドリムシの純度を向上させる。（ミドリムシを他の微生物から分離して、ミドリムシだけにする。）純度の高いミドリムシを、適宜な量の酸素や二酸化炭素を注入された綺麗な水で、（温度調整などもしながら）大量に培養して、光（太陽光（日光）、電球、蛍光灯、LEDランプ、等）の当たるローラーに付着させて、ローラーを回転して、スクーパーで、回収する。モーター、酸素、二酸化炭素、温度、等を、自動制御などで管理する。 Yoshino UniverseKazutora Yoshino Universe EmpireKazutora Yoshino Emperor's Microorganism Mass Production MethodLovely,
【図３９】図３９は、吉野カズトラ宇宙世界皇帝のエコロジー・システム・アプリケーション（３Dペン、３Dディスプレイ、３Dオペレーティングシステム、エネルギー・システム、USES、若返り研究開発）とビジネス・モデルのイメージ概念図である。 Type I： Gold BallType II： Cube （単数／複数の）ビデオカメラから入力されたビデオ情報（３Dペンの静止画／動作情報）から、プログラム（ソフトウェア）を用いて、２D／３D位置（and/or ２D／３D方向）等を、獲得する方法。 複数のビデオカメラの際は、コンピューターのPCIスロット／USBなどのインターフェースに、ラッチ回路（８２５５等）を付けて、リレー回路（リレー／TTL回路／オプティカル・トランジスター・スイッチング・サーケット、等）を動作して、（ビデオなどの）入力情報をローテーションを組んで（２つなら左右交互に）入力する。タイミングは、トリガリング・システム（８２５５等）等によって合わせる。 VC（Video Capture/Video Converter) VC(Value Chain)を作る。VC(Venture Capital)を用いることも可能であろう。 ３Dペンの製造販売の収益から、３Dオペレーティングシステム、エネルギーシステム、ロケット（人工衛星）、USES(Universal Solar Energy System)、ロボット、若返りの研究開発などを行うことが可能なビジネスモデルである。 Yoshino UniverseKazutora Yoshino Universe EmpireKazutora Yoshino Emperor's One Pattern Strategy (Hit Product Strategy) Kazutora Yoshino Emperor's (3D) VC StrategyLovely,
【図４０】図４０は、吉野カズトラ宇宙世界皇帝の（ネオ・）エコロジー・システムのイメージ概念図である。葡萄、豆の木、桃の木、柿木、梅の木、など、比較的あまり手のかからない植物農園を作り、その下に、（冬など前記植物の葉がないためにある通過）日射量を利用して、近代化ビニールハウスを作る。 近代化ビニールハウスでは、グルタミン酸の豊富なうまみ味のある植物（大豆、等）（／動物）や、グルコースの豊富な甘味のある植物（砂糖キビ、等）（／動物）や、ビタミンの豊富な甘みのある植物（オレンジ、等）（／動物）を育てる。 近代化ビニールハウス内部では、第一のレイヤー（フルーツ：苺、横に成長する植物、等）に、耕作部と透明部を作り、透明部を通して、日射量が第二のレイヤーに届くようにする。ここで、例えば、耕作部と透明部の比率が、１：１なら、通過日射量は、１／２である。第二のレイヤーには、例えば、三つぐらいの棚があり、（風力発電などで電力を用いた）モーター（＋ギヤ）などによって、回転（ローテーション）する。通過日射量が、１／２なので、其々の棚が、１／３の通過日射量を受けると、１／６の日射量になる。１／６の日射量で育つ植物（野菜：大豆、ブロッコリー、ミニ・砂糖キビ、もやし、等）を植えて育てる。必要なら、LEDライトによる照明で、植物に光を当てる（照射する）。コンピューターによる日射量の計算、必要ならLEDライトの照射時間の計算などをして、適宜な日射量の光を植物に当てる（照射する）。種や苗を植えて、（光や（スプリンクラー等で）水や栄養分を与え）育てて、収穫するのを、GPSを持ってたり、画像認識を行える人工知能を持つロボットを用いて、行っても良い。人工知能ロボット農業（無人農家計画）によって、近代化ビニールハウス農法等が、可能になり、一年中、耕作・農作が可能になり、最高効率、最適方法、自動化、完全自動化、等を得ることが、可能になる。
【図４１】図４１は、吉野カズトラ宇宙世界皇帝の（ネオ・）エコロジー・システムのイメージ概念図である。
【図４２】図４２は、吉野カズトラ宇宙世界皇帝の（ネオ・）エコロジー・システムのイメージ概念図である。（オプション：ミドリムシ＋）抹茶のビジネス
【図４３】図４３は、吉野カズトラ宇宙世界皇帝の（ネオ・）エコロジー・システムのイメージ概念図である。（オプション：ミドリムシ＋）昆布茶のビジネスYoshino Universe Kazutora Yoshino Universe Empire Kazutora Yoshino Emperor's Japanese Food (Science) Lovely, 自衛軍（自衛隊）に、訓練・軍事演習など、ヘリコプター、オスプレイ、ジェット機などを用いるときに、食糧（米、昆布茶、味噌（汁）、うまみ食材、甘味食材、砂糖、等）を運ばせることによって、防衛費と物流費の合理化（費用の削減）と、人々の（人体の）健康の加速を行う方法。
【図４４】図４４は、吉野カズトラ宇宙世界皇帝のエコロジー・システム・アプリケーション（３Dペン、３Dディスプレイ、３Dオペレーティングシステム、エネルギー・システム、USES、若返り研究開発）とビジネス・モデルのイメージ概念図である。 Type Zero： Just Software ２Dに、マウスやキーボードやジョイスティックなどで描いた絵を、３Dにして、線を変形したり、結合（コンバイン）したり、離したり（セパレート）することが、可能な３D構築用（プログラム）ソフトウェア。 インターポーレーション技術を用いたりや、マウスやキーボードやジョイスティックで、オブジェクトの位置や方向や、変形の位置や方向をコントロールすることも可能である。 又、マウスやキーボードやジョイスティックによって、３Dの絵を描くことは、可能ではある。３Dコンピューター・ゲームをしたりする際、どれが、本能的に、使いやすいかというのが、この技術の基本にある。
【図４５】図４５は、吉野カズトラ宇宙世界皇帝の（ネオ・）エコロジー・システムのイメージ概念図である。吉野カズトラ宇宙世界皇帝のおやつ（（抹茶）（昆布）（ユーグレナ）（バナナ）（ポテト）（コーン）（砂糖）（ミルク）アイスクリーム）。適宜な組み合わせで、混ぜる。コーンフレークのミルクにしても良い。 オプションとして、ミドリムシ（ユーグレナ）の食材（ビタミン剤）としての利用（アプリケーション）。 昆布：グルタミン酸バナナ、ポテト、コーン：でんぷん＋糖ミルク：カルシウム、タンパク質、等 成分例（抹茶）（昆布）（ユーグレナ）（バナナ）（ポテト）（コーン）（砂糖）（ミルク）アイスクリーム２０％    ５％      ５％            １０％        １０％    １０％    １０％    ３０％
【図４６】図４６は、吉野カズトラ宇宙世界皇帝の（ネオ・）エコロジー・システムのイメージ概念図である。ヒーター（熱源）を置いたときの熱伝導（熱伝導分散率）を示している。水蒸気があるとき、より効率良く、熱が拡散される。温室（小屋）や、炉（火力発電の炉）の作り方の図。
【図４７】図４７は、吉野カズトラ宇宙世界皇帝の（ネオ・）エコロジー・システム（火力発電所）のイメージ概念図である。 火力発電所と、（植物園）光合成工場を、融合した本発明のシステムの図である。本発明のシステムによって、１００％の熱効率、１００％の水回収率、１００％の塩回収率、１００％の二酸化炭素回収率を得るのを目指すことができる。 石油／灯油／ガスなどを、空気（酸素）と燃やして、火（熱源）を作り、ポンプでくみ上げた海水を（オプションとしてノズルなどを用いてスプレーして水滴にして）熱して、塩を作り、水蒸気でタービンを回して、発電機で発電する。水蒸気が冷えたら液体の水（飲料水）として回収して、水タンクに貯める。石油／灯油／ガスなどを、酸素と燃やした時に出た二酸化炭素を、水タンクなどで、回収して、炭酸飲料水を作るとか、海草の発育用の水を作るとか、ミドリムシの育成の水を作るとか、植物の水栽培用の水を作るなどする。余った二酸化炭素は、光（太陽光、日光、LED光、等）によって、光合成工場の植物園（畑：菜の花畑、等、や、水田、等、や、植物の水栽培工場）で、光合成によって、回収する。太陽光電池やバッテリーによって、昼間のエネルギーを貯蓄して、LED光で栽培することによって、日光が強くない日や、夜間でも植物栽培が可能になるので、栽培効率が良く、安定した植物などの成長が見込める。
【図４８】図４８は、吉野カズトラ宇宙世界皇帝の（ネオ・）エコロジー・システム（ダイアモンド・リアクター）のイメージ概念図である。 ダイアモンド・リアクターは、レーザービーム（レーザー＋レンズ）、水素と酸素の燃焼（／燃料電池）等を用いて、海水を、水素、酸素、水蒸気に、熱分解する。水蒸気でタービンを回転して、発電機で、発電する。水蒸気を飲料水にして、水素と酸素を回収して、水素と酸素から、燃料電池で、電気を得たて、レーザーを運転したり、水素と酸素を燃焼させて、海水を温めたりする。太陽光を、パラボラミラー（凹面鏡等）で、集光して、太陽光発電による、電力の供給をするのが、最善の形態である。集光した太陽光をレーザーの（起動／運転）ポンピング光（ポンピング・ライト）（（起動／運転）エネルギー）にしたり、直接リアクター（炉）に当てても良い。水素と酸素と水を、基本物質（基本エレメント）とするため、二酸化炭素が発生しない地球に優しいクリーン（綺麗）な水素社会を目指す、（ネオ・）（エネルギー）エコロジー・システムである。
【図４９】図４９は、吉野カズトラ宇宙世界皇帝の（ネオ・）エコロジー・システム（マグライト型発電方法（水蒸気の準備）（アヒル型発電機）と火力発電所、ダイアモンド・リアクター）のイメージ概念図である。 温度差を用いて、水蒸気の準備をする。蒸気熱と風力（風量）によって、霧（ミスト）状の水滴を気化（乾燥）させる。例えば、１８℃の水（１リットル／秒）を、２８℃の空気（２２２立方メートル／秒：風速２２メートル／秒に、半径３．３メートルのプロペラ）で、気化させる。 空気を風力発電機（プロペラ）で取り込み、ヒートポンプのように（コンプレッサーにかけて）コンプレスして、空気を圧縮して高温にする。この際、（炉などから出た）二酸化炭素を、混ぜても良い。海水を塩と水蒸気に分けて、水蒸気に圧力をかけて高温にしたり、水蒸気をヒーターで熱して高温にして、タービンを回転して、発電する。
【図５０】図５０は、吉野カズトラ宇宙世界皇帝の（ネオ・）エコロジー・システム（マグライト型発電システム（水蒸気の準備）（アヒル型発電機）と火力発電所、ダイアモンド・リアクターとカズトラ丸・人工知能船）のイメージ概念図である。 Yoshino UniverseKazutora Yoshino Universe EmpireKazutora Yoshino Emperor's Solar Wind Energy Generator ShipLovely, （ネオ・）エコロジー・システム（マグライト型発電システム（水蒸気の準備）（アヒル型発電機）と火力発電所、ダイアモンド・リアクター）などの発電システム（＋飲料水（炭酸水）・塩の製造工場）を、船に組み込んで、人工知能などで、自動で、日光や風邪を測量して、最適な場所を見つけて移動して、発電しながら、飲料水や塩を製造して、目的地に、自動航行する。複数の船で、ネットワークを組んで、最適な場所やルート（航路）を見つけるのが最適である。
【図５１】図５１は、エコロジー・エネルギー・システム(エア・ジェット型飲料水・塩精製システム（船）シップ)のイメージ概念図である。  吉野カズトラ宇宙世界皇帝の発電所（＋飲料水・塩精製（所））は、プロペラ（＋モーター／ジェットエンジンで、空気を取り入れて、ヒーターで、ジェットタオル熱風（オプション：熱風）を作り、（インクジェット等の）ノズルで霧化（ミスト化）された海水を、乾燥させて塩を作って（スクーパーで）回収して、オプションとして気体の水（蒸気、スチーム）を、飲料水にして回収する飲料水・塩精製システムである。太陽電池などからのエネルギーや電気を、（バッテリーなどに貯めるか直接）、電気ヒーターを熱するのに用いても良い。ヒーターは、ガスによる加熱式でも良い。
【図５２】図５２は、吉野カズトラ宇宙世界皇帝のエコロジー・システム・アプリケーションのコントロールシステム（３DOS）のイメージ概念図である。２D／３Dディスプレイなどを用いて、２D／３Dコントローラーを用いて、オペれーとすることが可能である。 Yoshino UniverseKazutora Yoshino Universe EmpireKazutora Yoshino Emperor's 3D Operating SystemLovely,
【図５３】図５３は、吉野カズトラ宇宙世界皇帝のエコロジー・システム・アプリケーションのコントロールシステム（３DOS）のイメージ概念図である。２D／３Dディスプレイなどを用いて、２D／３Dコントローラーを用いて、オペれーとすることが可能である。 基本OSに、（２D／）３Dユーザー・インターフェイス（＋ユーザー・コミュニケーション）を（イミュレーターのように）付加する。 ３Dペン、キーボード、ハンドシグナル、声（音声指令）などによる入力で、ユーザーがコンピューターによって何をしたいのかを、コンピューターに指示する（示す）。ユーザーの入力によって、若しくは、自動的（自主的）に、コンピューターが、（ユーザーやコンピューターのために）何をしたら良いのか推測して検索して結果を示す。結果については、ユーザー要求の可能性が高い順で可能なオペレーションの選択リストを示すのをディフォールトにしておくのが基本的には良い。ユーザー、若しくは、コンピューターが、選択した（選んだ）最善の（最適な、適宜な）オペレーションを実行するのを基本とする。
【図５４】図５４は、吉野カズトラ宇宙世界皇帝の（ネオ・）エコロジー・システム（・アプリケーション）のイメージ概念図である。 Yoshino UniverseKazutora Yoshino Universe EmpireKazutora Yoshino Emperor's Plant Making (Modern Mass Production)Lovely, 吉野カズトラ宇宙世界皇帝のクローン生産（米作り、等）。 （iPS細胞、幹細胞の分化、分化された細胞のクローン化、等によって）、雄蕊（花粉）や精子、雌蕊（雌蕊細胞）や卵細胞、若しくはそのようになる細胞を、培養（大量に生産）して、（足し合わせて）掛け合わせて、実になる細胞や受精卵やクローンを培養して、成長させる。エネルギーを用いて培養液などを作り、肝心な部分（細胞、稲の実、クローン、重要な個体、等）（だけ）を大量生産などする近代化生産方法（技法）。
【図５５】図５５は、吉野カズトラ宇宙世界皇帝の（ネオ・）エコロジー・システム（エネルギー発電所＋飲料水製造（＋塩製造））のイメージ概念図である。 Yoshino UniverseKazutora Yoshino Universe EmpireKazutora Yoshino Emperor's Solar Energy, Wind Energy, Water Energy, Fire Energy, ...Lovely, （海）水の管に、水蒸気を浴びせて水蒸気を冷却して、飲料水を作る。管の中の（海）水は更に排熱で温められて、炉（リアクター）に投入される。炉で、電気コンロや石油コンロやガスコンロによって、熱せられて、塩と水蒸気になる。水蒸気は、タービンを回転させて、タービン（とギヤ）と発電機によって、発電をする。水蒸気は、（海）水の管に、当たり、飲料水になる。太陽光発電や風力発電や水力発電によって得た電気で、電気コンロを熱することが可能である。又、火力発電として、石油やガスコンロで、熱することも可能である。つまり、本発明は、太陽光発電・風力発電・水力発電・火力発電やその組み合わせを、適宜に選べる発電システム（と発電方法）である。
【図５６】図５６は、吉野カズトラ宇宙世界皇帝の（ネオ・）エコロジー・システム（飲料水製造による清涼飲料水）のイメージ概念図である。Yoshino UniverseKazutora Yoshino Universe EmpireKazutora Yoshino Emperor's Hot LemonLovely, 吉野カズトラ宇宙世界皇帝は、飲料水製造で出来た飲料水を、ペットボトルの清涼飲料水として、販売しようとしている。この際、美味しい飲み物を作る研究開発を進めていた。 ホットハニーの成分比： 加圧・加熱で沸騰（水蒸気：１００℃以上）にしたのを、冷却して約３５〜４５℃ぐらいのお湯にして保温する。オプション：お湯（１００℃）：水（１０℃）  ＝  ３５〜４５：６５〜５５  ぐらいで混ぜる。 ホットハニー（基本式）お湯：砂糖：蜂蜜＝１００：１０：１ぐらい ホットレモン（基本式）お湯：砂糖：蜂蜜：レモン＝１００：１０：１：１ぐらい ホットレモン（バリエーション１）お湯：砂糖：蜂蜜：レモン：ビタミンC＝１００：１０：１：１：１ぐらい ホットレモン（バリエーション２）お湯：砂糖：蜂蜜：レモン：ビタミンC：グルタミン酸＝１００：１０：１：１：１：１ぐらい ホットレモン（バリエーション３）お湯：砂糖：蜂蜜：レモン：ビタミンC：グルタミン酸：ポリフェノール＝１００：１０：１：１：１：１：１ぐらい ホットレモン（バリエーション４）お湯：砂糖：蜂蜜：レモン：ビタミンC：グルタミン酸：ポリフェノール：栄養剤（ビタミンA,B,C,D、ミネラル（カルシウム、鉄分など）、タンパク質（アミノ酸など））＝１００：１０：１：１：１：１：１：１ぐらい ホットレモン（バリエーション５）お湯：砂糖：蜂蜜：レモン：ビタミンC：グルタミン酸：ポリフェノール：栄養剤（ビタミンA,B,C,D、ミネラル（カルシウム、鉄分など）、タンパク質（アミノ酸など））：クエン酸＝１００：１０：１：１：１：１：１：１：１ぐらい 美容ホットレモン（バリエーション：女性用）お湯：砂糖：蜂蜜：レモン：ビタミンC：グルタミン酸：ポリフェノール：栄養剤（ビタミンA,B,C,D、ミネラル（カルシウム、鉄分など）、タンパク質（アミノ酸など））：クエン酸：アセロラ：女性ホルモン＝１００：１０：１：１：１：１：１：１：１：１：１ぐらい ＊グルタミン酸は、昆布などから獲得しても良い。スポーツドリンクなどの際は、塩を少量混ぜても良い。（アルカリ・イオン水化しても良い。）＊ポリフェノールは、ワイン（葡萄酒）などから獲得しても良い。＊一日に必要な栄養（の摂取量）を、ホットレモンのペットボトル３本（朝、昼、夜）で、賄えるように、栄養特性にするのを目指して、栄養特性を設計する。
【図５７】図５７は、エコロジー・エネルギー・システム(発電システム（＋飲料水・塩精製システム）)のイメージ概念図である。Yoshino UniverseKazutora Yoshino Universe EmpireKazutora Yoshin Emperor's Solar EnergyLovely, 太陽光などのエネルギーを用いて、太陽光電池を利用したり、（水（液体）を太陽光や燃料（石油、石炭、ガス、地熱、等）やヒーターなどで熱して水蒸気（スチーム）（気体）にして）発電機（モーター）を回転して、オプションとしてバッテリー（電池）に充電して、モーター（ポンプ）を用いて、海水／地下水（飲料水）をくみ上げる。オプションとして、海水を、飲料水と塩にしても良い。オプションとして、水を太陽光で温め、２Dを曲面にしたパラボラミラー（反射鏡）で、温めて、３Dパラボラミラー（反射鏡）で、熱して、水蒸気にする。若し、３Dパラボラミラーで熱しても、沸点（ミズなら１００℃）になっていなければ、センサーが反応して、バッテリーより電気を得て、電気ヒーターがついて、沸点（ミズなら１００℃）になるまで熱する。若し、水位（液体の高さ）が、十分にないなら（閾値に至っていないなら）、センサーが反応して、ポンプを駆動して、十分な水位（水量）になるまで、（海）水（液体）を、汲みあげる（補充する）。発電機は、三相で、其々のコイルの片方の端子が、別のコイルの片方の端子に接続しているような、三端子による発電機や多相発電機でも良い（バッテリーを用いて、発電機をモーターとして用いることも可能である（例えば、二端子発電機なら、直接、三端子発電機なら、ステッピングモーターのように））。ギヤ（／クラッチ）があっても良いが、直接の駆動でも良い。
【図５８】図５８は、エコロジー・エネルギー・システム(発電システム)のイメージ概念図である。Yoshino UniverseKazutora Yoshino Universe EmpireKazutora Yoshin Emperor's Energy Ecology SystemLovely, 太陽光発電（太陽電池パネル（シリコン型、色素増感型、等）、集光型太陽光発電、宇宙太陽光発電、等）、風力発電、火力発電、水力発電、地熱発電、などで得たエネルギーを用いて、交流の出力ならダイオードなどで整流化（直流化）して、白金など（酸化しづらい金属）の電極を用いて、水を、水素と酸素に分解（電気分解）するか、直接、分解（熱分解、等）することによってエネルギーを貯める。白金など（酸化しづらい金属）の電極の燃料電池を用いて、水素と酸素から、水とエネルギー（電気）を作る。燃料電池は、電気エネルギーを、安定した直流電流（／電圧／電気）として出力することが多いので、インバーターにかけて、交流電流（／電圧／電気）（例えば、１００V、５０Hz／６０Hz）に変換して、一般家電用の電気にする。エコロジー・システム（の方法）によって、太陽光力量（日射量）、風力量、火力量、水力量、地熱力量などや、発電機によって、電圧、電流、周波数、等が、変化しても、仮に、コントローラーや、バッテリーがなくても、エネルギーを貯めることが可能である。（バッテリーがあるなら、バッテリーに電気を貯めることも可能である。）コントローラーと燃料電池のコスト（の比較）によって、どちらのシステムが良いかを、選択できる。集光型太陽光発電やレーザー型太陽光発電で、水を、熱分解をするなら、どちらにしろ水素と酸素になるので、水素社会になるなら、エネルギー貯蓄に水素と酸素を貯める方が、より適宜な方法である。水素を濃縮して、濃縮水素ガスとして、使用するか販売することも可能である。また、（電気）エネルギーを直接か、バッテリーに貯めたならバッテリーから、使用するか販売することも可能である。この際、水素ガスの値段と、（電気）エネルギーの値段によって、どちらを販売するかを決めることが可能である。販売販路は、最初は、既存の電力会社を用いるなら、電気の方が構築がしやすいが、水素社会になって、直接、水素を販売する方が、より利益になる（コストパフォーマンスが良い）なら、水素の販売も可能である。ビジネス・モデル（市場獲得の戦略）としては、微妙に、（電気）エネルギーと水素製造のバランスを保ちながら、利益を向上させてゆくのが良い。吉野カズトラ宇宙世界皇帝のエコロジー・システムは、地球にある自然エネルギーや宇宙にある巨大なエネルギーを獲得することによって、大きな経済効果を得ることが可能である（見込める）。
【図５９】図５９は、（ネオ）エコロジー・エネルギー・システム（・アプリケーション）(太陽光熱風力発電システム)のイメージ概念図である。 Yoshino UniverseKazutora Yoshino Universe EmpireKazutora Yoshino Emperor's Solar (Light) Energy (Thermal）Energy Wind Energy (Ground) Heat Energy SystemLovely, 太陽光熱流体風力（地熱力）発電システム： 太陽光力や風力や地熱力を用いて、太陽光反射板などで、熱流体を作り、羽（プロペラ）を回転して、（発電機を回して）、発電する。 パラボラ鏡（／平面鏡）等の反射鏡を用いて、集光して、エネルギー（熱）を集める（回収する）。センター・スフィア（中心球）に、エネルギー（熱）を集めて、水を沸騰させて気化させて水蒸気（スチーム）を作る。（オプションとして、フロンガスを沸騰させて気化させて、スチームを作るのでも良い。） ２Dのパラボラ（放物線）を３Dに、線形に拡張したパラボラ鏡で、タワーの柱の液体（水、フロン、等）を、熱して、（可能なら気化させる。可能なら、水を水素と酸素に、熱分解する。）２Dのパラボラ（放物線）を３Dに、円形（回転形）に拡張したパラボラ鏡で、タワーのセンター・スフィアの液体（水、フロン、等）若しくは、気体（水、フロン、等）をより熱することにより（液体（水（／お湯）、フロン、等）を熱する。可能なら気化させる。可能なら、水を水素と酸素に、熱分解する。スチームをより熱くする。空気を熱膨張させる。等）、熱として、エネルギーを作り、熱流体（スチーム、熱膨張流体気流（空気）、等）によってプロペラを回して、発電する。 オプションとして、２Dのパラボラ（放物線）を３Dに、線形に拡張したパラボラ鏡に、厚みを持たせて、羽にして、複数（例えば、３枚）の羽でプロペラを作る。 太陽光が強い時は、パラボラ鏡（羽）を固定して（ロック、ブレーキをかけて）、太陽光を反射して、集光に用いてもよい。 若しくは、太陽光を反射して、集光に用いて、熱流体（スチーム）を作り、パラボラ鏡（羽、プロペラ）を回転して、（発電機を回して）、発電する。 太陽光を用いたパラボラ反射鏡などによる熱源発生装置を用いるなどして、風力、太陽光（熱）などによって、エネルギー・フィールド（エネルギー流体場）を作る（grad u、grad・u、grad x u）（グレーディエント、発散、渦（カール）、等を用いる。）エネルギー・フィールドによって生じる、圧力グレーディエント（grad p）等によって、プロペラを回転して、発電する。 風力が強い時には、風車として、羽（プロペラ）を直接回転させて、発電しても良い。源泉発電にしても良い。
【図６０】図６０は、（ネオ）エコロジー・エネルギー・システム（・アプリケーション）(太陽光熱風力発電システム)のイメージ概念図である。 Yoshino UniverseKazutora Yoshino Universe EmpireKazutora Yoshino Emperor's Solar (Light) Energy （Thermal）Energy Wind Energy SystemLovely, 太陽光（熱）風力発電システム： 本発明は、太陽光（熱）発電を行うために、平面鏡／パラボラ鏡などの反射鏡を、風量発電を行うための（風車の）羽（プロペラ）として用いて、光を受光しながら、風力発電を行えるシステムである。 例えば、（風車の）羽は、パラボラ鏡（２D放物線を線形に拡張した形）にして、太陽光を受光して、集光したフォーカス・ラインを、太陽光パネル（太陽電池、熱電発電パネル、（固体（保熱剤）や液体（水、フロン、等）や気体（スチーム、フロン化ガス、等）を中に入れた）パイプ、等）に、反射して（羽が動いている（回転している）なら、走査して）、発電する。 太陽光パネルは、外付けに設置していても良く、又（若しくは）、羽の鏡（ミラー）の裏側に、設置して（貼って）あっても良い。 太陽光パネルは、太陽電池なら、シリコン型の太陽電池パネル、色素増殖型、等の太陽電池シート、等を用いれる。 太陽光パネルは、熱電発電なら、シリコン型の（シリコン）ｐ−ｎ半導体熱電パネルなどを、用いることが可能である。 本発明は、発電所として、地面にあっても、（（半分）地下にあっても）、（船のように）海上にあっても良い。 羽の片面／両面に、太陽光パネルを設置して（貼って）、直接、太陽光（熱）を受光しても良い。太陽光（力）が強い時は、モーター（＋ギヤ）を用いて、羽の角度調整をする。（羽を回転して、最も、発電容量が大きかった角度に、定める（回転して、角度調整をする。））風（力）が強い時は、風車として、羽を回転させて、発電機（＋ギヤ）で、発電する。この際、太陽光があるなら、同時に、発電することも可能である。発電機とモーターが両用のステッピングモーター等を用いることによって、より効率を向上することも可能である。
【図６１】図６１は、エコロジー・エネルギー・システム（・アプリケーション）(太陽光・風力・発電システム：（ミニチュア）メガ・ソーラー)のイメージ概念図である。 Yoshino UniverseKazutora Yoshino Universe EmpireKazutora Yoshino Emperor's Solar Energy Wind Energy System: Miniature Mega Solar SystemLovely, 駐車場などに、フレーム（鉄パイプ＋ジョイント＋コンクリート台、等）（＋板）、等で構成されるビルを作り、（メガ）ソーラー・パネルを設置する。 段ボールの箱に、水道管（プラスチックパイプ：内径５ｃｍ、長さ１ｍ〜３ｍ）を入れて、コンクリート＋砂＋水を入れて、固める。（四つ角、等、幾つか作る。） 水道管（プラスチックパイプ）に、鉄パイプ（外径４．８６ｃｍ、長さ２ｍ〜４ｍ）を入れる。鉄パイプをジョイントで、繋ぐ。 オプションとして、屋根に、板を貼る、若しくは、木材を隙間を開けずに敷く、若しくは、木材を隙間を開けて敷く、等する。 鉄パイプとジョイントを組み合わせて、積み上げて、より高いビルにする。 （より安定させるために、ジャングルジムのようにしても良い。） 太陽光パネル（ソーラー・パネル）や、風力発電機（＋コントローラー、バッテリー、インバーター、等）を、設置して、（ミニチュア）メガ・ソーラー・システムを作る。 効果としては、駐車場のような狭い（１０坪ぐらい）の土地でも、（ある程度の高さの／背の高い）ビルを作ることによって、受光面積のある程度大きい、太陽光発電システムを作ることがある程度可能になる。
【図６２】図６２は、エコロジー・エネルギー・システム（・アプリケーション）(太陽光・熱電・発電システム：（ミニチュア）メガ・ソーラー)のイメージ概念図である。 Yoshino UniverseKazutora Yoshino Universe EmpireKazutora Yoshino Emperor's Solar Energy （Thermal Energy）(Generator) System: Miniature Mega Solar SystemLovely, 本発明は、平面鏡／パラボラ鏡、等の反射鏡（鏡、板などに銅やアルミを含む反射フィルムを貼る、板などにアルミ箔を貼る、等）を用いて、太陽光受光部（太陽光パネル（太陽電池、太陽光熱電パネル、など）、スチーム用液体容器、等）に、反射光を照射して、太陽光パネル（太陽電池、太陽光熱電パネル、など）は、日光の受光を同時にすることによって、発電効率を高める（集光型・太陽光パネル型のハイブリッドな）太陽光発電システムである。 出来るだけ、コストパフォーマンス良く、発電するためには、太陽光の受光面積を向上させるのが良いが、鏡や、反射フィルム、アルミホイル、などが、コスト的には、合理的である。スチームを使った、蒸気発電も可能であるが、製作、設置などのコストを、含めると、ミニチュア・メガ・ソーラーでは、太陽光パネルを用いるのが、コストパフォーマンスが良い。例えば、鏡は、反射率１００％近くあり、面積１５０ｃｍｘ３０ｃｍの鏡が、約２０００円ぐらいである。同面積の太陽電池は、約２００００円〜３００００円ぐらいなので、鏡で受光した、反射光を、太陽電池や、太陽光熱電パネルに、照射する方が、コスト的に、合理的なのである。 コンピューター・コントロール（コンピューター制御）を用いて、モーター（サーボ・モーター、ステッピング・モーター、DCモーター、ACモーター、リニア・モーター、シャフト・モーター、）、ギヤ（円形ギヤ、クランクシャフト、ラッチギヤ、ネジギヤ、等）、を動作させて（制御して）、正方形／長方形／多角形／円形の平面反射鏡や、パラボラ反射鏡などの角度を調整して、日光の反射光を、太陽光受光部（太陽光パネルなど）に、照射するようにする。コンピューター・コントロール（コンピューター・制御・技術）によって、MEMS技術のように、其々の反射鏡（鏡、等）（ミラー・ユニット）を独立して、動作させて、反射鏡（鏡、等）（ミラー・ユニット）を、適宜な角度に動かして（設定して）、システムを機能させる。温度が高く向上するなら、（太陽光）熱電パネル（シリコン型ｐ−ｎ半導体）を用いるのが、（適宜である）合理的であるので、良い。コンピューターによるモーター制御などによって、コストパフォーマンスと発電効率の良い太陽光発電システム（太陽光熱電発電システム）を作ることができる。
【図６３】図６３は、エコロジー・エネルギー・システム（・アプリケーション）(太陽光・熱電・発電システム：（ミニチュア）メガ・ソーラー)のイメージ概念図である。 Yoshino UniverseKazutora Yoshino Universe EmpireKazutora Yoshino Emperor's Solar Energy （Thermal Energy）(Generator) System: Miniature Mega Solar SystemLovely, 本発明（吉野一虎太陽光皇帝の塔）は、ビル型の（ミニチュア）メガ・ソーラーと、角度型（直接型／反射型）の（ミニチュア）メガ・ソーラーを、適宜に組み合わせたシステムである。 本発明は、平面鏡／パラボラ鏡、等の反射鏡（鏡、板などに銅やアルミを含む反射フィルムを貼る、板などにアルミ箔を貼る、等）を用いて、太陽光受光部（太陽光パネル（太陽電池、太陽光熱電パネル、など）、スチーム用液体容器、等）に、反射光を照射して、太陽光パネル（太陽電池、太陽光熱電パネル、など）は、日光の受光を同時にすることによって、発電効率を高める（集光型・太陽光パネル型のハイブリッドな）太陽光発電システムである。 出来るだけ、コストパフォーマンス良く、発電するためには、太陽光の受光面積を向上させるのが良いが、鏡や、反射フィルム、アルミホイル、などが、コスト的には、合理的である。スチームを使った、蒸気発電も可能であるが、製作、設置などのコストを、含めると、ミニチュア・メガ・ソーラーでは、太陽光パネルを用いるのが、コストパフォーマンスが良い。例えば、鏡は、反射率１００％近くあり、面積１５０ｃｍｘ３０ｃｍの鏡が、約２０００円ぐらいである。同面積の太陽電池は、約２００００円〜３００００円ぐらいなので、鏡で受光した、反射光を、太陽電池や、太陽光熱電パネルに、照射する方が、コスト的に、合理的なのである。 コンピューター・コントロール（コンピューター制御）を用いて、モーター（サーボ・モーター、ステッピング・モーター、DCモーター、ACモーター、リニア・モーター、シャフト・モーター、）、ギヤ（円形ギヤ、クランクシャフト、ラッチギヤ、ネジギヤ、等）、を動作させて（制御して）、正方形／長方形／多角形／円形の平面反射鏡や、パラボラ反射鏡などの角度を調整して、日光の反射光を、太陽光受光部（太陽光パネルなど）に、照射するようにする。コンピューター・コントロール（コンピューター・制御・技術）によって、MEMS技術のように、其々の反射鏡（鏡、等）（ミラー・ユニット）を独立して、動作させて、反射鏡（鏡、等）（ミラー・ユニット）を、適宜な角度に動かして（設定して）、システムを機能させる。温度が高く向上するなら、（太陽光）熱電パネル（シリコン型ｐ−ｎ半導体）を用いるのが、（適宜である）合理的であるので、良い。コンピューターによるモーター制御などによって、コストパフォーマンスと発電効率の良い太陽光発電システム（太陽光熱電発電システム）を作ることができる。 本発明は、狭い土地でも、太陽光の角度から設計（計算）して、適宜にビルを建てることによって、土地の大きさに比較して、大容量の太陽光エネルギー（ソーラー・エナジー）を獲得することができることを特徴としているシステムである。 光を集光するのに適宜な三次元（3D）の幾何的な構造（比率、寸法、など）（例えば、上部の板に、直接型／反射型なら入射光が遮断されないようにして、反射型��ら反射光が遮断されないで、鏡の角度を適宜に選び、反射光が、集光部（センター・スフィア、センター・プレート、太陽光発電パネル（太陽光電池、熱電発電板、等）、等）に集まるようにする。オプションとして、集光部（／集光部の近く）に、プロペラを付けて、風（熱風）で、回転させるのも可能である。 例えば、Ndiv=５（吉野一虎皇帝の五重の塔）で、ｌ１’＝２ｍ、ｌ２＝２０ｍ、ｌ４＝１０ｍ、ｌ５＝１０ｍ、ｌ２’＝４ｍ、ｌ７＝２８ｍとする。（約200kWの出力を見込める）。反射型なら、コストパフォーマンスが良い。ビルは、基本、鉄筋コンクリートで、作る（足場のような、フレーム構造でも良い）。鉄パイプと鉄パイプをジョイントで、繋いだり、溶接機で、溶接して、強度を獲得しても良い。階段を付けて、設置作業ができるようにする。また、入射部をガラスやダイヤモンドで作り、周りを、建物で覆っても良い（このように周りに建物を建てると、ある程度、ビルが補強されて、反射光による眩しさを軽減できて、スチームで、タービンの回る音なども、軽減できる）。
【図６４】図６４は、エコロジー・エネルギー・システム（・アプリケーション）(太陽光・熱電・発電システム：（ミニチュア）メガ・ソーラー)のイメージ概念図である。 Yoshino UniverseKazutora Yoshino Universe EmpireKazutora Yoshino Emperor's Solar Energy （Thermal Energy）(Generator) System: Miniature Mega Solar SystemLovely, 本発明（吉野一虎太陽光皇帝の塔）は、ビル型の（ミニチュア）メガ・ソーラーと、角度型（直接型／反射型）の（ミニチュア）メガ・ソーラーを、適宜に組み合わせたシステムである。（オルタネイティヴ・フォーム） 本発明は、平面鏡／パラボラ鏡、等の反射鏡（鏡、板などに銅やアルミを含む反射フィルムを貼る、板などにアルミ箔を貼る、等）を用いて、太陽光受光部（太陽光パネル（太陽電池、太陽光熱電パネル、など）、スチーム用液体容器、等）に、反射光を照射して、太陽光パネル（太陽電池、太陽光熱電パネル、など）は、両面、裏（太陽光パネル、熱電発電パネル、スチーム発電、等）から反射光と、表から太陽光の受光を同時にすることによって、発電効率を高める（集光型・太陽光パネル型のハイブリッドな）太陽光発電システムである。 出来るだけ、コストパフォーマンス良く、発電するためには、太陽光の受光面積を向上させるのが良いが、鏡や、反射フィルム、アルミホイル、などが、コスト的には、合理的である。スチームを使った、蒸気発電も可能であるが、製作、設置などのコストを、含めると、ミニチュア・メガ・ソーラーでは、太陽光パネルを用いるのが、コストパフォーマンスが良い。例えば、鏡は、反射率１００％ぐらいで、面積２００ｃｍｘ２００ｃｍの鏡を、４ｘ４、若しくは、５ｘ５で、用いる（約１００kW~２００kW）(Solar Energy Power Generator: example, 1 unit: (2m x 2m), 4 x 4 = 16 units or 5 x 5 = 25 units and so on, 100kW~200kW and so on)。同面積の太陽電池は、比較的高額になるので、鏡で受光した、反射光を、太陽電池や、太陽光熱電パネルに、照射する方が、コスト的に、合理的なのである。又、比較的、高い柱に受光部を載せる必要がないので、（設置コスト、設置作業安全性など）、（コスト）パフォーマンスと、（セイフティー、セキュリティー）パフォーマンスが、良くなる。 コンピューター・コントロール（コンピューター制御）を用いて、モーター（サーボ・モーター、ステッピング・モーター、DCモーター、ACモーター、リニア・モーター、シャフト・モーター、）、ギヤ（円形ギヤ、クランクシャフト、ラッチギヤ、ネジギヤ、等）、を動作させて（制御して）、正方形／長方形／多角形／円形の平面反射鏡や、パラボラ反射鏡などの角度を調整して、日光の反射光を、太陽光受光部（太陽光パネルなど）に、照射するようにする。コンピューター・コントロール（コンピューター・制御・技術）によって、MEMS技術のように、其々の反射鏡（鏡、等）（ミラー・ユニット）を独立して、動作させて、反射鏡（鏡、等）（ミラー・ユニット）を、適宜な角度に動かして（設定して）、システムを機能させる。温度が高く向上するなら、（太陽光）熱電パネル（シリコン型ｐ−ｎ半導体、Si-Ge、等）を用いるのが、（適宜である）合理的であるので、良い。コンピューターによるモーター制御などによって、コストパフォーマンスと発電効率の良い太陽光発電システム（太陽光熱電発電シ��テム）を作ることができる。 コストパフォーマンスを良くするために、平面鏡を、パラボラ反射鏡の形にして、受光部を駆動させる（移動させる、（角度を調整する）、等）のが最善の形態である。 本発明は、狭い土地でも、太陽光の角度から設計（計算）して、適宜にビルを建てることによって、土地の大きさに比較して、大容量の太陽光エネルギー（ソーラー・エナジー）を獲得することができることを特徴としているシステムである。 光を集光するのに適宜な三次元（3D）の幾何的な構造を作る。平面鏡を、平面に並べて、其々の角度を制御する、若しは、平面鏡を、パラボラ反射鏡の形に並べて、角度を微調整するとか、固定して、集光部に光（熱）を集光することを、特徴とした太陽光発電システムである。
【図６５】図６５は、エコロジー・エネルギー・システム（・アプリケーション）(太陽光・熱電・発電システム：（ミニチュア）メガ・ソーラー)のイメージ概念図である。 Yoshino UniverseKazutora Yoshino Universe EmpireKazutora Yoshino Emperor's Energy Generator System (Building)Lovely, 本発明（吉野一虎太陽光皇帝の塔）、ビル型（ビルディング）の（ミニチュア）メガ・ソーラー・システムの（フレーム）構造図である。 地盤などの確認をして、測量して、土、砂利、などを平たくして、コンクリートなどを敷き、土台を作り（オプションとして、鉄棒（（鉄）パイプ）などを、コンクリートに埋め込み）、土台と同時に、横と縦と高さの軸（鉄棒、（鉄）パイプ、木、柱）などの構造も安定させる。（鉄）パイプを用いて、周りを縁取った二重構造に、オプションとして斜め補強を入れて、其々の階にも、周りを縁取った二重構造の足場（（鉄）パイプに木を取り付ける）を作って、其々の階の間に、階段を設置して、作業中も駆動中も安全で、安定したフレーム構造を作る。其々の階から、クレーンなどで、（鉄）パイプ等を、その階に持ちあげて、その階からその上（次）の階を作る。これを、複数回繰り返して、（高層）ビルディングにする。全体の構造を安定させる（全体の構造が安定していることを確認する）。鏡、太陽光パネルなどの重さに耐えれてや、風にあおられた時の圧力（力）に耐えれる、強度（強さ）を持っている。適宜な方面（例えば、東面（側）、南面（側）、西面（側）、時間変化太陽方向（変動角度）、等）を向くように、太陽光パネルや反射板（平面鏡角度型、パラボラ型、等）を設置する（適宜な位置（例えば、南方）に集光部を設置する）。例えば、１０ｍｘ１０ｍｘ４０ｍのビルディング（壁と屋上（天井））に、約３５０ｋW〜４００ｋWぐらいの日射量が、降り注いでくるので、若し、発電効率が１０％〜１００％なら、３５ｋW〜４００ｋWぐらいの出力が、見込める。
【図６６】図６６は、エコロジー・エネルギー・システム（・アプリケーション）(太陽光・熱電・発電システム：（ミニチュア）メガ・ソーラーやロケット発射台の建造物の作り方)のイメージ概念図である。 Yoshino UniverseKazutora Yoshino Universe EmpireKazutora Yoshino Emperor's Energy Generator System (Building Building Method)Lovely, 建築物（建造物）を作る方法。 コンクリート＋砂＋水＋空気（若しくは、ケイ砂＋水ガラス＋二酸化炭素）など、鉄パイプ（若しくは、ステンレスパイプ）などを、ジョイントなどで、組み合わせて、フレームを作る。 建物の使用年数が、４５〜６０年ぐらいまでなら、コストパフォーマンスは、コンクリート＋砂＋水＋空気、鉄パイプ、防水性ペンキの方が良いが、建物の使用年数６０年以上なら、錆びないようにステンレスパイプ（オプションとして、DLCコーティング）を用いて、劣化しずらいようにケイ砂＋水ガラス＋二酸化炭素（CO2）を用いるのが、最善の形態である。 （I）風車の台をベランダのイクすテンションに作る方法。 （II）（ミニチュア）ビルを作る方法。コンクリート、鉄（ステンレス）パイプなどを、ジョイントなどで、組み合わせて、ベース・フレームを作る。鉄（ステンレス）パイプなどを、ジョイントなどで、組み合わせて、階段を作り、アセンド・フレームを作る。鉄（ステンレス）パイプなどを、ジョイントなどで、組み合わせて、フロア・フレームを作り、木の板などを取り付けて、足場（床）を作る。ベース・フレーム、アセンド・フレーム、フロア・フレームを、ユニットフレームとする。これを複数回繰り返して、ユニット・フレームを積み重ねて、複数階の建物（建造物）を作る。例えば、１０ｍｘ１０ｍｘ４０ｍのビル（フレーム・ビル、ロケット発射台、等）を作る。 （III）雨水を集めたり、地下水を用いたりして、地下水槽（プール）を作る。（スキューバ）ダイビングの練習や、宇宙飛行（無重力）の練習・訓練を行う。
【図６７】図６７は、エコロジー・エネルギー・システム（・アプリケーション）(太陽光（光／熱電／熱）発電システム)のイメージ概念図である。 Yoshino UniverseKazutora Yoshino Universe EmpireKazutora Yoshino Emperor's Solar (Light) Energy (Thermal）Energy Generator SystemLovely, 太陽光（光／熱電／熱）発電システム： 太陽光の反射光の集光（出力）のデータ：      システム                     ｘモルティプル・ファクター           比較出力（サンプル）       比較出力（現実的、現実化）              比較出力（出力倍率・出力効率）                                        （I）太陽光発電（太陽電池）         ｘ１００倍（面積の鏡）               １．０  V  〜              １０．０  V                                    ２倍（II）太陽光発電（熱電発電）        ｘ１００倍（面積の鏡）                 １０．０  V  〜            １００．０  V                                 １０倍（III）太陽光発電（ダイナモ）      ｘ１００倍（面積の鏡）                  １００．０  V  〜          １０００．０  V               １００倍  （変換効率が１０％なら１０倍、変換効率が１００％なら１００倍） （例えば、１００倍〜１００００倍ぐらいの）反射光を用いる際は、（I）太陽光発電システム（太陽電池（シリコン従来型）システム）よりも、（II）太陽光熱電発電システム（や太陽電池（III-V族化合物（多接合）型）システム）、若しは、（水（水蒸気、スチーム）＋タービン＋）ダイナモを用いて（III）太陽光熱発電システム（ダイナモ型）を作るのが、特性的に優れている。 効率の改善化と、コストパフォーマンス的には、（III）太陽光熱発電システムを作るのが、特性的に優れている（ポテンシャルも高いので、合理的である）。 本発明の最善の形態は、集光型の（III）太陽光熱発電システムである。 Yoshino UniverseKazutora Yoshino Universe EmpireKazutora Yoshino Emperor's Solar Energy Generator System (Semiconductor Panel vs Dynamo System)Lovely, 吉野一虎宇宙世界皇帝（YoshinoAdvancedEnergy）の設計するハイパワー集光型太陽光発電システムでは、従来型の太陽電池パネルが不可能であった、（発電量／コスト）の比率を数倍にさせることが出来る。 吉野一虎宇宙世界皇帝（YoshinoAdvancedEnergy）のハイパワー集光型太陽光発電システムでは、従来型の太陽電池パネルを用いた同じぐらいの発電量のメガソーラーシステムの約７０％ぐらいのコストに近づけることが、現実的に可能であり、将来的には、理論的には、約２５〜４５％ぐらいに近づけることも可能である。又、従来、太陽電池の製造の際にＣＯ２が排出されるのに対して、吉野一虎宇宙世界皇帝（YoshinoAdvancedEnergy）のハイパワー集光型太陽光発電システム製造の際には、ＣＯ２が排出されない。 （吉野一虎宇宙世界皇帝（YoshinoAdvancedEnergy）の（大型の）ハイパワー集光型太陽光システムのメガソーラー） 吉野一虎宇宙世界皇帝（YoshinoAdvancedEnergy）の（大型の）ハイパワー集光型太陽光発電システム（集光パネル型と集光ダイナモ型）のメガソーラーの強みと弱み（従来型の太陽電池のメガソーラーとの比較） 『吉野一虎宇宙世界皇帝（YoshinoAdvancedEnergy）の（大型の）ハイパワー集光型太陽光発電システム』                        コスト  サイズ  重さ    精度    速度    耐久性  拡大性  静音性  効率    (半導体鏡)集光＜半導体＞パネル型             ○      ◎      ◎      ◎      ◎      ◎      ◎      ◎      ◎ （アルミ鏡）集光＜電磁＞ダイナモ型             ◎      ◎      ◎      ◎      ◎      ◎      ◎      ○      ◎  吉野一虎宇宙世界皇帝（YoshinoAdvancedEnergy）の（大型の）ハイパワー集光型太陽光発電システムのメガソーラーを、従来の太陽光電池のメガソーラーと比較すると、集光パネル型と集光ダイナモ型のメガソーラーの両方とも、大型であるなら、ハイパワー集光型太陽光発電システムのメガソーラーは、従来の太陽電池のメガソーラーに対して、強みと同レベルはあるが、弱みはない。（ハイパワー集光型太陽光発電システムのダイナモ型は、広大な土地で活用するためにも設計されているので、ある程度音があっても問題はないが、宅地用に、ハイパワー集光型太陽光発電システムの集光ダイナモ型のユニットは、発電効率が良く、防音性に優れているため静穏性でも、従来型のメガソーラーと、殆ど同レベルである。）吉野一虎宇宙世界皇帝（YoshinoAdvancedEnergy）の（大型の）ハイパワー集光型太陽光発電システムの集光ダイナモ型のメガソーラーの本当の強みは、日射量が多い（水辺の近くの）広い土地での発電の際、（大量の）（電気）エネルギーの生成をするのと同時に、（大量の）雨水や川や海水などを浄水して飲料水を作ることが出来ることである。 波及効果（１）コストパフォーマンスの良いハイパワー集光型太陽光発電システムを開発することによる豊富なハイパワーエネルギー生産によって、雨水などの浄水による飲料水や砂糖などのエネルギー生産製造が可能になり、日本やアメリカでのエネルギー活動を基本とした食生活などの生活の基盤を安定させることが可能になる（十分なカロリー摂取量の生産等を行える）。（２）飲料水の不足によって起きると予想される国際紛争に対して、日本やアメリカで、ハイパワー太陽光発電システムを用いて、事前に飲料水を大量に製造・貯蔵することによって、飲料水の戦略的埋蔵量の増大をして、紛争時・戦時に対処をするための準備することが可能になる。（日本やアメリカで、飲料水埋蔵量や飲料水生産能力（飲料水獲得能力）が十分にあれば、少なくとも国際レベルの飲料水奪取のための国際紛争や戦争に巻き込まれないで済む可能性はある。又、ハイパワー集光型太陽光発電システムによって、日本やアメリカが、豊富な水資源やエネルギーを獲得・貯蔵・保有することが出来るなら、国際レベルの飲料水の紛争や戦争を平和解決出来るだけの（潜在的な）能力を獲得することが、可能になる。）（３）ハイパワー集光型太陽光発電システムは、国際的にも色々な場所（特に赤道に近くて海岸沿いの場所（沖縄、アラブの海岸、若しくは、日射量が多い広大な土地（サハラ砂漠、アリゾナ砂漠）、等）でも、有効な方法なので、国際的なエネルギー問題と綺麗な飲料水の不足の問題に、対処できる可能性もある。国際的にもエネルギーと綺麗な飲料水の生産が可能になる。（４）又、集光型発電システムは、駆動時、製造時におけるＣＯ２の削減にも役立つ。（５）又、ダイナモ・モーターの製造によって、エネルギー生産の増大（向上）によって、利益を向上できるなら、ダイナモ・モーターの製造量の加速が可能になる。ダイナモ・モーターの組み立てなどの製造は工場レベルと家庭レベルの両方で可能であるため、加速的に、巨大な雇用市��を、創出することになり得る。大量のダイナモ・モーターによって、巨大なエネルギー生産ができれば、世界（特に、日本やアメリカ）のエネルギー問題は、解決する可能性が十分ある。ダイナモ・モーターの発電効率を数パーセント向上することが出来て、そのダイナモ・モーターを使用するなら、太陽光発電だけでなく、風力発電、火力発電、水力発電、海洋力発電、地熱発電、源泉バイナリー発電などの発電効率も、同時に数パーセント向上させることが可能になる。ダイナモ・モーターの高効率化とその使用数の向上によって、世界（特に、日本やアメリカ）の経済が、同時に数パーセント向上することも可能になる。
【図６８】図６８は、エコロジー・エネルギー・システム（・アプリケーション）(太陽光（光／熱電／熱）発電システム：コンピューター制御)のイメージ概念図である。 Yoshino UniverseKazutora Yoshino Universe EmpireKazutora Yoshino Emperor's Solar (Light) Energy (Thermal）Energy Generator System  (Computer Control)Lovely, 太陽光（光／熱電／熱）発電システム（（MEMS型の）コンピューター制御）： 例えば、４ｘ４の反射鏡配列（ミラー・アレイ、ミラー・マトリクス）を用いるなら、 太陽の位置や、モーター（＋ギヤ）の位置（鏡の位置）、出力データ、等、をセンサー等で読み取ったデータを、８２５５を介して、コンピューター（CPU）に入力して、解析、計算、情報処理などして、８２５５を介して、適宜な情報（電圧データ）等を、カード・セレクター機能によって、適宜なモーター・ドライバー・ボードのD／Aコンバーターに出力して、適宜なユニットのモーター・ドライバー・ボードとモーターを制御する。タイマーでループにしてもよい。 フロー・チャート：              スタート              →  タイマーに合わせて、太陽の位置や、モーター（＋ギヤ）の位置（鏡の位置）、出力データ、等、をセンサー等で読み取る。              →  コンピューターは、必要なら、８２５５を介して、モーター（＋ギヤ）の位置（角度）があるべき所に移動するように、カード・セレクターで、適宜なカードを選び、（適宜な）D／Aコンバーターに、適宜な電圧を出力する。              →  カード・セレクターは、、スイッチ機能で、D／Aコンバーター（＋ドライバー（トランジスター））と適宜なモーターへの接続をして、モーター（＋ギヤ）（＋鏡）を駆動する。              →  タイマーに合わせて、必要なら、リピートする。               プログラム（コンセプト）：if (timer == t + T1*delta_t) {for (i = 1; i <17; i++) {              Card_Selector_Address = function_(i);              output(PortC(II), Card_Selector_Address);              output(PortA, Output_Value_A(i));              output(PortB, Output_Value_B(i));              output(PortC(I), Output_Value_C(I)(i));｝｝ プログラム（インターフェース）int i;int iv1;int iv2;int iv3;int Sun;int Motor_Location;int Power_Amount;int Card_Selector_Address;int Output_Value_A(17, 360, 360, 255);int Output_Value_B(17, 360, 360, 255);int Output_Value_C(17, 360, 360, 255);Sun=1;Motor_Location=2;Power_Amount=3;Card_Selector_Address=1;Output_Value_A(17)=0;Output_Value_A(17)=0;Output_Value_A(17)=0;if (timer == t + T1*delta_t) {              iv1=input(Data_Package(Sun));              iv2=input(Data_Package(Motor_Location));              iv3=input(Data_Package(Power_Amount));for (i = 1; i <17; i++) {              Card_Selector_Address = function_(i, iv1, iv2, iv3);              output(PortC(II), Card_Selector_Address);              output(PortA, Output_Value_A(i, iv1, iv2, iv3));              output(PortB, Output_Value_B(i, iv1, iv2, iv3));              output(PortC(I), Output_Value_C(I)(i, iv1, iv2, iv3));｝｝ プログラム（オルターネティヴ）int i;int iv1;int iv2;int iv3;int Sun;int Motor_Location;int Power_Amount;int Card_Selector_Address;Function Data_Package(4);Function Output_Value (4,17, 360, 360, 255);Sun=1;Motor_Location=2;Power_Amount=3;Card_Selector_Address=1;Output_Value_A(17)=0;Output_Value_A(17)=0;Output_Value_A(17)=0;if (timer == t + T1*delta_t) {              iv1=input(Data_Package(Sun));              iv2=input(Data_Package(Motor_Location));              iv3=input(Data_Package(Power_Amount));for (i = 1; i <17; i++) {              Card_Selector_Address = function_(i, iv1, iv2, iv3);              output(PortC(II), Card_Selector_Address);              output(PortA, Output_Value(1, i, iv1, iv2, iv3));              output(PortB, Output_Value(2, i, iv1, iv2, iv3));              output(PortC(I), Output_Value(3, i, iv1, iv2, iv3));｝｝
【図６９】図６９は、エコロジー・エネルギー・システム（・アプリケーション）(太陽光・熱電・発電システム：（ミニチュア）メガ・ソーラー)のイメージ概念図である。 Yoshino UniverseKazutora Yoshino Universe EmpireKazutora Yoshino Emperor's Solar Energy Generator System (Building: Chair Type)Lovely, 本発明（吉野一虎太陽光皇帝の塔）、椅子型（ビルディング）の（ミニチュア）メガ・ソーラー・システムの（フレーム）構造図である。 太陽光パネル（マトリクス）、若しくは、鏡配列（ミラー・アレイ、ミラー・マトリクス）を置いても、十分な強度を持ちながら、コストパフォーマンスの良いフレームの構造を作る（獲得する）。 最善の形態が、椅子型である。椅子型が、東を向いているなら、背もたれの部分を両面で使えて、座る部分の片面が使える。南向き（片面）に、もう一枚、背もたれを追加しても良い。 鏡配列（ミラー・アレイ、ミラー・マトリクス）を用いて、（MEMS型の）コンピューター制御を行い、効率の良い発電機（ダイナモ）を用いるなら、十分な、利益が見込める。
【図７０】図７０は、エコロジー・エネルギー・システム（・アプリケーション）(太陽光・熱電・発電システム：（ミニチュア）メガ・ソーラー)のイメージ概念図である。 Yoshino UniverseKazutora Yoshino Universe EmpireKazutora Yoshino Emperor's Solar Energy Generator System (Building Foot Ball Type)Lovely, 本発明（吉野一虎太陽光皇帝の塔）、椅子型（ビルディング）の（ミニチュア）メガ・ソーラー・システムの（フレーム）構造図である。 太陽光パネル（マトリクス）、若しくは、鏡配列（ミラー・アレイ、ミラー・マトリクス）を置いても、十分な強度を持ちながら、コストパフォーマンスの良いフレームの構造を作る（獲得する）。 コストパフォーマンスを良くするなら、最善の形態が、フットボール型である。柱（ポール）の部分が、回転式になっていて、太陽の方向を向くように、コンピューター（＋モーター＋ギヤ）制御しても良い。 鉄パイプ（／水道管パイプ／木、等）を、ジョイントで繋げる、若しくは、溶接によって、接合させる（くっ付ける）。これによって、７本の鉄パイプで、強度が十分な構造を、作れる。 必要なら下部二本の脚の内径に入る外径の延長パイプを繋いで、拡張して安定させても良いが、脚の代わりに、柱（ポール）の台の部分を、地下に埋め込み、コンクリートなどで固めても良い。 上部と下部を、グラウンドで作り、下部を立てて、固定して、上部を上からクレーン（車）で吊るして（若しくは、家の近くなら、ベランダや、屋上などから吊るして）、取り付けることが、可能である。 太陽光パネルを用いるなら（太陽の方向を向くように、柱（ポール）や太陽光パネルの角度をコンピューター制御すること可能なら）、ある程度の利益は見込める。 鏡配列（ミラー・アレイ、ミラー・マトリクス）を用いて、（MEMS型の）コンピューター制御を行い、効率の良い発電機（ダイナモ）を用いるなら、十分な、利益が見込める。 吉野カズトラ宇宙世界皇帝の一言：『フットボール型は、太陽光発電のフレーム・ベースに用いることが出来て、又、ダイナモ・モーターのローテーション・ベースに用いることが出来るので、開発には、一石二鳥（一挙両得）である。』
【図７１】図７１は、エコロジー・エネルギー・システム（・アプリケーション）(太陽光・熱電・発電システム：（ミニチュア）メガ・ソーラー)のイメージ概念図である。 Yoshino UniverseKazutora Yoshino Universe EmpireKazutora Yoshino Emperor's Solar Energy Generator System (Building: King Chair Type)Lovely, 吉野カズトラ宇宙世界皇帝の光と水と電気： 本発明（吉野一虎太陽光皇帝の塔）、王の椅子型（ビルディング）（バルコニー型）の（ミニチュア）メガ・ソーラー・システムの（フレーム）構造図である。 太陽光パネル（マトリクス）、若しくは、鏡配列（ミラー・アレイ、ミラー・マトリクス）を置いても、十分な強度を持ちながら、コストパフォーマンスの良いフレームの構造を作る（獲得する）。 特に最善の形態が、王の椅子型（バルコニー型）である。椅子型が、東を向いているなら、背もたれの部分を両面で使えて、座る部分の片面が使える。南向き（片面）に、もう一枚、背もたれを追加しても良い。 鏡配列（ミラー・アレイ、ミラー・マトリクス）を用いて、鏡配列の其々の鏡の２Ｄ／３Ｄ角度（や３Ｄポジション、位置）を、駆動手段（モーター（ステッピングモーター、等）、リニア・モーター、シャフト・モーター、ソレノイド、リニアステージ、等）を用いて、調整して（（MEMS型の）コンピューター制御を行い）、効率の良い発電機（ダイナモ）を用いるなら、十分な、利益が見込める。 オプションとして、集光部（ブラック・ボックス、ブラック・スフィア、等）をリニアステージ（モーター（ステッピングモーター、等）、リニア・モーター、シャフト・モーター、ソレノイド、等）で、２Ｄ／３Ｄポジションを移動して、より光が集まるところに、移動しても良い。集光部へ水（スチーム）／（フロン化ガス）等を、送る際、３Ｄポジションの設定が可能なように、スプリング型（スプリング状）のホース（ホワイト・スネーク、等）を設置する。 王の椅子型（バルコニー型）は、屋根や、パネル層の床で、雨水を回収して、ウォーター・タンク（貯水槽）に貯める。雨水を、太陽光で、温めて、スチームを作り、プロペラ（タービン）を回し、発電機（ダイナモ・モーター）で発電して、（コントローラーで、ＤＣに変換して）バッテリーに貯めて、インバーターで、１００Ｖ（５０Ｈｚ／６０Ｈｚ）にして、送電（売電）する。スチームを回収して、飲料水（蒸留水）を作る。また、発電機（ダイナモ・モーター）、コントローラーから来る電気を用いて、バッテリーだけでなく、水を、電気分解して、水素と酸素にして、貯蔵しても良くて、エネルギーを必要に応じて、（水素と酸素を反応させて）燃料電池で、発電して、インバーターで、１００Ｖ（５０Ｈｚ／６０Ｈｚ）にして、送電（売電）する。 王の椅子型（バルコニー型）は、埼玉県入間市下藤沢５５０−１１の吉野信法王の家（と庭）の土地に合わせると、例えば、庭に合わせて、（長さ）（８ｍ〜１０ｍ）ｘ（高さ）（８ｍ〜１２ｍ）ｘ（幅）（３ｍ〜４ｍ）ぐらいにして、バルコニーの床の高さは、３ｍ〜３．５ｍぐらいで、ミラー・アレイの高さは、３．５ｍぐらいで、バルコニーのフレーム（太陽光が通る隙間で、足台となる幅に細めのフレームを幾つか敷く）は、３．５ｍ〜４ｍぐらいにする。鉄パイプと、水道管の組み合わせになる。ウ��ーター・タンクは、長さ（１ｍ〜２ｍ）ｘ高さ（４ｍ〜１２ｍ）ｘ（幅）（３ｍ〜４ｍ）ぐらいにする。発電用スチームによる飲料水製造機に用いるウォーター・タンクと、水の水素と酸素への電気分解用のウォーター・タンク＋水素タンク＋酸素タンクを、併用すると、一挙両得である。
【図７２】図７２は、エコロジー・エネルギー・システム（・アプリケーション）(集光型太陽光（太陽電池、熱電パネル）発電システム：（ミニチュア）メガ・ソーラー)のイメージ概念図である。 Yoshino UniverseKazutora Yoshino Universe EmpireKazutora Yoshino Emperor's Solar Energy Generator System Lovely, 吉野カズトラ宇宙世界皇帝の集光型太陽光発電システムである。 静音、集光手段などによって出力向上、（シリコン、半導体などの、）太陽光パネル発電ユニット（太陽光電池ユニット、熱電発電パネルユニットなど）（配列、アレイ）の使用率を最適化して、コストパフォーマンスを良くすることを、目的とした集光型太陽光発電システムである。 鏡（平面鏡、パラボラ鏡）、レンズ（フルネルレンズ、マイクロアレイレンズ）などの集光手段によって、太陽光を集め、太陽光パネルに照射して、出力を向上する。メカニカルな部分が、鏡の位置や角度の調整や、太陽光パネルの位置や角度の調整だけなので、静音で、太陽光発電パネル（アレイ）の出力向上になる。
【図７３】図７３は、エコロジー・エネルギー・システム（・アプリケーション）(集光型太陽光（太陽電池、熱電パネル）発電システムの配線図：（ミニチュア）メガ・ソーラー)のイメージ概念図である。 Yoshino UniverseKazutora Yoshino Universe EmpireKazutora Yoshino Emperor's Solar Energy Generator System Lovely, 吉野カズトラ宇宙世界皇帝の集光型太陽光発電システムの配線図である。発電機（ダイナモ、ダイナモ・モーター）や太陽光パネルによる発電が可能である。 発電機（ダイナモ、ダイナモ・モーター）や太陽光パネルをコントローラーに接続する。オプションとして、鏡（の位置や角度の調整機構）をコントローラーに接続する。オプションとして、集光部（の位置や角度の調整機構）をコントローラーに接続する。 バッテリーをコントローラーに、接続する。電気パーツは、基本、バッテリーから得る。バッテリーをインバーター（パワーコンディショナー）に接続する。インバーター（パワーコンディショナー）を、売電メーター（計量器）に接続する。売電メーター（計量器）を配電線に接続する。
【図７４】図７４は、エコロジー・エネルギー・システム（・アプリケーション）(集光型太陽光（太陽電池、熱電パネル）発電システム：（ミニチュア）メガ・ソーラー)のイメージ概念図である。Yoshino UniverseKazutora Yoshino Universe EmpireKazutora Yoshino Emperor's Solar Energy Generator System (Balcony (Lens/Reflector) Style)Lovely, 吉野一虎宇宙世界皇帝のバルコニー型太陽光発電システムは、大面積にある太陽光エネルギーを、（コンピューター制御された）集光手段（反射鏡やレンズ）を用いて、高濃度エネルギーに、（一度、若しくは、複数回）濃縮することを特徴（技術）とする。 反射鏡型は、例えば、太陽光を、其々がコンピューター制御された複数の反射鏡（平面鏡）を用いて、パラボラ鏡に集めて光を反射させて集光的に集めて、（オプションとして、パラボラ鏡の光をレンズで集めて）、光（熱）を、集光部に照射する。集光部は、ブラック・ボックス（ブラック・スフィア、等）、若しくは、太陽光パネル（太陽電池、熱電発電パネル）等で、良い。 レンズ型は、例えば、バルコニーに配列した、レンズ（レンズ・アレイ）を、用いて、太陽光を集光させる。其々がコンピューター制御されたレンズは、光を一点（パネルの一面、若しくは、パネルの複数面）に、集光させる。（レンズ：虫めがねのようなレンズを用いて、集光しても良い。又、フルネルレンズ・シート等を曲面を描くように設置して、集光しても良い。）レンズの間に隙間を作り（レンズが円形なら、角の間隔等に隙間ができる）、ある程度の光が、中庭（地面（下部）、等）に、届くようにして、葡萄、等、弱い光でも育つような植物を栽培することが可能である。又、光を集光するスペース（の角度）以外に、日光が、照射する場所があり得るので、梅の木（畑）などを、バルコニー（の下）に、作るのも可能である。梅の木は、レンズで集光された、発電用の光を妨げないように、高さの調整（例えば、バルコニーが３ｍぐらいなら、梅の木は、２．５ｍぐらいの高さに切って揃える。）などの手入れをしても良い。売電で得た収益を用いて、梅の木（畑）をより大きくして行くのも可能である。売電を（するのを基本と）しても良いが、太陽光の日射量からくる熱を、（直接）熱利用などして、熱加工、プラスチック製品の製造をしたり、雨水を浄化したり、海水から、飲料水と塩を生産することも可能である。
【図７５】図７５は、エコロジー・エネルギー・システム（・アプリケーション）(集光型太陽光（太陽電池、熱電パネル）発電システム＋風力発電システム：（ミニチュア）メガ・ソーラー)のイメージ概念図である。Yoshino UniverseKazutora Yoshino Universe EmpireKazutora Yoshino Emperor's Solar Energy Generator System + Wind Energy Generator SystemLovely, 吉野カズトラ宇宙世界皇帝の発電システムは、太陽光発電と、風力発電とを一緒に合わせた、オタマジャクシ型ブラック・スフィア（集光球＋しっぽ羽）を用いて、風の向きを向くオタマジャクシによって、風車のプロペラの片側をカバーして（隠して）、グレーディエントを作り、風力発電するのと、太陽光の集光部を両立させて、塔の先端に作ることによって、エネルギーを得ることを特徴とした、一挙両得なシステムである（ことも可能である）。
【図７６】図７６は、エコロジー・エネルギー・システム（・アプリケーション）(集光型太陽光（太陽電池、熱電パネル）発電システム：（ミニチュア）メガ・ソーラー)のイメージ概念図である。 Yoshino UniverseKazutora Yoshino Universe EmpireKazutora Yoshino Emperor's Solar Energy Generator System (Krystal Hikari Yoshino Queen's The Church of Emily Yoshino)Lovely, 吉野カズトラ宇宙世界皇帝の集光型太陽光発電システムと吉野クリスタルヒカリ女王の吉野エミリー教会： レンズ・アレイ配置の図と、フレーム構造の設計図である。 縦長ｘ横長ｘ高さ８ｍｘ８ｍｘ５ｍバージョン：  アメリカ合衆国、ウィスコンシン州、プラットビル（吉野エミリー女王の家）８ｍｘ６ｍｘ５ｍバージョン：  日本国、新潟県（吉野綾子将軍と吉野世礼菜（セレナ）副将軍の家）８ｍｘ３ｍｘ５ｍバージョン：  日本国、埼玉県入間市下藤沢５５０−１１（吉野信法王の家） 建築しやすいように、３：４：５の比率を用いて、５を半径として、球面を作る。レンズ・アレイの其々のレンズを、球面の其々の位置について、基本的に垂直に、（若しくは、角度を付けて）、配置する。 例えば、縦長を８ｍ（半分が、４ｍ）、高さ３ｍ、（横長３，６，８ｍ）とすると、対角線が５ｍになり、５ｍを半径として、円（弧）を描くと、縦長を８ｍ（半分が、４ｍ）、高さ５ｍ（横長３，６，８ｍ）のドーム（建築物）が出来る。焦点距離が、５ｍのレンズ・アレイを、ドームに、（基本的には垂直に）、適宜な位置と角度で、配置する。太陽が、（真）南に来た時（大体１２：００ぐらい）に、焦点が、一致するように、レンズ・アレイを設置する。太陽の角度（Θ,φ）と、レンズによって、出てくる、焦点誤差をσ（Θ,φ）とする。 レンズ・アレイは、固定式、若しくは、（マニュアル、若しくは、制御などによるオートの）可動式。 オプションとして、コンピューター・コントロールで、レンズ・アレイ（の其々のレンズ）の（位置や）角度を調整する。焦点誤差をσ（Θ,φ）軽減（／最適化）して、発電効率を良くする。 オプションとして、コンピューター・コントロールで、集光部（集光球、太陽光パネル（太陽電池、熱電発電パネル、等））の（位置や）角度を調整する。受光効率ζ（Θ,φ）向上（／最適化）させて、発電効率を良くする。
【図７７】図７７は、エコロジー・エネルギー・システム（・アプリケーション）(集光型太陽光（太陽電池、熱電パネル）発電システムの反射鏡（（Lens + Mirror）＝（Parabola Mirror）、（レンズ＋鏡）＝（凹面鏡））：（ミニチュア）メガ・ソーラー)のイメージ概念図である。 Yoshino UniverseKazutora Yoshino Universe EmpireKazutora Yoshino Emperor's Solar Energy Generator System (Reflector:(Lens + Mirror) = (Parabola Mirror))Lovely, 反射鏡（レンズ＋鏡や、パラボラ・ミラー）を用いて、太陽光を反射させて、集光して、発電を行う太陽光発電システム。 太陽光の反射は、反射鏡で行うが、パラボラ・ミラーを用いて集光するのは、集光効率が良くて、レンズとミラー（平面鏡）を（一体にして）合わせて集光するのは、コストパフォーマンスが良い。 レンズとミラー（平面鏡）一体型の反射鏡は、パラボラ・ミラーの反射鏡の約１０倍ぐらいのコストパフォーマンスが良い。つまり、例えば、約１０ｃｍ（〜２０ｃｍ）直径のレンズとミラー（平面鏡）一体型は、１ユニット、約１００円（〜２００円）ぐらいだとすると、パラボラ・ミラーは、約１０００円（〜２０００円）ぐらいである。太陽光反射鏡ユニットを、大量に（複数）用いるときは、コストパフォーマンスが良い反射鏡は、レンズとミラー（平面鏡）一体型の方になる。レンズ＋反射フィルムの組み合わせにすると、よりコストパフォーマンスが良くなる。集光型（反射鏡型やレンズ型）太陽光発電システムは、レンズの焦点距離が、より長い方が、より多くの反射鏡を設置できるため、発電量を大きくできる。レンズの焦点距離が長いレンズを、大量生産すると、よりコストパフォーマンスが、良くなる。
【図７８】図７８は、エコロジー・エネルギー・システム（・アプリケーション）(集光型太陽光発電システム（３Eシステム）：（ミニチュア）メガ・ソーラー)のイメージ概念図である。 Yoshino UniverseKazutora Yoshino Universe EmpireEmily Yoshino Queen + Kazutora Yoshino Emperor's 3E (Economy, Ecology, Energy) SystemLovely, 反射薄膜（反射フィルム）と薄い反射板を、組み合わせて、反射鏡ユニットパネルを作る。反射鏡ユニットパネルは、平面でも、パラボラ（２Dカーブ／３Dカーブ）でも良い。反射鏡の素材は、金属系（銀、アルミ、等）である。アルミホイルや、ミラーシートを、ユニットパネルベース（板）に貼る。例えば、若し、１０ｃｍｘ１０ｃｍの反射鏡ユニットパネル（ミラーシート＋プラスチック薄板）のコスト（素材コスト＋製造コスト）は、約１０円ぐらいなら、約１０００枚（３０ｘ３０ユニット〜３２ｘ３２ユニット）約１００００円を、約３ｍｘ３ｍに、配列させて、角度を調整して、（パラボラ型、若しくは、MEMS型の）反射鏡を作る。其々の反射鏡ユニットパネルは、固定式、若しくは、可動式（コンピューター制御（ソレノイドやモーターを用いて、コンピューター（＋ドライバー（回路＋電源））で制御・管理する））である。反射鏡ユニットパネルアレイを、１２：００ぐらいの南向きに固定式にすると、コストが比較的掛らないので、天気が良い日の日中のコストパフォーマンスは、良くなる（局時的、局部的には、コストパフォーマンスが良い。）約３ｍｘ３ｍ（〜３．１ｍｘ３．１ｍ）ぐらいで、約１４ｋWの（太陽光のエネルギー）なので、１リットルの水（例えば、うどん、カップヌードル、インスタントラーメン、芋を吹かす、肉まんを吹かす、蒸しパンを吹かす、等の水）を３分ぐらいで、沸かすことが出来るので、（とりあえず、家庭レベルでは、料理には）十分なエネルギー源（熱、出力）になる。ブラックボックスで、水を水蒸気（スチーム）にして、タービンと（オプションのギヤと）ダイナモ（・モーター）を用いて、発電する。これを、吉野カズトラ宇宙世界皇帝の３Eシステム（エコノミー・エコロジー・エネルギー：(3E System) = (Economy, Ecology, Energy System)）の１ヨシノカズトラソーラーユニットとする。例えば、約１４ユニットヨシノカズトラソーラーユニット（４ｘ４ヨシノカズトラソーラーユニット＝１６ヨシノカズトラソーラーユニット（１２ｍｘ１２ｍのヨシノカズトラソーラーユニット））で、約２００ｋWの太陽光エネルギーを得る（（２００ｋW）ｘ（発電効率）の出力を得ることが出来る）ことになる。
【図７９】図７９は、エコロジー・エネルギー・システム（・アプリケーション）(集光型太陽光発電システム（３E・プリズム・システム）：（ミニチュア）メガ・ソーラー)のイメージ概念図である。 Yoshino UniverseKazutora Yoshino Universe EmpireEmily Yoshino Queen + Kazutora Yoshino Emperor's 3E (Economy, Ecology, Energy) Prism SystemLovely, Type  I)  太陽光を、レンズや反射鏡で、集光して（例えば、約１０００倍〜２０００倍）、III-V族化合物接合太陽電池（３接合、４接合、５接合・・・等）に、照射して、発電する。           例えば、３接合なら、インジウムガリウムリン（青）、ガリウムヒ素（緑）、インジウムガリウムヒ素（赤）などである。 Type II）しかしながら、２０１３年では、未だ、III-V族化合物接合太陽電池の大型化と低コスト化と実用化が、容易でない。そこで、既に、実用化されている宇宙用太陽電池（国際宇宙ステーション用太陽電池、人工衛星用太陽電池）やIII-V族化合物接合太陽電池の複数ユニットなどを用いて、適宜な幅と流速（タイミング）で、太陽電池の表面（防水加工されている）に水を流して、太陽電池を冷やしながら、発電する。水と太陽電池の、エネルギー分配は、例えば、３０％と７０％ぐらいにする。集光型太陽光発電で、レンズや反射鏡で、約１０００倍〜２０００倍ぐらいに、光を濃縮しているなら、３０％のエネルギーで、水（表面の冷却水）をスチームにして、（タービン＋ダイナモで）発電して、７０％のエネルギーで、太陽電池による発電をする。 Type III）しかしながら、宇宙用太陽電池や、III-V族化合物接合太陽電池は、製造の際、積層することによって、高コストになるため、太陽光を、レンズや反射鏡の（位置や）角度をコンピューター制御で、調整して、（位置や）角度がコンピューター制御されたプリズムに照射して、分光して、青の波長の太陽電池、緑の波長の太陽電池、赤の波長の太陽電池に、其々照射して、太陽電池で、発電する。可能性としては、一枚の太陽電池に、縦、若しくは、横に、青、緑、赤用の太陽電池を、並べても良い。例えば、インジウムガリウムリン（青）、ガリウムヒ素（緑）、インジウムガリウムヒ素（赤）などである。光の波長（色）（分光）は、二色や三色や四色や五色等でも良いが、三色（青、緑、赤）よりも多くても良くて、太陽電池の波長に合わせて、分光する。特に、分光数が増えると、積層の接合太陽電池では、製造が容易ではない。コンピューターによるレンズや反射鏡やプリズムの（位置や）角度の調整して発電するシステムの方が、III-V族化合物接合太陽電池を用いる発電より、コストパフォーマンスが良いのである。本発明の太陽光発電は、集光して分光して発電するのでも、若しくは、分光して集光して発電するのでも良い。（集光・分光・受光発電、若しくは、分光・集光・受光発電である。） Type IV）集光型太陽光発電では、１０００倍とか数千倍の太陽光の濃縮率も可能なので、１％とか数％の効率の改善も、大きな出力の改善になる。このため、本発明は、吉野一虎宇宙世界皇帝のグレーディエント・インデックス・ソーラー・バッテリーを用いることも可能である。グレーディエント・インデックス・ソーラー・バッテリーは、Type I、若しくは、Type IIIを改善して、プリズムなどによって（略）連続的に分光されて、所望の位���に照射された（略）連続した波長の光を、光の吸収波長に合った（略）連続的な太陽光電池によって発電することを特徴とする。プリズムなどによって（略）連続に分光された異なる波長を受光する位置にある太陽光電池素材を、適宜な化学的な素材や濃度で、構成する。例えば、インジウム、ガリウム、リン、ヒ素、などの濃度割合などを、適宜に設定する。インジウムガリウムリン（青）、ガリウムヒ素（緑）、インジウムガリウムヒ素（赤）の間の（略）連続的な中間色の波長にも対応する。製造の際、適宜な濃度の適地な（所望の位置への）配分に、遠心分離機などの慣性グレーディエント製造法（イナーシャ・グレーディエント・メソード）などを用いても良い。 Type V）吉野一虎宇宙世界皇帝のレンズ・プリズム・グレーディエント・インデックス・ソーラー・バッテリーやミラー・プリズム・グレーディエント・インデックス・ソーラー・バッテリーを用いることも可能である。プリズム・グレーディエント・インデックス・ソーラー・バッテリーやミラー・プリズム・グレーディエント・インデックス・ソーラー・バッテリーは、Type IVを、進化させて、集光機（レンズやミラー）や分光器（プリズム）や、グレーディエント・インデックス・ソーラー・バッテリーを、（ミニ）ユニットとして配列（アレイ）した太陽電池である。レンズやミラーやプリズムの位置や角度は、固定式も可能だが、必要なら、レンズやミラーやプリズムの位置や角度を、MEMS技術を用いて、行い、適宜な光が、適宜な位置（や角度）に（ある適宜な受光素子に）届くようにして、太陽電池で発電する。 Type VI）吉野一虎宇宙世界皇帝のピュア・レンズ・プリズム・グレーディエント・インデックス・ソーラー・バッテリーやピュア・ミラー・プリズム・グレーディエント・インデックス・ソーラー・バッテリーを用いることも可能である。ピュア・プリズム・グレーディエント・インデックス・ソーラー・バッテリーやピュア・ミラー・プリズム・グレーディエント・インデックス・ソーラー・バッテリーは、Type Vを、進化させて、より純度の高い太陽電池受光素子を用いる。例えば、分かりやすく表現的には、インジウムガリウムリン（青）、ガリウムヒ素（緑）、インジウムガリウムヒ素（赤）だが、実際には、インジウムガリウムリン（250nm~700nmぐらいの青から赤の可視光線領域）、ガリウムヒ素（700nm~900nmぐらいの赤から赤外線領域）、インジウムガリウムヒ素（900nm~1300nmぐらいの赤外線から遠赤外線領域）である。発電効率が４０％〜５０％ぐらいであるが、純度を向上させると、８０％〜１００％ぐらいに近づけることが、可能である。（光電効果や、光子からの電子の獲得エネルギー：E=hv-Eth） Ee＝ｈνーEth （若しくは、エレクトロン、フリーエネルギーなど） における、受光素子の純度の向上によって反応面積（体積）が増えて、Eeへの変換がより進み、発電効率が向上するからである。 また、光子を量子井戸（クウォンタム・ウェル）等に、封じ込めて（トラップして）、確実に電子に、光子のエネルギーが伝達するようにしても良い。 また、中間層（クウォンタム・ステップ）を用いて、光子のエネルギーによって、電子がより効率良く、エネルギーをステップアップする（エレクトロン・エネルギー・エキサイト・ステートに上がって行く）（電子が、より効率良くエネルギーアップして行く）(クウォンタム・リープする)ようにしても良い。 同時に、III-V族化合物等（InGaAsPなど）の素材（の濃度調整）や、それらの適宜な組み合わせにより、200nm~2000nm全域をカバーするような発電素子にしても良い。 Yoshino UniverseKazutora Yoshino Universe EmpireKazutora Yoshino Emperor's (Lens/Mirror) Prism Gradient Solar BatteryKazutora Yoshino Emperor's Quantum Excitement + Quantum Leap, Solar BatteryLovely,
【図８０】図８０は、エコロジー・エネルギー・システム（・アプリケーション）(集光型太陽光発電システム（３E・総合・システム）：（ミニチュア）メガ・ソーラー)のイメージ概念図である。Yoshino UniverseKazutora Yoshino Universe EmpireKazutora Yoshino Emperor's General Energy Generator SystemLovely, 本発明は、太陽光、風力、水力、地熱、などで得たエネルギーで、水等の液体や気体を熱して（温めて）、お湯や水蒸気（スチーム）を作り、保温効果の高い魔法瓶のような容器（タンク）に、（一時的に）保温保存（エネルギー保存）するなどして、適宜な時に、フロン化液体（やガス）等を用いて、（熱などの）エネルギーを取り出して、発電しても良い。魔法瓶によって、バッテリーの使用容量を軽減することが可能になり、太陽光等、比較的に大電力を得た時、一気に（熱に）保存して、後に、適宜に少しずつ、エネルギー変換して（発電して）、コントローラーなどからＤＣを直接、インバーターに送電して、１００Ｖ（５０Ｈｚ／６０）を作ったり、バッテリーを介して、インバーターに送電して、１００Ｖ（５０Ｈｚ／６０）を作ったりしても良い。
【図８１】図８１は、エコロジー・エネルギー・システム（・アプリケーション）(集光型太陽光発電システム（３Eシステム）：ダブル発電システム)のイメージ概念図である。Yoshino UniverseKazutora Yoshino Universe EmpireKazutora Yoshino Emperor's General Energy Generator System (Double Energy System)I. YoshinoAdvancedEnergy(KrystalHikariYoshinoQueen)II. KazutoraYoshinoUniverseEnergy(AshleyAyameYoshinoQueen)III.+III' KazutoraYoshinoUniverseEnergy(RebeccaHaruYoshinoQueen)Lovely, 本発明は、太陽光、風力、水力、地熱、ガス、石油などで得たエネルギーで、水等の液体や気体を熱して（温めて）、お湯や水蒸気（スチーム）を作り、保温効果の高い魔法瓶のような圧力容器（圧力タンク）に、（一時的に）圧力保存・保温保存（エネルギー保存）するなどして、適宜な時に、お湯（水）を逆流させて、発電しても良い。本発明のシステムは、スチーム発電と逆流発電が可能なので、ダブル発電システムと言える。又、オプションとして、適宜な時に、フロン化液体（やガス）等を用いて、（熱などの）エネルギーを取り出して、発電しても良い。魔法瓶によって、バッテリーの使用容量を軽減することが可能になり、太陽光等、比較的に大電力を得た時、一気に（熱に）保存して、後に、適宜に少しずつ、エネルギー変換して（発電して）、コントローラーなどからＤＣを直接、インバーターに送電して、１００Ｖ（５０Ｈｚ／６０）を作ったり、バッテリーを介して、インバーターに送電して、１００Ｖ（５０Ｈｚ／６０）を作ったりしても良い。 （０）原水を水タンクに、注入（補給）する。（１）太陽光を当てる、火を付けるなどして、水タンクの原水を沸騰させて、スチームを作る。スチーム発電をする。浄水を作り、圧力タンクに保存する。（２）太陽光が当たらなくなる、火を消すなどして、圧力タンクの浄水を、水タンクに、逆流させる。逆流発電をする。浄水を飲料水として、送り出す。 本発明は、熱や圧力を無駄にしないで、効率の良い（ダブル）発電を行う（ことを特徴とした）発電システムである。
【図８２】図８２は、エコロジー・エネルギー・システム（・アプリケーション）(集光型太陽光発電システム（３Eシステム）：金属／半導体（ダブル）発電システム)のイメージ概念図である。Yoshino UniverseKazutora Yoshino Universe EmpireKazutora Yoshino Emperor's General Energy Generator System (Metal/Semiconductor(Double) Energy System)I. YoshinoAdvancedEnergy(KrystalHikariYoshinoQueen)II. KazutoraYoshinoUniverseEnergy(AshleyAyameYoshinoQueen)III.+III' KazutoraYoshinoUniverseEnergy(RebeccaHaruYoshinoQueen)Lovely, 本発明は、太陽光、風力、水力、地熱、ガス、石油などで得たエネルギーで、最初（片方）の金属（鉄、金、銀、銅、アルミ、シリコン、等）（のプレートやワイヤー）や半導体（シリコン型半導体、P型半導体、N型半導体等）を熱して（温めて）、（自由）電子（ΔQ=Q1−Q2＝Sigma(i)[hνi]なら、ΔE=ΔQ−Eth＝Sigma(j)[hνej]、とか、例えば、量子力学的に、（自由）電子（基底ステート→エキサイトステート）等）を作り、次（他方）の片方の金属（鉄、金、銀、銅、アルミ、シリコン、等）（のプレートやワイヤー）や半導体（シリコン型半導体、P型半導体、N型半導体等）に、（自由）電子を移動させて、（両方の）金属（のプレートやワイヤー）や半導体の間に、電気（電圧（起電力、起電圧）、電流）を作る。オプションとして、光（熱）吸収力の高い捕熱剤とか保温効果の高い保熱剤を、（一時的に）クーロン力・圧力保存・クーロン場エネルギー保存するなどして、適宜な時に、（自由）電子を逆流させて、発電しても良い。本発明のシステムは、（自由）電子発電と（自由）電子逆流発電が可能なので、（自由）電子ダブル発電システムと言える。又、オプションとして、正方向の電流だけ用いて、エネルギーを取り出して、発電しても良い。（自由）電子の保存を、キャパシター（コンデンサー）によって、行っても、バッテリーによって行っても良い。太陽光のエネルギー等、比較的に大電力を得た時、一気に（エネルギー、電気にして）保存して、後に、適宜に少しずつ、エネルギー変換して（発電して）、コントローラーなどからＤＣを直接、インバーターに送電して、１００Ｖ（５０Ｈｚ／６０）を作ったり、バッテリーを介して、インバーターに送電して、１００Ｖ（５０Ｈｚ／６０）を作ったりしても良い。 （０）（自由）電子を保有する金属（Ethが高くない方が良い）を用意する。        若しくは、（自由）電子を、最初（片方の）シリコンに注入（補給）する。（自由）電子を、次（他方の）シリコンから取り出す。（つまり、P型（／N型）半導体と、N型（／P型）半導体を、作る。）（１）太陽光を当てる、火を付けるなどして、最初（片方）の半導体（（自由）電子余りの半導体）を加熱して、次（他方）の半導体（（自由）電子不足の半導体）に、（自由）電子を移動して、電気（電圧（起電力、起電圧）、電流）を作る。（自由）電子の移動によって発電をする。（自由）電子を、キャパシター（コンデンサー）やバッテリーに保存する（／保存しても良い）。（２）太陽光が当たらなくなる、火を消すなどして、キャパシター（コンデンサー）やバッテリーの（自由）電子を、次（他方）の金属（プレート／ワイヤー）や半導体から、最初（片方の）金属（プレート／ワイヤー）や半導体から、逆流させる。逆流発電をする。若しくは、キャパシター（コンデ���サー）やバッテリーに保存された（自由）電子を、用いても（活用して電気にしても）良い。
【図８３】図８３は、エコロジー・エネルギー・システム（・アプリケーション）(集光型太陽光発電システム（３Eシステム）：半導体発電システム、CIGS)のイメージ概念図である。Yoshino UniverseKazutora Yoshino Universe EmpireKazutora Yoshino Emperor's Solar Energy Generator System (Semiconductor CIGS Solar Battery (Panel) System)Lovely, 本発明は、太陽光を波長が５５０ｎｍぐらいになるように、波長の光変換素子（黄緑色のガラス、等）を、太陽光と、太陽電池パネルの間に、挿入しているシステムである。 本発明は、オプションとして、太陽光を集光して、太陽光の全波長を、CIGS系（ホンダ）の太陽電池パネルが最も発電効率の良い（約１００％の発電効率である）５５０ｎｍ（黄緑色）ぐらいになるように変換して（黄緑色のガラス、等を用いて、光変換する、若しくは、太陽光をレーザーチューブに照射して、グリーン・レーザー光に光を変換して）、CIGS系（ホンダ）の太陽電池パネルに、照射する。（CIGS=銅、インジウム、ガリウム、セレンの半導体の太陽電池パネル）。本発明のシステムは、発電効率が、１００％ぐらいにまでなるので、一石二鳥（一挙両得）なシステムであり、方法である。 （太陽）光を集光して、１０００倍から、１００００倍に濃縮した（太陽）光を、CIGS系半導体に、照射しても、冷却するれば、CIGS系は、ある程度良い特性を示す。 基本裏側から冷却するが、CIGS系は、熱にも強いので、日射量が程々の時（曇りの日等）は、冷却の必要があるとは、限らない。 又、宇宙太陽光発電システム（USES）の人工衛星から、レーザー（ビーム）光を受光（受信）して、そのエネルギーを（濃縮して）、半導体系（インジウム系（III-V系、CIGS系、等）、等）の太陽光電池パネルで、発電しても良い。
【図８４】図８４は、エコロジー・エネルギー・システム（・アプリケーション）(集光型太陽光発電システム（３Eシステム）：半導体発電システム、CIGS)のイメージ概念図である。Yoshino UniverseKazutora Yoshino Universe EmpireKazutora Yoshino Emperor's Solar Energy Generator System (Semiconductor (CIGS or III-V) Solar Battery (Panel) System)Lovely,本発明は、太陽光を反射鏡で、反射させて、集光させて、半導体(CIGSやIII-V族化合物)太陽電池で、発電するシステムである。
【図８５】図８５は、エコロジー・エネルギー・システム（・アプリケーション）(バイオマス発電システムと火力発電システム)のイメージ概念図である。Yoshino UniverseKazutora Yoshino Universe EmpireKazutora Yoshino Emperor's Solar Energy Generator System (Biomass ＋ oil(gas) System)Lovely, 吉野一虎宇宙世界皇帝のバイオマス発電システムの試作機である。 本発明は、バイオマスで、火を焚き、若しくは、石油／石炭／ガス／天然ガス／水素＋酸素で、火を焚き、若しくは、その両方で、水（フロン化液体、等）を沸かし、スチーム（蒸気）を作って、タービンを回転して、ダイナモ・モーターを回転にして、発電する。 バイオマスは、麦わら、稲わら、木の葉、芋の皮、竹、等で良い。バイオマスの困難な所は、バイオマスの回収に費用が掛ることであるが、例えば、幾つかある小さな公園を纏めて、大きな公園にするとかして、木の葉を集めやすくして、大きな公園（の中心や隅や隣）に、バイオマス（火力）発電所を作り、運搬についてのコストパフォーマンスを良くする（公園、庭などの植木の手入れ、害虫駆除などの際にも、バイオマスは、出るので、バイオマス（小枝、葉、害虫、等）を、燃やして（問題）解決する）。又、季節によって、バイオマスの量が変動することがあり得るので、石油／石炭／ガス／天然ガス／水素＋酸素を燃やす火力発電所を、出力が安定させるために、並立させるのが良い（コンピューターなどで、比率等を、（常に／定期的に）制御しても良い）。また、吉野カズトラ宇宙世界皇帝の指揮の元に、吉野国際政府や日本政府は、環境条例、エネルギー法、等を定めて、（庭の（木の）手入れをする際に出る）小枝、麦わら、稲わら、木の葉（落ち葉）、芋の皮、雑草、使った油、などのバイオマスを、週か月に一度ぐらいの割合で、世界中や日本中から、回収して、バイオマス発電所で、燃やして、水（やフロン化液体、等）を沸かして、タービンを回転して、ダイナモ・モーターを回転して、発電する。
【図８６】図８６は、エコロジー・エネルギー・システム（・アプリケーション）(（太陽光、風力）バイオマス発電システムと火力発電システム)のイメージ概念図である。Yoshino UniverseKazutora Yoshino Universe EmpireKazutora Yoshino Emperor's (Mini) Solar Energy Biomass Thermo Electricity Generator (System)Lovely, 吉野一虎宇宙世界皇帝の（太陽光、風力）バイオマス火力発電システム（メイン本発明）である。 本発明は、ミニチュアの海底火山とメタノピュルス・カンドレリのようなメタン菌によって、メタンを製造することを特徴としたシステムである。 本発明は、燃料（石油、ガス、天然ガス、メタン、等）と酸素によって、エンジンを回転して、（オプションとして、ギヤを介して）、発電機（ダイナモ・モーター）を回転して、発電する。太陽光発電や、風力発電や、燃料電池によって得た電気によって、水を電気分解して、水素と酸素を作る。酸素を、エンジンに、送る。水素を、水槽（ウォーター・タンク）にある、水（海水、等）に、（オプションとして、水素フィルターを通して）入れる（溶かす）。エンジンから排出された、二酸化炭素と水を、水槽（ウォーター・タンク）にある、水（海水、等）に、（オプションとして、二酸化炭素フィルターを通して）入れる（溶かす）。エンジンの排熱を用いて、水槽（ウォーター・タンク）にある、水（海水、等）を、温める。（エンジンの代わりに、燃料電池でも良い。）水槽（ウォーター・タンク）にある、水（海水、等）には、（オプションとしてメタン菌育成（増殖）ハウスに）、メタン菌（例えば、メタノピュルス・カンドレリ（嫌気性の超好熱メタン菌）、等）が育成（増殖）されている。メタン菌は、水素と二酸化炭素から、メタンを製造する。メタンをメタンタンクに貯蔵する。（メタン菌は、嫌気性であることが多いので、（システムを）密封しても大丈夫である。）製造された、メタンは、エンジンを回転することに、用いても良い。（メタンを用いて、燃料電池で、発電しても良い。）燃料やガス（気体）などの通り道である管（チューブ）には、オプションとして、バルブやポンプを付けて、最適化やシステム管理に、コンピューター制御をしても良い。（メタン菌の育成（増殖）条件に、合うように、（海）水温、pH、塩濃度、等を管理しても良い。） システムを、船に、積んで、エンジンを海での航行などに、用いても良い。エンジンは、航行（走行）用に、風を作る、プロペラに、用いても良い。プロペラは、（オプションとして、ギヤを介して、）ダイナモ・モーターに繋げて、風力発電用に、用いても良い。 メタノピュルス・カンドレリの増殖条件（AV19株）：              生育温度：  ８４−１１０℃  （至適９８℃）              育成最適：  pH５．５−７（至適６．５）              育成NaCl濃度：  ０．２−４％  （至適塩濃度２％）
【図８７】図８７は、エコロジー・エネルギー・システム（・アプリケーション）(バイオマス発電システムと吉野カズトラ庭園防衛システム)のイメージ概念図である。Yoshino UniverseKazutora Yoshino Universe EmpireKazutora Yoshino Emperor's DOD vs bugsLovely,吉野一虎庭園の防衛：吉野一虎宇宙世界皇帝の庭園を、守るために、害虫を駆除して殺虫するシステム（と方法）である。コンピューター、カメラ、ロボット（人工知能）などで、空・（海）水・陸からの、害虫の侵入を検知（モニター）して、羽虫、アブラムシ、あり侵入があり次第、レーザーキャノン、スチームキャノン、スプレイロボットアームハンド、超音波撃墜システム、はさみ、ガス（火）棒、などで、害虫を駆除して殺虫する。害虫の卵などがある小枝や葉、集めた木の葉（落ち葉）、等は、バイオマスとして、スチームキャノンなどで、燃やして焼き、スチームの圧力で害虫駆除殺虫弾を発射するのに用いたり、害虫迎撃ミサイル（弾）の発射に用いたり、バイオマス発電に用いたりしても良い。木（梅の木やリンゴの木）の周りには、砂を敷き、対害虫用の地雷を置いたり、蟻地獄を飼ったりする。又、蜘蛛（地蜘蛛なども可能）を飼って、害虫を駆除したり殺虫するのに、用いても良い。木の周りには、防虫剤（防虫フィルム）などを、置いたりして、害虫が、地面から登ってこれないようにする。レーザービーム照射、太陽光（レンズやパラボラ鏡による太陽光の集光）照射、火炎放射機、ガスライター、化学兵器、TNT、ダイナマイト、農薬散布、ミサイルなどの火器によって、害虫を駆除したり、焼き殺したりするのも、効果的である。ちなみに、木の葉などを焼く際には、ついでに、料理（例えば、椎茸スープ作り、など）などすると、美味しく、食事ができる可能性もある。ちなみに、イナゴや蟻を（タンパク質源として）食用にする国民もいるということである。暴力団を排除するシステム、犯罪を排除するシステム、テロリストを排除するシステム、国家からの不正を排除するシステムにも、応用が可能である。
【図８８】図８８は、エコロジー・エネルギー・システム（・アプリケーション）(ホーリーデックと四つ葉のクローバー)のイメージ概念図である。Yoshino UniverseKazutora Yoshino Universe EmpireKazutora Yoshino Emperor's YoshinoAdvancedEnergy HollyDeck (Transformer) + FourMirrors(Clover)Lovely, 吉野一虎宇宙世界皇帝のヨシノアドバンスドエナジーのホーリーデック(トランスフォーマー)と四枚鏡（四つ葉のクローバー）である。 アルミ反射鏡や鏡を集光に用いる。パラボラのような形にして、集光した光を集光して、数段階で集光して行く。例えば、約２ｍｘ２ｍぐらいのパラボラ形のような反射鏡で太陽光を集光して、６０ｃｍｘ９０ｃｍぐらいのパラボラ形の反射鏡に、当てて、反射した光を４０ｃｍｘ９０ｃｍぐらいのパラボラ形の反射鏡に当てて、集光する。例えば、ビンに入れた水が、２０〜３０分ぐらいで、５５℃〜７０℃ぐらに、温まった。 四枚の鏡を折りたたみ式にして広げると、集光型のコンパクトミラーになる。化粧用にも用いることが可能なので、商品として、「コンパクトで持ち運びが便利な『小型鏡』」としても、販売することが可能である。 ヨシノアドバンスドエナジーのホーリーデック(トランスフォーマー)と四枚鏡（四つ葉のクローバー）は、サンタンローションと共に用いれば、コンパクトでコンビニエントな家庭用日焼けサロンとしても有用である。
【図８９】図８９は、エコロジー・エネルギー・システム（・アプリケーション）(吉野一虎宇宙世界皇帝の太陽光発電システム(レンズ型))のイメージ概念図である。Yoshino UniverseKazutora Yoshino Universe EmpireKazutora Yoshino Emperor's Solar Energy Generator System (Lens)Lovely, 吉野一虎宇宙世界皇帝の太陽光発電システム(レンズ型)が、示されている。レンズは、一般的なレンズや、フルネルレンズを用いても良い。 ここに、一般的なレンズの、一般式が、示されている。本発明を製作する際のポイントは、ｎ＝１．５、（ｄ＝１ｍｍ〜１ｃｍ〜１０ｃｍぐらい）、（ｈ＝１ｍｍ〜１ｃｍ〜１０ｃｍ）、｜ｒ１｜＝｜ｒ２｜なら、｜ｒ１｜＝｜ｒ２｜＝fo  であるということを暗算的に、若しくは、エクセルで、計算出来るので、太陽光発電システム（レンズ型）で、焦点までの距離に合う適宜なレンズを作りやすいということである。
【図９０】図９０は、エコロジー・エネルギー・システム（・アプリケーション）(ホーリーデックと四つ葉のクローバー)のイメージ概念図である。Yoshino UniverseKazutora Yoshino Universe EmpireKazutora Yoshino Emperor's YoshinoAdvancedEnergy Large Parabola Mirror Manufacture MethodLovely, 本発明のポイントの一つは、コストパフォーマンス良く、集光をして、発電をするシステムを作ることである。このため、コストパフォーマンス良く、反射鏡やレンズを作ることが重要になる。特に、パラボラ鏡を、コストパフォーマンス良く作るのは、重要である。吉野一虎宇宙世界皇帝は、YoshinoAdvancedSystemによるパラボラミラー鏡の製造方法に至った。（例えば、空気で膨らませるような風船のような）丸い球を基に、石粉／コンクリート／陶器（の粘土）／プラスチックなどで、凹型のベースを作る。（凹型のベースをそのままにしても、焼いても良くて）、凹型のベースに、アルミ箔を貼る。若しくは、凹型のベースにアルミ箔や（柔らかくて薄い）プラスチックフィルムを被せて、凸型を作る。凹型、凸型は、どちらが上下でも良い。（箱等にコンクリート等を入れて、上から凹型をかぶせる方法、若しくは、凹型をベースに、箱等にコンクリート等を入れて、上から凸型をかぶせる方法のどちらも可能である。）凸型に、アルミ箔を敷き、枠にアルミを被せて、合わせて、石粉／コンクリート／陶器（の粘土）／プラスチックなどを注入して、固める。パラボラミラー今日が出来る。オプションとして、炉で、ベースを焼いたり、アルミを溶かしたりして、より滑らかな表面にしても良い。又、オプションとして、研磨して、光沢のある輝きのある表面のアルミミラー鏡を製作・製造しても良い。
【図９１】図９１は、エコロジー・エネルギー・システム（・アプリケーション）(吉野一虎宇宙世界皇帝のエネルギー燃料)のイメージ概念図である。Yoshino UniverseKazutora Yoshino Universe EmpireKazutora Yoshino Emperor's Energy Fuel MapLovely,吉野一虎宇宙世界皇帝による良いエネルギー燃料の条件 １  大量にある。２  自然に存在する。３  エネルギー密度が高い。４  エネルギーの回収が直に出来る。５  発電設備が直に作れる。６  安全である。７  運搬しやすい。（８  元の価格があまりかからない。物理的な要因と言うより、市場によって異なるので、ここでは、エキストラポイント） ７点満点で優秀なエネルギー燃料は、石油、天然ガス、石炭である。６点は、原子力エネルギーと海流（エネルギー）である。 ５点は、太陽光、風力、バイオマス、水素である。
【図９２】図９２は、エコロジー・エネルギー・システム（・アプリケーション）(吉野一虎宇宙世界皇帝のヨシノカズトラミラーと太陽光発電システム)のイメージ概念図である。Yoshino UniverseKazutora Yoshino Universe EmpireKazutora Yoshino Emperor's KazutoraYoshinoMirror (SolarEnergyGeneratorSystem)Lovely, 太陽光のエネルギー密度があまり高くないという弱点を克服した太陽光発電システムが、ヨシノカズトラミラー太陽光発電システムである。 レンズを輪切りにして平たくしたのをフルネルレンズという。 パラボラ鏡を輪切りにして平たくしたのをヨシノカズトラミラーという。 例えば、ヨシノカズトラミラーの製造方法は、光を反射させて焦点に集光する（適宜な）角度に計算されたギザギザのリング状の表面に、アルミを貼っても良い、若しくは、アルミを蒸着させても良い。 ヨシノカズトラミラーは、大量生産するなら、コストパフォーマンス良く大面積のヨシノカズトラミラーであっても製造することが、可能である。 太陽光（熱（電））発電設備（システム）に用いると、より効果が高い。つまり、ヨシノカズトラミラー（パネル）で、太陽光を反射させて、集光して、集光部（太陽光パネル（太陽電池、熱電発電、等）、ブラックボックス（水などの液体やガスをスチームにしてタービン、ダイナモ・モーターを回転して発電する））で、光（熱）を受光して、発電する。 太陽光の運搬のしやすさの改善：太陽光の運搬については、宇宙太陽光発電によるレーザービームによって克服する、また、バッテリーへの貯蓄（電力、電気、電子）や水素への変換によって克服することも可能である。（５点の太陽光（熱）エネルギー、５点の水素を合わせると、平均５点ではなく、シナジー効果で、７点〜１０点になる。）これが、吉野一虎宇宙世界皇帝の太陽光エネルギー発電システム（エコロジー・システム（・アプリケーション））の本当の力なのである。 本発明によって、太陽光（エネルギー）と水素の組み合わせが、エネルギー燃料として、優秀な石油レベルを超える、７点〜１０点を得ることができるのである。 ここでのポイントは、石油は、１００年ぐらいで枯渇化する可能性があるが、太陽光（太陽光のような恒星）は、１００億年ぐらい枯渇化しない可能性があるので、人類にとっては、太陽光は、半永久的なエネルギー源である。 本発明のヨシノカズトラミラーを用いている太陽光（熱（電））発電設備（システム）は、自然界に存在する永続性に大量の安全な太陽光を集光することによってエネルギー密度を高くするヨシノカズトラプラスアルファな太陽光発電設備（システム）であり、合理的であり、コストパフォーマンスが良く、製造・設置が直に出来るシステムである。
【図９３】図９３は、エコロジー・エネルギー・システム（・アプリケーション）(吉野一虎宇宙世界皇帝のヨシノカズトラのゆで卵製造設備（ボイルドエッグメイカ―）太陽光熱ボイリングシステム)のイメージ概念図である。Yoshino UniverseKazutora Yoshino Universe EmpireKazutora Yoshino Emperor's KazutoraYoshinoBoilingEggSystem (SolarEnergyGeneratorSystem)Lovely,吉野一虎宇宙世界皇帝のヨシノカズトラのゆで卵製造設備（ボイルドエッグメイカ―）太陽光熱ボイリングシステムは、卵を水（お湯）（容器）に入れて、アルミ反射鏡などで太陽光を集めて、水を沸かすなど（沸騰した水、スチームで、タービンとダイナモ・モーターを回転して発電をしても良い、又、同時に、水を浄水して飲料水を作っても良い）して、ゆで卵を作る装置（デバイス）・設備（システム）である。吉野一虎宇宙世界皇帝の目的の一つは、（YoshinoAdvancedSystemを用いて）世界中に世界中のゆで卵を販売して、十分な利益を得ることである。卵を運搬するのも、卵をゆでて運搬するのも、費用は同じぐらいなので、養鶏場の中か近くに、ヨシノカズトラのゆで卵製造設備（ボイルドエッグメイカ―）太陽光熱ボイリングシステムを設置すれば、十分な利益を見込める。ビジネス理論的には、一日、約１．７兆円の利益になる。（仮に、養鶏場で作られた生卵等にサルモネラ菌などいるなら、販売の事前に熱処理できるので、ゆで卵（の製造）は、健康衛生安全面での向上にもなる効果がある。）特に、卵サンドイッチ（マヨネーズ）などの製品を作ると、美味しくサンドイッチを食べれて、加工食品として付加価値がよりついて、合理的なビジネスになり得る。
【図９４】図９４は、エコロジー・エネルギー・システム（・アプリケーション）(吉野一虎宇宙世界皇帝のヨシノカズトラのゆで卵製造設備（ボイルドエッグメイカ―）太陽光熱ボイリングシステム)のイメージ概念図である。Yoshino UniverseKazutora Yoshino Universe EmpireKazutora Yoshino Emperor's KazutoraYoshinoBoilingEggSystem (SolarEnergyGeneratorSystem)Lovely,吉野一虎宇宙世界皇帝のヨシノカズトラのゆで卵製造設備（ボイルドエッグメイカ―）太陽光熱ボイリングシステムは、卵を水（お湯）（容器）に入れて、アルミ反射鏡などで太陽光を集めて、水を沸かすなど（沸騰した水、スチームで、タービンとダイナモ・モーターを回転して発電をしても良い、又、同時に、水を浄水して飲料水を作っても良い）する（オプション）、と同時に、オプションとして、石油コンロ、バイオマスコンロ、ガスコンロなどで、火を焚いて水を沸かすなど（沸騰した水、スチームで、タービンとダイナモ・モーターを回転して発電をしても良い、又、同時に、水を浄水して飲料水を作っても良い）する、ゆで卵を作る装置（デバイス）・設備（システム）である。吉野一虎宇宙世界皇帝の目的の一つは、（YoshinoAdvancedSystemを用いて）世界中に世界中のゆで卵を販売して、十分な利益を得ることである。卵を運搬するのも、卵をゆでて運搬するのも、費用は同じぐらいなので、養鶏場の中か近くに、ヨシノカズトラのゆで卵製造設備（ボイルドエッグメイカ―）太陽光熱ボイリングシステムを設置すれば、十分な利益を見込める。ゆで卵（の製造）は、健康衛生安全面での向上にもなる効果がある。特に、卵サンドイッチ（マヨネーズ）などの製品を作ると、美味しくサンドイッチを食べれて、加工食品として付加価値がよりついて、合理的なビジネスになり得る。
【図９５】図９５は、エコロジー・エネルギー・システム（・アプリケーション）(吉野一虎宇宙世界皇帝のヨシノカズトラのアルミ反射鏡パラボラ・卵型（卵の温め、焼き芋の保温等）)のイメージ概念図である。Yoshino UniverseKazutora Yoshino Universe EmpireKazutora Yoshino Emperor's KazutoraYoshinoParabolaMirrorSystemLovely, 吉野一虎宇宙世界皇帝のヨシノカズトラのパラボラーミラーシステム。アルミの箔を、パラボラ型のベースに貼る。ベースは、金属やガラスやカーボンファイバーやFRPやプラスチックやウレタン樹脂やポリエステル樹脂で固い方が良いが、コストパフォーマンスは、プラスチックやテープ素材のような薄くて有る程度なら柔らかくても良い。（風船のような）球に、アルミ箔を載せて、ボンドやテープで固めて、形作っても良い。パラボラ型のベースに、アルミを蒸着させても良い。日が強い日と時間（午後12：00頃）なら、卵の温め、焼き芋の保温等が可能。YoshinoAdvancedEnergyのアルミ反射鏡（パラボラ型、卵型、等）により、コストパフォーマンス良く、太陽光を効率よく集光することが可能である。
【図９６】図９６は、エコロジー・エネルギー・システム（・アプリケーション）(吉野一虎宇宙世界皇帝のヨシノカズトラのアルミ反射鏡屏風型（日光浴、日焼け用、写真用の反射鏡、保温（料理）用、等）)のイメージ概念図である。Yoshino UniverseKazutora Yoshino Universe EmpireKazutora Yoshino Emperor's KazutoraYoshinoPlateMirrorSystemLovely,吉野一虎宇宙世界皇帝のヨシノカズトラのプレートミラーシステム。アルミの箔を、平面の（平らな）ベースに貼る。ベースは、パネル（木や金属やガラスやカーボンファイバーやFRPやプラスチックやウレタン樹脂やポリエステル樹脂）で構成されている。パネルは、蝶番等で、留めて、適宜な角度を作れるようにしても良い。パネル数は、２枚以上の複数（のモジュール）であるのが好ましい。平面の型のベースに、アルミを蒸着させても良い。日が強い日と時間（午後12：00頃）なら、日焼けなどするのにちょうどよい。等が可能。YoshinoAdvancedEnergyのアルミ反射鏡（屏風型、パラボラ型、等）により、コストパフォーマンス良く、太陽光を集光する（倍増・増幅する）ことが可能である。
【図９７】図９７は、エコロジー・エネルギー・システム（・アプリケーション）(吉野一虎宇宙世界皇帝のヨシノカズトラの反射鏡集光型太陽光発電システムと集水型浄水システム)のイメージ概念図である。Yoshino Universe Kazutora Yoshino Universe Empire Kazutora Yoshino Emperor's Smart System + Living House (Light Water System) Lovely, 吉野一虎宇宙世界皇帝のヨシノカズトラの反射鏡集光型太陽光発電システムと集水型浄水システムである。吉野カズトラ皇帝は、（（平面／曲面）ミラー／アルミ、等：折りたたみ型、屏風型、角度型、パラボラ型などの）反射鏡を用いて、集光型太陽光（熱）発電システムを作り、同時に、反射鏡を用いて、雨水を収集して、貯水槽に貯めて、太陽光発電システムで獲得したエネルギーの一部を用いて、浄水した。太陽光発電や雨水収集の際、反射鏡の角度を適宜に調整するのが重要である。 吉野一虎宇宙世界皇帝のは、人工知能などを用いて、自主的に生きる家とスマートシステムを構築していたのである。（太陽光パネル＋バッテリー＋エコキュート＋インバーター、等のホーム・ネットワーク） 吉野一虎宇宙世界皇帝が一人で生きるなら、必要なのは、２００Ｗの太陽光パネル（太陽電池、熱電発電パネル、など）が屋根などに２０枚あれが、４ｋＷになるので、１日に平均３時間の直射日光が当たれば、約１２．６ＭＪ（＝約３０００ｋcal）の発電になるので、砂糖製造システム、食糧製造システムなどによって、人工的に、砂糖や食べ物を作り、一日ごとの摂取量にすることができる。（約１ｋｇの木材を燃焼させて発電すると、約１２．６ＭJぐらいになる。）（２００ｋＷの太陽光発電システムを作ることが出来るなら、所帯を持ち家族で生活することが出来る。）又、一日に３Ｌの水を、摂取するなら、雨水を貯めて、熱して沸騰させて、飲料水にする、若しくは、水蒸気（スチーム）で、発電して、水蒸気を回収して、飲料水にすることが可能である。１２．６ｍ＾２の屋根に、雨が、１分で１Ｌ降るなら、６０Ｌぐらい以上貯めれば、２０日分以上の水になる。雨水で、シャワーを浴びたり、雨水を沸かして、シャワーやお風呂にしても良い。砂糖製造システム、食糧製造システムも重要である。農園、空中農園、室内農園（ＬＥＤ＋農作物）などで、食物を作ることも可能である。 お風呂に約６０Ｌの水（６００ｃｍ＾３＝６００ｋｇの水）を入れて５０℃にするなら、消費電力は、１２．６ＭＪである。これは、１日に必要な食事の摂取量と、略、同じ量である。一回分お風呂に入るのに、一日分の食事と同じエネルギーが掛るなら、一日分、美味しい食事を食べる方が良いであろう。若し、毎日、顔や髪を洗っても、１週間に一度だけお風呂に入り、その分、美味しい食事を食べたり、再生可能エネルギー・システムの開発に用いたり、浄水して、飲料水を作る方が、未来の発展に繋がる可能性が高い。 又、お風呂に入った後に、お湯が冷める前に、熱量を追加（加算）して、沸騰させて、スチームで発電して、スチームを回収して、飲料水にするなら、一石二鳥である。 また、集光型太陽光発電システムで、エネルギーを水に貯めて、お湯として保存（保熱）しておけば、夜間などでも、発電が可能である。この際、保温されたお湯を用いて、シャワーを浴びたり、お風呂に入り、そのお湯��、太陽光で熱して、スチームを作り、発電して、スチームを回収して、飲料水を作ることも可能である。
【図９８】図９８は、エコロジー・エネルギー・システム（・アプリケーション）(吉野一虎宇宙世界皇帝のヨシノカズトラの太陽光発電システム)のイメージ概念図である。 Yoshino Universe Kazutora Yoshino Universe Empire Kazutora Yoshino Emperor's Solar Energy Generator System Lovely, 吉野カズトラ宇宙世界皇帝の太陽光発電システムである。 太陽光パネル（（反射）鏡、太陽電池、熱電発電パネル、等）（やユニット、アレイ、マトリクス、等）の位置や角度を、駆動手段（記憶合金、人工筋肉、電磁石、ソレノイド、モーター（＋ギヤ、クランクギヤ、など）、ネジ型線形モーター、など）によって、調整する。 形状記憶合金は、熱量に相当する伸縮性を示すため、太陽光パネルの出力に対して比較的、少量の熱量で、記憶合金を伸縮することが可能なので、形状記憶合金に掛る熱量に対して、比較的大きめの受光量（出力）を得ることが出来る太陽光パネル（（反射）鏡、太陽電池、熱電発電パネル、等）の位置や角度を調整することが可能である。曲がった形状記憶合金（や記憶マテリアルや記憶プラスチックなど）を伸縮させて、円的や線形的な角度の調整等をしても良い。 太陽光パネル（（反射）鏡、太陽電池、熱電発電パネル、等）の角度（Θとφ）を光の方向（太陽の方向）に合わせて、３Ｄで、（時間的に）調整する（変化させる）のが可能である。 ヒーター等をもちいて、形状記憶合金に、温度に合わせて形状を記憶させて形状記憶合金を作ることが可能である。 最も太陽光が強い時間（１２：００ぐらい）の太陽の位置に合わせて、太陽光パネル（（反射）鏡、太陽電池、熱電発電パネル、等）のディフォールトの位置と角度にするのが、最善の形態である。
【図９９】図９９は、エコロジー・エネルギー・システム（・アプリケーション）(吉野一虎宇宙世界皇帝のヨシノカズトラの反射鏡集光型太陽光発電システムと集水型浄水システム)のイメージ概念図である。 Yoshino Universe Kazutora Yoshino Universe Empire Kazutora Yoshino Emperor's Smart System + Living House (Light Water System) Lovely, 海水、川の水、雨水、井戸水、水道水などの水を、貯水槽に貯め、ポンプで汲み上げて、チューブ管を通して、集光部（黒体）に入れて、集（雨）水用と集光（エネルギー）用などに設置された適宜な角度を有する平面鏡などの鏡で、太陽光を反射して集光した（光）エネルギーで、集光部（黒体）にある水を、温め（熱して）、水蒸気（スチーム）を作り、タービン（＋ギヤ）とダイナモ・モーターを回転して、発電する。水蒸気（スチーム）は、空気で冷却しても良い。水蒸気（スチーム）は、水で冷却しても良い。水蒸気（スチーム）を水で冷却する際、（前記）チューブ管や貯水槽へ水を送るチューブ管などの水で冷却するのも可能である。この際、（前記）チューブ管は、スチームチューブ管に平行であっても、スチーム管の周りを螺旋状に回っていても良い。若しくは、スチームチューブ管が、前記チューブに、平行であっても、スチームチューブ管の周りを螺旋状に回っていても良い。これによって、排熱を利用して水を温めれるので（水が沸騰する準備ができるので）、効率良く、発電できる。
【図１００】図１００は、エコロジー・エネルギー・システム（・アプリケーション）(吉野一虎宇宙世界皇帝の「海の幸」などの食品研究開発：金の茶漬けと大人の茶漬け)のイメージ概念図である。Yoshino Universe Kazutora Yoshino Universe Empire Kazutora Yoshino Emperor's Food Science Lovely, 吉野カズトラ宇宙世界皇帝の「海の幸」 振り掛け、茶漬け、うどん・蕎麦、牛丼などへの応用が可能。Yoshino Universe YoshinoAdvancedEnergy 吉野カズトラ宇宙世界皇帝の『海の幸』： 商品名：              １．『金の茶漬け』           （高級バージョン）                            ２．大人の（御）茶漬け    （一般バージョン） 飲料水と塩の製造方法： 製造方法１．（オプションとして、濾紙、（砂利層＋砂層）、フィルター、イオン膜などで濾す）→飲料水を製造、塩を製造。 製造方法２．海水（１００ｍｌ）を加熱（加圧）して煮詰める（約３分）。→塩（３ｇ）を製造。→蒸留水→飲料水を製造。 成分：塩（塩化ナトリウム、塩化マグネシウム、・・・、金）等 塩（３ｇ）に、ほんだし（１０ｇ）を混ぜて、海苔、ワカメ、昆布などの「海の幸」などや乾燥卵（ゆで卵を乾燥させた卵を細かくした食材）などを塗す。→  御茶漬などにする。
【図１０１】図１０１は、エコロジー・エネルギー・システム（・アプリケーション）(吉野一虎宇宙世界皇帝の「海の幸」などの食品研究開発：寿司（ウニ製造）)のイメージ概念図である。Yoshino UniverseKazutora Yoshino Universe EmpireKazutora Yoshino Emperor's Sushi ProjectLovely,吉野カズトラ宇宙世界皇帝は、寿司（ウニ製造）計画を進めていた。海藻（ワカメ、昆布、ヒジキ、等）を飼育して（海水濃度約３％、海水温度約２０℃（〜２５℃））、ウニに食べさせて、ジブロモメタンでウニを成長加速して、ウニを食材として、寿司（や、お茶漬け、振り掛け、等）に用いた。 海水の浄水の際、飲料水（蒸留水）と塩（食塩、人工海水の素）などを作ることも可能であり、食材に用いることも可能であり、再度人工海水を作り、（人工）海水を綺麗に保つことも可能である。 この海藻、ウニなどの人工飼育システムは、海を航行したり停泊する船などに搭載することも可能であり、（家庭などの）庭レベルも可能である。オプションとして、太陽光発電、自然乾燥（空気乾燥）、風力発電、バイオマス発電などを用いることも可能である。
【図１０２】図１０２は、エコロジー・エネルギー・システム（・アプリケーション）(吉野一虎宇宙世界皇帝の食品研究開発：葡萄氷、フローズン・グレープ、アイスの実)のイメージ概念図である。Yoshino UniverseKazutora Yoshino Universe EmpireKazutora Yoshino Emperor's Fruits Project (Grape Project)Lovely, 吉野カズトラ宇宙世界皇帝は、発電システムと同時に飲食業を発展させて、飲料水（蒸留水、等）を用いて、清涼飲料水を作っていた。ホットレモンやレモンティーやグレープジュースである。直接、葡萄を凍らせたところ、美味しかったので、葡萄のジュースを抽出して、砂糖（グラニュー糖）を添加して、シャーベット状にして、アイスの実を食べたところ、（より）美味しかった。海辺の砂浜（海の家）など、日差しが強い所で、塩分を含む、ジュースやアイスを販売して、熱中症対策をするのは、ある程度なら可能である。休日等に、浜辺等で、うどんなどを食べたり、ジュースを飲んだりして、寛ぐことも、良いのだろう。
【図１０３】図１０３は、エコロジー・エネルギー・システム（・アプリケーション）(吉野一虎宇宙世界皇帝のナノテクノロジー研究開発：人工筋肉)のイメージ概念図である。Yoshino UniverseKazutora Yoshino Universe EmpireKazutora Yoshino Emperor's Nano Technology ProjectLovely,吉野カズトラ宇宙世界皇帝は、ナノテクノロジーとロボット用人工筋肉の研究開発を進めていた。研究開発を進めるために、最初の頃は、人工筋肉を用いた昆虫型飛行物体などを製作していた。 ヘモグロビンのような強磁性体（鉄などの原子や分子）を有する分子（有機分子など）を、配列（アライン）して、ポリヘモグロビンのような物質（有機物質など）を作る。チューブやシート状にしても良い。強磁場を掛けて、強磁性体のスピンを揃えて、磁気モーメントを揃えて、磁化させて、磁石（有機磁石など）を作る。コイル（有機コイル）などと合わせて、ダイナモ・モーター（有機ダイナモ・モーター）などを作る。ナノやマイクロレベルでのミニチュア発電（風力発電、イオン発電、グレーディエント・プロトン発電）やミニチュアモーター（電気モーター、グレーディエント・プロトン・モーターなど）を用いて、人工筋肉を作る。人工筋肉で、虫（昆虫、甲虫、蜻蛉（トンボ）、など）を作ることも可能である。
【図１０４】図１０４は、エコロジー・エネルギー・システム（・アプリケーション）(吉野一虎宇宙世界皇帝の食品研究開発：焼き塩おにぎり)のイメージ概念図である。Yoshino Universe Kazutora Yoshino Universe Empire Kazutora Yoshino Emperor's Food Science (Salt Rice Ball) Lovely,吉野カズトラ宇宙世界皇帝の保存食研究開発 吉野カズトラ宇宙世界皇帝は、ご飯を炊いて食べるという行為は、古代において、人々が、海水を沸かして塩を作る際、米を食量を確保するもの（フィラー）として、用いて、保存食を作った、始まり（きっかけ）だった可能性があると思っていた。 焼き塩おにぎり： 海水２Ｌを煮詰める。（約６０ｇの塩）： ・オプション：ご飯（米）、海藻（昆布、ワカメ、ヒジキ、等）、ほんだし、醤油、ガラスープ、みりん、お酒、等を海水に混ぜて、煮詰める。おにぎり形状にして、熱で（ドライ）乾燥させて、保存食にする。 一日に、一人分は、約８ｇの塩。５ｇは、食事等に入っているので、３ｇぐらい直接摂取の必要あり。 ６０ｇの塩で、約２０人分の塩、若しくは、一人分で約２０日分の塩。 焼き塩おにぎりを約２０〜３０分割して、ご飯などに混ぜて、食べることが可能である。 ｐｓ： 熱中症対策には、汗などで、塩分が体外に排出されてしまうので、塩分を含んだ水等を飲んで対策する。 塩分を取りすぎた時は、野菜などカリウムを含む食材を食べて、塩分を体外に排出する。 つまり、日光（日差し）が強く、熱い日は、熱中症対策するなら、海に行き、海水浴をして海水で体を冷やして（濡らすなどして）、体温を適宜に保ち、適宜な量の海水（塩（ミネラル塩））を飲んだりする方が、炎天下の下で、農地に出て野菜を収穫して、（ビタミンや）ミネラルを取るより効果的である。海水浴に行った際、ビタミンＣ（Ｃ１０００）やオロナミンＣ（ビタミンＢ）などのビタミンなどの栄養ドリンクを飲むことも良いのだろう。 吉野カズトラ宇宙世界皇帝は、自らの葡萄庭園の木陰で、葡萄を食べながら（ポリフェノールなどの栄養を取りながら）、久しぶりに、寛んでいた。
【図１０５】図１０５は、エコロジー・エネルギー・システム（・アプリケーション）(吉野一虎宇宙世界皇帝の浄水システム)のイメージ概念図である。Yoshino UniverseKazutora Yoshino Universe EmpireKazutora Yoshino Emperor's Automatic Water Purify SystemLovely, 吉野カズトラ宇宙世界皇帝は、雨や雪を集めて、浄水するシステムを作っていた。 建物などの屋根などで、雨や雪を集める。（屋根に設置された太陽電池のカバーパネルには、熱線が適宜な幅で敷いてある。これにより、太陽光が、春夏秋冬、一年中、昼間は、多少なりとも太陽光パネルに当たるようにする。）水車（＋発電機）で、発電する。（発電された電気をバッテリーに貯めるなどしても良い。）水（雨水、雪水、滝水、地下水、川水、海水など）を貯める。ポンプで水を汲みだす。水をウォーターフィルターに掛けて、浄水して、飲料水にする。若しくは、水を電気分解して、水素と酸素にして、反応させて、飲料水にする。（オプション、重水素を作る。）飲料水をボトルに注入して、キャップを閉めて、箱に詰めて、出荷・販売する。フォークリフト、車、トラック、船、飛行機などの運搬手段を用いても良い。 p.s.モーター（＋ギヤ）を回転して、ベルトコンベヤーを動かして、ウォーターフィルターを適宜なタイミングで、新しくする。ウォーターフィルターは、円形（筒状）が最適である。円形（筒状）などのウォーターフィルターをリボンに載せて、水が、隣のウォーターフィルターに染み込まないようにしても良い。
【図１０６】図１０６は、エコロジー・エネルギー・システム（・アプリケーション）(吉野一虎宇宙世界皇帝のエネルギーシステムのシンボル・ロゴ)のイメージ概念図である。Yoshino UniverseKazutora Yoshino Universe EmpireKazutora Yoshino Emperor's SDI + ISD + IDS (YoshinoAdvancedEnergy)Lovely, 吉野カズトラ宇宙世界皇帝のＳＤＩとＩＳＤとＩＤＳ (YoshinoAdvancedEnergy) 石油価格の高騰とＩＡＥＡとヨシノアドバンスドエナジーの台頭： 吉野幸男や吉野信法王の頃、第二次世界大戦の頃は、戦争は、約３年ぐらい続くのが普通であった。アメリカ合衆国は、核兵器（原子爆弾や水素爆弾、等）の開発と製造によって、約３カ月〜約３週間で、戦争を終結することが可能になる程の、破壊力を身に付けた。アメリカ合衆国は、ロシアとの冷戦を超えて、約３日の戦闘（７０日のデザート・フォックス、等）で、アメリカの敵国を破壊して、戦争を終結することを身に付けた。（巡航ミサイル＊空母からの１７０の戦闘機による攻撃、等、基礎軍事力も強化していった。）核兵器と原子炉の研究開発が進み、ＩＡＥＡにより、核エネルギーは、原子力発電所や核融合炉として、平和利用されるようになった。そして、吉野カズトラ宇宙世界皇帝のＳＤＩ指導の元に、アメリカ合衆国は、新たな戦争のステージに入っていた。吉野カズトラ宇宙世界皇帝の開発した、高周波（γ波以上）パルスレーザー砲や吉野タイムマシンによって、光速以上で、高次元のレーザー・ネットワーク・アルゴリズムを用いて、軍事衛星などによって、敵の人工衛星を、打ち落とすことが、可能になり、最初の約３秒で、実質的に戦争を終結することが可能になっていた。大陸間弾道ミサイル（ＩＣＢＭ、等）等は、軍事衛星（人工衛星）のＧＰＳやレーダーに強く頼っていたので、軍事衛星が壊滅的になると、実質的に、核兵器などによる戦争の継続が、国として困難になったためである。この頃、アメリカ合衆国に反旗を翻すことが出来る国々やテロ組織は、一般的な国境によって区分されるものではなく、むしろ、意識や石油資本主義などによる曖昧なバンド（結束）によって束ねられる、石油資本の中東の国々やタリバンやアルカイダ（ある怪盗団）等の組織になっていた。アメリカ合衆国は、アフガニスタン、イラク、シリアへと、軍事介入を進めていたが、中東をチェス盤とした、列強の国々（アメリカ、ロシア、欧州、シリア、中国、サウジアラビア、イラク、イラン、トルコ、アラブ、イスラエル、等）のチェスのような石油獲得合戦となっていた。そもそも、２０トリリオンダーラーの資本力の日本と、４０トリリオンダーラーのアメリカ合衆国が、３００トリリオンダーラーのイラクやイラク近郊の国々を攻め落とそうとするのが、現実的ではない（無理が掛っている）のかもしれないが、技術大国（以前は経済大国）の日本をパートナーとして持つアメリカ合衆国は、強気に軍隊のチェス駒をすることが可能になっていた。吉野カズトラ宇宙世界皇帝のグループの軍需産業は、特に、軍事を持って、資源を確保することを、理想とするグループだった。吉野カズトラ宇宙世界皇帝は、平和的な交渉によって、石油や天然資源等の獲得をする方が予算的にも現実的と考えていたのだが、軍需品（軍需産業製品、つまり、兵器等）の需要も重要であることもあり、ある程���の調整が必要であった。つまり、産業の振興に、第一陣として、必要最小限の兵器を用いて、第二陣として、十分大量の一般的商品を用いて、第三陣として、文明や文化や経済や宗教の管理をする戦略であった。この際、投資家が国々に安全に投資を出来るようにしたのが、ＩＳＤであったが、ＴＰＰ等の傘下で、ＩＣＳＩＤなどによるＩＳＤ条項の規定を受けるのは、国としては、やっかいなものでもあった。と、同時に、同時多発テロ等の危険性を考慮して、国民の其々にＳＳＮ等のＩＤＳ（個々のＩＤ）を配布して、国民の其々がテロリスト化しないように、管理するのも重要であった。これだけのことを、国際的にしても、イラクやイラク近郊にある３００トリリオンダーラーという石油の魅力は大きく、国々の介入は止まらず、中東地域全体は、安定化するどころか、火薬庫のようになっていた。中東全体の不安定化と原油価格の高騰が、原油などを用いる企業などの活動や国際社会に影響していた。戦略的なマップを裏で作っていたのが、ＩＡＥＡであり、石油の高騰を導くことにより、原子力エネルギーの使用を促す戦略だったのである。ＩＡＥＡ関連のフリーメイソンやスカルアンドボーンが、アスぺルティーに核爆弾を設置して、３・１１（日本での東北関東大震災）を起こしたという、噂を聞いたことがあるほどである。しかしながら、原子力（特に核融合炉の開発）を促進しながらも、吉野カズトラ宇宙世界皇帝は、ヨシノアドバンスドエナジー（Ｇ）を用いて、吉野ミュージックグループ、吉野アーティストグループ、吉野カズトラエンターテイメントグループ等を作り、エンターテイメント（音楽や歌やダンスや芸術や美）の基に、国際的に広報活動等を進め、吉野カズトラ宇宙世界皇帝や吉野クリスタルヒカリ女王（の活動）を宣伝しながら、平和的に、再生可能エネルギーの開発を進め、太陽光（ＵＳＥＳ、等）や風力やバイオマスや地熱を用いた、エネルギー解決策を、着実に進めていた。吉野カズトラ宇宙世界皇帝は、石油の高騰をむしろ、エコロジーシステム（水素社会）の開発の起爆剤や爆風エネルギーに用いた。吉野カズトラ宇宙世界皇帝は、ＦＲＢやＩＭＦ等を用いて、国際経済の管理や、ＮＩＨ等を用いて、国際医療の管理もしていた。吉野カズトラ宇宙世界皇帝は、自らの先祖の天照大見神を祀る神道を、国際的に展開や発展させて、吉野天照国際神道を新たに開発して、国際的に普及させ、国々を平和に導いた。吉野カズトラ宇宙世界皇帝の後継者となった、吉野クリスタルヒカリ女王、光を持って、国際的な平和を作り、維持管理するために、吉野アシュレーアヤメ女王は、新たな宇宙軍を創設して、吉野レベッカハル女王は、軍事衛星（人工衛星）などによる戦争よりは、むしろ、宇宙要塞や宇宙ロボット（ガンダム等）や宇宙兵器などによる、より強固な宇宙軍事を開発して、宇宙から、世界の平和を見守り、宇宙世界を管理・支配した。・・・続く。
【図１０７】図１０７は、エコロジー・エネルギー・システム・アプリケーション（吉野一虎宇宙世界皇帝のパラボラ・ディッシュ・メーカー）のイメージ概念図である。Yoshino UniverseKazutora Yoshino Universe EmpireKazutora Yoshino Emperor's Solar Energy Generator System (Parabola Dish Maker)Lovely, 太陽光（熱）やヒーター（熱）を利用して、素材（物質（マテリアル）、（プラスチック、セラミック、ガラス、金属（アルミ、 鉄、等）））等を溶かして、形あるもの（物）を作る。ヒーター（電気ヒーター、ガスヒーター、等）は、電気、ガス、石油、石油コンロ、発電機、風力発電 機、核融合炉（発電所）、等からの電気エネルギーや（熱）エネルギーで加熱することが可能である。 パラボラの型にアルミ箔（アルミフォイル）等の反射シートを敷いて、溶けたプラスチックやセラミック等の素材を流し込むことによって、パラボラ（ミラー）を作ったりすることが可能である。 メロンパンやネジの頭のような形のパラボラのフレームの型に溶けたプラスチックやセラミック等の素材を流し込みフレームを作り、布やアルミ箔（アルミフォイル）等の反射シートを貼って、パラボラ（ミラー）を作ることが可能である。 折りたたみ傘のようなパラボラ構造で、内側が反射鏡であるようにしても良い。（傘型パラボラ反射鏡（ミラー）） カメラ・レンズのシャッターの型、プロペラのような型に、溶けたプラスチックやセラミック等の素材を流し込み、組み合わせて、パラボラのフレームを作り、反射鏡を貼ったり、プロペラを作ったりすることも可能である。
【図１０８】図１０８は、エコロジー・エネルギー・システム・アプリケーション（吉野一虎宇宙世界皇帝の浄水システム）のイメージ概念図である。Yoshino UniverseKazutora Yoshino Universe EmpireKazutora Yoshino Emperor's Solar Energy Generator System (Water Purifier)Lovely, 太陽光（熱）やヒーター（熱）を利用して、素材（物質（マテリアル）、（水、地下水、海水、食品、卵、等））等を沸かして、浄水や食品を作る。ヒーター（電気ヒーター、ガスヒーター、等）は、電気、ガス、石油、石油コンロ、発電機、風力発電 機、核融合炉（発電所）、等からの電気エネルギーや（熱）エネルギーで加熱することが可能である。
【図１０９】図１０９は、エコロジー・エネルギー・システム・アプリケーション（吉野一虎宇宙世界皇帝の（発電）浄水システム）のイメージ概念図である。Yoshino UniverseKazutora Yoshino Universe EmpireKazutora Yoshino Emperor's Power Generator System (Tea Maker)Lovely, 水（水道水、川水、雨水、海水、等）をヒーターで熱してお湯やスチームを作り、発電しながら、フィルターにかけて浄水するシステム。フィルターに葉等を入れて、紅茶や茶やコーヒーやハーブティーを同時に作ることが可能である。小型、中型、大型のシステムが可能である。
【図１１０】図１１０は、エコロジー・エネルギー・システム・アプリケーション（吉野一虎宇宙世界皇帝のヨシノ（熱）エンジン）のイメージ概念図である。Yoshino UniverseKazutora Yoshino Universe EmpireKazutora Yoshino Emperor's Heat (Steam) EngineLovely, 吉野カズトラ宇宙世界は、熱エンジンを開発した。可動可能なピストンと筒によって囲まれるガス室内のガス（気体、空気、等）を、熱サイクルにより、加熱して膨張させたり、冷却して凝縮したりすることを、行う。ピストンの動きとプロペラの動きをギヤ（やベルトやチェーン等）等で、連動させて、効率良く加熱と冷却を行う。プロペラには、水パイプ（ウォータージェット）が付いていて、プロペラの回転に用いても良い。加熱された水蒸気（スチーム）は、発電に用いたり、飲料水の製造・生産に用いても良い。ピストンの線形（リニア）な動きを、クランクシャフト等の手段によって、回転の運動に変換すると、ギヤ等による連動がより良く出来る。ギヤ比は、プロペラ数：１である。回転軸に付いているダイナモモーターを始動や運転や発電に用いて、発電しても良い。水を電気分解して、水素と酸素を製造・生産することも可能である。水素と酸素やガスを燃焼させて、熱源にしても良い。バイオガス等のガスを燃焼させても良い。太陽光による熱利用も可能である。電気ヒーター等も可能である。風があるときは、プロペラ、を風力発電用のプロペラに用いる、若しくは、風力発電システムと連動させて、回転・運転させても良い。Energy = W = Integrate[P(V) dV] （によって計算が可能）である。
【図１１１】図１１１は、エコロジー・エネルギー・システム・アプリケーション（吉野一虎宇宙世界皇帝のオーブン（パン焼き機））のイメージ概念図である。Yoshino UniverseKazutora Yoshino Universe EmpireKazutora Yoshino Emperor's Bread MakerLovely, 吉野カズトラ宇宙世界皇帝は、太陽光（熱）集光システムを用いて、パン（パンケーキ、蒸しパン、ベーグル、モンブラン、等）等を作っていた。直接の熱を用いたり、発電して、バッテリーに電気を貯めて、電気コンロを付けたり、発電して水を電気分解して、水素と酸素を作り、ガスの燃焼でオーブンを加熱して、適宜な温度調整ができるようにしていた。
【図１１２】図１１２は、エコロジー・エネルギー・システム・アプリケーション（吉野一虎宇宙世界皇帝のヨシノ（熱）（スチーム）エンジン）のイメージ概念図である。Yoshino UniverseKazutora Yoshino Universe EmpireKazutora Yoshino Emperor's Yoshino (Steam) EngineLovely, 吉野カズトラ宇宙世界は、ヨシノ（熱）（スチーム）エンジンを開発した。熱気体（スチーム）等によって、シリンダーの両端に圧力を掛ける。ピストンがシリンダーの片方側によっている際、シリンダーの中央にある排気口から、もう片方の圧力は、抜ける。ピストン側の圧力によって、ピストンが移動する。ピストンが、シリンダーの中央にある排気口を、通過すると、圧力は、反転する。線形の運動を、クランクシャフトなどで、回転運動に変換しても良い。（Ｉ）ピストンの両側にストッパーやばねが付いていても良い。（ＩＩ）ピストンは、カプセル型でも良い。（ＩＩＩ）複数のシリンダーによっても良い。
【図１１３】図１１３は、エコロジー・エネルギー・システム・アプリケーション（吉野一虎宇宙世界皇帝のヨシノ（熱）（スチーム）エンジン）のイメージ概念図である。Yoshino UniverseKazutora Yoshino Universe EmpireKazutora Yoshino Emperor's Yoshino (Steam) EngineLovely, 吉野カズトラ宇宙世界は、ヨシノ（熱）（スチーム）エンジンを開発した。熱気体（スチーム）等によって、シリンダーの両端に圧力を掛ける。ピストンがシリンダーの片方側によっている際、シリンダーの中央にある排気口から、もう片方の圧力は、抜ける。ピストン側の圧力によって、ピストンが移動する。ピストンが、シリンダーの中央にある排気口を、通過すると、圧力は、反転する。線形の運動を、クランクシャフトなどで、回転運動に変換しても良い。シリンダーの両側にばねが付いていて、ハーモニック（単振動）のような運動をさせても良い。システムを断熱材等囲いで囲い、熱エネルギーが運動エネルギーに、変換されるようにすることも可能である。E=W=Integrate[PAdx]で表現できる。Ｌルームと、Ｒルームの圧力とボリュームの変化によってエネルギー（仕事）が計算できる。ヨシノ（熱）（スチーム）は、小型で軽量化が可能であるため、コジェネレーションとして用いることが出来る。水素や酸素等のガスやバイオガスやガスや石油や石炭を燃焼させて、ジェットを作り、その際の排熱で水を沸かして、スチームを作り、スチームエンジンでプロペラ等を回して浮上用・推進用・方向用・コンプレッサー用等にして、ロケットや空飛ぶ車（スカイカー）やジェットバイクや機関車等を作ることが出来る。又、海水を用いて、ノズルでジェットを作り、塩等の製造等も可能である。
【図１１４】図１１４は、エコロジー・エネルギー・システム・アプリケーション（吉野一虎宇宙世界皇帝のヨシノ（熱）（スチーム）エンジン）のイメージ概念図である。Yoshino UniverseKazutora Yoshino Universe EmpireKazutora Yoshino Emperor's Yoshino (Steam) EngineLovely, 吉野カズトラ宇宙世界は、ヨシノ（熱）（スチーム）エンジンを開発した。熱気体（スチーム）等によって、ピストンに圧力を掛ける。ピストンが動き、ピストンの穴（長い穴）がシリンダーの排出口に合って、熱気体（スチーム）が排出される。圧力が下がるため、ピストンが元の位置に戻る。この繰り返しによって、ピストンが線形の運動をする。ピストガンが付き出るのに（スチーム）圧力、ピストンが戻るのに重力を用いても良い。F=PAj、F=mg=-mgj等である。TypeIは、F=PAj とF=PAj-mgjのサイクル。TypeIIは、F=PAj とF=-mgjのサイクル。 吉野カズトラ宇宙世界皇帝は、（スチーム）エンジンを製作するのに金属を溶かしたり、エンジンを運転するため熱（スチーム等）を掛けるときに、金属が溶けないようにするための閾値設計等もしていた。Qcw0=Integrate[((dEw0/dt)-(dEe0/dt))dt]=kT0、Qcw1=Integrate[((dEw1/dt)-(dEe1/dt))dt]=kT1、等である。ゆっくり炉内の温度、T0。急速炉の温度、T1。金属の融解温度（金属を溶かす温度）をTmとする。Tm > T0なら金属は溶けない。T1 > Tmなら金属は溶ける。ボイラーを熱したり、（スチーム）エンジンにスチームを掛けるときは、Tm > T0になるようにして、金属が溶けないようにする。（スチーム）エンジンを製造する（金属を溶かす）のには、保熱性の高い耐火炉に大電力を掛ける。T1 > Tmになるようにして、金属が溶けるようにする。
【図１１５】図１１５は、エコロジー・エネルギー・システム・アプリケーション（吉野一虎宇宙世界皇帝の金属炉とヨシノ（熱）（ロータリー）エンジン）のイメージ概念図である。Yoshino UniverseKazutora Yoshino Universe EmpireKazutora Yoshino Emperor's Engine ManufactureLovely,吉野カズトラ宇宙世界皇帝は、（料理など用の）コンロ（上部）と、（金属などの溶解用の）高熱炉（下部）とを合わせた、コンロ高熱炉を開発した。毎日、ご飯を炊いたり味噌汁を作ったり野菜を炒めたり卵を茹でたりして、料理をする時間は、毎日合計約１時間ぐらいであるが、この時間で、ガラスやアルミや鉄を溶かすことが可能なので、（コストパフォーマンスが良い）熱使用効率の良いコンロ高熱炉になる。この料理等の熱を用いる際のガス等の熱によってガラスやアルミや鉄等の金属等を溶かして、エンジンンを製造することが可能なのである。吉野カズトラ宇宙世界皇帝は、溶けた金属を型に入れて、エンジン等の部品や本体を作り、加工や組み合わせなどをして、ヨシノ（スチーム）エンジンやヨシノ（ローターリー）エンジンを製造していた。
【図１１６】図１１６は、エコロジー・エネルギー・システム・アプリケーション（吉野一虎宇宙世界皇帝のヨシノ（熱）（ロータリー）エンジン）のイメージ概念図である。Yoshino UniverseKazutora Yoshino Universe EmpireKazutora Yoshino Emperor's Yoshino (Rotary) EngineLovely,吉野カズトラ宇宙世界皇帝は、ヨシノ（ロータリー）エンジンの回転効率を向上させるため、（三角の）ロータリーの頂点や、レールにベアリング（やウィール）（やベアリングアレイ）やオプションとしてサスペンション（やガードライン）を設置した。 燃料は、水素や酸素を用いることを基本としたヨシノ（ロータリー）エンジンであるが、石油（ガソリン）、ディーゼル、天然ガス、プロパンガス、メタンガス、バイオガス、（石炭）、スチーム等の燃料でも、機動・稼働・駆動・運転可能である。 燃料口から水素と酸素を吸引して、スパークで燃焼させて、水（水蒸気、スチーム）と水素と酸素になった排気ガスから、水素と酸素を水（水蒸気、スチーム）から分離して、ターボとして再利用することが可能である。 スチームを用いて、ヨシノ（スチーム）エンジン等のスチームエンジンを機動・稼働・駆動・運転することも可能である。吉野（スチーム）エンジンとダイナモモーターで発電することも、水から水素と酸素を製造することも可能である。 ヨシノ（ロータリー）エンジンは、車のエンジンや空飛ぶ車のプロペラ駆動エンジン等として用いることも可能である。
【図１１７】図１１７は、エコロジー・エネルギー・システム・アプリケーション（吉野一虎宇宙世界皇帝のヨシノ（熱）（スチーム）エンジン）のイメージ概念図である。Yoshino UniverseKazutora Yoshino Universe EmpireKazutora Yoshino Emperor's Yoshino (Steam) EngineLovely, 吉野カズトラ宇宙世界皇帝は、ヨシノ（スチーム）エンジンの効率を向上させるため、バネ若しくは、エンジンに磁石を取り付けた。 バネ若しくは、磁石（マグネット、レアメタルマグネット、ネオジウムマグネット、スーパーアロイ、等）をピストンのヘッドとピストンが伸びるところに取り付け、ピストンが磁場で跳ね返るようにして、ピストンの往復運動を高速化する。 ピストンが基の位置のときF=PAj - Fmag_farj           , F ~ PAjピストンが付き出ているときF=-mgj-Fmag_nearj         , F ~ -Fmag_nearj Fmag_near >> mg  にしておけば、重力のないところでも（無重力のでも）、傾斜したところでも、エンジンを傾斜させても、エンジンを機動・稼働・駆動・運転することが可能である。 ガス（スチーム等）の圧力を高めると同時に、磁石の強度を高めて、エンジンを、強力化すると同時に、小型化して振動数を早くして、時間当たりの全体の移動距離を伸ばして、仕事量を高くすることが可能である。 線形移動を利用する、若しくは、クランクシャフトなどで、回転運動に変換して利用するのも良い。
【図１１８】図１１８は、エコロジー・エネルギー・システム・アプリケーション（吉野一虎宇宙世界皇帝のヨシノ（熱）（スチーム）エンジン）のイメージ概念図である。Yoshino UniverseKazutora Yoshino Universe EmpireKazutora Yoshino Emperor's Yoshino (Steam, Pressure) EngineLovely, 吉野カズトラ宇宙世界皇帝は、ヨシノ（スチーム、プレッシャー）エンジンを作っていた。線形シリンダー型や回転ロータリー型があった。シリンダー型では、シャトルが中央に円形若しくは長方形のような穴があるシリンダー内部を走行する。シリンダーの穴とシャトルのずれた部分が排気口となる。シャトルを直接型で作っても良く、溶接などで組み合わせても良く、ネジやパイプなどで作っても良い。シャトルには、ウィング（アーム）が付いていて、線形（往復）運動を、ガイドシャフトに伝達する。ガイドシャフトの線形（往復）運動を、クランクシャフトで、回転運動にする。この組み合わせを複数作り、パワーアップして、より滑らかな回転運動を作ることが出来る。ボイラーで燃料（水素、（水）、ガス、プロパンガス、メタンガス、バイオガス、石油、石炭、等）と空気（酸素）を混合・加熱・燃焼させて、スチーム（圧力・熱気体・爆風）を作り、吸入口にスチーム（圧力・熱気体・爆風）を送って、（スチーム、圧力）エンジンを機動・稼働・駆動・運転する。ボイラーに太陽光（熱）などを集光（集中）して、加熱しても良い。動力（回転運動）と発電機（ダイナモ・モーター）を利用して、発電しても良い。発電した電気で、水を水素と酸素に電気分解して、水素と酸素を生産しても良い。海水をボイルして、塩と飲料水を作ることも可能である。
【図１１９】図１１９は、エコロジー・エネルギー・システム・アプリケーション（吉野一虎宇宙世界皇帝のヨシノ（熱）（ロータリー）エンジン）のイメージ概念図である。Yoshino UniverseKazutora Yoshino Universe EmpireKazutora Yoshino Emperor's Yoshino (Rotary) EngineLovely,吉野カズトラ宇宙世界皇帝は、ヨシノ（熱）エンジンを作っていた。回転ロータリー型があった。内部に内ギヤを持つ曲率三角形のローター（ロータリー）と回転中心のギヤをベアリングを持つジョイントで結ぶ。これにより、ローター（ロータリー）が、回転中心の周りをそのまま（外枠のガイドがなくても）回転できる。つまり、ローター（ロータリー）に外枠を付ける際、絶妙に接触している、若しくは、少し間を開けることが可能である。ローター（ロータリー）の頂点にベアリングを付けることも可能である。又、ダブルベアリングによってより安定した回転をさせることも可能である。ローターとサイドプレートの接触面積を減らすため、ローター（ロータリー）のエッジ（片面／両面）にウォールを作ることも可能である。これにより、摩擦を減らして、よりスムースで効率の良い回転が得られる。吸入口から吸引したガス（水素、（水、スチーム）、ガソリン、天然ガス、プロパン、メタン、等）と空気（酸素）の混合気体を、ローター（ロータリー）は、濃縮（コンプレス）して、スパークで燃焼（爆発）させて、ローター（ロータリー）は、燃焼（爆発）による回転エネルギーを得て、（排気）ガス（水（水蒸気）（スチーム）等）、等を排気口から排気する。空飛ぶ車やジェットバイク等のプロペラ（やギヤ）を回転するためのエンジンとしても用いることが可能である。
【図１２０】図１２０は、エコロジー・エネルギー・システム・アプリケーション（吉野一虎宇宙世界皇帝のヨシノ（熱）（ロータリー）エンジンのギヤの製造）のイメージ概念図である。Yoshino UniverseKazutora Yoshino Universe EmpireKazutora Yoshino Emperor's Yoshino (Rotary) EngineLovely,吉野カズトラ宇宙世界皇帝は、（水素、等）ロータリーエンジンのギヤを製造していた。型を作り、金属等を流し込んで、製造するのが可能である。若しくは、ドリルやミルマシンや金属３Ｄプリンターで作ることも可能である。
【図１２１】図１２１は、エコロジー・エネルギー・システム・アプリケーション（吉野一虎宇宙世界皇帝の吉野カズトラ発電システムと飲料水（＋塩）製造システム）のイメージ概念図である。Yoshino UniverseKazutora Yoshino Universe EmpireKazutora Yoshino Emperor's Energy Generator System + Water (+Salt) Generator SystemLovely,吉野カズトラ宇宙世界皇帝は、太陽光や風力やバイオマスや地熱によるエネルギー（熱等）を用いて、（発電機、ダイナモモーター等で）発電するとか（バッテリーに充電するとか）、直接動力を活用する溶かして、ポンプを駆動（稼働）して、イオン交換膜と海水に圧力を掛けて、飲料水（と塩）を製造していた。飲料水は、ペットボトルなどの飲料水（ウォーター）ボトルに入れて、飲んだり、販売したりする等が可能である。回転エンジン（プロペラ型、ロータリーエンジン、等）を用いて、発電するとか、直接回転ポンプを動かすことも可能である。線形（リニア）エンジンのを用いて、発電するとか、直接線形ポンプを動かすことも可能である。回転エンジンと回転ポンプを繋ぎ、シャフトを共有させると効率の良い回転システムが出来る。（回転）エンジンの吸気口や排気口、回転ポンプの吸水口や排水口に弁などを用いても良い。線形エンジンと線形ポンプのシャフトを繋ぎ、ピストンを共有させると、効率の良い線形システムが出来る。（回転線形）エンジンの吸気口や排気口、線形ポンプの吸水口や排水口に弁などを用いても良い。
【図１２２】図１２２は、エコロジー・エネルギー・システム・アプリケーション（吉野一虎宇宙世界皇帝の高電力（高電圧、高電流）金属溶解法とロータリーエンジン製造方法）のイメージ概念図である。Yoshino UniverseKazutora Yoshino Universe EmpireKazutora Yoshino Emperor's Metal Melt Method (Rotary Engine Making Method)Lovely,吉野カズトラ宇宙世界皇帝は、高熱炉を用いた金属融解方法と、高電力（高電圧、高電流）を用いた金属融解方法を用いて、金属（鉄等）を溶かしていた。金属を型に流し込み、ローターリーエンジン等を作っていた。 P = PowerV = VoltageI = CurrentJ = Current DensityR = ResistanceA = Cross Section = l1' * l3'l1 = Widthl2 = Lengthl3 = heightl1' = Widthl2' = Lengthl3' = heightVolume = Volume of Metal = n * l2' * A = n * l1' * l2' * l3' P >= k' A^alpha1 * Volume^beta1V >= k'' A^alpha2 * Volume^bet2 Example:alpha1 = -6, beta1 =2,alpha2 = -3, beta2 = 1
【図１２３】図１２３は、エコロジー・エネルギー・システム・アプリケーション（吉野一虎宇宙世界皇帝の風力発電システム（アドバンスド・ウィンド・エナジー・ジェネレーター）と飲料水（＋塩）製造システム）のイメージ概念図である。Yoshino UniverseKazutora Yoshino Universe EmpireKazutora Yoshino Emperor's Advanced Wind Energy Generator (+ Drink Water (+Salt) Generator)Lovely, 吉野一虎宇宙世界皇帝は、風力発電システム（アドバンスド・ウィンド・エナジー・ジェネレーター）と飲料水（＋塩）製造システムを作っていた。 トーネードー方式サボニウス形風車で、プロペラで発電すると同時に、空気を吸引して圧縮（濃縮）（コンプレス）する(コンプレッサーとして用いる)。圧縮された空気（コンプレスドエアー）をジェット・エンジン（やロータリー・エンジン等）に送り、ジェットエンジン（＋（発電機）ダイナモ・モーター）で発電する。ジェットエンジンのジェットを用いて、ポンプとノズルで霧化（ミスト化）された海水を、塩と水蒸気（スチーム）に分離して、塩と飲料水を製造しても良い。この際、スチームで、発電しても良い。ジェットエンジンの燃料は、水素と酸素を最善とする。燃料は、石油、ガソリン、キシレン、エチレン、アセチレン、エタノール、プロパン、メタン、天然ガス、バイオガス、等でも良い。風力の強い時（風が吹いているとき）は、クラッチやギヤによって、ダイナモ・モーターを発電機（ダイナモ）として用いて、風がない時は、ダイナモ・モーターをモーターとして用いる。風があるときは、（ソレノイド）ロックをオンにして、センターシャフトとレイヤーシャフトを繋ぐ。風がない時は、センターシャフトとレイヤーシャフトの（ソレノイド）ロックを解除して、（サボニウス）プロペラと（トーネードー）プロペラを分離して、モーターで（トーネードー）プロペラを回転して、空気を圧縮（コンプレス）する。（サボニウス）プロペラと（トーネードー）プロペラを分離して、ダイナモ・モーターの発電機（ダイナモ）とモーターの切り替えをするギヤは、上下スライド方式、左右縦横スライド方式、円形（楕円形、円弧、等）等の曲線スライド方式、等でも良い。若しくは、ダイナモ・モーターを複数（２個以上）取り付けて、リング型斜型ギヤなどと組み合わせて、発電機（ダイナモ・モーター）で発電したり、コンプレッサー（ダイナモ・モーター）として空気を圧縮（コンプレス）するのに用いる。（ソレノイド）ロックは、バランスをとるために、複数あるのが最善の形態とする。
【図１２４】図１２４は、エコロジー・エネルギー・システム・アプリケーション（吉野一虎宇宙世界皇帝のアイススライダーとウォータースライダー）のイメージ概念図である。Yoshino UniverseKazutora Yoshino Universe EmpireKazutora Yoshino Emperor's Ice Slider + Water SliderLovely, 吉野カズトラ宇宙世界皇帝は、アイススライダーやウォータースライダーを開発した。ウィール（タイヤ）、車、ブレード、船、羽、等に、発電機や電池（バッテリー、充電池、リチウム一次／二次電池、マグネシウム一次／二次電池、等）や水素＋酸素＋燃料電池に、モーターやエンジン（ロータリーエンジン、等）を繋ぎ、モーターやエンジンに（オプション：ギヤ＋）プロペラ（羽）を付けて、推進用に用いる。方向用にウィールや舵やウィンドサーフィングのような羽（ウィング）やマストを用いる。ウォータースライダーは、キールがあると、帆船としても用いることが可能なので良い。アイススライダーは、ブレードによって氷の上を一直線上に走行するとき等、ウィールは、上に持ち上げることが可能である。又、ハンドルで、ウィールの（回転）角度や回転軸の角度や方向角度や位置を変えたり調整することが可能であり、ウィールを適宜な角度で氷上で回転させて、アイススライダーが進行方向に走行することが可能である。アイススライダーやウォータースライダーは、羽（ウィング）を横に広げることが可能であり、浮上して、走行することが可能である。パワーアップすると、飛行機のように飛ぶことが可能なので、水陸空両用な乗り物である。椅子を発電機や電池や燃料電池の上に置くと、温かいので快適の可能性あり。
【図１２５】図１２５は、エコロジー・エネルギー・システム・アプリケーション（吉野一虎宇宙世界皇帝のユニバース・ウォーズ（のストーリー））のイメージ概念図である。Yoshino UniverseKazutora Yoshino Universe EmpireKazutora Yoshino Emperor's Universe WarsLovely, (Real) Story:  Chapter One:吉野カズトラ宇宙世界皇帝は、吉野カズトラ王子だった頃を思い出していた。 吉野カズトラ王子は、天照大御神、藤原道長、藤原頼道などの子孫として、吉野信（法王）と吉野友子（女王）の子どもとして、生まれてきた。美しい吉野留利子（姫）が妹であった。 吉野カズトラ王子の祖父（吉野幸信）は、一級建築士であったが、その兄は、東大を卒業して警察庁に入り警視庁の高官を務めていた。元々、吉野幸信は、帝国軍の諜報機関員であり情報を扱うプロだったため、第二次世界大戦後、東京タワーの建築に携わり、放送、情報に関する仕事と建築に関する仕事をしていた。さて、吉野信（法王）は、表向きは、カメラマンンとして、世界中を飛び回っていたが、その実のところ、国家公安委員会関連、インターポール関連の内部捜査官であり、ＣＩＡの高位メンバーであったため、その射撃の能力は、天下一品であった。また、カメラによって写真を撮る行為は、射撃の訓練にもなり、時と共に、吉野信（法王）のレベルは、向上して行った。吉野信（法王）は、表向きは『ねこのくらし』（黒猫シーザーが主役）などの本を出版して、基本的な生活をしていた。吉野カズトラ王子は、イギリス人教師（ＭＩ５メンバー）などによって、子供の頃より、空手、剣道、弓道、柔術、忍術、砲術、暗器の製造、兵法、帝王学、等を学び、プロの諜報機関員や王や皇帝になり、国々を支配する訓練を受けていた。吉野カズトラ王子は、自らの広報活動のために、学研のモデルなどをしていた（テレビ番組や映画のプロデューサーになっていた）。吉野カズトラ王子の周りに、子供達、教師達、武術の達人達、忍者、右翼、暴力団、詐欺師、犯罪人、共産主義者、自由民主主義者、政治家達、医者、学者、等、ありとあらゆるタイプの人達が集まって来ていた。吉野カズトラ王子は、総統と呼ばれ、喧嘩グループのリーダーを務めていて、サディスティック呼ばわりされていたが、実は、平和主義者であったが、吉野カズトラ王子の戦闘を見た者たちは、この世から消されるようなこともあった。 この頃、スパイ防止法や個人情報保護法や特別情報保護法などない日本政府は、アメリカＧＨＱ関連の傘下にある一部組織にすぎなく宮内庁や内閣府や警察が、日本国民の情報管理をしていて（日本人監察官等）、国家権力を用いて、日本国民からものや情報や人を力ずくで取り上げるようなことさえしていた。例えば、警察は、婦人警官を募集すると言って女性達を集め慰安婦達にする等と言う、国家としてあるべきことしていた。この頃、帝国軍派の日本国家の在り方に疑問を抱く反政府組織は、東南アジアやアラブの国々に拠点を構え武装組織を育成していた。これが、後にアメリカ政府の言う（アメリカに対する）テロリストという組織になった。しかし、魔道がこれらの東南アジアなどの武装組織を管理していて、組織は運営費などの獲得を盗難等によって賄っていた。又、日本での武装組織を、右翼や暴力団によって、育成していた。この頃、起きた事件が、３億円事件（やグリコ事件）である。犯人は、日本政府関連（宮内庁）に知り合いを持ち警察関連内部の者で、忍術や情報管理を、吉野カズトラ王子に教えていた者であったが、警察高官たちは、それが誰だか分からないでいたし、分かったとしても宮内庁の忍者（諜報機関員）を捕まえるわけにはいかなかった。しかし、３億円事件の犯人を捕まえるために用意された警察内での裏金を横領して自分（達）のために用いようとした国家公安委員会のメンバー（達）は、３億円を、（暴力団達は、１３億円を）用いて、幾つかのオペレーションをしていた。テレビ局など放送機関では、情報関連の人達の約４０％ぐらいが諜報機関員関連だが、テレビ局は特に情報発信源関連なのでテレビ番組の制作等は、ある程度可能であった。吉野信（法王）は、警察で用意した３億円を用いて、子供世代に『正義』について教えるため、『正義の味方』となるテレビ番組を制作することに裏で関与していた。例えば、ポンキッキやお母さんと一緒や仮面ライダーやゴレンジャーやウルトラマンである。又、吉野信（法王）を、吉野友子（女王）の親戚の宮本は、テレビ局などを通してサポートしていた。また、『悪』や『悪魔』についても教えるために、デビルマンや忍者などの番組を作り、善悪のバランスなどについての教育もしていた。一般向けに、ドリフターズ、ドラえもんなどの番組を作ったが、最も重要なのは、吉野カズトラ王子に似た子役俳優を用いたケーキ屋けんちゃんであった。ケーキ屋けんちゃんによって得られた収入が、この後、とても重要なオペレーションに用いられたのである。５年３組魔法組が作られて、収入を増幅させて、幾つかのテレビ番組が出来て、収入を得た。吉野カズトラ王子は、早稲田高校に入学して、放送委員会と物理部に入った。吉野カズトラ王子は、ロボットの製作と、パワースーツの開発をした。 吉野カズトラ王子は、コロラド大学に入学して、この収入を用いて、テレビ番組の忍者タートルやゴレンジャーのアメリカ版（パワーレンジャー）等の製作等に携わっていたが、映画を作りたかったので、スターウォーズのエピソードＩ，ＩＩ，ＩＩＩ等を作ろうとして、ルームメイトのパットと署名活動をした。吉野カズトラ王子とパット（の両親）は、無名だったところからマイクロソフトを育てて大きくしたメインの人達であり、技術的にも経済的にも力のあるパートナーシップであり、タイガーファンド（ヘッジファンド）等を作ったりもした。さて、スターウォーズを作ることが決まったが、ジョージルーカス（ＣＩＡ）が、映画を作ると言いだしたので、吉野カズトラ王子は、物理の勉強に集中して、映画については俳優を選んだりしていた。吉野カズトラ王子が、ダースベーダーのモデルであると言われる理由である。この収入によって、ロードオブザリング（ハリウッド）とハリーポッター（英国）が作られた。ハリーポッターは、３Ｄペン（魔法の杖）の宣伝のために作られた映画である。その後、吉野カズトラ王子は、ウィスコンシン大学に入学して、核工学と工学物理を学びながら、コンピューターグラフィクスやコンピューターの３Ｄゲームの開発を進め、ジェームズキャメロン（ＣＩＡ）の映画（ターミネーター、ロミオとジュリエット、タイタニック、アバター��）等のモデルになった。相対的過去、相対的現在、相対的未来等の情報もあり、幾つもの情報が縺れるようなこともあったが、これが、映画のターミネーターによる、ジョンとスカイネットの戦いとして表現された。この頃、吉野カズトラ王子は、ＤＩＡメンバーであるデイビッドと仲良くなり、動物ものの映画も作り（猿の惑星（シーザーが主役）等）、動物や武器やロボット等の映画も作った（トランスフォーマー（スピルスバーグ、マイケルベイ）等）。吉野カズトラ王子は、ＬＵＭＹという会社を作り、３Ｄテクノロジーを発展させて、３Ｄメガネや３Ｄディスプレイ等を作り、３Ｄ映画の上映などに携わった。 吉野カズトラ王子は、富士フイルムに入社して、画像、映像関連のインクジェット印刷機の開発に携わったが、富士フイルムの国際的に評価の高いナノテクノロジーを用いてアスタリフト等を作り化粧品業界へ参入するように戦略を作ったところ、資生堂などの反撃に合い富士フイルムを退社して、タムロンへ入社したが、給料は向上したので、とりあえず何とかなっていた。しかし、東北関東大震災（３・１１）の大地震が吉野信（法王）の誕生日に起こり、大問題になった。タムロンを退社して、自らの歩む道を探さねばならなくなった。そこで、吉野カズトラ王子は、３Ｄペンの製作をしたが、商品化や販路の構築が容易でないので、バイトを探すことにした。吉野カズトラ王子は、子供の頃以来の部下達が、経営をしているようなホストクラブやキャバクラなどでバイトをしようとして、吉野カズトラ王子は、キングやシーザーや総統と呼ばれたが、表社会が長かったので裏社会は、あっという間に卒業してしまった。といっても、吉野カズトラ王子の子供の頃の喧嘩の絶えない超過激な姿と本当の恐ろしさ知っている部下達は、吉野カズトラ王子の平和主義（非暴力主義）に、むしろ驚いているようだった。 吉野カズトラ王子は、吉野カズトラ王になり、吉野カズトラ宇宙世界皇帝になり、平和的にヨシノアドバンスドエナジーというエネルギー関連の会社を作るが、経済産業省や東京電力と議論や戦いになり、近所とも言い合いになる等、平和的からは程遠い生き方をしていた。吉野カズトラ宇宙世界皇帝は、３Ｄ関連のコンピューターやロボットの世界にも戻ろうとして、飛行機やヘリコプターの製造と映画の製作などを始めることにした。 吉野カズトラ宇宙世界皇帝は、自ら書いたストーリー『吉野アシュレーアヤメ女王偉大なる戦士』の絵本やビデオや映画を作ろうとして、パラマウント、ユニバーサル、ディズニー、ソニーピクチャー、ワーナーブラザーズ、キャバクラ、ＡＶ女優、女優、アイドル、モデル、メイドちゃん、早稲田大学等の映画関連等の人達に話をしてみるが、殆ど反応がないので、プロデューサーとして自ら直接映画を作ることにして、自ら映画スタジオと映画を作ることにした。吉野信（法王）が、表向きは、プロのカメラマンであるというのが助けになり、アシュレー偉大なる戦士のストーリーは、着実に進んでいった。吉野カズトラ宇宙世界皇帝は、美しい女性達に直接、映画製作への協力を頼むことにした。 吉野カズトラ宇宙世界皇帝は、新宿や渋谷のキャバ嬢などに、話をしたところ、新宿と渋谷のキャバクラとガールスバーの間で主役アシュレー偉大なる���士のポジションを巡って戦いが起きてしまった。そこで、吉野カズトラ宇宙世界皇帝は、自らが新宿の歌舞伎町でホストをしていた頃をモデルに『忍者マン』というヒーローキャラクターを作り、渋谷のハチ公をモデルに『怪獣ハチ』というモンスターキャラクターを作り、映画で戦わせることにした。渋谷のハチ公を国際的な観光の名所にするために、ハチを悪のヒーロー（モンスター）とすることにしたが、ここに奥深い人情のドラマがあった。吉野カズトラ宇宙世界皇帝は、様々なキャラクターを作ったが、『忍者マン』や『怪獣ハチ』は、日の目を見ることないキャラクターなのだろうが、マンガ、アニメ、ビデオ、コンピューターグラフィクス等で直に作って映画化することができるように設計（デザイン）した。アシュレー偉大なる戦士のストーリーには、『パロ』という龍（竜）や、『シャモちゃん』という子虎や、『トモコスーパーゲーマー（モコ）』のキャラクターが出場するが、ここらもゆるキャラになりそうである。その他、『チュチュ』というモモンガのルミーキャラクターもいる。吉野カズトラ宇宙世界皇帝は、吉野留利子（女王）のいるハリウッドの有名女優達やモデル達と仲良くすることにした。・・・続く。 p.s.怪獣ハチは、ハチの大群が集まり、犬の形になるモンスターである。シャモちゃんは、子虎なのだが、人気向上のために、子供向けシャモちゃんは、ウサギと言うことになっている。吉野カズトラ王子→吉野カズトラ宇宙世界皇帝の経歴（履歴書）。続く。
【図１２６】図１２６は、エコロジー・エネルギー・システム・アプリケーション（吉野一虎宇宙世界皇帝のロータリーエンジン（発砲スチール））のイメージ概念図である。Yoshino UniverseKazutora Yoshino Universe EmpireKazutora Yoshino Emperor's Rotary Engine (3D Frame Metal, 3D Nano Frame Metal, Fractal Frame Metal)Lovely, 吉野カズトラ宇宙世界皇帝は、発砲スチールを用いて、ローターリーエンジンを作っていた。ロータリーエンジンのローターやエンジンのピストンは、強度が必要なため、重金属（鉄、スチール、ステンレス、等）等で作られるため重量が多いことが多いが、振動するため重量が多いと振動エネルギーや熱になって無駄になってしまう。この問題を解決するために、吉野カズトラ宇宙世界皇帝は、（ステンレスなどの）発砲スチール（フラクタルフレーム金属構造）の製造（製作）を行った。ステンレスや合金などの金属等のマテリアルを加熱して溶かし（融解して）沸点に到達させて金属の泡を作りだし、冷却して泡（発砲スチール構造）を維持させる。この際、ガス等の混合マテリアルを混ぜて、泡を作っても良い。発砲スチールは、位相幾何学的（トポロジー的）には、発泡スチロールのような構造である。又、吉野カズトラ宇宙世界皇帝は、３Ｄプリンターを用いて、３Ｄフレーム金属構造(3D配列（フレーム）金属構造)を作ったり、フラクタルフレーム金属構造を作ったり、アモルファスフレーム金属構造を作り、発砲スチール構造を作った。吉野カズトラ宇宙世界皇帝は、マテリアルサイエンスの観点から、金属や合金等のマテリアルの３Ｄナノ構造（３Ｄナノフレーム構造）の設計等も行い、３Ｄナノ（フレーム）構造と３Ｄフレーム構造を組み合わせることにより、強靭で軽量な金属や合金等の製造が可能になった。吉野カズトラ宇宙世界皇帝は、この３Ｄ技術を、ロータリーエンジン等の製造に用いたので、とても効率の良い（水素）ロータリーエンジンが出来たので、ジェットバイクや空飛ぶ車の製造（大量生産）が可能になり、ヨシノアドバンスドエナジーは、世界的に有名な会社となり、吉野カズトラ宇宙世界皇帝も世界的に有名になった。吉野カズトラ宇宙世界皇帝のジェットバイクや空飛ぶ車は、消防署などで人命救助に用いられて、社会に大いに役立っている。
【図１２７】図１２７は、エコロジー・エネルギー・システム・アプリケーション（吉野一虎宇宙世界皇帝のユニバース・ウォーズ（のストーリー））のイメージ概念図である。Yoshino UniverseKazutora Yoshino Universe EmpireKazutora Yoshino Emperor's Universe WarsLovely, Chapter Two:吉野カズトラ宇宙世界皇帝と、吉野信（法王）は、再び政治を始めていた。つまり、吉野カズトラ宇宙世界皇帝に、吉野信（法王）は、平和的な和平交渉を望んでいた。吉野信（法王）は、吉野友子（女王）と吉野カズトラ宇宙世界皇帝を連れて、温泉旅行に行くことにした。吉野カズトラ宇宙世界皇帝が、温泉宿に入ると、美しい女性が受付にいた。軽く会釈をして、進むと左手に縄文式土器が置いてあった。そういえば、新潟県の津南町で、美女である吉野綾子（将軍）が、縄文式土器について、吉野カズトラ王子に色々説明をしてくれたことがあったと思いだしていた。・・・ 吉野カズトラ王子と吉野綾子（将軍）は、縄文式土器の作り方や本当の使い方について吟味していたが、その当時の一般的な見解は、粘土をひも状にして巻きながら縄文式土器のもとを作り窯で焼き、土にさして用いるであった。吉野カズトラ王子と吉野綾子（将軍）は、遺伝的な観点から、縄文人と現代人の知能に付いて吟味していたが、脳の構造について遺伝的には、略、同じぐらいだが、現代人のようにコンピューター技術等の自動計算やシミュレーション工学等の文明が進んでいなかったため、人々が自ら推測して十分な収穫を得るために、知恵や生活するための味覚や臭覚や感覚やタイミングセンスを磨くなどしていたため、現代人よりも縄文人の方が優れていて、縄文人の知能については、熱流体等に関する知識を扱えるだけ十分な高度な技術や文明を発展させていたのだろうと推測していた。吉野綾子（将軍）の解析や推測によると、数千年の間に蓄積した知識を持つ現代人は、高度で多様な知識ベース（百科事典やインターネットや大学やコンピューターシステム）等があり、見掛け上縄文人より優れているように見える。例えば、戦闘能力や瞬時画像記憶能力や縄文式土器の活用等は、縄文人の方が優れていただろう。例えば、現代人は、縄文式土器を見て、土にさして置くぐらいしか活用の可能性を見いだせない人が多いだろうが、縄文人は、もっと多様な方法で、縄文式土器を使っていたに違いないと考えていた。そこで、吉野カズトラ王子は、幾つかの可能性を推測して吟味していた。吉野カズトラ王子の推察によると、縄文式土器には、くびれがあり、くびれより上の部分（上部）のフチに２〜３個以上の穴があることが多い。石器の次の時代が土器の時代なので、石を加工して棒を作ったり、石器や金属器（青銅器、鉄器、等）などのナイフで木を削り棒を作ったり、金属の棒を作ることは十分可能であったと推測できる。（酒飲料水のように作った）アルコールランプ（や木材）などで小型の火を焚き縄文式土器のくびれより下の部分（下部）を加熱する。余熱で上部の所も温まるので熱効率が良い。又、上部に棒を通して、直接火を掛けるか、炉（や壁）の中で焼くことが可能であるが、木の棒を使った際、上部はそこまで熱くならないように上部が大きくなっている（木が燃えるのは約２０００℃ぐらいだが、料理をするなら上部は、２８０℃ぐらいだろ��）。縄文式土器の構造は、エネルギーに対するエントロピーの改善効率に優れていて、とてもエコな構造になっていて、木材等限られた資源を有効に活用することに優れている。さて、吉野カズトラ王子と吉野綾子（将軍）は、その進化形も考慮していた。つまり、縄文式土器をポットとして用いて、料理等を入れておくのと同時に、縄文式土器に火薬を入れて爆弾（地雷）として用いる。地雷を配列した複数層を作り、火薬を塗した縄で繋ぎ、村の周りにおいて、敵の襲撃等があるときは、爆破させて、敵の襲撃を阻止すると同時に、周りの村々に戦火（の煙）により敵の襲撃を知らせ、援軍を要求するシグナルとして用いた。縄文人は、ユダヤ人の遺伝子をベースにした、白人系バイキングの遺伝子に近く、戦闘能力に優れていたのである。しかし、弥生式土器でしられる韓国系の遺伝子が強い弥生人達は、思わぬ方法で、縄文人に勝ったのである。つまり、弥生人は、縄文人と戦わなかった。逆に、弥生人は、自分達の美しさや肌のすべすべさをアピールした。弥生人は、見た目が若く美しく維持することが可能な遺伝子を持っているので、長いあいだ美しさを維持できた。これにより、弥生人は、縄文人の文化に溶け込み、日本人の基本となる縄文人ｘ弥生人の遺伝子群や文明（文化）を作りあげたのである。日本に、かぐや姫や世礼菜（セレナ）姫のような美女が現れたのは、偶然ではなかった。縄文時代から時（数千年）が経ち、熱流体を扱う炉は進化して、吉野カズトラ宇宙世界皇帝のエンジンやモーターの時代になっていた。３Ｄ技術（３Ｄスキャナー、３Ｄディスプレイ、３Ｄプリンター等）を用いたりして、素材や構造やエンジン（ローターリーエンジンやジェットエンジンやロケットエンジン）等についての先端技術抗争が起きていた。また、吉野カズトラ宇宙世界皇帝は、若返り（アンチエイジング）の遺伝子開発技術や分子生物学や医学・再生医療などの技術開発が進め、現代人と未来人の生活や技術や文明や文化の基盤を作っていった。続く。
【図１２８】図１２８は、エコロジー・エネルギー・システム・アプリケーション（吉野一虎宇宙世界皇帝の吉野カズトラ発電システムと飲料水（＋塩等）製造システム）のイメージ概念図である。Yoshino UniverseKazutora Yoshino Universe EmpireKazutora Yoshino Emperor's Energy Generator System + Water (+Salt) Generator SystemLovely,吉野カズトラ宇宙世界皇帝は、太陽光発電システムや風力発電システムを用いて得たエネルギーを用いて、イオン交換膜などを用いて、飲料水や塩等を作っていた。縄文式スチーム炉や弥生式スチーム炉に、ガス等による加熱に加えて、太陽光集光（熱）による加熱を加えることが可能である。風力発電機は、パイプのベースをネジやナットや溶接などで接合して、シャフトを付けてアルミニウムや鉄等をを溶かして流し込み、シャフトに発電機（ダイナモ・モーター）を付けて、カバーを付けてベアリングを付けて、パイプにＦＲＰなどで作ったプロペラの羽根を付けて、尾を付けて、キャップを付けて、台の付いている塔（ポール）に付ける。イオン交換膜などのフィルター（イオン浸透フィルターやイオン吸着フィルター等）で、小さいイオンから、順に、大きいイオンを（選択）抽出して行く。全体として、高効率なシステム（ハイコストパフォーマンス）なシステムを作ることが出来る。
【図１２９】図１２９は、エコロジー・エネルギー・システム・アプリケーション（吉野一虎宇宙世界皇帝のユニバース・ウォーズ（のストーリー））のイメージ概念図である。Yoshino UniverseKazutora Yoshino Universe EmpireKazutora Yoshino Emperor's Universe Wars (Yoshino Universe Robot)Lovely, Story:  Chapter Three: 吉野カズトラ宇宙世界皇帝は、核エネルギー等のハイエナジー宇宙パワーロボット（人工知能塔載）を製作していた。宇宙ロボットの大量生産をすることによって、吉野天照軍を強靭化するためであった。吉野カズトラ宇宙世界皇帝の指揮の基、吉野レベッカハル女王と吉野天照軍の女兵士たちは、天照軍を増強して行った。吉野カズトラ宇宙世界皇帝は、トランスフォーマーロボットの開発を進め、宇宙ジェットロケットロボット人工知能生命体を完成させたのである。メガミサイルを搭載する宇宙ロボットは、アメリカ海軍のジェームス・ヒッチンズが、ロボットのプロトタイプとなった。吉野カズトラ宇宙世界皇帝の脳波思考コントロールシステム（ブレインウェーブコントローラー、（トランスフォーマーロボットコントローラー）、等）によって、吉野カズトラ宇宙世界皇帝の指示を得る宇宙ロボット・トップ１の『吉野パワー１００』は、吉野クリスタルヒカリ女王がミルキーウェイ銀河を支配するように、宇宙や世界の人々を従わせた。また、吉野アシュレーアヤメ女王偉大なる戦士が、アンドロメダ銀河を支配するようにした。続く。
【図１３０】図１３０は、エコロジー・エネルギー・システム・アプリケーション（吉野一虎宇宙世界皇帝のユニバース・ウォーズ（のストーリー））のイメージ概念図である。Yoshino UniverseKazutora Yoshino Universe EmpireKazutora Yoshino Emperor's Universe Wars (Yoshino Universe Robot)Lovely, Story:  Chapter Four: 吉野カズトラ宇宙世界皇帝は、宇宙ジェットロケットロボット人工知能生命体を完成させて、進化させて、宇宙世界を支配する悪魔王（魔界王）であるキング・シーザー・デビルを作った。シーザーは、ネコのくらしの主役となり、ハリウッド映画の主役となり、皇帝への階段を登り（昇り）ユニバーサル・キャラクターになった。シーザーがスキーやジェットスノーボードで、新潟でスキーやスノーボードをしているときの風力（風速）によってシーザーが空中回転しているのがヒントになって、吉野カズトラ宇宙世界皇帝に、風力発電システムのアイディアが浮かんできた。続く。
【図１３１】図１３１は、エコロジー・エネルギー・システム・アプリケーション（吉野一虎宇宙世界皇帝の吉野カズトラ風力発電システムと製造システム）のイメージ概念図である。Yoshino UniverseKazutora Yoshino Universe EmpireKazutora Yoshino Emperor's Wind Energy Generator SystemLovely, 吉野カズトラ宇宙世界皇帝は、ループ風力発電システムを作っていた。プロペラ（羽）の周りにループ（カバー、フード）を付けることによって、プロペラ（羽）の回転効率を高めるシステムである。プロペラの羽根の角度は、軸基が約８０°、中間が約４５°、先端が約１５°ぐらいが最善の形態である。 Ｆｔ＝２ρＡ（｜ｖ｜＾２）（sinΘ＾２）Ｆｌ＝２ρＡ（｜ｖ｜＾２）（sinΘ＾２）（cosΘ）Ｆｄ＝２ρＡ（｜ｖ｜＾２）（sinΘ＾３） Ｆt＝Ｉｎｔｅｇｒａｔｅ［ｄＦt，０，ｌ］Ｆｌ＝Ｉｎｔｅｇｒａｔｅ［ｄＦｌ，０，ｌ］Ｆd＝Ｉｎｔｅｇｒａｔｅ［ｄＦd，０，ｌ］である。 ｖ（ｔ＝０）＝ｖｗとすると、 ｖ（ｔ＝ｔ）＝ｖｗ＋Ｋ ρ（ｔ）ｖｐ＋Ｋ’’ｖｅｖ（ｔ＝ｔ）＝ｖｗ＋ｋρ（ｔ）ｖｐｖ＋ｋ’ ρ（ｔ）ｖｐｈ＋ｋ’’ｖｅｖ＋ｋ’’’ｖｅｈ 風速が（ある程度）一定で、プロペラ（羽）が、一定の速度の回転（にある程度、近づいた）状態で、（つまり、（ある程度）定常状態、若しくは、ｔ＝ｔの瞬間状態で）、ｖ（ｔ＝ｔ）≒ｖｗ＋ｋρ（ｔ）ｖｐｖ であるため、風車（ループ）に入って来た風力（風速）を有する風が、プロペラの回転によって作る気流（フラックス、ストリーム）（の変化）に、プロペラ（羽）のリフトを向上させるために必要な角度のプロペラ（羽）を作り、オプションとしてピッチの調整をすることが可能なシステムである。 ループの形を末広がりにして、風車の後方の流れ（ストリーム）を滑らか（スムース）にして、風の吸引力をアップして（吸い込み効果によって）、プロペラに来る風速を高めることも可能である。また、大きめのラッパのような形状のものを、前方に追加して、（風力等の）エネルギー濃度を高めることも可能である。 最良の形態では、軸側になる磁石（マグネット、ネオジウムマグネット等のレアメタルマグネット等の磁石）を回転することにより、ベース側にある（電磁）コイルとの相対的な磁束変異（速度差）を作ることにより、マクスウェルの法則（ｄＥ＝α（ｄＢ／ｄｔ）＋α’）により発電する。
【図１３２】図１３２は、エコロジー・エネルギー・システム・アプリケーション（吉野一虎宇宙世界皇帝の吉野カズトラ風力発電システムとウィンド・キャッチャー・マトリクス・システム）のイメージ概念図である。Yoshino UniverseKazutora Yoshino Universe EmpireKazutora Yoshino Emperor's Wind Energy Generator System + Wind Catcher Matrix SystemLovely, 吉野カズトラ宇宙世界皇帝は、吉野カズトラ風力発電システムとウィンド・キャッチャー・マトリクス・システムを作っていた。 風速を、表すのに風速（風力）テンソルを用いる。ｖｗ（ｈ）＝ｖｗ（ｈ）ｉｊｋ０＜＝ｉ＜＝ｍ，０＜＝ｊ＜＝ｎ，ｋ＝１，２，３，  ｈ＝ｈｅｉｇｈｔ 風力（風速）を受ける際、プロペラ（羽、ローター）等の回転（カール）に、パーミュテーション・テンソルのε＝εｉ’ｊ’ｋ’，（ｉ’，ｊ’，ｋ’＝１，２，３）等を用いると計算をより良く出来るようになる。 広範囲に広がった（エネルギー密度がある程度の）風力を一点に集めて、若しくは、風力（エネルギー）の流れ（ストリーム）を一流になるように束ねて、タービンやエンジン（ロータリーエンジン等）やジェットエンジンを（回転）駆動して、発電して、エネルギーチャージ（エネルギー充電）をする。 ジェット飛行機や車や空飛ぶ車（スカイカー）に、ジェットエンジンやエンジン（ローターリーエンジン等）を搭載して、移動しながら、発電することも可能である。 吉野カズトラ宇宙世界皇帝は言った、「風力を集めるということは、空中を飛んでいる昆虫（蜻蛉（トンボ）等）を捕まえるようなものだ。目的の昆虫（蜻蛉（トンボ）等）が多くいるとは限らないので、簡単ではなく。」 吉野エミリー女王は言った、「なら、昆虫採集用の網で、昆虫採集するように（虫を獲るように）、風力を集めてはいかがか？」 吉野カズトラ宇宙世界皇帝は言った、「それは、良い考え（アイディア）だ。コンピューターで方向や高さをコントロールしたラッパ（状の網や布）で、風向き（風速）に合わせて、風力（風速）を集めよう。」 吉野エミリー女王は言った、「昆虫（蜻蛉（トンボ）等）が、散在しているように、風力も、広がっているけれど、どうしますか？」 吉野カズトラ宇宙世界皇帝は言った、「それなら、ラッパ（状の網）のユニットをマトリクス（ｍｘｎ等）に配列して、配置して、広がった風力（エネルギー）をラッパ（状の網）マトリクスで集めて、一点に集中させる（一流に束ねる）のが良い。」 吉野エミリー女王は言った、「風力（エネルギー）を集めて、一か所で発電するのが良いですね。発電機（ダイナモ・モーター）が一つで良いので、コストパフォーマンスも良いですね。」 吉野カズトラ宇宙世界皇帝は言った、「濃縮された（コンプレスされた）風力（エネルギー）で、タービンや発電機を（回転）駆動して、発電するのも良い、と同時に、ジェットエンジン等を駆動して、燃焼爆風（熱風）等で、タービンを回転して発電することも可能である。」 吉野エミリー女王は言った、「ジェットエンジンで、推進力が出るなら、ジェット飛行機を作って、発電するのが良いでしょう。ジェット飛行機で、飛行・推進する際に、進行方向から入る空気を高速で吸引すれば、空気を濃縮（コンプレス）することになり、濃縮空気を燃料と合わせて、燃焼させて爆風を作り、タ���ビンを回転して飛行・推進しながら、同時に、発電できます。エネルギーチャージ（バッテリーにエネルギーを充電したり、水素の製造）をして、目的地などで用いることが可能です。ジェット飛行機なら、広い土地がなくても、発電できます。」 吉野カズトラ宇宙世界皇帝は言った、「それは、良い考えだ。燃料をあまり使わずに、風力（エネルギー）を集めるのが、当初の目的だったが、移動と発電の一石二鳥である。燃料はどうしようか？」 吉野エミリー女王は言った、「地上や海洋や空中で、風力発電等で水から作った水素や酸素で、ジェットエンジンやローターリーエンジンを駆動するのが良いでしょう。」 吉野カズトラ宇宙世界皇帝は言った、「吉野カズトラ風力発電システムやウィンド・キャッチャー・マトリクス・システムや水素ジェットエンジンや水素ロータリーエンジンを用いるなら、風力等の再生可能エネルギーで、エコロジーシステムに必要な基本的なエネルギーを賄えるということだな。」  続く。
【図１３３】図１３３は、エコロジー・エネルギー・システム・アプリケーション（吉野一虎宇宙世界皇帝のポータブル風力発電システム）のイメージ概念図である。Yoshino UniverseKazutora Yoshino Universe EmpireKazutora Yoshino Emperor's Portable Wind Energy Generator SystemLovely, 吉野カズトラ宇宙世界皇帝は、ポータブル風力発電システムを開発して作った。オプションとして、羽を折りたためて、高さの調整ができるので、持ち運びに便利である。ギヤやチェーンを用いて増速機にしてダイナモモーターに繋ぐ、若しくは、直接、ローターのシャフトからダイナモモーターに繋ぐことが可能である。ローターは、前方、後方、若しくは、その両方に羽（プロペラ）を持つことが可能である。１枚羽〜２枚羽〜３枚羽〜４枚羽〜８枚羽〜１２枚羽〜２４枚羽ぐらいが、最良の形態である。風力に合わせて、羽の枚数を変えることが可能である。例えば、強風の時は１枚羽で、中風の時は３枚羽で、弱風の時は２４枚羽にする等である。柱と台がネジ式で取り付けと分離が可能にしても良い。 吉野カズトラ宇宙世界皇帝は言った、「私は、風力発電システムを作る際、どの場所（ＸＹＺ位置）が、最も風力を得るのが良いのか知るために、風速計となり得る、風力発電システムを開発した。」 吉野エミリー女王は言った、「旅行の時やキャンプの時に、持ち運びの風速計や風力発電機があると、便利ですね。」 吉野カズトラ宇宙世界皇帝は言った、「持ち運びが出来るぐらい軽くて小型な風速計で風力発電機であるなら、バッテリー（リチウム電池等）を搭載して、風車（や太陽電池（ミドルや台に設置）で）エネルギーチャージ（充電）して、電力源にすることが可能だ。」 吉野エミリー女王は言った、「旅行の時やキャンプの時に、使うなら、風力（や太陽光）が強いところに、行くのが良いのでしょうね。テントが煽られる可能性もあるけど。」 吉野カズトラ宇宙世界皇帝は言った、「キャンプ小屋のようなものを作り、ポータブル風力発電機を、屋根や庭やキャンプ場に、幾つか設置しておくことも可能だ。」 吉野エミリー女王は言った、「幾つかいるなら、ポータブル風力発電機は、コストパフォーマンスの良いものである必要がありますね。」 吉野カズトラ宇宙世界皇帝は言った、「ポータブル風力発電機一台が、扇風機一台ぐらいの値段（価格）になるように、大量生産することが可能だ。一般家庭（家の屋根）などに設置することが、可能だから。」 吉野エミリー女王は言った、「大量生産には、ある程度の初期投資と市場の確保（一般家庭（ユーザー）への宣伝と販売）が必要だけど、アメリカ合衆国のサポートを得るために、大統領に、手紙を書くのが良いでしょう。」 吉野カズトラ宇宙世界皇帝は言った、「新エネルギー（再生可能エネルギー）促進法の制定をしてもらうのかな?」 吉野エミリー女王は言った、「良いパートナー（サポーターやエンジェルやスポンサー）に、投資してもらうためです。ＶＣも可能ですよね。」 吉野カズトラ宇宙世界皇帝は言った、「ポータブル風力発電機を、幾つか作ってみて、日本（埼玉県（入間市）や新潟県（柏崎市）や北海道や北方領土）等で、様子を見ようか。」 吉野エミリー女王は言った、「アメリカ合衆国のカリフォルニアや、南米南部なども風力が十分あるみたいですよ。北��領土は、日本とロシアの政治があるので、アメリカ大統領に協力してもらうなら、カリフォルニアが、良いです。」 吉野カズトラ宇宙世界皇帝は言った、「私は、以前、アメリカ大統領（共和党：ブッシュ大統領）のエネルギー顧問に核エネルギー（原子炉や核融合炉等について）アドバイスをしたことがあるが、今度は、アメリカ大統領（民主党：オバマ大統領）には、風力（や太陽光）を用いて、再生可能エネルギーを促進してもらおう。」 吉野エミリー女王は言った、「私の先祖の国々（スカンジナビアの国々（スウェーデン王室等））に、再生可能エネルギーを促進してもらうことも可能でしょう。」 吉野カズトラ宇宙世界皇帝は言った、「私は、以前、一家に一台ぐらいのコンピューターが普及するように、未だ無名だったマイクロソフト（株）をルームメイト（の両親）と育てたことがあるが、今度は、一家に一台のポータブル風力発電機（や幾つかの太陽電池）を普及するように、ヨシノアドバンスドエナジー（Ｇ）を育てることにしよう。」吉野エミリー女王は言った、「私の父（ロックフェラーファミリー）のアメリカ系のロックフェラー財団関連（エクソンモービル）の人達に、ポータブル風力発電機の大量生産に、協力してもらえるか話してみましょう。」 吉野カズトラ宇宙世界皇帝は言った、「ヨーロッパ系のロスチャイルドファミリーに、ポータブル風力発電機を、エネルギーネットワークで繋ぐこと（ＧＲＩＤ）について協力してもらえるか話してみることも可能だろう。」 吉野エミリー女王は言った、「私の母のケンタッキーホースダービーのファミリーに協力してもらえるか話すことも可能です。何故なら、ケンタッキーに広大な土地があり、風力（や太陽光）があれば、エネルギー生産に向いている可能性があるからです。」 吉野カズトラ宇宙世界皇帝は言った、「とにかく、今回は、ヨシノアドバンスドエナジーのポータブル風力発電機（やパラボラ（アルミ）反射鏡）の大量生産など、（再生可能な）エネルギーの促進で、頑張ってみよう。」
【図１３４】図１３４は、エコロジー・エネルギー・システム・アプリケーション（吉野一虎宇宙世界皇帝の発電システムと飲料水と塩の製造）のイメージ概念図である。Yoshino UniverseKazutora Yoshino Universe EmpireKazutora Yoshino Emperor's Energy Generator System (Pure Water + Salt Manufacture)Lovely,吉野カズトラ宇宙世界皇帝は、エネルギーマップを作り、Ｉ．ＹｏｓｈｉｎｏＡｄｖａｎｃｅｄＥｎｅｒｇｙ、ＩＩ．ＫａｚｕｔｏｒａＹｏｓｈｉｎｏＵｎｉｖｅｒｓｅＥｎｅｒｇｙ、ＩＩＩ．ＫａｚｕｔｏｒａＹｏｓｈｉｎｏＵｎｉｖｅｒｓｅＥｍｐｉｒｅを用いて、Ｉ．加熱法、ＩＩ．加圧法、ＩＩＩ.加電法（発電システム）の研究開発をして、Ｉ．塩の製造等、ＩＩ．飲料水の製造等、ＩＩＩ．発電システムの構築等をした。 Ｉ．ＹｏｓｈｉｎｏＡｄｖａｎｃｅｄＥｎｅｒｇｙ加熱法では、海水をガスの燃焼熱や太陽光（熱）等で加熱して、発電をすると同時に飲料水や塩等を製造する。濃縮食塩水を電池に用いても良い（濃縮食塩水＋電極（銅、アルミ、等）、若しくは、濃縮食塩水＋イオン交換膜＋電極（プラチナ、等）、等）。加熱の際、若しくは、スチームを冷却する際、料理（卵を茹でる、ソーセージを茹でる、スパゲティーを茹でる、水餃子を作る、うどん（そば）を作る、ラーメンを作る、スープを作る、芋を焼く、等）をしたり、プラスチックやアルミやメタル等を溶かして加工する（宝（宝石、指輪、等）を作る）等したりして付加価値のある商品を作るために、エネルギー（熱）を利用することも可能である。お湯で、ホットレモンやゆず湯を作ったり、飲料水は、清涼飲料水（ペットボトル水）や炭酸飲料水（コカコーラ、スプライト、サイダー）にしても良い。蒸気を用いて、肉を料理する（スチームで料理すると柔らかい肉になる）などすることも可能である。又、加熱したポットの上に、果物などを置いて乾燥させたり、肉を置いて焼くことも可能である。水（海水等）や天からの恵み（太陽光（熱）等）によって、商品としての付加価値が付くことが利点であるシステムである。（ガス燃焼技術、集光（熱）技術、ボイラー技術、溶接技術、発電機（ダイナモモーター）技術、プラスチック加工技術、料理の技、等） ＩＩ．ＫａｚｕｔｏｒａＹｏｓｈｉｎｏＵｎｉｖｅｒｓｅＥｎｅｒｇｙ加圧法では、海水に圧力を掛けて、高圧側には、濃縮食塩水を作り、フィルター（イオン交換膜等）を通して、低圧側には飲料水を作る。圧力は、重力やポンプなどによるもので良い。ポンプの電力は、風力等の再生可能エネルギーで、賄うことも可能である。水（海水や井戸水）や地球（重力等）や空からの恵み（風力等）によって、飲料水や塩を作ることが出来るのが利点のシステムである。（ポンプ技術、流体力学、発電機（ダイナモモーター）技術、直流化技術、水素＋酸素製造技術、等） ＩＩＩ．ＫａｚｕｔｏｒａＹｏｓｈｉｎｏＵｎｉｖｅｒｓｅＥｍｐｉｒｅ加電法では、海水と淡水を、陰イオン交換膜と陽イオン交換膜を交互に並べた、両側に電極を有する容器に注入して、発電する海水・淡水・イオン交換膜電池や、水素と酸素から発電する燃料電池や、充電池（バッテリー）やコンデンサー（キャパシター）、直接電源（電力）、等を用いる。海水を陰イオン交換膜と陽イオン交換膜を交互に並べた、両側に電極を有する容器に注入して、電気（電圧）を掛けて、塩の濃縮液と、希釈液を作り、塩を作ることが可能である。希釈液は、加熱法（蒸気法）や加圧法等で淡水化（若しくは、飲料水化）することが可能である。淡水化された淡水は、再度（リサイクルして）、海水・淡水・イオン交換膜電池等に利用することが可能である。海水は、海等の海水を用いて、淡水は、井戸水（とか淡水化された淡水）等を用るのが最良の形態であり、イオン交換膜加電方法により、海水と淡水を新しく注入する（交換する）ことによって発電出来て、海水を新しく注入することによって飲料水と塩を作ることが出来る。フィルターやイオン交換膜や電極の交換が定期的に必要なこともあるが、水（海水や井戸水）があるなら、エネルギーマップ的には、効率が良い飲料水と塩の製造方法であり、コストパフォーマンスも良いのが利点のシステムである。（密封技術、電気技術、イオン交換膜技術、燃料電池技術、等） 吉野カズトラ宇宙世界皇帝は言った、「エネルギーマップに付加価値マップを付けると、総合点では、ヨシノアドバンスドエナジーの加熱法が、最良の形態だ。」 吉野エミリー女王は言った、「システムの大きさや重さやエネルギー供給安定性からいうと、カズトラヨシノユニバースエンパイアーの加電法が、適宜です。」 吉野カズトラ宇宙世界皇帝は言った、「カズトラヨシノユニバースエンパイアーの加電法なら、海（海水）と井戸（淡水）があればイオン交換膜発電システムは大丈夫なので、加電法が確かに、適宜だ。」 吉野エミリー女王は言った、「カズトラヨシノユニバースエナジーの加圧法は、日本のように風力が強い国（々）に、向いてますよね。」 吉野カズトラ宇宙世界皇帝は言った、「カズトラヨシノユニバースエナジーの加圧法は、日本では、太平洋岸（神奈川県）、日本海岸（新潟県）、北海道、などの海岸付近で、風が強い地域で有効だ。」 吉野エミリー女王は言った、「土地の値段を考慮すると、日本では、日本海岸（新潟県）、北海道が、適宜です。アメリカ合衆国のカリフォルニアの海岸や南米の海岸もあるけれど、日本からの交通費（旅費、運搬費）が掛ります。」 吉野カズトラ宇宙世界皇帝は言った、「日本とアメリカ合衆国を、水素（＋酸素）パイプラインとか、シェールガスパイプラインとかで、繋ぐのが良いだろう。」 参照：ＩＳＢＮ４−７７４１−２１６５−７ＩＳＢＮ４−８１６３−３６３７−０ＩＳＢＮ４−５２６−０５５０９−３ＩＳＢＮ４−５２６−０４９２０−４ＩＳＢＮ９７８−４−５２６−０６６７８−８ＩＳＢＮ９７８−４−５２６−０６３８０−０ＩＳＢＮ９７８−４−５２６−０７０９０−７ＩＳＢＮ９７８−４−５２６−０６０７９−３ＩＳＢＮ９７８−４−５２６−０６２９０−２ＩＳＢＮ９７８−４−５２６−０６０８３−０
【図１３５】図１３５は、エコロジー・エネルギー・システム・アプリケーション（吉野一虎宇宙世界皇帝のエコロジーシステム（発電システムと飲料水と塩の製造と水素と酸素の製造）のイメージ概念図である。Yoshino UniverseKazutora Yoshino Universe EmpireKazutora Yoshino Emperor's Ecology System (Application)Lovely, 吉野カズトラ宇宙世界皇帝は、エコロジーシステム（アプリケーション）を作って、パイプライン・ネットワークを３Ｄ構築していた。海水と淡水を用いて電池を作り、（電気（力）とイオン交換膜を用いて）海水から塩（濃縮液、濃縮食塩水）と飲料水（希釈液から（加熱、加圧、フィルター）浄水）を作り、水を電気分解して、水素と酸素を作り（保存等して）、燃料電池で発電するエコロジーシステム（アプリケーション）である。パイプラインによって、飲料水や水素や酸素や電気を運ぶのである。 吉野カズトラ宇宙世界皇帝は言った、「エコロジーシステムの普及に、電気飛行機、電気自動車、電気船、電線、パイプライン等を用いるのが便利である。」 吉野エミリー女王は言った、「なら、スカンジナビアや日本の風力（エネルギー）を用いて水を水素と酸素にして、パイプラインで、世界に販売するのが良いですね。」 吉野カズトラ宇宙世界皇帝は言った、「我が吉野家は、天照大見神の家系であり、アセンブルオブロイヤルファミリーのリーダーであり、私が、王皇帝（キングエンペラー）である。スウェーデン国王、ノルウェー国王、イギリス女王、日本政府（内閣府、宮内庁、国土交通省、経済産業省、等）等に、再生可能エネルギーとＥＶとパイプラインの開発を進めるように言っておこう。」 吉野エミリー女王は言った、「パイプラインは、地上、地下、海底などを通るのでしょうが、日本とハワイとアメリカ（カリフォルニア）や日本と韓国とアメリカ（アラスカ）等）を繋ぐには、海底トンネルを掘る必要がありますね。」 吉野カズトラ宇宙世界皇帝は言った、「トンネルを作るには、トンネルメーカー（グラウンドモグラーキャタピラ、巨大キャタピラサンドウォームトンネルディッガー、等）があるので大丈夫だ。」 吉野エミリー女王は言った、「水、水素、酸素、電気、シェールガスなどを運ぶと同時に、道路（＋空路＋海路）としても用いることが出来るようにしましょう。」
【図１３６】図１３６は、エコロジー・エネルギー・システム・アプリケーション（吉野一虎宇宙世界皇帝の金属（アルミ等）加工品）のイメージ概念図である。Yoshino UniverseKazutora Yoshino Universe EmpireKazutora Yoshino Emperor's Metal Manufacture (Aluminum), Propeller ManufactureLovely, 吉野カズトラ宇宙世界皇帝は、金属（アルミ）加工品等（プロペラやエンジンやモーターや発電機、等）を製造していた。
【図１３７】図１３７は、エコロジー・エネルギー・システム・アプリケーション（吉野一虎宇宙世界皇帝のユニバース・ウォーズ（のストーリー））のイメージ概念図である。Yoshino UniverseKazutora Yoshino Universe EmpireKazutora Yoshino Emperor's Universe WarsLovely, 吉野カズトラ宇宙世界皇帝は、プラスチックや金属を加工して、マスクや鎧等や武器を製造していた。３Ｄプリンター（プラスチックや金属）による製造も高速で行った。３Ｄスキャナーや３ＤＣａｄで得た３Ｄデータを用いて、３Ｄプリンターでマスクや衣装（鎧等）や武器等を作り、忍者のように、変装したり、変身（進化・神化）することが可能になったのである。 Ｃｈａｐｔｅｒ  Ｆｉｖｅ：吉野カズトラ宇宙世界神。善悪戦争忍者マンの変身（化身）：流石河童水龍神ｖｓ怪獣ハチの変身（化身）：月美兎動物神 吉野カズトラ宇宙世界皇帝は、吉野カズトラ宇宙世界神になった。
【図１３８】図１３８は、エコロジー・エネルギー・システム・アプリケーション（吉野一虎宇宙世界皇帝のユニバース・ウォーズ（のストーリー））のイメージ概念図である。Yoshino UniverseKazutora Yoshino Universe EmpireKazutora Yoshino Emperor's Universe Wars (Kazutora Yoshino God + Movie Making)Lovely, Ｃｈａｐｔｅｒ  Ｆｉｖｅ：吉野カズトラ宇宙世界神。吉野カズトラ神話、ギリシャ神話、ゼウス神の登場。映画化への道が始まった。
【図１３９】図１３９は、エコロジー・エネルギー・システム・アプリケーション（吉野一虎宇宙世界皇帝のジェットエンジンとラムエンジン（ジェット飛行機））のイメージ概念図である。Yoshino UniverseKazutora Yoshino Universe EmpireKazutora Yoshino Emperor's Jet Airplane RDLovely, 吉野カズトラ宇宙世界皇帝は、ジェットエンジンとラムエンジンの研究開発をしていた。ラムエンジンコアに、タービンなどを付けたジェットエンジンを作り、燃料タンク、羽、テイル、コンピューター（制御部、無線機、等）を付けて、垂直浮上型ジェット飛行機を作り、空を飛んだ。テイルが変形して方向等を決めることが出来る（上下左右）。燃料と制御部（タービンの回転方向によるジェットエンジンの推進力の制御、管理）によって、機体を前後させて（上下も可能）、全体として、３Ｄ空間を６ＤＯＦ（上下左右前後と其々についての回転）で自由自在に飛びまわることが出来る。ミサイルを付けて戦闘機、爆弾を付けて爆撃機、カメラ等付けて（無線）偵察機などにも応用が可能である。風力発電用に用いても良い。
【図１４０】図１４０は、エコロジー・エネルギー・システム・アプリケーション（吉野一虎宇宙世界皇帝のユニバース・ウォーズ（のストーリー））のイメージ概念図である。Yoshino UniverseKazutora Yoshino Universe EmpireKazutora Yoshino Emperor's Universe Wars (Kazutora Yoshino God + Movie Making) (Armor + Helmet + Mask)Lovely, Ｃｈａｐｔｅｒ  Six：吉野カズトラ宇宙世界皇帝は、火を扱ったり、戦闘をするときのマスクや鎧を、作っていた。溶接をするときや、トーチを扱う時や、戦闘をするときに、全身を覆うような装甲（アーマー）があると便利だったのである。ヘルメット、ゴーグル、エアフィルター（人工呼吸器）、ポンプ、モーター、バッテリー、コンピューター、コントロールボックス、ジェットパック、エネルギーボックス、マント等の適宜な組み合わせである。空気（特に、酸素Ｏ２）を取り入れて（吸引して）、空気（特に、二酸化炭素ＣＯ２）を出す（排出する）。高熱、高温風が、目にあたらないように、マスク（ゴーグル）をして、マスクに搭載されているエアフィルターとポンプで、目の部分を空気冷却することにより、目の付近と目の温度を適宜に保つ。胸にコンピューター（生命維持装置）を用いたコントロールボックスを持つ。背中に、エネルギーボックス（＋燃料タンク）とジェットパックを持ち、飛んだり宇宙遊泳をすることも等も可能である。高電圧で熱くなった赤い溶接棒やプラズマブレイドのライトセーバーがシンボルである。ダークマター、ダースサイド、暗黒帝国の構築。続く。
【図１４１】図１４１は、エコロジー・エネルギー・システム・アプリケーション（吉野一虎宇宙世界皇帝のユニバース・ウォーズ（スターウォーズ・エピソードＶＩＩのストーリー））のイメージ概念図である。Yoshino UniverseKazutora Yoshino Universe EmpireKazutora Yoshino Emperor's Universe Wars (Kazutora Yoshino God + Movie Making) (Armor + Helmet + Mask)(Star Was, Episode VII)Lovely, Ｃｈａｐｔｅｒ  Ｓｅｖｅｎ：吉野カズトラ宇宙世界皇帝は、暗黒帝国を築くが、ジェダイの脳波コントーロールの影響で、ダースベーダーが皇帝を穴に落とす。皇帝は、吉野タイムマシンを用いて、時空トンネルを作り、（相対的）過去に戻る。この時、皇帝は、時空魔術を使い、若返り、子供のようになった。また、この時、ダースベーダーは、ジェットパックで浮上して、皇帝と同時に過去に来る。突然現れた、二人を恐れた宇宙コロニーの人々は、皇帝とダースベーダーの支配に従う。皇帝とダースベーダーは、ユニバーサルミリタリー（皇帝のホワイトスーツ軍）とジェダイ（カウンセル）を作り、帝国を築いた。皇帝の支配は、圧制（圧力政治）と言われたが、実質的には、宇宙に長い平和を齎した。皇帝は、基本、年をとらないので、化け物のように見られていた。ジェダイは、皇帝とダースベーダーからフォースを学んだ。しかし、フォースを身に付けたジェダイ（カウンセル）は、反乱を起こした。最初、優勢だった皇帝のホワイトスーツ軍は、ジェダイと民衆を倒していたが、ジェダイのスパイが、ホワイトスーツ軍を攪乱して、状況を一転させて、ジェダイ（カウンセル）と民衆の革命（民主革命）となり、共和国が樹立された。皇帝は、民家に逃げて、匿われ、アナキンと呼ばれた。ダースベーダーは、変装して共和国のパルパティーン議長になった。パルパティーン議長とアナキンは、帝国の復興をするために、徐々にシス卿達を増やして、ジェダイにもスパイを送り込んでいた。ジェダイにいるスパイのシス達が、共和国を弱めていった。パルパティーン議長は、パドメ（アミダラ女王）が生まれるのを待った。パドメが共和国のアミダラ女王になり、ジェダイマスタートライゴンに会い、アナキンに会いに行く。エピソードＩにゆく。
【図１４２】図１４２は、エコロジー・エネルギー・システム・アプリケーション（吉野一虎宇宙世界皇帝のユニバース・ウォーズ（スターウォーズ・エピソードＶＩＩ〜ＶＩＩＩのストーリー））のイメージ概念図である。Yoshino UniverseKazutora Yoshino Universe EmpireKazutora Yoshino Emperor's Universe Wars (Star Wars, Episode VII, VIII(Cat Devil))Lovely, 吉野カズトラ宇宙世界皇帝は、ユニバースウォーズ（スターウォーズ：エピソードＶＩＩ,ＶＩＩＩ）のメインキャラクターを吉野アシュレーアヤメ女王偉大なる戦士にして、（ファースト）サイドキャラクターをデビルキャットにしていた。（吉野カズトラ宇宙世界皇帝とキャトデビル姫のイメージ。） Ｃｈａｐｔｅｒ  Ｓｅｖｅｎ〜Ｅｉｇｈｔ：吉野タイムマシンを用いて、時空トンネルを通って、吉野カズトラ宇宙世界皇帝とダースベーダーが降り立った地は、宇宙（スペース）コロニーであったが、パスドワールドと呼ばれた。そこに暗黒帝国が築かれたが、魔界の姫（ダースサイド・プリンセス）は、シーザーの妹ぺぺであった。姫は、スリム美女で、細身のスタイルは抜群である。姫は、実は、密かに吉野カズトラ宇宙世界皇帝を好きである。姫は、シス達の思考を管理、コントロールしていて、シス達やジェダイ達の両方から恐れられている魔女だった。しかし、絶大的な量のフォースを持つ吉野カズトラ宇宙世界皇帝にとっては、姫は可愛い存在であった。吉野カズトラ宇宙世界皇帝は、姫には優しかった。姫の好みの食事は、草食系ではフルーツだったが、肉食系ではグレムリン達だった（このためモスグイに水を掛けてグレムリン達を養殖していた）。吉野カズトラ宇宙世界皇帝とキャットデビル姫は、時空のトンネルを行き来して様々な状況においても、宇宙世界を支配していた。姫は、時には、将来、吉野カズトラ宇宙世界皇帝になるアナキンをバックサポートしていた。姫の得意な学問は、（宇宙）物理と数学と（宇宙）生物学であり、リーマン幾何学、非ユークリッド幾何学、多次元テンソル解析、相対性理論、超弦理論等の多次元時空間に関するものに長けていた。姫は、紫色（サファイヤ色）の服を好んで着て、ラベンダーの香水を身にまとうことが良くあった。姫は、小柄だが、大物である。怒ると爪が長くなり、笑うと（喜ぶと）耳が立つ。身軽に体を動かし、跳躍力に長けている。格闘技は、空中空手、スポーツは、空中フェンシングを得意として、エメラルドの宝石を持つトロフィーを持っていた。姫は、サファイヤの指輪やダイヤモンドの指輪やキャッツアイの指輪を付けていた。姫は、天空魔術、多次元体反転魔術、時空間曲率魔術、等の魔術をマスターしていた。続く。
【図１４３】図１４３は、エコロジー・エネルギー・システム・アプリケーション（吉野一虎宇宙世界皇帝のジェットエンジンとラムエンジン（ジェット飛行機）とロボットロケット）のイメージ概念図である。Yoshino UniverseKazutora Yoshino Universe EmpireKazutora Yoshino Emperor's Jet Airplane + Robot Rocket RDLovely, 吉野カズトラ宇宙世界皇帝は、ジェット戦闘機を進化させて、トランスフォーマーロボットロケット（ネオスペースシャトル）を開発していた。 ネオスペースシャトルは、燃料は水素などのエネルギー密度の高い燃料を用いる。地球からロケットジェットポッドで、飛び立ち、大気圏（高濃度酸素空域）を出る頃に、第一ステージ（巨大ジェットエンジン／ロケットエンジン）を切り離し、ジェットポッドになり、飛行して、大気圏（低濃度酸素空域）を出る頃に、第二ステージ（ジェットエンジン／ラムジェットエンジン／ロケットエンジン）を切り離し（第二ステージは、静止衛星軌道から無重力地点ぐらいまで飛び続け、人工衛星やスペースステーション等に物資やエネルギーを補給をする）、ポッド（ジェットエンジン／ラムジェットエンジン／ロケットエンジン）になりロケットのタンクにある酸素（地上や大気中で濃縮や獲得する）と水素を用いて、静止衛星軌道から無重力地点ぐらいまで飛び、後は、月の重力を用いて飛び続け、月の人工衛星軌道（周回軌道）に乗る。（月人工衛星カグヤなどに物資やエネルギー等の補給をすることも可能。）オプションとして、カプセルエッグ（物資やエネルギーを）を月面（基地等）に届けることが可能である。ネオスペースシャトルは、大気圏内では、サブラムジェットエンジンとして空気中から酸素を取り入れて、ロケットにある水素と合わせて、燃料として、大気圏外では、メインラムジェットエンジンシステムを、酸素供給経路を、サブラムジェットエンジンの酸素供給から、ロケットにある酸素供給に切り替えることによって、宇宙航行（飛行）を続けることが可能であることを特徴としたロケット（スペースシャトル）である。ロケットエンジンは、水素燃料＋酸素燃料、若しくは、固体燃料等の燃料を用いても良い。コストパフォーマンスの良いロケット（スペースシャトル）である。 吉野カズトラ宇宙世界皇帝は言った、「宇宙ステーションや月面基地への補給をコストパフォーマンス良くするのに、吉野宇宙開発は重要だ。この際、ネオスペースシャトル（ロボットロケット）の研究開発に、相当お金が掛るが、どうしたらよいだろうか？」 吉野エミリー女王は言った、「ネオスペースシャトル（ロボットロケット）の研究開発には、ＮＡＴＯ、特にＳＤＩ（スターウォーズ）計画の予算とＮＡＳＡを用いましょう。」 吉野カズトラ宇宙世界皇帝は言った、「確かに、軍事的にも、重要な設備や技術であり、ＮＡＳＡが協力してくれると、心強いな。将来的には、マクロス、ガンダム、トランスフォーマー等の開発に繋がる。」 吉野エミリー女王は言った、「なら、アニメ好きの人達にも、ネオスペースシャトル（ロボットロケット）の開発のためのお金（資金）を集めることに協力してもらいましょう。」
【図１４４】図１４４は、エコロジー・エネルギー・システム・アプリケーション（吉野一虎宇宙世界皇帝の熱銃（熱砲、鉄砲））のイメージ概念図である。Yoshino UniverseKazutora Yoshino Universe EmpireKazutora Yoshino Emperor's Heat Gun (Ninjya Weapon) + Heat Machine Gun (Ninjya Weapon) + Motor Gun (Ninjya Weapon)Regards, 吉野カズトラ宇宙世界皇帝は、吉野エミリー女王の誕生日に、核兵器（核爆弾）をプレゼントしていたが、吉野留利子女王の誕生日には、爆弾や鉄砲（ピストル）をプレゼントした。吉野エミリー女王は、吉野留利子女王が、アメリカ市民になるなら、銃の保持が可能であると言っていた。吉野カズトラ宇宙世界皇帝は、そのため、圧力なべを用いた熱砲を、吉野留利子女王に持たせることにした。これは、スチームエンジンのピストンの動きについての方程式に近いものであった。理想気体の法則（ボイルシャルルの法則）PV=nRTで計算する。液体や固体（水、爆薬（ＴＮＴ等）、火薬（Ｃ５等）、等）を熱したり燃焼させたり、爆発させて、気体（水蒸気やＣＯ２等）にして、圧力で弾を飛ばす。約１００ｇの液体（水等）を１Ｌ（１０００ｃｍ＾３）容器に入れて熱で気化させて気体（水蒸気）にすると、約１００ｇの弾が、銃身１０ｃｍ（銃口１ｃｍ＾２）で、時速３６０ｋｍぐらいになる。（弾は、鉛、銅、アルミ、ステンレス等の金属）約１Ｌの液体（爆薬、ＴＮＴ等）や個体（火薬、Ｃ５等）を一気に熱や燃焼で気化させて気体にする、つまり、爆発させると、約１００ｇの弾が、時速３６００ｋｍぐらいになる。（弾は、タングステン等の金属やＤＬＣ等のダイヤモンドで作る。） ソレノイド・鳥がー等を用いて、弾補充を継続的に行うことが可能な連射型にすると、熱機関銃（ヒート・マシンガン）になる。最善の形態は、控えの弾と打ち出す（射撃の）弾の間に、ソレノイド・トリガーと圧力口を設置する。 同様に、モーター・ガンを作ることが出来る。ネジにナットとギヤを付け（若しは、ラックギヤとギヤを付け）、モーターとギヤ（ボックス）で回転して、スプリング（バネ）を、引きエネルギーを貯める。ギヤの部分をずらして、トリガーにして、弾を打ち出す（射撃する）。 吉野エミリー女王は言った、「せんべいを飛ばして、オリンピックの射撃の訓練をしましょう。」 吉野カズトラ宇宙世界皇帝は言った、「なら、せんべいを作るシステムを作る。」（愛） 吉野エミリー女王は言った、「吉野るり子女王も喜ぶでしょう。」 吉野カズトラ宇宙世界皇帝は言った、「科学忍法で、３Ｄ（の顔ナビ）などのパターン認識して、せんべいを撃つ人工知能自動連射機を作る。」
【図１４５】図１４５は、エコロジー・エネルギー・システム・アプリケーション（吉野一虎宇宙世界皇帝の風力発電システム、スチームエンジン、ロータリーエンジン、等）のイメージ概念図である。Yoshino UniverseKazutora Yoshino Universe EmpireKazutora Yoshino Emperor + Ruriko Yoshino Quinn Queen InterpolLovely, 吉野カズトラ宇宙世界皇帝は言った、「何か不思議なことが起きているような気がする。特許出願の書類や絵を書いたりしている頃、電話があったり、荷物が届いたりする。また、新潟県の柏崎市（原子力発電所がある所）では、私が風車を作るのを邪魔しようとして、近所の連中とかが、私の仕事を妨害したり、私を脅したりしている。この間、銀行が、私の「個人情報に関する合意書」を盗んで、私の個人情報を私の敵とか味方に見せたりして、私に敵対させようとしているみたいだ。」ああ 吉野ルリコ女王（インターポール捜査官）は言った、「誰か、若しくは、どこかのグループが、吉野カズトラ宇宙世界皇帝の特許出願情報や絵や土地やその労働を盗んで、吉野カズトラ宇宙世界皇帝を殺そうとしている可能性があります。例えば、詐欺グループや産業スパイが電話やＦＡＸや荷物（書類等）をターゲットの人に送って、ターゲットの人の特許出願の書類を、あたかも自分達が作ったように振る舞って（悪徳弁護士を立てて裁判で戦ったりするような）、なり済まし詐欺や産業スパイによる情報盗難のような（組織）犯罪等もあるので、色々と気を付ける必要があるよ。時には、政府の政党や官僚や公務員達が表や裏で、（民間）企業（産業スパイ）や詐欺グループに情報（特許出願人の個人情報や特許出願の内容やそのタイミングなど）を、流していることやときもあるみたい。私達、インターポールが、調査してみましょう。」 吉野カズトラ宇宙世界皇帝は言った、「いつから、吉野ルリコ女王は、インターポール捜査官になったのかな？」 吉野ルリコ女王（インターポール捜査官）は言った、「パラリーガルになって、永住権等について、国際的な情報管理をするようになって、インターポールになったのだけど、極秘任務とかもあったので、家族には、数年、内緒ということだったの。」 吉野ルリコ女王（インターポール捜査官）は言った、「私達、インターポール（やＦＢＩ）の調査では、日本の国家公安委員会や警察や暴力団や（民間）企業が、国家権力や吉野タイムマシンを利用して、相対的未来情報等を盗難して、相対的過去や相対的現在に情報を送り、国家公安委員会長の家族等を儲けるさせる等しているようだ。」 吉野カズトラ宇宙世界皇帝は言った、「しかし、法を司るような立場にいる警察等が、情報等を盗難するとは、国家レベルの犯罪と言うことになるのでは。」 吉野ルリコ女王（インターポール捜査官）は言った、「国家レベルでの犯罪を取り締まるのがインターポールの役目です。又、法を司るのは、司法であり、行政（特に政党や公務員達等）の犯罪は、国家レベルでもみ消されることが多いので、私達インターポールが目を光らせているのです。私達インターポール（やＦＢＩ）の調査では、国家公安員会のメンバー等が、特許庁などに潜入して、情報等を盗難しているとようなのです。インターネット（サイバー・エージェント）等を通して、盗難をしているという噂もあるわ。」 吉野���ズトラ宇宙世界皇帝は言った、「なら、ＤＩＡやＣＩＡを用いて、国家公安委員会等のメンバー達を、うそ発見機等に掛けて、情報などの盗難について聞いてみてはどうかな？」 吉野ルリコ女王（インターポール捜査官）は言った、「私は、吉野カズトラ宇宙世界皇帝の妹として、むしろ、吉野カズトラ宇宙世界皇帝が、殺されて、自殺したことにされないかの方が心配だけど。国際犯罪人達は、グループで、自殺に見せかけたり、勝手に自殺に同意したことににして他殺をするケースがあったりするので。」 吉野カズトラ宇宙世界皇帝は言った、「確かに。私は、核工学の勉強をしていたので、原子力発電所や核融合炉には、賛成なので、ＩＡＥＡに守ってもらっている。スチーム・タービンシステムの流体力学を応用して、スチームエンジンや風力発電機を作り、ヨシノアドバンスドエナジーは、太陽光や風力によるエネルギー改革を、促進ししている。エコロジーシステム（再生可能エネルギーを用いた水素社会や燃料電池等の特許）の特許出願が国際的に公開されているのが何か関係しているのだろうか。」 吉野ルリコ女王（インターポール捜査官）は言った、「何か、似たような事件について知っていることはある？」 吉野カズトラ宇宙世界皇帝は言った、「私が、絵を描くと、その絵がアニメや映画に出てきたり、現実になったりすることが良くあるのだが、どういうことだろうか？」 吉野ルリコ女王（インターポール捜査官）は言った、「国際的な産業スパイが、盗んだ情報や研究材料（物品）等を基に、パラレルラボと言うラボを作って、ターゲットラボの研究開発をそのまま盗難したり、吉野タイムマシン等を用いて、先に発表したりすることがあると聞いている。」 吉野カズトラ宇宙世界皇帝は言った、「エネルギー関連や芸術（絵画（アニメ、ＣＧ））関連やプログラム関連でもそのような可能性があるのだろうか。エネルギー関連に新規参入すると殺されるという噂を聞いたことがあるが、本当か良く分からない。国家が、エネルギー事業に参入する際、ヨシノアドバンスドエナジーなどがターゲットにされる可能性はあるが。」 吉野ルリコ女王（インターポール捜査官）は言った、「技術等について、特許出願などによる情報公開は、随分リスクを伴う可能性があるわね。何か、安全な方法はあるかしら。」 吉野カズトラ宇宙世界皇帝は言った、「蒸気機関（スチームエンジン等）等は、産業革命ぐらいの頃からあるので、カズトラヨシノユニバースエナジーが促進する原子力（原子炉や核融合炉）をベースにした特許等を書くのも手だけど。蒸気機関（スチームエンジン等）等についての情報をベースの説明や発明に用いるのでは、どうかな？」 吉野ルリコ女王（インターポール捜査官）は言った、「その方法だと、特許性（新規性、進歩性、等）について、十分なもの（特許：明細書や請求項）になるのかが心配だけれど。」 吉野カズトラ宇宙世界皇帝は言った、「確かに。なら、カズトラヨシノユニバースエンパイヤーが促進するロータリーエンジンのように比較的最近の技術に付いて、特許出願をするのが良いだろうね。水素ロータリーエンジン（やギヤ）とプロペラを用いれば、空飛ぶ車も作れて、エンターテイメント性にも優れていて良いよね。」 吉野ルリコ女王（インターポール��査官）は言った、「それは、良い名案ね。」 Yoshino UniverseKazutora Yoshino Universe EmpireKazutora Yoshino Emperor's (Steam) Engine RD + Turbo Rotary Engine RDLovely, 吉野カズトラ宇宙世界皇帝は、タービンや、（スチーム等の燃料の）エンジンや、ソレノイドゲート等を開発すると同時に、排気を利用してタービンを回転させて（ダイナモモーター等で）発電するターボロータリーエンジン（＋ダイナモモーター）を開発した。エンジンのクランクシャフトの回転に合わせて、ゲートを開閉して、吸気と排気を適宜に行う。ピストンを押し出す時には、吸気口を開き、（スチーム等の燃料を吸引して）、ピストンを引き戻す時には、排気口を開き、（スチーム等の燃料を吸引する）、クランクシャフトとローターを回転して、発電等をする。 吉野カズトラ宇宙世界皇帝は、また、スイッチやソレノイドゲートや磁場センサーや電磁石や磁石等の適宜な組み合わせを用いて、（リニア）エンジン（ハイブリッド・リニア・モーター・エンジン）等を開発した。磁石のシャトルが電磁石で往復運動をする際、運動を加速させる力を燃料（スチーム等）を用いて、行う（モーター）エンジンである。ソレノイドゲートやピストン弁を用いて、ゲートを開閉して圧力を制御（コントロール）して、吸気と排気を適材適所適時に行い、ピストンに往復運動をさせる。ピストンの往復運動を、コンロッドやクランクシャフトなどを用いて、回転運動に変換しても良い。回転運動を用いて、ダイナモモーター等で、発電しても良い。コントローラー、バッテリー、インバーター等の適宜な組み合わせと、組み合わせてシステムにしても良い。
【図１４６】図１４６は、エコロジー・エネルギー・システム・アプリケーション（吉野一虎宇宙世界皇帝は、映画プロデューサーとして、（ＣＧ）キャラクターを作っていた）のイメージ概念図である。Yoshino UniverseKazutora Yoshino Universe EmpireKazutora Yoshino Emperor's Movie Production (as Movie Producer)Lovely, 吉野一虎宇宙世界皇帝は、映画プロデューサーとして、（ＣＧ）キャラクターを作っていた。吉野カズトラ宇宙世界皇帝は、子供の頃、吉野ルリコ女王と、ダーククリスタルの映画を見て、キャラクター等が印象に残っていた。吉野カズトラ宇宙世界皇帝は、ダーククリスタルのリメイクの映画を作ることも考えて、メインキャラクター（妖精の二人）や鳥等のモンスター等を、コンピューターグラフィクス（ＣＧ）で、作ると、よりリアルな（映像の）映画になると考えていた。吉野カズトラ宇宙世界皇帝は、そのため、アルミで、鳥のモンスターの原型を作ってみた。３Ｄ（サーフェースキャプチャーやモーションキャプチャー等）でスキャンなどして、データ化すれば、ＣＧ等で、動かすことができるため、演出（カリグラフィー）などをよりリアルに付けることも可能になり、（ＣＧ）映画の製作やＤＶＤの製造等も可能になる。埼玉や新潟のＹｏｓｈｉｎｏ  Ｕｎｉｖｅｒｓｅ（吉野信写真事務所）の写真・映像・映画スタジオで、３Ｄキャプチャーや、撮影することも可能であり、ハリウッドや俳優座等の俳優や女優を用いて、妖精などの原型にすることも可能である。妖精の顔や表情は、出来るだけ人に近いが、耳を長くして、より妖精風にするのが良い。吉野カズトラ宇宙世界皇帝と吉野エミリー女王のイメージを妖精の二人にするのも良い。リメイクというより、第一話に継続する映画にして、光輝くレーザーのシーンから、スタートするのでも良い。一般常識に捕らわれないような自由な発想やイマジネーションやファンタジーの世界を、子供達に示すのも、大人の仕事なのかもしれない。大人は、現実の世界を直視すべきだろうが、大人も時には、ピーターパンのような子供のときのような世界を思い出すのも良いだろう。しかし、現実の世界では、ＣＧの映画の製作には、時間と労力とお金が掛るが、さてどうしようかと、考えていたのである。続く。
【図１４７】図１４７は、エコロジー・エネルギー・システム・アプリケーション（吉野一虎宇宙世界皇帝は、パターン認識、位置認識、２Ｄ／３Ｄカメラ、２Ｄ／３Ｄペン）のイメージ概念図である。Yoshino UniverseKazutora Yoshino Universe EmpireKazutora Yoshino Emperor's 3D Strategy (2D/3D Camera (Eye Auto focus (Target Tracking System)) + Missile Auto Targeting System (Auto Navigation System))Lovely, 吉野カズトラ宇宙世界皇帝は、目（瞳）で見た被写体やターゲットに自動で焦点を合わせて、パターン認識や位置認識で自動で照準を合わせるカメラや銃やマシンガンやミサイルシステムを作った。タッチパネル等による操作で、被写体やターゲットに焦点を合わせたり、パターン認識や位置認識で自動で追尾（トラック）しても良い。また、攻撃用システムの際、人工知能等に、２Ｄ／３Ｄペン等で、ターゲットの追尾軌跡を学習させて、ミサイル（魚雷）が最適軌道等で飛んで（進行して）、ターゲットを撃破（撃沈）させるようなものでも良い。 （経緯） 時は、平安時代、日本には、魔の手が迫っていた。日本の朝廷のもと、日本人の陰陽師達は、式神（式紙）等を用いて、侍達は弓矢や刀を用いて、妖魔達と戦っていたが、インド人やアラブ人は、傭兵として雇われていた。この頃、闇討ちや騙し討ち等が横行して、恨みや怨みは、より多くの恨みや怨みを呼び、恨みや怨みをはらすための暗殺の依頼が多くあった。依頼の形式は、殺す人の藁人形を作り、殺す人の名前を書いた札や紙を箱に入れて、五寸釘を藁人形に突き刺すのである。支払い金は、ターゲットの人の殺害の後、依頼人も殺されターゲットの人と依頼人の命に掛けられた生命保険金から支払われた。闇に堕ちた陰陽師や薬剤師(ヤクザ)達は、陰闇師(特に怨念と呼ばれる暗殺グループ)と言われて、殺人依頼を受けて、暗殺等の殺人を繰り返していた。怨念は、鳥兜や蝮や毒茸や青酸カリ等の毒を抽出して、ターゲットの人を毒殺するのを得意としていた。怨念のグループは、寺(インド寺院や中国系寺や日本の寺等)等で恨みや怨みを持つ信者等を集めると同時に、堕ちたインド人やアラブ人の傭兵達を集め忍者グループを作りサンスクリット語やアラブ語や手話を暗号に用いて、ターゲットの人を暗殺するのに用いていた。これが、忍者が、暗殺(特に毒殺)を得意として本職にする元になり、お盆の頃が稼ぎ時になった。この頃、忍者のグループは、インド系忍者の伊賀忍者とアラブ系忍者の甲賀に分かれていた。時が経つにつれて、怨念のグループは、全国でネットワーキングの拡大を進め、怨念のグループのリーダーは、戦国大名になっていた。殺らねば殺られる時代、戦国武将の夫婦は、悪魔と取引をして、自分達の命を担保に、闇金を借りて、武具を買い、戦争で手柄をたてて、報酬から借りた金を返す戦略に出ていた。ビジネスセンスの良い武将の夫婦は、長生きしたが、ビジネスセンスの悪い武将の夫婦は、短命で、命を悪魔に取られて殺され、悪魔は生命保険金を受け取った。悪魔に成り済まして金を受け取ろうとしたヤクザ等は、同時に殺された。戦国時代に織田信長は、伊賀忍者と甲賀忍者の両方を纏めていたが、朝廷が送り込んだスパイの明智光秀に本能寺で暗殺されると、豊臣秀吉が甲賀忍者(猿飛佐助等)を纏めて、徳川家康が伊賀忍者(服部半蔵等)を纏めた。天下分け目の関ヶ原の戦いで、武田信玄の隠し子だった家康は、半分兄弟だった武田カツヨリの怨みをはらして復讐するために、朝廷側の明智光秀と協力して作った武田の最新鋭のライフル部隊を上手く活用して、徳川家康が豊臣秀吉側の石田三成に勝利して、江戸幕府を開き、伊賀忍者は、徳川家のお庭番になった。徳川家光将軍の時、将軍の社会美化条例の指示のもと忍者達は、江戸などにいた浪人等を辻などで切り殺し、江戸の社会を美しくした。これが、家光将軍の辻斬りと言われた。徳川綱吉将軍は、品種改良をして戦闘用の忍者犬の育生をするため生類哀れみの礼を出して吉良幸之助に忍者犬の管理をさせたが、戦闘用の犬(動物兵器)が侍にとって変わられることを恐れた47人の侍達は、浅野巧巳の上のところに集まり、徳川綱吉将軍と吉良幸之助を暗殺して、江戸幕府の転覆をはかったが、徳川綱吉将軍に、自害(切腹)に追い込まれた。この時、世間には、塩の問題が原因と伝えられた。時が経つにつれて、朝廷が力をつけてきた。明治維新が興り、天皇の直接管理の元に、伊賀忍者は、暗殺部隊であると同時にを情報局員にもなっていた。昭和や平成の頃には、伊賀忍者の末裔達は、国家公安委員会員や警察になっていた。また、甲賀忍者の末裔達は、ヤクザや極道になっていた。怨念のグループは、世界で最も大きくて恐れられる殺人暗殺集団になっていた。怨念のグループの一部であり伊賀忍者系列のロッドは、核兵器の製造や活用にも長けていた。甲賀忍者系列のアルカイトウダン(アルカイダ)が、911に飛行機をワールドトレードセンターに突っ込むと、伊賀忍者系列の暗殺集団ロッドは湾岸戦争の延長戦争等で、バクダッドに劣化ウラン弾等を撃ち込んだ。この頃、伊賀忍者達は、国家公安委員会に多大な影響力を持ち、アメリカのCIAや、イスラエルのモサド等と協力して活動していた。吉野カズトラ宇宙世界皇帝は、暗殺術や忍術を用いて世界中の暗殺部隊や忍者達を纏めて、世界規模の武装暗殺集団を作った。兵器、武器、暗器等の製造を、ルミーグループが行い、販売や利益の獲得をルーモアグループが行った。宣伝をアノニマスが行った。スカルアンドボーン、フリーメイソン、イルミナティー等が、販路の拡大などをした。吉野カズトラ宇宙世界皇帝は、ロックフェラーファミリーや、ロスチャイルドファミリーと仲良くして、アメリカ、ロシア、ヨーロッパや中国の石油や天然ガスの天然資源や、朝鮮のプルトニウムなどの核や核兵器を管理した。吉野カズトラ宇宙世界皇帝が国際的な核戦略を作り、IAEAが実行した。吉野カズトラ宇宙世界皇帝は、核戦略、核兵器のバックアップのもと、軍事衛生による攻撃でソ連を崩壊させて、ロシアを建国させた。吉野カズトラ宇宙世界皇帝は、ソ連のKGB員だったロシア人美女達を、CIA員にしていた。 吉野カズトラ宇宙世界皇帝は、世界の皇帝であると同時に、日本の天皇になり、イギリスの国王（ヘンリー８世ＩＩ）、フランスの国王（ルイ１７世）、スペインの国王（カルロス３世）、ロシアの国王（イヴァン７世）、などになり、世界を支配している。 吉野カズトラ宇宙世界皇帝は、スパイを敵国に送るとスパイが殺される可能性が高いので、ラップトップガンなどによる設置型自動照準システムによる、敵の殺害方法の方が良いと思い、人工知能自動射撃システムや���工知能自動迎撃ミサイルシステムを作った。吉野カズトラ宇宙世界皇帝は、自動ターゲティングシステムの操作に、魔法の杖と言われるコンピューター制御の２Ｄ／３Ｄペンを用いていた。 （吉野カズトラ宇宙世界皇帝が日本の天皇になった経緯）吉野カズトラ宇宙世界皇帝は、世界の皇帝であると同時に、日本を直接支配するために日本の天皇になるために、戦略の構築をして戦力を獲得した。平成に、今上天皇が車から出ているとき、約1キロ離れた付近の12箇所から射撃して、今上天皇を暗殺する、若しくは、脅す。吉野カズトラ宇宙世界皇帝は、戦闘部隊を皇居に送り皇居を占拠支配する。吉野カズトラ宇宙世界皇帝は、既に、防衛省(自衛隊)や警察を傘下にしていて、武装勢力で、国会議事堂(霞が関付近)を占拠支配して、霞が関付近を破壊して、日本の首都を埼玉県(入間市(センター))にして城下町を新都心にする。自衛隊(自衛軍)をメインにして、元帝国軍の右翼団体を護衛兵器にして、インドネシア等の武装勢力を傭兵部隊にする。吉野カズトラ宇宙世界皇帝を、世界の皇帝で日本の天皇として、日本の神道(神社)、DIA、CIA、ドイツ、イタリア(ローマ法皇、カソリック教会)、アメリカ(モルモン教会)等を用いて、日本を管理する。続く。
【図１４８】図１４８は、エコロジー・エネルギー・システム・アプリケーション（吉野一虎宇宙世界皇帝の一虎戦略（カズトラファイターストラテジー））のイメージ概念図である。Yoshino UniverseKazutora Yoshino Universe EmpireKazutora Yoshino Emperor's Zero Fighters + Jet Fighter Airplanes + Nuclear MissilesLovely, 吉野カズトラ宇宙世界皇帝は、アルミ等を用いたプロペラやエンジンや飛行機（零戦戦闘機、ファイタージェット機、等）やミサイルや核ミサイルの製造をしていた。コストパフォーマンス良く、大量生産が可能で、戦闘能力が高い戦闘飛行機やミサイルや核ミサイル等を作っているのである。零戦闘機の製造が難しいときには、３Ｄコンピューターグラフィクス（ＣＧ）で、戦争映画を作り、映画の収益を用いて、零戦闘機を作った。吉野クリスタルヒカリ女王（吉野ファミリー）を守るために、戦闘機やミサイルや核ミサイルは、戦闘や戦争で、活躍したのである。 プロペラの作り方：アルミ等の金属の加工              プロペラを用意する。              粘土、石粉、セメント（耐火セメント）等で、プロペラの型を作り、皿台を作り、注入口と空気口を作る。              アルミ等を皿台に置き、ガスバーナーなどの火や熱で、アルミ等の金属を溶かし、プロペラの型に流し込み、プロペラの原型を作る。              プロペラの原型を取り出して、トリミングや磨くなどして、アルミ等の金属のプロペラを作る。              同様に、エンジン等も作り、プロペラを取り付ける。              飛行機に、プロペラ付きエンジンを取り付けて、飛べるようにして、ミサイルや核ミサイル等を装着させる。              吉野カズトラ宇宙世界皇帝のために、飛行機、ミサイル、核ミサイルを大量生産する。              吉野カズトラ宇宙世界皇帝（とか吉野クリスタルヒカリ女王（吉野ファミリー））に反抗する勢力への攻撃や爆撃に、戦闘機やミサイルや核ミサイル等を用いる。
【図１４９】図１４９は、エコロジー・エネルギー・システム・アプリケーション（吉野一虎宇宙世界皇帝の一虎戦略（カズトラファイターストラテジー））のイメージ概念図である。Yoshino UniverseKazutora Yoshino Universe EmpireKazutora Yoshino Emperor's Zero Fighters + Jet Fighter Airplanes + Nuclear MissilesLovely,プロペラの作り方（第二の方法）：アルミ等の金属の加工              プロペラを用意する。              粘土、石粉、セメント（耐火セメント）等で、プロペラとセンター（中心）（ハブ）の型を作る。              アルミ等をに置き、ガスバーナーなどの火や熱で、アルミ等の金属を溶かし、プロペラとセンターの型に流し込み、プロペラとセンターの原型を作る。              プロペラとセンターの原型を取り出して、トリミング（や穴あけ）や磨くなどして、プロペラとセンターを組み合わせて（ネジや溶接等で）アルミ等の金属のプロペラを作る。              （ダイナモ）モーターや発電機やエンジン等（オプション：ギヤ）に、プロペラを取り付ける。              飛行機に、プロペラ付きモーター（やエンジン）を取り付けて、飛べるようにする。              同様に、ヘリコプター（やオスプレイ）の生産も可能である。              吉野カズトラ宇宙世界皇帝が、（民間用／軍事用の）飛行機、風力発電システム、ジェット戦闘機等を大量生産して、利益を得る。              吉野カズトラ宇宙世界皇帝（とか吉野クリスタルヒカリ女王とか吉野アシュレーアヤメ女王や吉野レベッカハル女王（吉野ファミリー））に反抗する勢力への攻撃や爆撃に、戦闘機やミサイルや核ミサイル等を用いたり、経済封鎖などの攻撃をする。
【図１５０】図１５０は、エコロジー・エネルギー・システム・アプリケーション（吉野一虎宇宙世界皇帝の一虎戦略（カズトラファイターストラテジー））のイメージ概念図である。Yoshino UniverseKazutora Yoshino Universe EmpireKazutora Yoshino Emperor's Zero Fighters + Jet Fighter Airplanes + Laser Weapons (Laser Jet Airplane) + Nuclear WeaponsLovely,吉野カズトラ宇宙世界皇帝は、レーザー砲（レーザーキャノン）の製造をして、ジェット戦闘機に搭載した。この際、ジェット戦闘機にアクロバットをさせて、レーザービームを撃ったりした。アクロバットジェット飛行機は、変形が可能で、垂直飛行やほ場リングをすることが可能であり、高速で飛行することも可能である。レーザー砲の射程角が、約２Ωなのに対して、アクロバットジェット飛行機（の高速方向設定）を用いて、実質的に４Ωの射程角を得ることが出来た。レーザー砲から、レーザービームを、発射して、敵（ターゲット）や敵軍（複数のターゲット）に照射するのに、約０．０１秒から約１０秒必要だとすると、戦闘中に、適宜な方向角度に、瞬時に向きを変えることが好ましい。斜めや垂直上撃ち等も含めて、駆動性の高いレーザージェット飛行機である。 レーザージェット飛行機は、複数のジェットエンジンを持っていて、本体とテイルの部分などが、変形可能であり、ジェットエンジンや羽根等を用いて、飛行することが可能である。垂直浮上時やホバリング時には、リフトｆ１（やｆ２）によって浮上やホバリングして、飛行時には、推進とリフトｆ１（やｆ２）によって、飛行する。スフェリカルコーディネイト等の座標系で、例えば、単位ベクトルに対して、独立させて回転することも可能であり、動的にも安定的にも、フリップすること等も可能である。この際、レーザービームの発射（の方向や発射、照射）は、独立的に選択・発射できる。レーザージェット飛行機（やミサイル）は、有人飛行機（ミサイル）、無線飛行機（ミサイル）、人工知能飛行機（ミサイル）等でも良い。 吉野カズトラ宇宙世界皇帝は、レーザージェット戦闘機の開発をするのに、マンガやアニメやＣＧの世界を作り、シミュレーションを行い、現実の世界で具現化して実戦に用いた。漫画やアニメのキャラクターには、パイロットとして、黒猫シーザー、助手として、くまちゃん等を用いた。訓練の際、くまちゃんは、ターゲットパイロットとして、ミサイルや飛行機を操縦した。練習では、無線による戦闘をした。シーザーは、悉く、くまちゃんのミサイルを撃ち落としたので、実戦の戦争で、レーザージェット戦闘機を用いて、英雄となった。この際、シーザーは、軍事衛星、航空母艦、大陸間弾道ミサイル、ミサイル、戦闘機、等を次々と撃ち落としていったのである。続く。
【図１５１】図１５１は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's (Shamochan Steam Engine) Tiger Engine (Kazutora Yoshino Strategy)Lovely,吉野カズトラ宇宙世界皇帝は、吉野カズトラタイガー戦略を行っていた。シャモちゃん（タイガーキャブ）のデザイン等に、燃料（若しくは、スチーム等）等を用いた、１、２、３、４、Ｎ気筒、複数の気筒、ロータリーエンジン等を搭載して、用いる。ダイナモモーターなどで発電することが可能なシステムである。小型なシャモちゃん（タイガーキャブ）から始めて、大きく成長させて大型化させて行き、虎ちゃん（大人のタイガー）のサイズにして行き、出力（発電量等）を大きくして行く。複数のタイガー発電機を用いて、大電力を得るシステムを作り、利益を得る。例えば、太陽光熱等を利用して、水を沸かして、水蒸気（スチーム）を作ったり、風力の空気圧を利用して、１気筒や２気筒や３気筒や４気筒の（スチーム）エンジン、（圧力）エンジン等を作り、効率の良いダイナモモーターなどと組み合わせて、発電する、若しくは、ＥＶ（エレクトリカル・ビークル）（電気自動車、電気飛行機）等（の充電）に用いることが可能である。 Yoshino UniverseKazutora Yoshino Universe EmpireKazutora Yoshino Emperor's Tiger Strategy (Shamochan (Turbine) Rotary Engine)Lovely,吉野カズトラ宇宙世界皇帝は、吉野カズトラタイガー戦略を行っていた。シャモちゃん（タイガーキャブ）のデザイン等に、燃料（若しくは、スチーム等）等を用いた、タービンエンジン、ターボエンジン、ロータリーエンジンを搭載して、用いる。ダイナモモーターなどで発電することが可能なシステムである。小型なシャモちゃん（タイガーキャブ）から始めて、大きく成長させて大型化させて行き、虎ちゃん（大人のタイガー）のサイズにして行き、出力（発電量等）を大きくして行く。複数のタイガー発電機を用いて、大電力を得るシステムを作り、利益を得る。例えば、水素と酸素の反応（熱）による爆風を、タービンに送り、タービンとダイナモ・モーターを回転させて、発電する。タービンなどを大型化して、ジェットエンジンやロケットエンジンに進化させて、ジェット戦闘機や（軍事用／民間用）ロケット等を、作る。
【図１５２】図１５２は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Kazutora Yoshino Energy Efficiency StrategyLovely, 吉野カズトラ宇宙世界皇帝は、エネルギーや発電についての幾つもの実験や研究を行い、コストパフォーマンス良く発電する方法を見つけていた。 I. YoshinoAdvancedEnergy吉野カズトラ宇宙世界皇帝は、核エネルギーや地熱や太陽光（熱）のように、熱が有り余るほどある際には、スチーム、ボイラー、タービンなどを用いた、発電方法が適宜としていた。II. KazutoraYoshinoUniverseEnergy吉野カズトラ宇宙世界皇帝は、風が強い場所では、風力発電システムが適宜な発電方法とした。III. KazutoraYoshinoUniverseEmpire吉野カズトラ宇宙世界皇帝は、重力やダークマタ―の影響が強い場所では、水力発電システムやブラックホール発電システムが適宜な発電方法とした。 吉野カズトラ宇宙世界皇帝は、エネルギー、Ｅ０、Ｅ１、Ｅ２と、エネルギー変換効率Ｅｆｆｉｃｉｅｎｃｙ１、Ｅｆｆｉｃｉｅｎｃｙ２、ＥｆｆｉｃｉｅｎｃｙＴｏｔａｌについて、設定（定義）した。 ガスコンロを基本として、Ｅ０＝約３ｋＷとするなら、Ｅｆｆｉｃｉｅｎｃｙ１＝１０％（熱を用いて水をスチームに変換する効率等）、Ｅｆｆｉｃｉｅｎｃｙ２＝１０％（スチームをダイナモモーター等で電気に変換する効率等）なら、Ｅ１＝Ｅｆｆｉｃｉｅｎｃｙ１＊Ｅ０＝３００Ｗ、Ｅ２＝Ｅｆｆｉｃｉｅｎｃｙ２＊Ｅ１＝Ｅｆｆｉｃｉｅｎｃｙ２＊Ｅｆｆｉｃｉｅｎｃｙ１＊Ｅ０＝ＥｆｆｉｃｉｅｎｃｙＴｏｔａｌ＊Ｅ０＝３０Ｗである。２ステップ（スチーム＊ダイナモモーター）の際、メカニカル等の部品が壊れる確率は、積で倍増する。 これに対して、風力発電システムや水力発電システムの際、風力や水力がＥ１＝約３ｋＷなら、Ｅ２＝Ｅｆｆｉｃｉｅｎｃｙ２＊Ｅ１＝３００Ｗである。１ステップ（ダイナモモーター）で、発電するので、効率が良い。しかし、風力が強い場所や川や滝がある場所でなければ、十分な出力が得られるとは限らない。また、台風や強風の際、羽（プロペラ）やメカニカル等の部品が壊れる確率も、十分ある。 太陽光（熱）の強い（サハラ砂漠やアリゾナ砂漠のような広大な）場所では、太陽光（熱）発電システムが、圧倒的に、優位に立つ。効率とコストパフォーマンスやビジネスなども考慮に入れて、総合的に判断（計算）すると、風力が十分あり、大きな風車を設置できるなら（カリフォルニア等の場所なら）、風力発電システムが、比較的に安全で出力が高い発電システムとなる。
【図１５３】図１５３は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Kazutora Yoshino Energy Efficiency StrategyLovely,吉野カズトラ宇宙世界皇帝は、タービンや風車などが、回転する際の空気抵抗を減らすことによって、エネルギー変換効率を高めながら、安全に、コストパフォーマンス良く発電システムを作る方法を用いていた。つまり、回転するタービンや風車を大型化して大質量化（慣性化）して大重量回転（ヘビーローテーション）にするが、力強く大きなトルクでゆっくり回転して、回転による空気抵抗を減らし、シャフトや増幅器などを用いて、ダイナモモーターを回転することにより大容量の発電をする。タービンの羽根は、複数が良くて、ボイラーの燃料（スチーム、水素や酸素の燃焼爆風、等）（の圧力）を適宜に（個々に）受け取ることが出来る。全体の燃焼室（ボイラー）が爆発しないように、ユニット分けした、燃焼室（ボイラー）とかノズルを用いても良い。タービンの羽根を金属で作り、斜めにして、スチームが冷却されえて、水滴になり、飲料水になるようにしても良い。タービンの羽根を斜めにして、火力（爆風）で、タービンを回転しても良い。排気ガスや排熱やスチームなどを利用して、タービンを回転して、ターボ化しても良い。耐火レンガ等で作った円形の炉に燃焼室（ボイラー）を並べて、バイオマスやバイオガスなど燃える物を燃焼させる。ボイラーの外側から熱っしても良く（外燃系（外タービン））、若しくは、ボイラーの外側から熱っして内部タービンを回転させても良く（外燃系（内タービン））、若しくは、ボイラー内部で燃焼させても良く（内燃系（外タービン））、若しくは、ボイラー内部で燃焼させて内部タービンを回転させても良く（内燃系（内タービン））、若しくは、その適宜な組み合わせでも良い。太陽光（熱）を集光させて、其々のタービンに照射することも可能である。若しくは、太陽光（熱）を集光させて、水を熱して、その熱水（お湯）を、ボイラーに送ることも可能である。タービンの羽根は、圧力を受けやすいように、スプーン型のようにしても良い。ロータリーエンジンとして、比較的大型なものでも、コストパフォーマンス良く製造するのが可能なような構造で、直径が、約１０ｍぐらい以上でも製造可能である。スケーラブルなので、小型化することも、より大型化することも可能である。
【図１５４】図１５４は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Kazutora Yoshino Energy Efficiency Strategy (Solar Energy Generator System)Lovely,吉野カズトラ宇宙世界皇帝の太陽光発電システムの復活。吉野カズトラ宇宙世界皇帝は、太陽光（熱）エネルギーを用いて水を沸騰させてスチーム化する効率と、スチームを用いて発電するダイナモ・モーターの発電効率を、向上させて、太陽光（熱）発電システムを復活させた。太陽光（熱）で、ロータリーエンジンに注ぐ水をお湯やスチームにしても良い。ロータリーエンジンのバイオマスやバイオガスを燃焼するのに太陽光（熱）を用いても良い。又、太陽光（熱）で、鉱物（金属、鉄、アルミ、等）などを溶解しても良い。１／１０〜１／１００スケールで、作った直径約３０ｃｍのパラボラミラーで、約３００Ｗの太陽光を受光して反射して集光して、約１０％の発電効率で、約３０Ｗの電気出力に変換した。集光部は、約５ｍｍｘ５ｍｍｘ５ｍｍのキューブであり、水を入れて、加熱すると約１０秒〜３０秒〜１分ぐらい（日射量によるが、直射日光の時）で、スチーム化した。パラボラミラーの直径と集光部の辺の比率は、約６０：１である。スケールを１０倍にすると、約３０ｃｍの平面鏡を１０ｘ１０枚並べて、パラボラ形状を作ると、集光部は、５ｃｍｘ５ｃｍｘ５ｃｍのキューブ、若しくは、３０ｃｍｘ３０ｃｍｘ１ｍｍの直方体、若しくは、直径３０ｃｍｘ１ｍｍの円筒（３０ｃｍｘ３０ｃｍの鏡の反射光（熱）が当たる面積が必要である。容器は、直径３０ｃｍｘ３０ｃｍ（高さ）、若しくは、３０ｃｍ（縦）ｘ３０ｃｍ（横）ｘ１０ｃｍ（〜３０ｃｍ）（高さ）ぐらいに、１ｍｍぐらいの水を入れてボイラーにしておく。）になる。スケールを１０倍〜１００倍にすると、出力は、１００倍〜１００００倍になる。スケールにすると、直径約３ｍ〜３０ｍなので、現実化は、可能ではある。この際、出力は、約３ｋＷ〜３００ｋＷになるので、ある程度（家庭レベル）〜相当なパワー（グループレベル）になる。若し、１０００倍級にすると、直径３００ｍで、３０ＭＷになり、発電所級の相当な大出力（ハイパワー）になる。Ｉ．ヨシノアドバンスドエナジー(YoshinoAdvancedEnergy)、ＩＩ．カズトラヨシノユニバースエナジー(KazutoraYoshinoUniverseEnergy)、ＩＩＩ．カズトラヨシノユニバースエンパイアー(KazutoraYoshinoUniverseEmpire)は、スケールと出力に合わせて、直径、Ｉ．約３ｍ、ＩＩ．約３０ｍ、ＩＩＩ．約３００ｍに、分けて、発電システム（や商品）の開発を進めた。特に、ローターリーエンジンとの組み合わせが、適宜に可能な発電システムの開発を促進して行ったのである。この研究開発を基軸にして、ＩＩＩ．カズトラヨシノユニバースエンパイアー(KazutoraYoshinoUniverseEmpire)は、ジェット機開発、ロケット開発、吉野カズトラ帝国（日本）のスペースシャトル開発等を行ったのである。続く。 Yoshino UniverseKazutora Yoshino Universe EmpireKazutora Yoshino Emperor's Kazutora Yoshino Energy Efficiency Strategy (Solar Energy Generator System: Parabola Mirror Manufacture Method)Lovely,吉野カズトラ宇宙世界皇帝の太陽光発電システムを作る際���集光型太陽光発電システムをコストパフォーマンス良く作るのには、効率の良いパラボラミラーの大量生産をすることであった。 吉野カズトラ宇宙世界皇帝は、当初、接着剤をエアブラシなどのスプレーで塗布して、パラボラ（曲面）状の皿に、アルミ箔を貼ることによって、パラボラミラーを作っていた。 吉野カズトラ宇宙世界皇帝は、更に、皿に工夫を凝らした。吉野カズトラ宇宙世界皇帝は、I. YoshinoAdvancedEnergy（その１）アルミ粉を粘土に混ぜたり、粘土のパラボラ皿にアルミ粉を表面に載せて、熱で溶かして（皿と一緒に焼く等の方法）パラボラ鏡を作る方法とか、II. KazutoraYoshinoUniverseEnergy（その２）木やアルミなどの金属でパラボラ形状の皿を作る。アルミを溶かして、エアブラシなどのスプレーで、アルミ粒子を皿に塗布してパラボラ鏡を作る方法で、パラボラミラーの大量生産を、行っていた。III. KazutoraYoshinoUniverseEmpire（その３）平面鏡をマトリクス状、若しくは、極座標（の適宜間隔上）に並べて、パラボラ形状を作りパラボラ鏡を作る方法である。
【図１５５】図１５５は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Kazutora Yoshino Energy Efficiency Strategy (Sun vs Satan)Lovely,吉野カズトラ宇宙世界皇帝は、エネルギー革命を促進するために、ゼウス神になり、精霊は、太陽神アポロになり、闇の力は、悪魔サタンになった。 元々、吉野信法王（教祖）が、『ネコの暮らし』を出版して、黒猫シーザーの活躍を写真等で描いた。黒猫シーザーを崇拝するグループは、成長して、悪魔王シーザーを崇拝して、吉野カズトラシーザーを崇拝するようになった。（キャッツ→ライオンキング） 吉野信法王のもとに集まった、写真業界、グラビア、印刷業界、映画業界、芸術業界のグループだったが、吉野カズトラ宇宙世界皇帝のもとに集まった、ＩＴ業界、ＴＶ業界、音楽業界、放送業界、芸能界、製造業界のグループが、集結して、世界的な吉野カズトラグループ（吉野ファミリー、吉野ミュージックグループ、等）を作った。吉野カズトラ宇宙世界皇帝（と吉野ファミリーと吉野ミュージックグループ）は、科学力、技術力、工学力、経験力、実行力（行動力）（具現化力）を持ち、経済力や冨にも潤っている。 吉野ファミリー内部で、光の軍勢側と、闇の軍勢側の間で、戦争が起きた。吉野クリスタルヒカリ女王をサポートする光の軍（善軍）、吉野アシュレーアヤメ女王をサポートする中立軍、吉野レベッカハル女王をサポートする闇の軍（悪軍）の戦いが起きて、吉野カズトラ宇宙世界皇帝は、世界にある全ての軍（全軍）や力（フォース）を支配して、世界を支配した。
【図１５６】図１５６は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Kazutora Yoshino Energy Efficiency Strategy (Angled Flat Mirror Unit Manufacture)Lovely,吉野カズトラ宇宙世界皇帝は、太陽光発電システムのクリエイタ―として、よりコストパフォーマンスの良い、平面（反射）鏡配置配列（ミラーアレイ）を製作していた。 木等の板（コンパネ）などに、平面（反射）鏡（とその角度）に合うように、適宜な間隔で、釘（／ネジ）を打ち、セロファンテープで、反射鏡を適宜な角度に留め、グルーガンとグルー（プラスチック）を用いて、固定する。平面（反射）鏡は、鏡、反射フィルムを貼った板、アルミを貼った板、アルミ等を貼った箱等を用いることが可能である。平面（反射）鏡の台を適宜な角度になるように計算して、折りたたんだり、適宜な角度の足板を付けたりして、作成するのも可能である。反射した太陽光を集光するのに、平面（反射）鏡の光の面に合うように、集光部を作る。例えば、２０ｃｍｘ３０ｃｍの鏡を、１０（ｘα）ｘ１０（ｘα）配列して、２ｍ（ｘα）ｘ３ｍ（ｘα）の太陽光平面（反射）鏡システムを作る際、集光部（受光部）の面積を、３０ｃｍｘ３０ｃｍぐらいにして、厚さを１ｃｍぐらいにしておく（内側に約１ｍｍの幅の空間があり、水を注ぐ）と、直射日光を受光して、高速にスチームを作ることが、可能になる。システムの材料費の１ユニットコストは、 鏡           約１００円                         ＯＲ                     反射フィルム       約５０円              ＯＲ                     アルミ箔              約１円釘           約４０円グルー    約１０円板           約５０円              約２００円           〜  約１００円であり、システム全体のミラーアレイユニッツは、１０ｘ１０＝１００枚の際、約２００００円  〜  約１００００円である。（これに、製造コスト（人件費等）等が加わるが、比較的、直に、作れる。） 発電効率が１００％として、この（電気）出力が、約３０ｋＷぐらいと見込めるなら、約０．７円／Ｗ  〜  約０．３３円／Ｗであるので、太陽電池（パネル）などと比較すると、コストパフォーマンスが良いと言える。発電効率が１０％として、この（電気）出力が、約３ｋＷぐらいと見込めるなら、約７円／Ｗ  〜  約３．３円／Ｗであるので、太陽電池（パネル）などと比較すると、ある程度、コストパフォーマンスが良いと言える。
【図１５７】図１５７は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Tiger T Tea Party Strategy + Anime Strategy + SDI Strategy)Lovely, 吉野カズトラ宇宙世界皇帝による世界征服のロードマップ： Ｋａｚｕｔｏｒａ  Ｙｏｓｈｉｎｏ  Ｓｔａｒｔ吉野カズトラ（皇子）による世界征服のスタート（→吉野カズトラ宇宙世界皇帝による世界征服と世界支配）。 Ｙｏｓｈｉｎｏ  Ｕｎｉｖｅｒｓｅ           吉野信（法王）写真事務所の設立。                      『ネコのくらし』の出版。                      『タイガーオデッセイ』の出版。                      コンピューター・インターネット・ウェブ・サイバースペースの開拓。                      吉野オリジナルファミリーとロックフェラー財団との協力体制の構築。 Ｌｕｍｙ  Ｇｒｏｕｐ  （Ｌｕｍｙ、ＡＴＫ、ＬＤＩ、Ｓｔｒａｔａｓｙｓ、Ｓｏｎｙ、Ｓｈａｒｐ、ＮＡＳＡ、Ｇｅｎｅｒａｌ  Ｅｌｅｃｔｒｉｃ（ＧＥ）、Ｂｏｅｉｎｇ、Ｈｅｗｌｅｔｔ  Ｐａｃｋａｒｄ、Ｔｏｙｏｔａ、ＮＨＫ、Ｎｉｎｔｅｎｄｏ、Ｍｉｃｒｏｓｏｆｔ（マイクロソフト）、Ｆｕｊｉｆｉｌｍ（富士フイルム）、Ｔａｍｒｏｎ（タムロン）、Ｈｏｎｄａ（ホンダ）、等）        吉野カズトラ宇宙世界皇帝アニメスタジオ(エンターテイメント)、ＴＶスタジオ、映画スタジオ、３Ｄテクノロジー（３Ｄスタジオ）の設立。           吉野ファミリーの構築。 YoshinoAdvancedEnergy (Krystal Hikari Yoshino Queen)(+YoshinoMusicGroup)           金（／銀／アルミ）の板（反射鏡）配列（パラボラ）などの製造と設置による太陽光（熱）システムの開発と製造。           熱利用、若しくは、発電（太陽電池（ソーラーパネルアレイ）発電システム）の構築。（→食品の製造、吉野屋の設置、燃料（水素＋酸素）の製造、コンビニエントストアの設置、安全地帯の設定。）           シリコン、アルミ、鉄、銀、金等を溶かして、加工する。（→シリコン・ウェイハー、太陽電池、コンピューター（ＩＣ、ＣＰＵ、等）の製造。）ＩＴ、医療、ロボットの開発をする。           エンジン、ロータリーエンジン、ジェットエンジン、ロケットエンジン、タービン、モーター等の大量生産をする。           KazutoraYoshinoUniverseEnergy (Ashley Ayame Yoshino Queen)           空飛ぶ車、クウァドコプター、ヘリコプター、ジェット戦闘機、ジェットバイク、ロケット、ミサイル、マシンガン、レーザー砲、UniversalSolarEnergySystem(USES)、SDI、等の研究開発と製造と大量生産。           人工知能の開発と宇宙（戦闘）ロボット（ガンダム）等の製造。（→宇宙通信、等） KazutoraYoshinoUniverseEmpire (Rebecca Haru Yoshino Queen)           空飛ぶ車、クウァドコプター、ヘリコプター、ジェット戦闘機、ジェットバイク、ロケット、ミサイル、マシンガン、レーザー砲、UniversalSolarEnergySystem(USES)、SDI、等の製品の販売による利益の獲得。           人工知能の開発と宇宙（戦闘）ロボット（ガンダム）等による利益の獲得。 KazutoraYoshinoEmperor              兵器の開発（核エネルギーの開発）。              軍事力の獲得（核ミサイル防衛、軍事衛星の配備、軍事衛星による戦闘・戦争、宇宙ロボット（ガンダム）等による戦闘・戦争、宇宙防衛、宇宙基地開発、スペースステーションの構築、ＳＤＩ、軍事力の強化）。 KazutoraYoshinoEmperor+USA+Japan              吉野カズトラ宇宙世界皇帝による世界征服。              吉野カズトラ宇宙世界皇帝による世界支配。              吉野カズトラ宇宙世界皇帝による世界支配の強化。              再生可能エネルギーを用いた持続可能な平和な世界の構築。              吉野カズトラ宇宙世界皇帝国の強化。
【図１５８】図１５８は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Heat (Hot/Cool Engine))Lovely, 吉野カズトラ宇宙世界皇帝は、熱エンジンを作った。 I. YoshinoAdvancedEnergy （ガラスやアルミやスチールや銅などの金属等で出来た筒型や円形や楕円形等の加熱部にある）空気などのガスを加熱して、ピストンを押して、ローター（クランクシャフト）を回転する。クランクシャフトは、円形（円盤）を基本とする（シャフトの回転位置と重心が一致する形でも、異なる形でも良い）。ローターは、ローターの重みによる回転（慣性、角運動量）を用いて、継続的に回転する。同時にに、空気などのガスが冷却される。ＰＶ＝ｎＲＴなどの方程式による、空気等のガスのの体積が増えることによって温度が下がり、ピストンが引き戻される。同時に、加熱部が、（ローター（クランクシャフト）の回転に合わせて、ピボット中心に（回転）シフトする／メカニカルに移動する、等で）ヒーターから離れて、冷却される。冷却は、空気冷却や、水滴やミストによる水冷却などでも良い。回転を安定化するために、複数のシャフト＋ピストン＋コンロッドをローターに付けても良い。また、複数の加熱部を持ち、加熱と冷却を交互に行うシステムを作り、加熱ヒーターの熱使用効率を向上させることも可能である。また、この複数のローテーションをギヤで繋げ、（１つ１つ（其々）のピストンの押し引きなどによる回転の不安定さを解消して）、システム（全体）のローターの回転の安定化をすることができる。ローターのシャフトにダイナモモーターを組み合わせて（接合して）、発電することも可能である。 II. KazutoraYoshinoUniverseEnergy シリンダーとベースに吸気口排気口となる穴を開けて、ピボットを中心にシリンダーを（回転）シフトさせる、若しくは、固定シリンダーと弁（バルブ）を用いて、スチームを吸気と排気して、ピストンを動かし（シリンダーに対して線形移動等して）、ローターを回転するスチームエンジンである。ローターのシャフトにダイナモモーターを組み合わせて（接合して）、発電することも可能である。 III. KazutoraYoshinoUniverseEmpire (I) シリンダー内部で内燃系にして、ピストンが押し戻された時、空気を圧縮して、燃料と混ぜて、（スパークなどで）爆発させ、ピストンを押し出して、コンラッド等を用いて、ローター（クランクシャフト）を回転するエンジンである。(II) エンジン内での内燃系にして、タービン（吸気）で圧縮された空気と燃料を（燃焼（反応）室で）爆発させて、タービン（排気）を回転して、シャフトを回転する、ジェットエンジンである。排気を再利用して（排気熱風を用いたり、排気酸素に燃料を混ぜて再燃させる等）ターボにすることも可能である。（ジェット）気流で風力発電システムを稼働しても良い。ジェットエンジンは、ジェット飛行機のエンジンにしたり、ローターのシャフトにダイナモモーターを組み合わせて（接合して）、発電することも可能である。バイオマスを用いて、バイオガス（メタン等）やアルコールやエタノールなどの燃料を製造するバイオマス���バイオガス）燃料製造所を作ると、よりコストパフォーマンスが良い効率的で効果的な発電システム（発電所）になる。太陽光発電システムと合わせて、（ターボ）ジェットエンジンの排熱やジェットによる加熱によって、水を加熱してスチームを作ると、よりコストパフォーマンスが良い効率的で効果的な発電システム（発電所）になる。
【図１５９】図１５９は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino's Engine))Lovely, 吉野カズトラ宇宙世界皇帝は、金属だけの（ベルトを使わない）、エンジンを作った。金属だけなので、このエンジンは、コストパフォーマンス良く、長持ちするものであった。 エンジンは、燃料（スチーム、水素＋酸素、ガソリン、ディーゼル、灯油、メタンガス、ガス、バイオガス、プロパンガス、等）を吸気して、燃焼させて、ピストンを動かし（ピストンを押す）、ローターを回転して、排気ガスを、排気して、ピストンを動かし（ピストンを引く）、ローターを回転する。吸気の際に、吸気口に、スライダーの穴が合うようにして、排気の際に、排気口に、スライダーの穴が合うようにする。ピストンの往復運動と、ローター（クランクシャフト）の回転を、コンラッドで連動させる。コンラッドと、ローター（クランクシャフト）のジョイント軸の所、若しくは、ローター上で回転する所に、スライダーを駆動する（往復にスライド（シフト）する）スライダー棒と軸を作り、スライダーを（往復）スライド（シフト）する。若しくは、ローターに付けたアングラー（と軸）を、シリンダー側の回転軸で、角度を変えて、振動（往復運動）させて、アングラーの穴をスライドさせて、吸気口と排気口を往復させて、吸気と排気を行う。特に、この際、ローターの回転軸を中心にして、ローター上のクランクシャフトの（コンロッドが付いている）軸と、ローター上のアングラーの軸との間の角度が、９０°であるなら、排気と吸気を、連動させることを最大化することが可能になる。つまり、ピストン最も引き込まれている状態の時、吸気口と、アングラーの穴が一致して、ピストンが最も押しだされている状態の時、排気口と、アングラーの穴が一致するようにすれば良い。アングラーに幅を持たせて、アングラーの穴も蛇円や、細長い穴にして、吸引と排気のタイミングを、適宜に調整することも可能である。
【図１６０】図１６０は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino SDI Strategy + Yoshino Universe Military)Lovely, 吉野カズトラ宇宙世界皇帝は、吉野カズトラＳＤＩ戦略のプレミアムデータ（プログラムコードなど）を、濃縮して音楽コードに組み込み、金銀のフルートに入れて、吉野世礼菜副将軍（キャットガール）を通して、吉野綾子将軍（吉野ミュージックグループの女リーダー）に渡し、吉野カズトラ宇宙軍（の戦力）の増強を行った。 吉野カズトラ宇宙世界皇帝は、世界征服を始めた初めの頃を思い出していた。 吉野カズトラ宇宙世界皇帝は、元々は、吉野カズトラ宇宙軍用に、（軍事用）宇宙ロボット（ガンダム）やスーパーＳＤＩ（ＳＳＤＩ：Ｓｕｐｅｒ  ＳＤＩ）の開発をしようとしていた。 吉野カズトラ宇宙世界は、戦闘機用レーザー砲や、軍事衛星用レーザー砲や、核兵器（核爆弾、原子爆弾、水素爆弾、等）を開発した。 吉野カズトラ宇宙世界皇帝は、日本人の美女達（吉野綾子将軍と吉野世礼菜副将軍）と、世界征服と世界支配とメディア支配等のための幾つもの戦術や戦略構築をして、歌や曲やストーリーに、（プログラムやストーリー等の）コードを組み込んだりした。 吉野カズトラ宇宙世界皇帝は、アメリカ人の美女（吉野エミリー女王）と台湾人の美女（吉野シンディー）と、世界管理とメディア管理（メインテナンス）のための手段を考えた。 吉野カズトラ宇宙世界皇帝は、吉野綾子将軍、吉野世礼菜副将軍、吉野エミリー女王、吉野シンディーと、アメリカ合衆国のコロラド（ボルダー）やウィスコンシン（マディソン）やイリノイ（シカゴ）等の拠点等で、コードなどをメモリに書き込んだ。 吉野カズトラ宇宙世界皇帝は、日本の埼玉県入間市の航空自衛隊の入間基地をベースに、世界に、宣戦布告をして、シミュレーション戦争を、起こした。コンピューターグラフィクス（ＣＧ）などで作った、戦争映画などの映画による（世界での）興行収入の高さ（量、金額、収益）によって、シミュレーション戦争の勝利を決めたのである。吉野カズトラ宇宙世界皇帝は、Ｃａｔ  Ｇｉｒｌ（キャットガール）の映画をプロデュースしていた。吉野アシュレーアヤメ女王の女優（キャスト）には、（候補として）、ナタリー・ポートマン、メイガン・フォックス、ミランダ・カー、深田恭子、桐谷美玲、渡辺麻友、綾瀬はるか、剛力彩芽、上戸彩、佐藤えりか、仲間ゆきえ、キム・テヒ、吉野ファミリー（吉野綾子、吉野エミリー、吉野セナ（ひな）、吉野天音、吉野アリス、吉野辻本りょう、吉野まり、吉野春菜まり、吉野一条葵、吉野一条ありさ、等）等の女優（やキャバ嬢）に出演してもらうつもりで、キャットガールの女優（キャスト）には、（候補として）、吉野世礼菜、白石麻衣、西野七瀬、百田夏菜子、レニ、佐々木希、入江杏奈、横山ゆい、神尾みさ、レイニー・ヤン、吉野ミュージックグループ（吉野ゆり、吉野さやか、吉野りん、吉野さらさ、吉野まり、吉野エリカ、吉野あやの、吉野ゆい、吉野きい、吉野みお、吉野なぎさ、等）等の女優や女性モデルや女性歌手に、出演してもらうつもりでいた。 吉野カズトラ宇宙世界皇帝は、Ｃａｒｓ（カーズ）、Ｐｌａｎｅｓ（プレーンズ）、Ｒｏｃｋｅｔｓ（ロケッツ）、Ｒｏｂｏｔｓ（ロボッツ）などの（ＣＧ等の）映画を企画・プロデュースしていた。興行収入は、まあまあだったが、車や、飛行機や、ロケットや、（軍事用）宇宙ロボット（のエンジン等）の大量生産を行うには、十分な収入を得たのである。 この収益によって、吉野カズトラ宇宙軍シミュレーション部隊と、吉野カズトラ宇宙軍実戦部隊（吉野クリスタルヒカリ天照神軍とヒューマン軍、吉野アシュレーアヤメ女王のアンドロイド軍とヒューマノイド軍、吉野レベッカハル女王のサイボーグ軍と宇宙ロボット・マシーン軍、等）が、結成された。続く。
【図１６１】図１６１は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino's Rotary Engine)Lovely, 吉野カズトラ宇宙世界皇帝は、燃料（ガソリン、ガス、バイオガス、バイオマス、）を燃やす、若しくは、太陽光を集光（熱）するなどして熱を作り、ジェット（若しくは、スチーム等）等を作り、ローターを回転して、ダイナモモーター（発電機）で、発電するシステムを作った。 （Ａ１）内燃系：燃料（燃料タンクなどからガソリン、ガス、バイオガス、灯油、エタノール、水素、酸素、スチーム、等）などを吸引して、（例えば、オプションとして、回転軸あたりから吸引した）空気（酸素）と混ぜ合わせて、燃焼室で燃焼させて、ジェットを作る。ジェットでローターを回転して、ダイナモモーター（＋オプション：ギヤ）（発電機）を回転して、発電する。 （Ａ２）外燃系：燃料（燃料タンクなどからガソリン、ガス、バイオガス、灯油、エタノール、水素、酸素、水）などを吸引して、（例えば、オプションとして、回転軸あたりから吸引した）空気（酸素）と混ぜ合わせて、加熱室で加熱して、（スチーム等の）ジェットを作る。（スチーム等の）ジェットでローターを回転して、ダイナモモーター（＋オプション：ギヤ）（発電機）を回転して、発電する。太陽光を其々の加熱室、若しくは、回転軸付近の集光部に集光させて、加熱しても良い。
【図１６２】図１６２は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Engines (Strategy), Kazutora Yoshino War Industory (Strategy), Kazutora Yoshino Horror Movie Story (Scripts) (Strategy))Lovely, Yoshino UniverseKazutora Yoshino Universe EmpireKazutora Yoshino Emperor's Engine RDLovely, 吉野カズトラ宇宙世界皇帝は、シミュレーション戦争の一環として、（３Ｄ）ＣＧで、（３Ｄ）ホラー映画を、製作していた。 カズトラストーリー戦略： Kazutora Yoshino Emperor's Radio Control Planes Strategy吉野カズトラ宇宙世界皇帝は、善悪の両面を持っていた。光の大天使（アークエンジェル）マイケルが、宿るときと、闇の大天使（アークエンジェル）ガブリエルが宿るときである。ガブリエルは、神の前では、大天使のように振る舞っていたが、既に、悪魔王（サタン、ルーシファー、シーザー）の手先として堕天使になっていた。吉野カズトラ宇宙世界皇帝は、善の時のフェーズが、吉野カズトラキングエンペラーで、悪の時のフェーズが吉野カズトラ悪魔王シーザーになっていた。吉野カズトラキングエンペラーの時は、大天使マイケルを身に宿して、吉野シーザーの時は、堕天使ガブリエルをアドバイザーとして身に宿していた。 吉野カズトラキングエンペラーは、世界（各国政府等）の安全対策やエネルギー対策を行って、善行を行っていた。吉野カズトラキングエンペラーは、核融合炉の開発、宇宙太陽光発電、再生可能エネルギーなどの開発をしていた。 吉野カズトラ悪魔王シーザーは、世界征服や大量虐殺等の悪行を行っていた。 吉野カズトラ悪魔王シーザーの軍隊（戦闘部隊）の軍事訓練は、尖ったガラスの破片等を持ちた手段による戦闘等から始まり、包丁や日本刀などによる戦闘、手投げ爆弾等による戦闘、等に進み、Ｃ５等を用いた建物への攻撃等であった。 （Ｉ）吉野タイムマシンの活用：ＵＳＡＦ  ｖｓ  テロリストアメリカ：スカルアンドボーンの台頭：日本をベースとした、アラブ部隊の、最初の軍事演習は、飛行機を用いて、９月１１日に、ワールド・トレードセンターを攻撃することであった。この際、民間人によるハイジャック、若しックは、無線による電波ハイジャックによる戦闘が、タリバンやアルカイダの訓練プログラムに入っていた。相対的未来に、飛行機が来るとわかっているところで、相対的過去にビルを建てることによって、間違いなく、飛行機が、ビルに突っ込むようにするのである。これによって、警察を電話する際に、９１１が、人々に覚えられて、アメリカは、より強くて安全な社会になった。 （ＩＩ）耐震強度の強化と地震ゲームの宣伝：ＵＳＮＡＶＹ  ｖｓ  テロリスト日本：フリーメイソンの台頭：日本をベースとした、次の軍事演習は、地下核爆弾を用いて、３月１１日に、東北関東大震災を起こすことであった。地震ゲームは、味方地域に耐震強度の高い建物を建てて、敵地域の地盤を攻撃して、地震を起こすゲームである。東北関東大震災で、倒れなかった、建物から、耐震強度の高い建物の構造や耐震システムが明らかになった。これによって、日本は、建物等が強化されて、より強くて安全な社会になった。 （��ＩＩ）(i) 人工知能の開発：アメリカ：軍事国家の台頭：日本をベースとした、その次の軍事演習は、自動車やトラックや信号等やコンピューター攻撃を用いて、１１月１１に、サイバー（テロ）攻撃を行って、交通事故等を起こさせることであった。これによって、人が運転する車が危険であり、ＧＰＳなどを搭載して、互いに事故を防ぐ（ＥＶやガソリン車やハイブリッド車などの）カーズシステム（オートナビゲーションシステム・交通システム・自動操縦システム）等の人工知能塔載の車の安全優位性が示された。これによって、日本は、交通安全等についても、より強くて安全な社会になった。 (ii) 人工知能の開発：日本：軍事国家の台頭：日本をベースとした、その次の軍事演習は、無線ジェット飛行機等を用いて、原子炉や国会議事堂などを攻撃することであった。（要約） 吉野カズトラ悪魔王シーザー降臨。吉野カズトラ悪魔王シーザーは、ラジオコントロール（ラジコン）戦闘飛行機等の大量生産を行っていた。Ｃ５などの爆弾やミサイルを積んだラジコン戦闘飛行機を積んだ、ラジコン空母（約１０ｍｘ約５０ｍ）ぐらいの空母を幾つか（数十台）を、幾つかの海賊船やから出向させて、海岸沿いにある幾つもの原子力発電を攻撃した。また、ラジコン潜水艦は、ラジコン飛行機ドロフィン（空飛ぶイルカ）を運び、適宜な時に適宜な場所から、ラジコン飛行機ドロフィン（空飛ぶイルカ）は飛び立ち、タンカー船等を攻撃して、燃料（ＬＮＧ等）等を獲得した。また、公園や行動や滑走路（約１０ｍｘ約５０）等から，Ｃ５などの爆弾やミサイルを積んだラジコン戦闘飛行機を、複数の場所から、夥しい数離陸させて、レーダーに映らないぐらい低空飛行させて、皇居や国会議事堂や（霞が関等）官僚のなどがいる所、政府の主要部署を攻撃させた。ラジコンヘリコプターで運ばれた、ロボットを用いて、東京タワーを占拠して、電波ハイジャックを行い、日本を支配下に置いた。其々のラジオコントロール戦闘機ユニットは、ＧＰＳ等で互いの位置や速度や加速度を把握していて、互いに衝突しないとか最適距離の判断等の人工知能制御がなされていた。また、特殊部隊として、幾つかのラジコン飛行機は、日本のホスト達やホスト経験者などによって、コントロールさせて、吉野カズトラ悪魔王シーザーに楯突くような民間企業の本社などを攻撃した。吉野カズトラ悪魔王シーザーは、吉野カズトラ悪魔王シーザーをリーダーとする秘密結社などの世界的なグループを幾つも作って持っていて、世界征服と世界支配に用いていた。 吉野カズトラ宇宙世界皇帝の作った、プレミアムデータは、吉野世礼菜副将軍を通して、吉野綾子将軍に渡された。吉野タイムマシンを用いて、吉野カズトラ宇宙世界皇帝のプレミアムデータを進化させて、カーズ、プレーンズ、ジェット戦闘機やロケットや宇宙船等の宇宙開発等で加速出来た国が、吉野カズトラ宇宙世界皇帝をリーダーとしたスーパーパワーとして、世界に君臨できるようになったためである。
【図１６３】図１６３は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Engines (Strategy), ＳＤＩプロジェクト)Lovely, Yoshino UniverseKazutora Yoshino Universe EmpireKazutora Yoshino Emperor's Engine RDLovely, 吉野カズトラ宇宙世界皇帝に、光の大天使（善の精霊）マイケルが、宿った。吉野カズトラ宇宙世界皇帝は、ＵＳＡＦ、ＵＳＮＡＶＹ、ＵＳＡＲＭＹ、ＮＡＳＡ、ＧｅｎｅｒａｌＥｌｅｃｔｒｉｃ、Ｂｏｅｉｎｇ、ＩＢＭ，Ｈｅｗｌｅｔｔ  Ｐａｃｋａｒｄ、Ｇｅｎｅｒａｌ  Ｍｏｔｏｒｓ、Ｆｏｒｄ、ＡＴＫ、ＬＵＭＹ等と、吉野カズトラタイガー戦略を、実行した。エンジンやモーターの開発、製造、大量生産、大量販売等を行い、車の輸出を増やして、外貨を稼ぎ、軍事費を得て、宇宙開発、世界征服をするのである。この際、ガソリン自動車や、電気自動車などの販売によって、市場を開拓して、技術の飛躍的な躍進によって、空飛ぶ車を設計、製図、製造、大量生産、大量販売することよって、市場を置き換えることである。空飛ぶ車は、国防上、宇宙開発上、重要な技術を持っているため、アメリカ合衆国だけでの販売だけが認められた。吉野カズトラ宇宙世界皇帝国の領土としての技術大国アメリカ合衆国が誕生した。吉野カズトラ宇宙世界皇帝国は、神聖ローマ帝国に類似して、建国された。吉野カズトラ宇宙世界皇帝とジェームスヒッチンズによって、基本が作られて、吉野エミリー女王によって、進歩、進化した。ＮＡＳＡ、Ｇｅｎｅｒａｌ  Ｅｌｅｃｔｒｉｃ、Ｂｏｅｉｎｇ、ＩＢＭ、Ｈｅｗｌｅｔｔ  Ｐａｃｋａｒｄ（ヒューレットパッカード）などのカリフォルニア（シリコンバレー）、Ｇｎｅｒａｌ  Ｍｏｔｏｒｓ、Ｆｏｒｄ、ＡＴＫ、Ｌｕｍｙによるエンジン制御技術やモーター制御技術は、世界一の技術であり、ガソリン自動車、電気自動車、空飛ぶ車の研究開発と、製図、製造、大量生産、大量販売が進んだ。この利益によって、スペースシャトル、スペースコンコルド等の宇宙開発が進み、宇宙世界征服を行った。アメリカ合衆国は、ネオニューフロンティアの基に、宇宙にある惑星への移住などに興味を持っていたのである。また、アメリカ合衆国は、車や空飛ぶ車等の貿易区黒字などによる余剰の予算を用いて、先端的な医療技術の開発等をして、世界のお医者さんと言われるようになった。このため、アメリカ合衆国は、夢の大国として、世界中から愛された。 吉野カズトラ宇宙世界皇帝国の領土としての軍事大国日本は、アメリカ合衆国で生産された軍需兵器等を大量に購入して、世界征服を進めていた。日本は、世界を支配・管理して、あまり戦争が起きないような平和な世の中を目指していたが、現実には、武力交渉（アグレッシブナゴシエーション）による圧政が多かった。このため、日本（の政府）は、右翼集団の恐ろしい国（怖い国）（の政府）と言われるようになったが、日本国民は、殆ど、平和主義者が多かった。吉野カズトラ宇宙世界皇帝は、日本で、エネルギー開発（再生可能エネルギー、核融合炉、等）、遺伝子工学、生化学、ナノテクノロジー開発、再生医療、若返り生命科学開発、等を行った。吉野カズトラ宇宙世界皇帝は、エネルギー等についての国際協議等を行って、日本の優秀さと寛大さを世界に示し、日本のイメージアップを行った。このため、日本は、世界のリーダーと言われるようになった。このため、日本は、神の国日本と言われるようになり、世界中から尊敬された。 吉野カズトラ宇宙世化皇帝のエンジン： （課題）燃費の良い（高効率・高出力）のエンジンを、コストパフォーマンス良く小型化する。（ベルトなどを用いない方法、等。） （手段）ローターの回転に合わせて、（ウィール）ゲートにある穴が、吸気口と排気口に、交互に合い、燃料を吸気して、燃焼して、排気するメカニズムである。ウィールとローターには、Ｎ：１の比率のギヤが付いていて、（ウィール）ゲートには、Ｎ個の穴が開いている。ピストンを押しだす時のローターの回転（約１８０°間）の時は、ウィールの穴が、吸気口に合うようにする。ピストンを引き戻す時のローターの回転（もう方側の約１８０°間）の時は、（ウィール）ゲートの穴が、排気口に合うようにする。（ウィール）ゲートは、１段式垂直穴、１段式斜め（ひねり）穴、２段式垂直穴、２段式斜め（ひねり）穴、等がある。ゲートの穴と穴の間隔の比率を２とすると、ゲートの穴の間隔と穴でない部分の間隔の比率は、約１：１で、等しくしておくのが良い。シリンダー内をピストンが往復運動して、ピストンに接続されたコンロッドを通して、ローター（クランクシャフト）を回転する。ローターの回転は、シャフトで、発電機に繋がって、発電したり、若しくは、ギヤやプロペラを回転して、車、飛行機、ヘリコプター、クウァドコプター、空飛ぶ車等を、運転駆動させることが可能である。
【図１６４】図１６４は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Engines RD)Lovely, Yoshino UniverseKazutora Yoshino Universe EmpireKazutora Yoshino Emperor's Engine RD (Simulation Battle -> Real Battle)Lovely, 吉野カズトラ宇宙世界皇帝は、シミュレーション戦争を、I.YoshinoAdvancedEnergy第一戦は、解析計算（速攻暗算）バトル、II.KazutoraYoshinoUniverseEnergy第二戦はコンピューターシミュレーションバトル、III.KazutoraYoshinoUniverseEmpire第三戦はリアルバトルにした。 第一戦の解析計算（速攻暗算）バトルは、（ブレイン・リーダーとして）クリエーター（CREATOR）（先陣の人（ポインター・パーソン）が、教科書や公式集等は何も見ないで、頭で考えて、紙とボールペンを用いるだけで、問題や課題が何であるかを把握して、それに相当した式を構築して、問題を解いて、推測解（近似解等）を見つける。現象や製品や物等について、法則式、方程式、初期値問題、境界値問題、コンティニュイティー等も含めて、解析して、解答を出す。この際、（ブレイン・リーダー）クリエーターに必要なのは、想像力、創造力、解析力、吟味力、課題把握力、物理学力（熱力学等）、数式化力、問題解決力、推測能力、速攻力、現実化能力、製造能力、製品化能力、生産力、大量生産力、経験力、市場管理力、販売力、維持力、などである。援護（サポーター・ピープル）は、約４人（GOD, DIO, YUSA, RUHI）でチームを組んで、クリエーターの作った式や解答をチェック、吟味・改善・進化させる。（ブレイン・リーダー）クリエーターによって創造されたものによって、その後どのように進化するのかがある程度決まって来るので、（ブレーン・リーダー）クリエーターが、だれであるのかが重要である。援護（サポーター・ピープル）は、式のチェックや、より良い数式を構築したり、より正確（精密）な解を見つけたりするのに重要である。 吉野カズトラ宇宙世界皇帝のグループは、 CREATOR = Kazutora YoshinoGOD = Emily YoshinoDIO = Krystal Hikari YoshinoYUSA = Ashley Ayame YoshinoRUHI = Rebecca Haru Yoshino である。 第二戦のコンピューターシミュレーションバトルは、コンピューターを用いて、より正確（精密）な解析・数値・推測・画像・動作（ダイナミクス）・映像結果を出して、より正確な数値データやＣＧ等で、表現する。 第三戦のリアルバトルは、現実に物を具現化して、製造・生産・大量生産・販売等をして、利益を獲得する。 I. YoshinoAdvancedEnergy: 吉野カズトラ宇宙世界皇帝の速攻暗算バトル（エンジンの速攻暗算バトルの例）：速攻暗算（推測）：F=ma=d(mv)/dt ,F=fp-fr=pA-k'vr ,Roughly, vr(t) ~k''t^n, where (n~3/4) ,vr(t) ~ |sin wt| or |cos wt| or vro + e*coswt or vro + e*coswt ,=> Engine High Efficiency + Fast Accelation=> Mega (Explosion) Energy, Strong Body (+Strong Stucture, Housing), Strong Light Material, Good Mechanizm, Small (Light) Piston, Small Stroke, Fast (Rapid) Oscillation, Conrod (Crank Shaft) Small Rotation, Small (Light) Rotor, Speedy Initial Rotation, Speedy Rotation, Bearing (less friction), Oil, etc.これを、吉野エミリー女王が、チェックして、吉野クリスタルヒカリ女王、吉野アシュレーアヤメ女王、吉野レベッカハル女王が、吟味・改善・進化させる。 II. KazutoraYoshinoUniverseEnergy: 吉野カズトラ宇宙世界皇帝と吉野アシュレーアヤメ女王が、コンピューターシミュレーションする。 III. KazutoraYoshinoUniversEmpire: 吉野カズトラ宇宙世界皇帝と吉野レベッカハル女王が、具現化（現実化、リアルに）する。 吉野カズトラ宇宙世界皇帝が、車、空飛ぶ車、飛行機、ロケット（Cars -> Planes -> Rockets）等の開発をして、世界征服をする。（可能なら、世界を平和にする。） 吉野カズトラ宇宙世界皇帝のタイガー戦略のパッケージの一部：吉野カズトラ宇宙世界皇帝の具現化アルゴリズム：１  暗算・計算によるシミュレーション（合理的・論理的な根拠あり推測）              技術解析、市場解析等を行う。              （形態１、形態２、形態３、等）ｘ（小型、中型、大型、等）ｘ（マテリアル１、マテリアル２、マテリアル３、等）等のマトリクス（テーブル）を作り、数段階（４〜５段階等）に評価をする。２  エネルギーコスト、燃料コスト、マテリアルコスト、人件費、製造コスト、製品化コスト、運搬コスト、販売コスト、宣伝コスト、カスタマーサービスコスト、等を考慮に入れて、コンピューター等で計算して吟味したり、改善して、シミュレーションを行う。              ブルーオーシャン戦略などを行う。（（法律や社会での有用性の確認等も含めて）、ビジネスの吟味をする。）３  具現化する。（製造、製品化、大量生産等をする。）４  市場へ参入する。（販路を築く。）５  利益を獲得する。（バリューチェイン（ＶＣ）を良くする。）６  世界征服をする。世界支配をする。７  世界秩序を作る。（世界平和の創造。） 吉野カズトラ宇宙世界皇帝のエンジン開発（シミュレーションテーブル結果）エンジンは、大出力で小型化するのが良い。→  燃料は、ＴＮＴ、ガソリン、キシレン、バイオガス、等を用いるのが良い。 １．タイプIIのエンジンをステンレス若しくはアルミで大型に作り、車等に用いるのが、コストパフォーマンスが良い。（利益大）２．タイプIII(ii)のエンジンをステンレスで小型に作り、小型（模型）ヘリコプター等に用いるのが、コストパフォーマンスが良い。（利益中）３．タイプIII(i)のエンジンをアルミで中型に作り、再生可能エネルギー（バイオガス発電や太陽光熱発電（スチーム発電）等の）発電等に用いるのが、コストパフォーマンスが良い。（利益中）４．タイプIのエンジンをプラスチックで小型に作り、教育用教材等に用いるのが、コストパフォーマンスが良い。（利益小） ブルーオーシャン戦略によると、ステンレス等の大型エンジンの車は、既に、生産・販売されているので、『４．タイプIII(i)のエンジンをアルミで中型に作り、再生可能エネルギー（バイオガス発電や太陽光熱発電（スチーム発電）等の）発電等に用いるのが、コストパフォーマンスが良い。』を選ぶのが適宜である。再生可能エネルギーがあるのに対して、経済産業省いよると、太陽光熱発電は、エネルギーの買い取りをしてもらえるとは限らない。このため、売電のビジネスをするなら、バイオガスを用いたエンジンとダイナモモーターによる発電が、最も効果的な、エンジン活用法である。（太陽光が豊富にあったり、燃料（石油、石炭、等）が豊富にあるなら、スチームによるエンジンとダイナモモーターによる発電も、コストパフォーマンスが良い。）
【図１６５】図１６５は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Gas Engines)Lovely, 吉野カズトラ宇宙世界皇帝は、III(i)のエンジンを進化させて、内燃焼系ガスエンジンを作った。ガスボンベに、キャップとコンバッションユニットを付けて、圧縮された濃縮空気（酸素）と燃料（ガス等）の混合気体に、スパークでガスに、点火して、シリンダーにあるピストンを押し出す。スパークラーは、ピストンの往復運動に連動していて、ピストンが引き戻されて（押し込まれた）、空気（酸素）が圧縮（濃縮）されて燃料（ガス等）と混合した時に、スパークが起きるよう設置されている。Ｎ気筒（例えば、３気筒）のエンジンを作る。内燃系エンジンでガスを使いきったガスボンベを取り出して、水を少し入れて、ガスコンロの火で熱してスチームを作り、外燃焼系スチームエンジンを作ることも可能である。エンジンで、発電したり、ヘリコプターや飛行機等を作ることが可能である。燃料は、ガソリン、ガス、シェールガス、石油、石炭、ディーゼル、バイオガス、メタンガス、プロパンガス、天然ガス、ＬＮＧ、ＬＰＧ（液化ブタンガス）、ブタンガス、エタノール、アルコール、キシレン、等である。 吉野カズトラ宇宙世界皇帝は、言った『我がエンジンを進化させて、軍事用の兵器を作ろう。』 吉野エミリー女王は、言った『私は、吉野カズトラ宇宙世界皇帝のエンジンの進化を助けるように、ＮＡＴＯに協力してもらいます。』 吉野カズトラ宇宙世界皇帝のエンジンは、加速的に、進化して行き、吉野カズトラ宇宙世界皇帝は、進軍を順調に進めることが出来て、世界征服して世界支配出来た。
【図１６６】図１６６は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Jet Engines + Rotary Engines)Lovely, 吉野カズトラ宇宙世界皇帝は、ジェットエンジン等を進化させて、垂直浮上型のジェット戦闘機を開発・製造した。吉野カズトラ宇宙世界皇帝は、ＮＡＴＯの協力の基に、国際的な安全対策を行い、吉野一虎神聖圏（ヨシノカズトラサンクチュアリー）を英国、アメリカ、日本、ロシア、アジアに作り、ジェット戦闘機等を配備した。 吉野カズトラ宇宙世界皇帝は、垂直浮上型の飛行機（オスプレイ）や空飛ぶ車の開発・製造もした。この際、重要なのが、水素＋酸素などを燃料にするローターリーエンジンであった。吉野カズトラ宇宙世界皇帝は、曲率三角型ロータリーや、傾斜面円柱ロータリー等を用いたロータリーエンジン等を開発・製造した。傾斜型ロータリーエンジンは、円形に配列されたシリンダー＋ピストンが順次、ピストンの押し出しと引き戻しを行い、斜めに切り口を持つ円柱ロータリーを押して回転（円運動）をさせる。この際、排気と吸気を行う（ウィール）ゲートは、ギヤ等で、ロータリーの回転に合わせる（シンクロさせる）。 エンジンは、ステンレスやアルミ等の金属を用いることが好ましい。金属を溶かす際、火力、熱量、温度、溶かす金属の量等が重要になる。ΔＱ＝ｋｎ’ΔＨ、ΔＱ／ΔＶ＝ｋｎ’ΔＨ／ΔＶであり、ｎ’＝ｎ１＊ｎ２／ｎ３で、Ａ１＋Ａ２→Ａ３（例えば、Ｈ２＋（１／２）Ｏ２→Ｈ２Ｏ等）の反応式の反応物（原子（／分子）等）の数（若しくは、濃度）の関数である。約１８００度（℃）ぐらいに金属を熱せれるなら、アルミ（約６６０℃）、銀（約９６２℃）、鉄（約１５３５℃）、白金（約１７６９℃）ぐらいなら、溶かせる。耐熱コンクリートや耐熱石膏やるつぼ用素材やセラミック等を用いて、炉や鋳造用型を作って、コンプレッサーや酸素ボンベ等で酸素補給しながら、ガス等の燃料を燃焼させて、（ガス／ジェット）火（炎）で加熱したりすることが可能である。ジェットエンジンのタービンや、シリンダーやピストンの型を作り、加工して、エンジン等を作ることも出来る。
【図１６７】図１６７は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Rotary Jet Engines + Sky Cars)Lovely, 吉野カズトラ宇宙世界皇帝は、元々、吉野カズトラ王子だった頃、アメリカ合衆国に留学していた時（冷戦時代）に、（ソナーにあまり探知されないような）音のあまり出ない深海航行が可能なウォータージェット潜水艦と、レーザー砲を搭載したジェット戦闘飛行機と、レーザー砲（レーザーキャノン）を持つ軍事衛星や宇宙惑星基地（の攻撃手段、宇宙兵器）を開発していた。 吉野カズトラ王子は、海や海底で、核爆弾の実験を行うという名目の基に、核爆弾（特に、劣化ウラン弾、原子爆弾、中性子爆弾、水素爆弾、等）を爆発させて、幾つものソ連の潜水艦を、沈めた。 吉野カズトラ王子は、アメリカのＣＩＡの友達から得た情報を基に、アメリカの友達（アメリカンマセマティクスソサエティーのメンバー達）と戦略を練って、軍事衛星を用いて、ソビエト連邦を崩壊させて、ロシアを建国させた。 吉野カズトラ宇宙世界皇帝は、自ら開発したウォータージェット潜水艦と深海潜水艇ロボットを用いて、戦利品として獲得したソ連の潜水艦などのバックサポートを用いて、燃料と酸素ボンベ等を用いたガスバーナーなどで、深海に沈んでいた戦艦大和の先端にある菊の紋章の形をした純金を獲得した。純金は、細かく切りだして、濃縮空気を膨らませた、浮きで海上に浮上させて、運搬したが、純金の総額が１００億円以上はあったので軍事資金にすることが出来た。 吉野カズトラ宇宙世界皇帝は、ヨシノアドバンスドエナジーなどを用いて、平和的に、エネルギーやコンピューターの開発を進めていた。 吉野カズトラ宇宙世界皇帝は、彼女を作り、妻になってもらうために、努力をしていたが、簡単ではなかった。吉野カズトラ宇宙世界皇帝は、恋愛で、戦争状態になっていた。美女や美少女による誘惑から始まり、他の美女によるおとり接近、じじやばばによる邪魔、見せびらかし、若い男等による横取り、尾行、嘘、偽り、噂の拡散、法律上の論理戦、税金、様々な手口でお金等を巻き上げたりする、等、人々や噂等がミサイルのように、飛び交った。吉野カズトラ宇宙世界皇帝は、彼女を取り戻すために、戦ったが、吉野信法皇と、吉野友子女王には、誰も敵わなかった。恋愛戦争のどさくさに、吉野カズトラ宇宙世界皇帝が、保険金殺害されて、自殺したことにされそうになった。キャバ嬢、メイドさん、ホスト、近所の人々、銀行、ヤクザ(山口組、住吉会、稲川会)、警察、政府、スパイ、DIA、CIA、FBI、MI5等が、参入して、事態が一層困難になった。ロックフェラー系列のDIA系列のスカルアンドボーン、女王系列のロスチャイルド系列のMI5系列のサンクチュアリーなどによる秘密工作が、行われ、恋愛戦争は、恋愛近代戦争になり、武力戦争、宇宙戦争に、発展して行った。吉野カズトラ宇宙世界皇帝を最も良くサポートしたのは、日本や韓国系の美女軍団であった。 吉野カズトラ宇宙世界皇帝は、吉野カズトラ宇宙世界皇帝のＸワイフ達の吉野綾子将軍や吉野エミリーが優先的に乗れるような龍の��発をしていたが、現実的には、（吉野綾子将軍や綾子の父親の消防隊員である武夫やアメリカ軍諜報局員ＤＩＡメンバーのデイビッドが乗れるような）、空飛ぶ車を開発していた。 吉野カズトラ宇宙世界皇帝と吉野カズトラ宇宙世界皇帝のＸワイフ達（吉野綾子将軍、吉野エミリー女王）やＸガールフレンド達や吉野ファミリー（現在のガールフレンド達）などによって、宇宙ステーション、軍事衛星、ボイジャーＩ，ＩＩ，ＩＩＩなどの人工衛星などによる太陽系内外から太陽系を守ったり、銀河系内外から銀河系を守る宇宙防衛手段が、Ｘ計画（Ｘプロジェクト）として、進んだのである。続く。 吉野カズトラ宇宙世界皇帝のローターリージェットエンジン： 吉野カズトラ宇宙世界皇帝のローターリージェットエンジンは、Ｎ気筒のロータリーエンジンによってローターリーとタービンを回転させて空気を圧縮して、燃料を燃焼させてジェットを作り、タービンを回転する、ロータリーターボジェットエンジンである。 シリンダーと（（ボール）ポイントペン型ピストンと先端ベアリングを持つ）ピストンの往復運動に、波形状（三角関数型（サイン波、コサイン波））のロータリーを回転させる。この際、（ウィール）ゲートの回転もシンクロさせる。（ウィールゲート）ゲートやロータリー（ターボ）に、プロペラ（タービン羽）付けて、回転させることによって、浮力（や推進力）等を得る。ロータリーターボジェットエンジンを、ジェットウィールとして、空飛ぶ車に用いることが可能である。ジェットウィールの角度を変えることによって、道路の走行時は、車モードで、空の飛行時は、空飛ぶ車モードにする事が可能である。
【図１６８】図１６８は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Force Beam Interactive Motor (Kazutora Yoshino Rotary Motor) + Rotary Jet Engines + Sky Cars)Lovely, 吉野カズトラ宇宙世界皇帝は、フォースロータリーモーターを開発した。光子波、量子波、レーザー、超音波、等のビームを照射することによって、フォース（力、圧力）をウィング（ローター）に掛けることによって、ローターを回転する。ウィングの角度とビームの照射角度によって、効率を改善（アップ）する。ウィングは、三角関数波や三角波等の形状が好ましい。ウィングの形状は、物理的に加工して作ることも可能であり、平たいリングに（レーザーや超音波等の）ビームを照射して、ダイナミックに作ることも可能である。フォースロータリーモーターは、軽量で、薄型で、高速回転を可能にして、空飛ぶ車（Ｓｋｙ  Ｃａｒｓ）の、ロータリーターボジェットエンジン（のコンプレッサー部等）に用いることが出来る。ロータリーターボジェットエンジンが高速回転する際、ビームによる照射は、（なくても大丈夫だが）回転速度の制御等に用いることが可能であり、オプティカル・センサーや超音波センサー等のセンサー等と併用して、回転や縦横振動等の安定性制御やジャイロスコープやモーター等に用いるのが、効果的で有用である。（宇宙）ロボット（例えば、ガンダム、トランスフォーマー、等）や宇宙船の宇宙（無重力空間や惑星等での重力空間）等での安定制御（ロバスト安定性、等）に、用いるのも可能である。
【図１６９】図１６９は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Super Cool Cold Wars)Lovely, 吉野カズトラ宇宙世界皇帝は、コロラドやウィスコンシンなどの極寒の地で、冬に車のエンジンが掛りづらいことを気にしていた。何故なら、アメリカ合衆国が、ロシアなどに、軍事ヘリコプター等を出陣させる際、エンジンやエンジンオイルが凍結して、飛行が不可能になるときがあったからである。吉野カズトラ宇宙世界皇帝のシミュレーション戦争では、北極に北朝の基地を作り、南極に南朝の基地を作り、南北で戦わせるものであった。戦闘経路は、太平洋の公海が基本だが、宇宙空間を通して、人工衛星等による攻撃・戦闘も許可されていた。極寒の宇宙空間や、惑星でも、モーター、エンジン、ロケットエンジン、宇宙船のエンジン等が、適宜に駆動するようにしておく（必要があるのである）。国家間（国々）の戦争を、戦争当事国や他の国々にあまり物理的なダメージが出ないように、国家のない領域や区域で行うのが基本である。このため、宇宙戦争に発展したが、科学と技術が飛躍的に進歩した。 コード７７７：吉野カズトラ宇宙世界皇帝のシミュレーション戦争で、勝利した国には、『世界の（人命）救助隊』の称号が付けられて、人命救助や救助物資の獲得などが任されて、深海にある戦艦大和等の（純金等の）海上への引き上げ作業をすること等が許された。
【図１７０】図１７０は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Nano Motor (Nano Engine))Lovely, 吉野カズトラ宇宙世界皇帝は、ナノモーター（ナノエンジン）の開発をしていた。ナノチューブに、マテリアル（原子、イオン、プロトン、分子、有機化合物、生化学物、ナノマテリアル、遺伝子、金属、ミネラル、薬品、タンパク質、酵素、抗体、免疫、等）を包接して、放出することで、効果の持続する免疫薬品などが製造可能である。ナノチューブに入ったマテリアルを、医薬品にして、飲むことも可能である。又、ナノチューブのマテリアル等を、デンシティーグレーディエントやプレッシャーグレーディエント等を用いて、移動（放出）すること等も可能である。吉野カズトラ宇宙世界皇帝は、特に、３Ｄテクノロジーと３Ｄ造形・加工技術を用いた、ナノテクノロジーを用いて、ナノマテリアルを作り、ナノモーター（ナノエンジン）等を作り、ナノマテリアルやナノチューブに入ったナノマテリアル等を、必要な細胞にターゲットスぺシフィックに送り込むことで、特効薬（医薬品）として、効果を発揮させていた。３Ｄテクノロジーのマクロの構造は、３Ｄナノテクノロジーの構造にも、類似するところがある。エンジンは、燃料（ガソリンやスチームやプロトンやイオン等）を、シリンダー（とピストンの間）に吸気や排気したり、プロペラやタービンに吸気や排気して、ローターを回転するように、マクロでも、ナノでも、行うことが可能なのである。プロトングレーディエントによるプロトンポンピングによって、ナノモーターを回転する。又、電気（クーロン力）や磁気や若しくはその両方を持つ分子（有機物等）などを用いて、電界や磁界を用いて、ナノ電磁モーターを作ることも可能である。外部（若しくは内部）等から、電磁波などを掛けることによって、ナノモーターを回転することも可能である。吉野カズトラ宇宙世界皇帝は、マクロでの３Ｄ造形・加工技術を、幾つもナノテクノロジーに応用していた（類似・相関等を見つけていた）。吉野カズトラ宇宙世界皇帝は、数学（相関関数、ＳＶＤ、ＬＤ、ＲＤ、人工知能、等）、量子力学Quantum Physics、バイオフィジックスBioPhysics量子分子（軌道）機動論Quantum Moluclar Momentum Orbitary Theory、バイオインフォマティクス Bioinformatics（遺伝子解析、プロテインや酵素などの３Ｄ構造解析、等）、等を用いて、α―へリックスやβ―シートやナノリングを光ピンセットと、（レーザー）エネルギーや（電子ビーム）電子投与による分子の量子ポテンシャル（分子）を用いて、融合して、ナノストラクチャーを作っていた。吉野レベッカハル女王は、吉野カズトラ宇宙世界皇帝のナノ医療とＥ−メディカル（コンピューター、サイバーメディカル、ロボット医療、等）と再生医療と若返り医療と遺伝子工学と薬剤学（ファーマコロジー）と免疫学を融合して、近代医療の女王となり、吉野レベッカハル女王キリスト女神として、世界から崇められた。
【図１７１】図１７１は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Star Wars)Lovely, 吉野カズトラ宇宙世界皇帝は、ガスバーナーで金属を溶解してプロペラやタービンやエンジンやジェットエンジンを作る技術を進化させて、ライトセイバー（ビームサーベル）、人工衛星、軍事衛星、宇宙ロボット（ガンダム等）、ロケット、宇宙ステーション、宇宙基地、等の開発を進めていた。吉野カズトラ宇宙世界皇帝のＳＤＩ（Strategic Defense Initiative）によって、善悪の戦いが宇宙戦争に発展して激化していた。戦闘のために作られたライトセイバーは、高エネルギーの燃料（液体水素や液体酸素等）を高温・高圧で噴出させて、ハイテンパーチャー・ハイプレッシャー・ジェットを作り、金属等の鎧や金属等のドア（壁）やロボット（ドロイド等）等の切断を行って戦う光の剣（ライトサーベル）だった。元々、ライトセイバーは、吉野カズトラ宇宙世界皇帝の善の精神体（吉野カズトラ（太陽）光神、吉野カズトラレーザービーム神王）の正義の剣だったが、吉野カズトラ宇宙世界皇帝の悪の精神体（吉野カズトラ暗黒神、吉野カズトラサタンシーザー）の闇の力によって、プラズマシールドなどを持ち進化して、より強力な破壊兵器として威力を発揮して行った。吉野カズトラ宇宙世界皇帝は、ライトセイバーを進化させて、ビームサーベルを作り、宇宙ロボット（ガンダム等）の戦闘用兵器として用いた。宇宙ロボット（ガンダム等）は、超合金でできていて硬く、特に、盾は、ダイヤモンドコーティングがなされていたので、ビームサーベルで貫くのは、困難であった。しかし、コックピットに直撃させて貫通させると、中のパイロット（ガンダムマイスター等）を即殺することが出来て、実質的には、戦闘に勝つことができた。吉野カズトラ宇宙世界皇帝のレーザー砲と合わせて、戦闘に用いると、より効果的であった。宇宙船による戦いもあり、宇宙戦争は、より激しいものになって行った。吉野カズトラ（太陽）光神は、善の光の天柱（超高エネルギーレーザービーム）によって、悪の拠点であるソドム（デススター）を一夜にして焼き払った。吉野カズトラ（太陽）光神は、吉野カズトラ銀河光皇帝国を築いた。しかし、悪の勢力は、場所を変えて、再度、悪事を働き始めて、吉野カズトラサタンシーザーは、徐々に力を増していた。吉野カズトラ暗黒神による吉野カズトラ銀河暗黒帝国は、再び蘇り、宇宙世界を支配下に置き、軍事力や支配力等をより一層強化して行った。善悪の戦いは、終わりのない戦いへと縺れていくように見えた。しかし、吉野カズトラ宇宙世界皇帝は、宇宙世界に対して絶対的な支配力と権力を持ち、自らの体に宿った善悪の精神体を自らの意識に調和させて、バランスを取って、善を促進して、悪を抑え、世界を平和に導いた。続く。
【図１７２】図１７２は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Rotary Engine Evolution)Lovely, 吉野カズトラ宇宙世界皇帝は、『ソーダ』を飲みながら、エンジンを進化させていった。（吉野カズトラ宇宙世界皇帝曰く、『「ソーダ」、進化させよう。』） 吉野カズトラ宇宙世界皇帝は、エンジンを進化させて、ロータリーエンジンを作り、ロータリーエンジンを進化させて、３Ｄロータリーエンジンを作り、３Ｄロータリーエンジンを進化させて、３Ｄウィング式ロータリーエンジンを作り、３Ｄウィング式ロータリーエンジンや３Ｄウィング・タービン（風車）式ロータリーエンジンを進化させて、３Ｄ（薄型）ジェットエンジンを作り、３Ｄ（薄型）ジェットエンジンを進化させて、空飛ぶ車や（ミサイル）ロケットを作った。２Ｄの曲線に深さを持たせたロータリーエンジンを、進化させて作った３Ｄロータリーエンジンや３Ｄウィング式ロータリーエンジンは、曲面を持ち、燃料（や空気）を吸気をして、コンプレスして、燃料を燃焼させて、排気をする、若しくは、ジェット気流を吸気して排気する。３Ｄウィング式ロータリーエンジンは、空気を仕切るために、ウィングによる部屋の大きさ（ボリューム）に伸縮性のあるメカニズムとなる構造をしている。ウィングを押し出す圧力は、吸気の際の圧力、若しくは、燃焼の際の圧力、若しは、排気の際の圧力でも良い。ローターを回転する、若しくは、ローターの周りの部材を回転する。ＰＡのグレーディエントによって、レラティヴ・ローテーションをする。I.YoshinoAdvancedEnergy, II.KazutoraYoshinoUniverseEnergy, III.KazutoraYoshinoUniverseEmpireは、協力して、I.ロータリーエンジンやII.ジェットエンジンやIII.ロケットエンジンを作っていた。３Ｄウィング式ロータリーエンジンが回転する仕組みは、I. PlAl II.PlAvs III. PvsAvlのプレッシャーｘエリアとウィングの形状とウィングが受けるインテグレーション[圧力ｘ面積]のグレーディエント等によって、フォース（力）が生じるようにする。素材は、アルミやステンレス等の金属を用いるのが好ましい。３Ｄウィング・タービン（風車）式ロータリーエンジンは、ウィングの回転を、ジェットを作るために用いて、ジェット飛行機や空飛ぶ車やロケット等に用いる。また、３Ｄロータリーエンジンは、ナノエンジンにも応用できて、体内に送り込むナノサブマリーンやナノジェットファイターエアプレーン等にも用いられた。
【図１７３】図１７３は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Real Rocket)Lovely, 吉野カズトラ宇宙世界皇帝は、Ｎステージスケールロケットを開発した。圧力（プレッシャー）、空気圧、ガス圧、熱気圧、ジェット、磁場、電場、プラズマ（フィールド）、フォースフィールド等を、用いて、ロケットを打ち上げ、Ｎｔｈベースから１ｓｔ+２ｎｄ＋３ｒｄ＋４ｔｈ＋５ｔｈ＋Ｎ−１ｔｈベースを打ち上げて、加速して行く。宇宙空間、人工衛星軌道、人工衛星、宇宙ステイション、月、彗星、火星、水星、等に行くことが可能である。このロケットは、ナノロケットへも応用可能である。
【図１７４】図１７４は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Engine + Energy, RD)Lovely, 吉野カズトラ宇宙世界皇帝は、コストパフォーマンスの良いエンジンの開発とエネルギー開発をしていた。 吉野カズトラ宇宙世界皇帝は、カムやディスクを用いたエンジンを作っていた。ＬＥＤ＋フォトセンサー等の光学スイッチ等の光学デバイス等、若しくは、メカニカルスイッチ等、若しくは、磁気システム等を用いて、カムやディスクにある情報を読み取る。必要なら、書き込むことも可能である。オン・オフのバイナリーでも良くて、マルチ・（レイヤー）・データやカラーデータ等でも良い。ローターの回転に適宜に合わせたカムやディスクの情報についてセンサーデバイスから得た情報を基に、ソレノイドゲート等のゲートを動かして、燃料（＋空気（エア）、酸素）を、吸気や排気をするタイミングと、電圧、電池、高電圧発生装置、スイッチなどを用いてイグナイト・スパークをするタイミングを、コンピューター、若しくは、制御システム（スイッチ、タイマー、ラッチ、リレー、光学リレー、電源、電池、などの電子回路等）を用いて、適宜に合わせる。カムやディスクに、φの角度でスパークのタイミング情報等や、Θの角度で、ソレノイドゲートの吸気タイミング情報等を書くこと等が、可能である。Ｎ気筒の際は、其々に付いて、φｉ、Θｉの情報を書くことが可能である。若しくは、カムやディスクの情報を、赤（吸気）、青（排気）、紫（吸気口開＋スパーク）、黒（吸気口閉＋スパーク）、等と色分けして、カメラやビデオカメラやカラーフォトセンサー等で、光学的に、情報を読み取っても良い。若しくは、赤ｉ（吸気ｉ）、青ｉ（排気ｉ）、紫ｉ（吸気口ｉ開＋スパークｉ）、黒ｉ（吸気口ｉ閉＋スパークｉ）、等とグレーディエント等に色分けして、１曲線色付け情報にして、Ｎ気筒の動きやタイミングを制御や管理しても良い。同様に、パターンやを用いたりパターン認識を用いて、画像認識したり、人工知能等による情報制御や情報管理も可能である。
【図１７５】図１７５は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Engine + Energy, RD)Lovely, 吉野カズトラ宇宙世界皇帝は、よりコストパフォーマンスの良いエンジンを作っていた。製造コストが比較的掛らない手段（と方法）で、ウィールゲート等のゲート（バルブ）を用いる手段（と方法）である。I. YoshinoAdvancedEnergy スライダーゲートを用いて、吸気と排気をする。II. KazutoraYoshinoUniverseEnergy カムシャフト（ギヤ、若しくは、プーリー＋ベルト）などを用いて、ゲート（バルブ）の開閉を行う。III. KazutoraYoshinoUniverseEmpireウィールゲート（穴のあいたディスク）をシャフトと共に回転して、吸気と排気を行う。(i) 吸気の１層のウィールゲート（吸気口は、シリンダーの先端側、排気口はシリンダーの側面側、等） (ii)吸気と排気の２層の穴のウィールゲート（吸気口と排気口は、シリンダーの先端側、等）。特に、ウィールゲートでは、エンジンを小型化出来て、製造コストが比較的掛らないので、ミニエンジンやラジコン飛行機やラジコンヘリコプターなどのラジコン用（模型用）のエンジン等に向いている。
【図１７６】図１７６は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Engine + Multiple Energy Generator System, RD)Lovely, 吉野カズトラ宇宙世界皇帝は、ローターリーエンジン等のエンジンと、プロペラを組み合わせて、マルチ・エナジー・システムを作っていた。 風がある時には、（プロペラとダイナモモーターを回転して）風車で発電して、風があまりない時には、ソレノイドロックで、プロペラからエンジン駆動に切り替えて、バイオエタノールなどの燃料を用いてエンジンとダイナモモーターを回転して、発電システムを駆動（稼働）する。エンジンの燃料には、ガソリン、石油、石炭、バイオフュエル、バイオエタノール、キシレン、ガス、プロパン、メタン、ブタン、空気（エア、コンプレスドエア、熱膨張、等）、スチーム等を、用いる。電気をバッテリー等に蓄電して、エネルギーをリバースして、車の走行、飛行機等のプロペラ推進（と羽による浮上）、ヘリコプターの浮上、等に用いることも可能である。（電気）エネルギーは、直接利用が可能であり、若しは、水を電気分解して、水素と酸素を作るなどして、貯めておいて、必要な時に利用することも可能である。 吉野カズトラ宇宙世界皇帝は、（空気（エア、コンプレスドエア等）等＋バイオフュエル等の）燃料を燃焼させて、（空気等を熱膨張させてジェット（気流）を作り）タービンを回転するジェットエンジンを作った。
【図１７７】図１７７は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Engine + Universe Wars)Lovely, 吉野カズトラ宇宙世界皇帝は、宇宙戦争（シミュレーション戦争、等）で、南北朝のチーム戦闘を、北極（基地）と南極（基地）の間で行う、得点（ポイント）性の水空陸両用（軍事）兵器（ホバークラフトや戦車や戦闘機や潜水艦のような乗りもの）によるフラグの取り合いにして、勝利した国が、世界一の軍事大国（スーパーパワー）になった。 カワセミ計画による、空飛ぶイルカ（宇宙船、スペースシャトル、ロケット、ジェット戦闘機、空飛ぶ車、潜水艦、等）（ホバークラフト型ビークル軍事ユニット兵器）のような空水陸両用軍事兵器は、約３００機を基本として、各国が、１００万ユニットで、約３００万機ぐらいである。戦闘員（ファイター）は、軍の人事で賄うか、シミュレーターや人工知能による戦闘員で行う。空飛ぶイルカ（宇宙船、スペースシャトル、ロケット、ジェット戦闘機、空飛ぶ車、潜水艦、等）（ホバークラフト型ビークル軍事ユニット兵器）のような空水陸両用軍事兵器の製造可能な国だけが、宇宙戦争（シミュレーション戦争）・戦闘に参入可能であった。各国のトップクラスの人達だけが、宇宙戦争（シミュレーション戦争）・戦闘参入に許可された。 エネルギー効率、製造コストや駆動コストや攻撃コスト等のコストパフォーマンスも、得点に加算可能であり、単なるフラグの取り合いではなかった。 最初に、良い得点を得た国々は、アメリカ合衆国（ＵＳＡ）、日本（Ｊａｐａｎ）、ヨーロッパ（ＥＵ）、ロシア（Ｒｕｓｓｉａ）、中国（Ｃｈｉｎａ）、インド（Ｉｎｄｉａ）、アラブ、北朝鮮、韓国、オーストラリア、カザクフスタン、等であった。
【図１７８】図１７８は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Engine + Energy Generator System + Energy Conservation)Lovely, 吉野カズトラ宇宙世界皇帝は、太陽光、風力、バイオマス、水力等の発電システムを作っていた。吉野カズトラ宇宙世界皇帝は、バッテリーを用いても良いが、（高額な）バッテリーを用いなくても、圧力（圧縮空気、等）を用いて、エネルギーを貯蓄することが出来る（コストパフォーマンスの良い）システムを作っていた。 １．太陽光や風力で発電した電力（電気、電流、電圧、等）、電力エネルギーで、水を水素と酸素に電気分解して、化学エネルギーとして蓄える。２．風力等で得たエネルギーを用いて、コンプレッサー（空気ポンプ、等）やタービンなどで、圧縮空気（圧縮ガス）等を作って、圧力エネルギーとして蓄える。３．バッテリー（やキャパシター（コンデンサー）や超伝導コイル等）等を用いて、電気エネルギー（化学エネルギー）として蓄える。４．その他 風力エネルギー：ハイ・コストパフォーマンス・エコロジー・システム風力等の回転エネルギーをクランクシャフトなどで線形の往復運動（リニアーモーション）に変換して、圧力（空気）ポンプ等を駆動する。コンプレッサーや空気ポンプによって、空気や水が、圧力で一方向に押し出されて、逆流はしない手段（物）を用いる。圧縮空気を水槽や容器（タンク）に蓄える。バルブなどを用いて、適材適所に、圧力を加える。圧縮空気（圧縮酸素）等を用いて、空気エンジンを回転する。若しくは、燃料（石油、ガソリン、キシレン、バイオフュエル、等）と混合して、（内燃系）エンジンに用いたり、ジェットエンジンに用いる。エンジンの回転によって、ダイナモモーターを回転して、発電をするなどすることが可能である（電力を、得ることが可能である）。得た電力（電気）は、上記１．２．３．４．の手段や方法等によって、蓄えることが可能である。
【図１７９】図１７９は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Engine + Energy Generator System + Energy Conservation)Lovely, 吉野カズトラ宇宙世界皇帝は、太陽光、風力、バイオマス、水力等の発電システムを作っていた。吉野カズトラ宇宙世界皇帝は、バッテリーを用いても良いが、（高額な）バッテリーを用いなくても、圧力（圧縮空気、等）を用いて、エネルギーを貯蓄することが出来る（コストパフォーマンスの良い）システム（ヒートサイクルシステム）を作っていた。 １．太陽光や風力で発電した電力（電気、電流、電圧、等）、電力エネルギーで、水を水素と酸素に電気分解して、化学エネルギーとして蓄える。２．風力等で得たエネルギーを用いて、コンプレッサー（空気ポンプ、等）やタービンなどで、圧縮空気（圧縮ガス）等を作って、圧力エネルギーとして蓄える。３．バッテリー（やキャパシター（コンデンサー）や超伝導コイル等）等を用いて、電気エネルギー（化学エネルギー）として蓄える。４．その他  ４.について、熱保存があるが、１．の電力で水を電気分解して水素と酸素にして保存すると組み合わせると、強力なエネルギー保存システム（Ｅ貯蓄）が出来る（I.YoshinoAdvancedEnergy,II.KazutoraYoshinoUniverseEnergy,III.KazutoraYoshinoUniverseEmpire:3E）。 熱力学を厳密に理論化するのに、相対性理論量子力学を用いる。ΔＥΔｔ≦ｋｈであるとする。統計的、実験的に、マクロ世界において、Ｅ＝Ｔ＝Ｐｔ＝mc^2, Sigma(E)＝Sigma(Ｔ)＝Sigma(Ｐｔ)＝Sigma(mc^2),ハミルトンの式の複数粒子解の固有値（平均値,全体量）E=T=Pt=mc^2とする。 太陽光熱（素粒子、光子、等）等を、エネルギー吸収体に、投与（集中、集光熱）等させた際、ΔＥ＝ｈνが、ΔＥ＝Δｍｃ＾２である。エネルギー吸収体の運動エネルギーの増加を、近似値として、ΔＥ＝（１／２）（ｍｖ＾２）とすると、システム（全体）としてはΔＥ＝（１／２）（ｍｖ＾２）の増加であり、（システム(全体)の）（内部エネルギー＝温度）i.e.（Ｅ＝Ｔ）である。システムからの放熱（ロス）がなければ、エネルギーは単調に増加して、温度も単調に増加する。しかし、投入エネルギーと放熱ロスのバランスによって、内部エネルギーはＥｓｔに、温度はＴｓｔに落ち着く。この際、放熱ロスのエネルギーをエネルギー吸収体等に吸収させて、電磁場相対論的量子場による統計的相対座標の（線形的、若しくは、曲率的（極座標的等）等）相違による、エネルギー発生機を用いて、電荷粒子の総合体を相対回転して、総合電界を創生する。つまり、水蒸気（スチーム）等に熱を吸収させて、ダイナモモーターを回転して、（起電力（電圧）を発生させて）発電する。放熱ロスのエネルギーを吸収したスチーム活用することによって発電する際、温水が生じるが、この温水を即時に、若しくは、温存して（事・時後、（オプション・ブリッジ等（の温水などの移動手段）を介して（通して）））、再度利用することが可能である。システムの熱循環をシステム外に逃さないことを目的として、システムを魔法瓶の中に入れる。魔法瓶は、アルミや銀等の粒子や熱の反射をす���薄膜によって囲まれ、殆どのエネルギーが反射（フォトンやフォノンの吸収エネルギーと、フォトンやフォノンの放射が、等価である（（正確に、若しくは、略）等しい）。）（熱エネルイギー（運動エネルギー等）等は、完全弾性体による（完全）反射で、保存される。）熱源は、太陽光熱、風力、バイオマス（バイオフュエル）、ガス、地熱、源泉（箔湯）、水力、核エネルギー、石油、ガソリン、灯油、ディーゼル、シェールガス、石炭、メタンハイドレード、マグネシウム、電気コンロ、ガスコンロ、ガスボンベ、水素＋酸素、等を用いて、魔法瓶による熱流体（温水等）システムによって、安定した電力供給が可能になる。天然資源エネルギーを活用することによって産業革命が起き、エネルギー効率を高めることによって技術革命が起き、自然エネルギーや核エネルギーや量子’素粒子）エネルギー（超弦エネルギー等）を用いることによって、エネルギー革命が起こる。これが、吉野カズトラ宇宙世界皇帝の宇宙世界征服の原動力になった。
【図１８０】図１８０は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Emperor's Cat Girl at Simulation Wars)Lovely, 吉野カズトラ宇宙世界皇帝のシミュレーション戦争（吉野カズトラ宇宙世界皇帝のマーシャルアート、兵法、ゲーム理論、ランチェスター法、レーザー砲、映画化、アニメ化、等）：吉野カズトラ宇宙世界皇帝は、敵を、適時に適場で、撃破するために、吉野タイムマシンとＧＰＳタイマーを用いた、空中地雷砲を用いていた。時空戦争における、ＧＰＳによる位置情報と時間情報を設定（セット）しておくと、自動で、ミサイルが飛び、敵を爆破してくれる。ＬｕｍｙＧｒｏｕｐが、兵器製造の一環として製造した兵器である。秘密結社Ｌｕｍｏｒｅが（実験）使用と販売をするが、秘密結社ＶＳの英国のエリート部隊であるサンクチュアリーが、グループを二者に分けて敵対するように仕向けて、兵器販売の市場を広げていた。クライアントは、ＮＡＴＯ、ＵＳＡのＤＯＤ等であったが、ＵＳＡＦとＵＳＡＲＭＹの間で、情報・解釈・方針の相違があり、敵対し始めていた。サンクチュアリーの工作があったのと、共和党と民主党の不和が原因であるとされたが、実質的には、赤薔薇ｖｓ白薔薇戦争や、南北朝戦争の継続と言う方が正しかった。吉野宇宙の南北朝戦争は、表社会と裏社会にも影響して、宇宙ロボット（ガンダム等）・宇宙ロケット（スペースシャトル等）戦争に発展した。吉野信法王と吉野友子女王は、アメリカ合衆国（ＵＳＡ）とヨーロッパユニオン（ＥＵ）を支配した。吉野カズトラ宇宙世界皇帝を支配者として、悪魔王シーザーの妹である吉野留利子女王は、キャットガール（デビルガール）として、吉野カズトラ宇宙世界皇帝の暗黒帝国とフォースによって世界を（支配）管理した。続く。
【図１８１】図１８１は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Emperor's Rocket RD (Air pressure Water Jet Pet Bottle Rocket)Lovely, 吉野カズトラ宇宙世界皇帝は、吉野クリスタルヒカリ女王を楽しませるために、ロケット開発をしていた。吉野カズトラ宇宙世界皇帝は、ティーンエイジャーのクリスタル女王にも、安全に実験できるような（空気圧力・水圧ジェットの）ペットボトルロケットも開発していたのである。 吉野カズトラ宇宙世界皇帝は、ロケットの燃料の圧力（配送）システムや燃焼システム等に、流体力学（ナビエストークの方程式、等）を用いて、コンピューターシミュレーションしていた。 吉野カズトラ宇宙世界皇帝は、ペットボトルロケットにもシミュレーション（演算、計算、等）と実験をしていた。 Force =（Δ(ｍｖrel)／Δｔ）＝（Δｍ／Δｔ）ｖrel = p A > mg が、概念的なロケット計算式である。 吉野カズトラ宇宙世界皇帝は、又、ペットボトルロケットや風力発電システム（のプロペラやエンジン）の大量生産を、圧力を用いたプレス機などを作って行っていた。太陽光熱やバイオフュエルによって熱したマテリアル（プラスチック、アルミ、ステンレス、等）を溶解して、型に入れて、製品を大量生産して作っていた。
【図１８２】図１８２は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Emperor's SF Movie Production (Yoshino Entertainment))Lovely, 吉野カズトラ宇宙世界皇帝は、ウルトラ戦争のＳＦ映画（ムービー）を製作していた。効率良く効果的な戦闘をするウルトラピープル（ウルトラマン）の戦闘データ等を含んだプレミアムデータを作っていた。
【図１８３】図１８３は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Emperor's SF Movie Production (Yoshino Entertainment))Lovely, 吉野カズトラ宇宙世界皇帝は、映画（ムービー）プロデューサーとして、シミュレーション戦争用の映画の製作をしていた。優者（勇者）として吉野カズトラ宇宙世界皇帝、ヨークシャテリアのアンソニー、ネコのリリーを主人公にしていた。吉野カズトラ宇宙世界皇帝は、Legend Engine Story と Never Ending Story  を掛け合わせて、Never Engind Story を製作していた。 ある程度真面目で、ある程度パロディーな、ＳＦ（サイエンスフィクション、スペースファンタジー）のストーリーにする予定だった。しかし、暴力団を通して、リリーが放送大学に誘拐されて、心理学の動物実験に用いられて、脳に穴をあけられて、捨てられたので、事態は、大問題となり、シリアスな事件ストーリになった。リリーを融解した犯人を捕まえるために、入間市の自衛隊や所沢の警察が、出動して、埼玉や東京の政治家などが、暴力団排除条例を作った。この際、防衛医大の精神科の医者等もこの事に関与していたようである。 吉野カズトラ宇宙世界皇帝は、アンソニーやリリーのことを忘れないようなストーリーを作っていた。アンソニーは、昇天して、昇り竜になり、リリーは、昇天して、ユニコーンになり、吉野カズトラ宇宙世界皇帝を、助けに、再度、地球やファンタジーワールドに戻って来てくれたのである。この際、アンソニーとリリーは、仲間を連れてきた。シャモちゃん、苺ちゃん、ぺぺちゃん、亀くん、トビウオ、等である。吉野カズトラ宇宙世界皇帝が、エンジンを作るのを、応援するグループである。りりーやエミリーちゃんや苺ちゃんやシャモちゃんやぺぺちゃんは、ウィーンの音楽隊のようになり、吉野カズトラ宇宙世界皇帝の作った吉野ミュージックグループ（チームＲとチームＬ）に入り、吉野カズトラ宇宙世界皇帝の応援をした。
【図１８４】図１８４は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Emperor's Shamochan Profile (Cooking))Lovely, 吉野カズトラ宇宙世界皇帝は、キャンプに１０日間ぐらい行く際に準備する食糧を用意していた。吉野友子女王がポテトチップスを作るのが上手であったが、数式化して、ポテトチップス（製造）の（特性）特許を獲れるように、料理をする努力をしていた。 吉野カズトラ宇宙世界皇帝は、ポテトチップスを効果的に大量生産する料理方法を編み出していた。スライスしたポテトチップスに油と塩をまぶして、フライパンに載せて、火で焼く、若しくは、一気に油で揚げるのである。 ポテトをスライスして、油や水のスチームを吹き付ける、若しくは、熱して焼く、若しくは、油で揚げる、等する際、効果的な浸透時間（熱がポテトチップスに侵入して料理する時間）を、計算や測定していた。 ポテト１個、直径約６ｃｍ〜１０ｃｍぐらいを、厚さ約０．３ｍｍ〜０．５ｍｍぐらいで、熱する（油や水のスチームを吹き付ける、若しくは、熱して焼く、若しくは、油で揚げる、等）。約３ｋＷのガスコンロで、フライパンに油を入れて、１枚約３秒ぐらいで、６０枚ぐらいで、約３分である。 ポテトチップスは、大量生産した方が、熱効率が良い。大量生産の際は、ラインでポテトチップスを作る方法と、一気にポテトチップスを作る方法がある。 コストパフォーマンスを考慮すると、一気にポテトチップスを作る方が、お金（利益）になる。（人件費があまり掛らない方が、コストパフォーマンスが良い。）
【図１８５】図１８５は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Emperor's Self Defense Initiative (Weapons))Lovely, 『吉野カズトラ宇宙世界皇帝は、リリーを殺した犯人を見つけて、犯人を毒殺して、犯人にリベンジするように、指示をしていた。』これは、吉野カズトラ宇宙世界皇帝が作ったヨシノスーパーハンムラビ法典の『吉野カズトラ宇宙世界皇帝の独断絶対主義』に基づくものであった。 吉野カズトラ宇宙世界皇帝のＬｕｍｙ  Ｇｒｏｕｐ（Ｌｕｍｙ，ＡＴＫ，等）、秘密結社Ｌｕｍｏｒｅ、暗殺部隊Ｒｏｄ等が、行動し始めていた。 兵器・武器開発をするＬｕｍｙ  Ｇｒｏｕｐに、アメリカ製造業やアメリカライフル協会が協力した。又、この際、暗躍したのが、悪魔王シーザーの武器製造業・軍需産業（忍者部隊の暗鬼暗器等を製造）である。 軍需産業、エネルギー産業のＩ.YoshinoAdvancedEnergyII.KazutoraYoshinoUniverseEnergyIII.KazutoraYoshinoUniverseEmpireの活躍は、凄まじかった。 事件の発端：吉野カズトラ宇宙世界皇帝は、吉野カズトラ皇子の頃、吉野留利子姫と、忍者犬（紀州犬）ハナ（白犬）と忍者猫リリー（白猫）を飼っていた。 吉野カズトラ皇子は、物理部のリーダーで、ＭＡＴ（ロボット班）の班長をしていたが、ストレック（ロケット班）、電子回路班、ソフト開発班、無線班、等を束ねていた。特に、幹部達を青龍会と言う裏組織に入れて、パワースーツや宇宙ロボット兵器（ガンダム、トランスフォーマー等）の設計・開発・製造に携わらせていた。早稲田高校の物理部のリーダーたちは、「プライム」と呼ばるグループだった。ＳｏｎｙやＬｕｍｙの創始者たちも、早稲田高校の物理部出身者達だったのである。又、早稲田出身で、政府や軍隊や警察に入って行った者たちもいる。 吉野カズトラ皇子は、又、早稲田高校の友達を纏めて、「ディセプティコン」のグループを作っていた。特に、ＩＱの高いエリートや理系や弁護士を目指すグループに、忍術の一部である「嘘をつかずに、敵を欺く手法（忍法）」を、教えていた。吉野カズトラ皇子が冗談で始めたグループだったが、次第に成長して行き、一大勢力になって行った。例えば、相手に「我々は、死の商人を得ている（商人や証人のグループ持っている）。」と言って、「我々は、市の承認を得ている。」と相手に思わせたりするのである。つまり、発音が同じで、意味が違う言葉を用いて欺くのであるが、話術や論理学や学識が必要なので、「論理使い」（論理、魔術、忍術、等を用いての論理的思考や思想等を操る論理術）やエリートや弁護士候補生達が選ばれたのである。ディセプティコン出身者達は、裏社会を牛耳り、ネットワークで荒稼ぎなどをしているという噂があったが、ディセプティコン達は、他のディセプティコン達も欺くので、信用できるものではなかった。 この頃、ハナは、甲賀系忍者の暴力団獣医によって毒殺されて、リリーは、伊賀系忍者の暴力団精神課医によって殺害されたようである。慶応関連が関与しているという噂もあったが、しかし、その情報源が、風魔だった。風魔は、キャバクラや吉原等と繋がり（コネクション）を持ち、情報ネットワーク戦闘に長けていた。風魔のメンバーは、早稲田高等学校の放送委員会や物理部（無線班）にもいて、吉野カズトラ皇子の情報源の一部になっていた。風魔は、後に秘密結社アノニマスと提携する忍者系暗殺集団である。 吉野カズトラ皇子は、吉野エミリー姫と、キキという猫を飼うが、キキはＦＩＶをうつされて死去した。キキのクローン猫を作ろうとしたが、エミリーが反対したので、キキを埋葬した。この頃、既に、吉野友子学派と、吉野レベッカハル学派の間で、宇宙戦争が勃発していた。 吉野カズトラ皇子は、パワースーツや宇宙ロボット開発研究開発を進めていたが、ルミーグループ（Ｌｕｍｙ  Ｇｒｏｕｐ（Lumy, ATK、等））の際、人工知能の研究開発も進めて、世界的な一大勢力になった。 Ｌｕｍｙ  Ｇｒｏｕｐの裏組織である秘密結社Ｌｕｍｏｒｅの暗殺部隊Ｒｏｄは、吉野カズトラ宇宙世界皇帝の敵（達）を、抹殺して行った。元々、Ｒｏｄは、ＩＡＥＡ関連のウィスコンシン大学マディソン校の核工学の大学院の学生やポストドクターや教授達や、ＤＯＤ、ＤＩＡ、ＣＩＡ、ＤＯＥ、等から選ばれていた。核兵器の開発をすることを基本としたメンバーで、核燃料の純化をするためロッドを用いた遠心分離機等を扱うことを得意とするグループだったので、大量虐殺などを殆ど気にせずに出来る暗殺集団であった。又、ＮＡＳＡ、自衛隊、ＦＢＩ、インターポール、警察庁、ＪＡＸＡ、自民党、民主党、医師会、等にも、メンバー達が入っていたので、表社会の情報にも長けていた。 Ｒｏｄは、静かに（出来るだけ音を立てずに）敵を暗殺する暗殺集団であるため、毒（特に、猛毒）を用いて、敵を毒殺することが多かった。注射、ダーツ、ナイフ、矢、等に、マムシやコブラ等の毒蛇の毒や塗ったり、青酸カリやリシンや放射性物質を飲料水に混ぜたりすることを得意としていた。 Ｒｏｄのメンバー達は、アメリカ、日本、ロシア、ヨーロッパ、中国、韓国、北朝鮮、インド、アラブ、アフリカ等にもいて、国際的にも、世界最大の暗殺グループに成長していた。 I.YoshinoAdvancedEnergy, II.KazutoraYoshinoUniverseEnergy, III.KazutoraYoshinoUniverseEmpireは、各国の政府をクライアントとして、ＤＯＤやＤＩＡやＣＩＡやＦＢＩやＭＩ５等用に、武器（暗器）を製造していた。特に、防弾チョッキを貫通する弾丸の研究開発に長けていて、Ｎ式弾の開発や設定距離爆裂型弾等を作っていた。 吉野カズトラ宇宙世界皇帝は、熱弾や毒弾に強い、パワースーツや金属型（超合金型）宇宙ロボット（ガンダム、トランスフォーマー、等）の開発を進めていた。続く。
【図１８６】図１８６は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Emperor's Manufacture Method)Lovely, Lumy Group (Lumy, ATK,.more.)              3D Technology Ｉ.YoshinoAdvancedEnergyII.KazutoraYoshinoUniverseEnergyIII.KazutoraYoshinoUniverseEmpire 吉野カズトラ宇宙世界皇帝は、闇の帝王（カズトラ・シーザー）と光の女王（エミリー・ヨシノ）によるエネルギーシステムの構築を進めていた。 吉野カズトラ宇宙世界皇帝は、科学忍法の自在成型（変化）の術を用いて、プロペラやパラボラやミラーなどの幾つもの部材を作っていた。 アルミ等の金属やプラスチックを溶かして（溶解して）、型に入れて、成型物を作ったり、３Ｄプリンターを用いて、３Ｄ成型物を作っていた。 コストパフォーマンスの良いグルーガンやエアブラシのような構造の成型機や接着機や溶接機を作っていた。 アルミやプラスチックや鉄やシリコンなどの球形や棒状のマテリアルを熱源（ガス火、電気ヒーター、電流を通して加熱、等）に入れて、溶解して、ピストンやリング等で、押し出して、溶けたマテリアルを用いて、成型して冷ます（成型しながら冷却する）。 プロペラや羽やタービンを作り、ジェット飛行機やヘリコプターやロボットを作ることも可能である。 エアブラシで、パラボラ形の皿（ＤＩＳＨ）にアルミを吹き付けて、パラボラミラー反射鏡にしても良い。
【図１８７】図１８７は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Emperor's Yoshino Time Machine: Kazutora Yoshino Super String Super Sphere Theory)Lovely, Lumy Group (Lumy, ATK,.more.)              3D Technology Ｉ.YoshinoAdvancedEnergyII.KazutoraYoshinoUniverseEnergyIII.KazutoraYoshinoUniverseEmpire 吉野タイムマシン： 吉野カズトラ宇宙世界皇帝は、闇の中で、トンカチで釘を打って、木があるかないかを、判別したり、ドライバーで、ネジを回転して、ナットがあるかないかを判別して、木やナットの存在を予言していた。 若し、釘やネジが完全情報伝達体であるならば、トンカチやドライバーに、木やナットがあるなら、衝撃が来て、木やナットがあることが、物差し等を使ったりして測定しなくても、分かる。（衝撃は、一般には音速だが、完全情報伝達体では、釘の先端と頭に同時に衝撃が走る。） 若し、起源超弦（素粒子）から発せられた観測子超弦（素粒子）が完全情報伝達体であるなら、起源超弦（素粒子）に、物体超弦（素粒子）があるなら、インジケーター超弦（素粒子）が来て、物体超弦（素粒子）があることが、光子等を観測機（測定器）を使ったりしなくても、分かる。 一般相対性理論では、光子を観測に用いることが一般なので、光子より早い速度で動く素粒子を見つけることは、困難である。つまり、光速を超える素粒子を観測して見つけるのが困難である。 つまり、一般に、光速より速く移動するインジケーター超弦（素粒子）（タキオン等）の完全情報伝達体を、観測するのは、困難である。 例えるなら、マッハ５（音速以上）で飛んでいるジェット戦闘機で移動する兵士を、地上のパトカー（音速未満）で移動する警察が捕まえるのは、困難である。 吉野カズトラ宇宙世界皇帝は、吉野の方程式Ｉｎｆｏ（ｔ）＝Ｉｎｆｏ（ｔ＋Δｔ）（極小時間の際は、 Info(t)=Info(t+dt)）による予言を行っていた。 エネルギーの重ね合わせによる相対的な空間場を、超空間変動子（超空間振動子）で表現すると、超弦による表現と同等（等価）になり、これは、素粒子による表現で近似できる。 観測者がｔの時刻に、ｔ＋Δｔの時刻に物体が存在するかしないかを予言するのに、起源超弦、観測子超弦、物体超弦のインターアクションによる、インジケーター超弦を用いるのである。 ｔの時刻にインジケーター超弦の観測による判別や、相違超弦があるかないかの観測で、物体超弦が、ｔ＋Δｔの時刻に存在するかしないかを予言するのである。 さて、吉野の方程式の一部が、ガリレオの振り子の方程式である。Ｉｎｆｏ（ｔ）＝Ｉｎｆｏ（ｔ＋ｎΔｔ）（ｎ＝整数）つまり、周期関数の際、物体の時空間での存在性を予言できる。 この予言は、ガリレオの時以来、明らかとされている。 ニュートンは、Ｆ＝ｍａ等による物体の運動の予言をすることに成功した。つまり、システム環境の初期値や境界値等の条件値と運動方程式や熱力学方程式等の方程式（群）がそろっていれば、時空間での（時間を追って）、物理現象を、予言することが可能になった。つまり、今（相対的現在）の条件（群）と方程式（群）を、完全に把握くしているなら、未来���相対的未来）を予言することが、可能なのである。 さて、吉野カズトラ宇宙世界皇帝の超弦超球理論（量子相対場グループ（群）理論等）では、今（相対的現在）に、起源超弦、観測子超弦、物体超弦、インジケーター超弦などを条件超弦として、エネルギーの重ね合わせによる相対的な空間場を、超空間変動子（超空間振動子）の振る舞うダイナミクスを表現した、ハミルトン等のエネルギーポテンシャル方程式や（超弦）波動方程式（群）（やスピン情報や色情報、等）を、把握することによって、未来（相対的未来）を予言するのである。 例えるなら、今（朝）の空の色（雲行き）によって、後（昼）に雨や雪が降るかを予言するのである。ちなみに、２０１４年２月４日、日本（埼玉県、入間市、吉野信法王邸宅）には、雪が降ってる。 吉野時空戦争： 若し、起源超弦から発せられた観測子超弦を物体超弦（若しくは、カバー・コーティング超弦）が吸収したり相殺してしまい、インジケーター超弦を発さないなら、この物体は、ステルス性があって、存在の予言が困難である。 つまり、素粒子などを、吸収して放出することのないブラックホールやダークマターのような物体や、素粒子相殺体である。 例えるなら、反射防止塗料や適宜な厚さでレーダー波を相殺する塗料を塗ったステルスジェット戦闘機のようなものである。 吉野タイムマシンを用いて、南北朝戦争で、戦略を作っていた軍隊や自衛隊や警察に、大事件は、ここで、起こり得る。 吉野カズトラ宇宙世界皇帝は、ブラックタイガーという秘密結社と、吉野ミュージックグループという音楽グループを、ステルス・ダーク・グループとして、作っていた。 また、この頃、ディセプティコンやＬｕｍｏｒｅのＲｏｄ（暗殺部隊）というダーク・グループも同時に大きくなっていた。 吉野スーパーハンムラビ法典により、アメリカ軍＋自衛隊＋警察と、イスラム圏勢力の間で、フォースを用いたダークな時空戦争が起きていたのである。 吉野タイムマシンを通して、相対的未来情報は、相対的過去に送られ、第二次世界大戦時に、英国のプリンス・ウェールズ戦艦が、沈没させられ、大事件になった。 つまり、英国のＭＩ５（軍事諜報機関）が、闇に包まれ、ダースサイドからの攻撃を予見できずに、安全地帯と思われる地域に、戦艦を進めて、大日本帝国軍からの待ち伏せダーク・ミサイルの飽和攻撃をされたのである。 アメリカの軍（ＤＯＤ，ＤＩＡ）やＣＩＡやＦＢＩやインターポールと内閣府（国家公安委員会、等）や警察庁やジェダイネットワークやトランスフォーマーのオプティマス・プライムは、事態の情報収集などに、努めたが、相対的過去情報、相対的現在情報や、相対的未来情報に、曖昧情報があるのと、トランスフォーマーのディセプティコン（メガトロン）やダースサイドのシス卿達による情報の錯乱と、飽和攻撃と、インターネット等の情報網（ネットワーク機関）へのサイバーアタックが、複合的に重なって、警察やジェダイ達は、何が起きたのか、何が起きているか、何が起きるのかの予見や予言が困難になったのである。この頃、南北朝戦争の影響で、帝国軍の右翼や裏社会のグループなどが、ダースサイドとして、暗躍していたのである。 ここに、吉野カズトラ宇宙世界皇帝によって、作られたのが、レンズマンの��ループと、レンツマンのグループであった。レンズマンやレンツマンやフィジックスのグループは、吉野カズトラ宇宙世界皇帝やアメリカ大統領やワインマンやリサランドルフによって、選ばれ、科学戦士、技術戦士として、軍事用に教育・訓練されて、力（フォース）を増して行き、ダースサイドと張り合うようになった。
【図１８８】図１８８は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Emperor's Engine Story)Lovely, Lumy Group (Lumy, ATK,.more.)              3D Technology Ｉ.YoshinoAdvancedEnergyII.KazutoraYoshinoUniverseEnergyIII.KazutoraYoshinoUniverseEmpire 吉野カズトラ宇宙世界皇帝の吉野信法王の昇龍アンソニーの住家： 吉野カズトラ宇宙世界皇帝は、金の産出をしていた。吉野カズトラ宇宙世界皇帝は、カリフォルニア（シリコンバレー、ハリウッド、等）やハワイや埼玉県入間市（入間航空自衛隊・入間基地、吉野信法王邸宅）を中心に、３ＤＣＧ（コンピューター・グラフィクス（映画等）やコンピューター・ゲーム（ＷａｒＣｒａｆｔ３ＤやシューティングゲームやＲＰＧ等））やコンピューターや携帯電話で、軍資金を稼ぎ、武器（炎の剣（ツルギ）、盾（強化シールド）、銃、等）や兵器（ヘリコプター、車、トラック、ジープ、戦車、空母、ジェット戦闘機、ミサイル、等）の開発を進めていた。これが、吉野信法王の邸宅から金が産出されると言われた所以である。 吉野カズトラ宇宙世界皇帝は、兵器の製造の一環として、エンジンやモーターや自動車やＥＶを、軍用と、世界征服のために、大量生産して、作っていたのである。 吉野カズトラ宇宙世界皇帝は、言った『我が名は、吉野一虎宇宙世界皇帝。金を作り、バラクを作り、世界征服をする。吉野カズトラ宇宙世界皇帝国に栄光あれ。』  続く。
【図１８９】図１８９は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Emperor's Engine Story)Lovely, Lumy Group (Lumy, ATK,.more.)              3D Technology Ｉ.YoshinoAdvancedEnergyII.KazutoraYoshinoUniverseEnergyIII.KazutoraYoshinoUniverseEmpire 吉野カズトラ宇宙世界皇帝は、圧力（プレッシャー）で、エンジンを駆動をしていた。（エア）コンプレッサー等を用いて、空気をＮ倍（例：約３００倍ぐらい）濃縮にして、圧力を１気圧のＮ’倍（例：約３００倍ぐらい）（以上）にして、ピストンを押し出して、エンジンを回転するとする。 I.YoshinoAdvancedEnergy圧力エンジン：空気入れ等で、空気を圧縮して、圧力を掛けて、ピストンを押しだすとすると、Ｆ１＝３ｋＮ、Ａ１＝１ｃｍ＾２、コンプレスレーショ＝３００、Ａ２＝１０ｃｍ＾２、Ｆ２＝３０ｋＮ、ぐらいになり、現実的に可能なものである。 II.KazutoraYoshinoUniverseEnergy外燃系エンジン：気体や液体を熱して、圧力を掛けて、ピストンを押しだすとすると、Ｆ１＝３ｋＮ、Ａ１＝１ｃｍ＾２、テンパーチャーレーショ＝３００、Ｔ１＝９００００Ｋ、ぐらいになり、高い温度（この温度に耐えれる金属等は、殆どない）になり、あまり現実的ではない。このため、Ｆ１＝３ｋＮ、Ａ１＝５０ｃｍ＾２、テンパーチャーレーショ＝６、Ｔ１＝１８００Ｋ、ぐらいにするなら、ステンレス（スチーム）エンジンなら現実的に可能である。 III.KazutoraYoshinoUniverseEmpire内燃系エンジン：ＩとＩＩの両方の利点を獲り、一挙両得にするのが、内燃系エンジンである。Ｆ１＞３ｋＮ、Ａ１＝１ｃｍ＾２、コンプレスレーショ＝３００、Ａ２＝１０ｃｍ＾２、Ｆ２＝３０ｋＮ、ぐらいで、燃料を押し出す。空気は、ピストンが引き戻されるときに、コンプレスされる（コンプレスレーショ＝３００）。ピストンが引き戻されて、空気が濃縮した時（のタイミングで）、燃料を燃焼させて（爆発させて）、圧力を作り、ピストンを押し出す。テンパーチャーレーショ＝３〜６、ぐらいで、アルミ〜ステンレスぐらいのマテリアルで、エンジンを作る。エネルギー濃度が高い燃料（ガソリン、水素＋酸素、等）を用いて、大出力で小型化が可能なので、効率的で、効果的である。アルミを用いたエンジンは、製造の際、コストパフォーマンスが良い。ステンレスを用いたエンジンは、（耐久性能や）強度についてパフォーマンスが良い。シャフトに連動した（直接、若しくは、ギヤ等による連動した）ウィールを用いて、燃料の配送（運搬）と、燃料への着火（スパーク）のタイミングを適宜にすることが出来る（可能）。内燃系エンジンは、現実的に可能である。 同程度のサイズのエンジンとモーターを比較して、トルクと回転数をみると、エンジンの出力は、モーターの出力に対して、ほどほど良いぐらいであるが、燃料についてみてみると、燃料のエネルギー密度と重量が、バッテリーのエネルギー密度と重量のパフォーマンスに勝っている。このため、エンジンは、移動手段として用いる自動車（オートモービル）、飛行機、ヘリコプター、船舶、等に向いている。若し、電気が通っている所なら、移動の必要がないと��ろでは、モーターを使うのが向いている。又、エンジン＋発電機（ダイナモモーター）によって、発電した電気でモーターを駆動するハイブリッドな車等も、緊急時に発電機として用いることが可能なので、良いだろう。燃料電池による自動車等は、良いが、燃料電池の軽量化と、水素（や酸素）のタンクの軽量化が、課題となるだろう。ＥＶ（電気自動車、モーター自動車）は、バッテリーが小型化・軽量化されるなら、良いだろう。ガソリンスタンドに、電気、若しくは、バッテリーを提供するような、電気スタンドを、付属させるのが、インフラについてのコストパフォーマンスが良いだろう。（エネルギー）（エコノミー）エコロジー・システム（３Ｅ）やＥＶの発展は、もう直来るだろう（間近であろう）。この際、エンジンを用いた車等の大量生産を行う技術力と生産能力は、ある程度は、維持しておいた方が良いだろう。何故なら、エネギー源の統一化と、イザという時のためのバックアップ・エネルギー源の保持（ある程度のエネルギー源の多様化）は、重要だからである。電気、石油、エタノール、石炭、天然ガス、水素＋酸素、太陽光、風力、バイオマス（ガス）、地熱、源泉、メタンハイドレード、核エネルギー、等である。燃料を直接積むことができる独立系（固定、若しくは、移動）システムの生産と維持は、ある程度あると良いだろう。
【図１９０】図１９０は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Emperor's Engine Story: Compressor)Lovely, Lumy Group (Lumy, ATK,.more.)              3D Technology Ｉ.YoshinoAdvancedEnergyII.KazutoraYoshinoUniverseEnergyIII.KazutoraYoshinoUniverseEmpire 吉野カズトラ宇宙世界皇帝は、エンジン（の機能（ファンクション））のリバース（逆機能（インバースファンクション））であるコンプレッサーの開発をしていた。 エンジンやモーターによって回転するシャフトに付いたクランクシャフトによって、シリンダー内を往復するピストンによって、圧縮された、吸気口から取り入れられた気体や液体（空気、水、等）は、エンジンやモーターのシャフトと共に（（直接、若しくは、ギヤ等と）連動して回転している）ゲートにある吸気口と排気口によって、圧縮空気を排出したり、容器（タンク）に詰める。ゲートの吸気口と排気口の位相（タイミング）は同じでも良い、若しくは、位相差（タイミング）があっても良い。
【図１９１】図１９１は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Emperor's Sword + Shield)Lovely, Lumy Group (Lumy, ATK,.more.)              3D Technology Ｉ.YoshinoAdvancedEnergyII.KazutoraYoshinoUniverseEnergyIII.KazutoraYoshinoUniverseEmpire 吉野カズトラ宇宙世界皇帝は、熱源（赤外線など）を画像で認識できるシステムを作り、壁の外側から、壁の内側にいる人体（の熱源（エネルギー、オーラ））の認識と３Ｄ位置と時間等の情報を獲得することが出来ていた。吉野カズトラ宇宙世界皇帝は、壁の外側から、壁を貫通する弾を撃ち込み、壁の内側にいる人（凶悪犯）等を殺害することが出来た。この際、宇宙戦争、南北朝戦争、シミュレーション戦争の延長として、矛盾戦争が起きていた。 ＮＡＳＡやＵＳＡＦやＵＳＮＡＶＹやアメリカライフル協会や共和党と提携している物理（量子力学、量子光学、レーザー物理、レーザー砲、相対性理論、超伝導、等）や数学や化学や生物のコロラド大学（学派の教授達）と、ＤＯＥやＵＳＡＲＭＹやＩＡＥＡやＮＩＨやアメリカ製造業や民主党と提携している核工学（核融合工学、プラズマ工学、核ミサイル等）や工学物理（光学、超伝導、機械工学、コンピューター光学、等）や生化学や遺伝子工学やバイオインフォマティクスのウィスコンシン大学（学派の教授達）の間で、哲学、科学、工学、学術について戦争が起きたのである。コロラド大学は、ガモフ学派のノーベル物理学賞受賞学者のワインマン博士やエリックや、ノーベル化学賞受賞者のチェック博士をリーダーとしてグループを作っていた。ウィスコンシン大学は、核工学のエマート博士、マルクス、ジョン、フォンクや物理のプレンジャー等をリーダーとしたグループを作っていた。 吉野カズトラ皇子（王子）が両方のグループで、ブッシュ大統領のエネルギー顧問のアドバイザーになったり、クリントン大統領のエネルギー顧問のアドバイザーになったりして、暗躍していたが、女スパイ達（くの一達：ヨーロッパの物理教師（パウリ行列研究）やフランス核工学生徒やリサランドルフ（多次元宇宙論）や心理的に勉学を攻撃する女達、等）が刺客として送られてきて、吉野カズトラ皇子の勉強や学習や教育路への進行を邪魔したり阻止しようとした。吉野カズトラ王子は、そのため、味方の綾子（コロラド大学学派）やエミリー（ウィスコンシン大学学派）のような可愛くて超成績優秀者の女性達とだけ、仲良くした。 吉野カズトラ宇宙世界皇帝は、コロラド大学ではレーザー砲や銃（弾丸）や矛のエキスパートである。吉野カズトラ宇宙世界皇帝は、ウィスコンシン大学ではダイヤモンドシールドや核戦争用シールドや盾のエキスパートである。吉野カズトラ宇宙世界皇帝は、壁を貫通するような弾丸を作り、弾が貫通しないようなシールドを作っていた。 吉野カズトラ宇宙世界皇帝は、超人工ダイヤモンド（ＳＤＬＣ）を作り、Ｓｐ（Δｘ）＝１０＾８Ｎ／ｍ＾２、Δｘ＝１ｍｍ、Δｔ＝１０＾−５ｓ、ぐらいのシールド力を、獲得した。 １．ＳＤＬＣ、若しくは、ＤＬＣ、若しくは、ダイヤモンド２．タングステン３．シリコン４．ステンレス５．アルミ６．セラミック７．防弾プラスチック８．防弾ガラス９．コンクリート１０．紙１１．水１２．等 等の適宜な組み合わせを、適宜な順序で並べるシールドである。 刀、剣、弾、ライトセイバー、ビームサーベル、電子線、放射線、レーザー砲、に強いシールドである。 しかし、シールド内の兵士は、毒や病原菌（ウィルス、等）に弱く、毒殺や病殺されるリスクや、自動車事故・転落等によって殺害されるリスクや、爆弾やミサイルで秒殺されるリスクがあったので、シールド内は兵士ロボット（ガンダム、トランスフォーマー：オプティマス、メガトロン）や、ロボコップのような再生人間サイボーグを用いることにした。 しかし、ロぼコップは、元々、人間だったので、毒物のチェックが必要で、毒センサーとして鋭敏な先端を持つ銀の針串剣を持っていたが、これは、戦闘や、インターネット等の情報ネットワークへのアクセス用の端子として、併用された。 もともと、ＳＦのストーリーとして、始まったシミュレーション戦争だったが、吉野カズトラ皇子がＰＳＩＩで、コストパフォーマンス良くＤＬＣを製造することに成功して、ダイヤモンドシールドの製造等が、徐々に具現化、現実化されて行き、病原菌（ウィルス、等）の研究をする吉野友子学派（経済産業省、文部科学省、等）と抗ウィルス薬や抗菌シールド等を研究する吉野レベッカハル女王学派（内閣府、宮内庁、防衛省、自衛隊、国家公安委員会、警察、国土交通省、農林水産省、運輸省、法務省、等）が、戦争に参入して、現実世界で、本当の宇宙戦争へ発展して行った。
【図１９２】図１９２は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Emperor's Sword + Shield)Lovely, Lumy Group (Lumy, ATK,.more.)              3D Technology Ｉ.YoshinoAdvancedEnergyII.KazutoraYoshinoUniverseEnergyIII.KazutoraYoshinoUniverseEmpire 吉野カズトラ宇宙世界皇帝のシミュレーション戦争は、矛盾戦争に進化と発展をしていた。矛盾戦争は、宇宙戦争に進化と発展をしていった。宇宙戦争では、ロックフェラー（三菱銀行、等）、ロスチャイルド（三井銀行、等）、その他（みずほ銀行、等）の戦いになり、戦争兵器も戦争戦略も進化と発展をして行った。又、兵士達は、人間から、サイボーグ（ロボコップ）へ進化して、又、ロボット革命を目指す、ＮＳ５のロボット達や（軍事戦闘用）宇宙ロボットに、進化して行く。吉野タイムマシンにより、宇宙戦争は、相対的過去にも送られて、戦争準備のための戦略的設定がなされた。 ２００１年９月１０日、クウィンイッセイが誕生した。イッセイの誕生祝いに、矛を飛行機として、盾を高層ビルとした、矛盾戦争における、軍需産業（ネオコン、右翼、兵器産業、スカルアンドボーン、フリーメイスン、等）やある怪盗団を内包する警察や消防署の戦闘能力のデモンストレーションとして、カズトラ戦略の宣伝として、９１１（ＷＴＯ、ペンタゴンへの）一斉同時攻撃を行った。新しいアメリカを表現するために、新しいアメリカの国旗を表現した。その後、イッセイ派（空軍＋海軍）と、ケンゾウ派（陸軍）の二手に分かれて、戦闘を始めた。数年後、３月１１日、吉野信法王（キリスト教の父）の誕生日を祝って、核爆弾を用いて東北関東大震災を起こして（誘因して）、タイガー戦略の宣伝をして、エンターテイメント、戦況、選挙、メディア、政党を支配・管理した。さて、１１月１１日を準備日として、１２月８日が誕生日の吉野留利子女王（ユダヤ教とイスラム教の母）は、ヘリコプターやタンクの宣伝を行った。吉野留利子クウィン女王を母とした、クウィンイッセイとクウィンによる世界革命が、（着実に）進行して行った。吉野留利子クウィン女王のサポートで、吉野カズトラ宇宙世化皇帝と吉野エミリー女王は、人工知能（ロボット）の研究開発を進めて行き、ガンダムやトランスフォーマーなどの人工知能型宇宙ロボットの具現化・現実化へと発展して行ったのである。続く。
【図１９３】図１９３は、エコロジー・エネルギー・システム・アプリケーション（吉野一虎宇宙世界皇帝の一虎戦略（ヨシノカズトラタイガーストラテジー））のイメージ概念図である。Yoshino UniverseKazutora Yoshino Universe EmpireKazutora Yoshino Emperor's Energy Efficiency Strategy (Kazutora Yoshino Emperor's Sword + Shield)Lovely, Lumy Group (Lumy, ATK,.more.)              3D Technology Ｉ.YoshinoAdvancedEnergyII.KazutoraYoshinoUniverseEnergyIII.KazutoraYoshinoUniverseEmpire 吉野カズトラ宇宙世界皇帝は、矛盾戦争における盾の一つの弱点である病原菌（ウィルス）対策を進めていた。一応、抗菌剤（光触媒など）を盾の表面にコーティングして対処はしていたが、未だ未だ、進化するところがあった。吉野友子女王学派の一部（の過激派）は、バイオテロリストとして、その年に流行すると推測されたウィルスやその抗原についてワクチンを作る吉野レベッカハル女王学派に対して、ウィルスの中身（ＤＮＡやＲＮＡ）は同じでも、抗原が異なるウィルスを、人体ネットワークや空中感染を用いて、散布するなどして戦闘やテロ活動をしていた。例えば、Ｈ１Ｎ１、Ｈ３Ｎ２、Ｈ７Ｎ９のＤＮＡやＲＮＡによって増殖するが、他のウィルスの抗原を持つウィルスを増殖させて、人から人へ感染させたり、空中散布して人に感染させたりするのである。又、吉野友子女王学派の一部（の過激派）は、卵による製造方法では、人から人へ感染するウィルスだけは死滅して、抗原が作られないように、ウィルスを遺伝子操作した。例えば、Ｈ３Ｎ２の遺伝子組み換えして、ワクチンが利きにくくしたのである。これに対して、吉野レベッカハル女王学派は、細胞培養などによるワクチンの製造方法等を用いて、対抗した。吉野友子女王学派の一部（の過激派）は、間引きという概念で、年よりなど免疫が弱くなっている人達を、社会から突き落としたりして、人口の管理をしようとした医師会系医療系過激バイオテロリストのグループだったのである。医師会系医療系過激バイオテロリストのグループが、ディセプティコンの「振り込め詐欺」のグループや出会い系ネットワーク詐欺のグループと協力して、老人たち等から、お金を巻き上げるようになったのである。これらのお金は、殆どが、裏社会へ行き、暴力団等を通して、（日本）政治家たちの選挙資金等に用いられたり、キャバ嬢達やスタッフ達を養うことに用いられていた。 さて、病原菌（ウィルス）対策で重要なのが、消毒である。特に、加熱加圧によって作った蒸留水を用いたり、蒸留水と合わせたアルコールによって手を洗う等が、重要になっていた。コストパフォーマンス良く水を加熱加圧して蒸留水を作るシステムや方法が重要になっていた。この頃、吉野カズトラ宇宙世界皇帝をサポートする早稲田系等のビジネス系の学派は、経済産業省等に入り、吉野カズトラ宇宙世界皇帝と共に、再生可能エネルギーの促進をしていた。吉野カズトラ宇宙世界皇帝は、海水を用いて、塩と飲料水や蒸留水を作ると同時に発電をするシステムを作っていたが、システム全体では、発電効率が、タービンで、約０．１％〜１％、スチームエンジンで、約１％〜１０％ぐらいで、効率が今一であるため、発電と同時に他のビジネスも促進しようとしていた。ここで、重要になったのが、吉野カズトラ宇宙世界皇帝の太陽光熱発電システムでは���飲料水と蒸留水を作るのが、コストパフォーマンスが良いシステムであったことである。吉野カズトラ宇宙世界皇帝は、ウィスコンシン大学のバイオインフォマティクスと吉野レベッカハル女王学派を通して、ＮＩＨ（や製薬会社）と提携をして、蒸留水やアルコール（水）を、アメリカの医療機関へ、コストパフォーマンス良く販売することに成功していた。吉野カズトラ宇宙世界皇帝の太陽光熱発電システムを、日本でも作り、日本の医療の改善をするため、吉野カズトラ宇宙世界皇帝は、特許庁などを通して、太陽光熱等の発電システムについて、開示（公開）し始めていた。しかし、日本政府で相対的未来情報を盗んでいるグループや原子力等を扱う会社等や近所に仕込まれた産業スパイ等に、阻まれて、作業が思うように進まなかったが、吉野カズトラ宇宙世界皇帝が、朝日が昇ってから一日コツコツ真面目に毎日、太陽光発電システムの開発をした努力の結果、（徐々に）、吉野カズトラ宇宙世界皇帝の思うがままに、事が進んでいったのである。吉野カズトラ宇宙世界皇帝とヨシノアドバンスドエナジーと日本政府は、協力して、エネルギー産業と飲料水や蒸留水産業に、参入して、エネルギーや飲料水や蒸留水を海外に輸出することが出来るほどに成長して、大きな貿易黒字になり、アメリカと共に、再度、経済超大国アメリカ合衆国と経済大国日本の地位を獲得した。この頃、アメリカと日本は、再生医療等でも優秀になっていて、医療にも最先端技術を持つように（他の国々の追随を許さないほどに）なっていた。ロシアは、日本が勝つように応援していた。続く。
【手続補正２】
【補正対象書類名】図面
【補正対象項目名】図２０
【補正方法】変更
【補正の内容】
【図２０】
2013221403.tif 000001
【手続補正３】
【補正対象書類名】図面
【補正対象項目名】図２１
【補正方法】変更
【補正の内容】
【図２１】
2013221403.tif 000002
【手続補正４】
【補正対象書類名】図面
【補正対象項目名】図２２
【補正方法】変更
【補正の内容】
【図２２】
2013221403.tif 000003
【手続補正５】
【補正対象書類名】図面
【補正対象項目名】図２３
【補正方法】変更
【補正の内容】
【図２３】
2013221403.tif 000004
【手続補正６】
【補正対象書類名】図面
【補正対象項目名】図２４
【補正方法】変更
【補正の内容】
【図２４】
2013221403.tif 000005
【手続補正７】
【補正対象書類名】図面
【補正対象項目名】図２５
【補正方法】変更
【補正の内容】
【図２５】
2013221403.tif 000006
【手続補正８】
【補正対象書類名】図面
【補正対象項目名】図２６
【補正方法】変更
【補正の内容】
【図２６】
2013221403.tif 000007
【手続補正９】
【補正対象書類名】図面
【補正対象項目名】図２７
【補正方法】変更
【補正の内容】
【図２７】
2013221403.tif 000008
【手続補正１０】
【補正対象書類名】図面
【補正対象項目名】図２８
【補正方法】変更
【補正の内容】
【図２８】
2013221403.tif 000009
【手続補正１１】
【補正対象書類名】図面
【補正対象項目名】図２９
【補正方法】変更
【補正の内容】
【図２９】
2013221403.tif 000010
【手続補正１２】
【補正対象書類名】図面
【補正対象項目名】図３０
【補正方法】変更
【補正の内容】
【図３０】
2013221403.tif 000011
【手続補正１３】
【補正対象書類名】図面
【補正対象項目名】図３１
【補正方法】変更
【補正の内容】
【図３１】
2013221403.tif 000012
【手続補正１４】
【補正対象書類名】図面
【補正対象項目名】図３２
【補正方法】変更
【補正の内容】
【図３２】
2013221403.tif 000013
【手続補正１５】
【補正対象書類名】図面
【補正対象項目名】図３３
【補正方法】変更
【補正の内容】
【図３３】
2013221403.tif 000014
【手続補正１６】
【補正対象書類名】図面
【補正対象項目名】図１９
【補正方法】変更
【補正の内容】
【図１９】
2013221403.tif 000015
【手続補正１７】
【補正対象書類名】図面
【補正対象項目名】図３４
【補正方法】変更
【補正の内容】
【図３４】
2013221403.tif 000016
【手続補正１８】
【補正対象書類名】図面
【補正対象項目名】図３５
【補正方法】変更
【補正の内容】
【図３５】
2013221403.tif 000017
【手続補正１９】
【補正対象書類名】図面
【補正対象項目名】図３６
【補正方法】変更
【補正の内容】
【図３６】
2013221403.tif 000018
【手続補正２０】
【補正対象書類名】図面
【補正対象項目名】図３７
【補正方法】変更
【補正の内容】
【図３７】
2013221403.tif 000019
【手続補正２１】
【補正対象書類名】図面
【補正対象項目名】図３８
【補正方法】変更
【補正の内容】
【図３８】
2013221403.tif 000020
【手続補正２２】
【補正対象書類名】図面
【補正対象項目名】図３９
【補正方法】変更
【補正の内容】
【図３９】
2013221403.tif 000021
【手続補正２３】
【補正対象書類名】図面
【補正対象項目名】図４０
【補正方法】変更
【補正の内容】
【図４０】
2013221403.tif 000022
【手続補正２４】
【補正対象書類名】図面
【補正対象項目名】図４１
【補正方法】変更
【補正の内容】
【図４１】
2013221403.tif 000023
【手続補正２５】
【補正対象書類名】図面
【補正対象項目名】図４２
【補正方法】変更
【補正の内容】
【図４２】
2013221403.tif 000024
【手続補正２６】
【補正対象書類名】図面
【補正対象項目名】図４３
【補正方法】変更
【補正の内容】
【図４３】
2013221403.tif 000025
【手続補正２７】
【補正対象書類名】図面
【補正対象項目名】図４４
【補正方法】変更
【補正の内容】
【図４４】
2013221403.tif 000026
【手続補正２８】
【補正対象書類名】図面
【補正対象項目名】図４５
【補正方法】変更
【補正の内容】
【図４５】
2013221403.tif 000027
【手続補正２９】
【補正対象書類名】図面
【補正対象項目名】図４６
【補正方法】変更
【補正の内容】
【図４６】
2013221403.tif 000028
【手続補正３０】
【補正対象書類名】図面
【補正対象項目名】図４７
【補正方法】変更
【補正の内容】
【図４７】
2013221403.tif 000029
【手続補正３１】
【補正対象書類名】図面
【補正対象項目名】図４８
【補正方法】変更
【補正の内容】
【図４８】
2013221403.tif 000030
【手続補正３２】
【補正対象書類名】図面
【補正対象項目名】図４９
【補正方法】変更
【補正の内容】
【図４９】
2013221403.tif 000031
【手続補正３３】
【補正対象書類名】図面
【補正対象項目名】図５０
【補正方法】変更
【補正の内容】
【図５０】
2013221403.tif 000032
【手続補正３４】
【補正対象書類名】図面
【補正対象項目名】図５１
【補正方法】変更
【補正の内容】
【図５１】
2013221403.tif 000033
【手続補正３５】
【補正対象書類名】図面
【補正対象項目名】図５２
【補正方法】変更
【補正の内容】
【図５２】
2013221403.tif 000034
【手続補正３６】
【補正対象書類名】図面
【補正対象項目名】図５３
【補正方法】変更
【補正の内容】
【図５３】
2013221403.tif 000035
【手続補正３７】
【補正対象書類名】図面
【補正対象項目名】図５４
【補正方法】変更
【補正の内容】
【図５４】
2013221403.tif 000036
【手続補正３８】
【補正対象書類名】図面
【補正対象項目名】図５５
【補正方法】変更
【補正の内容】
【図５５】
2013221403.tif 000037
【手続補正３９】
【補正対象書類名】図面
【補正対象項目名】図５６
【補正方法】変更
【補正の内容】
【図５６】
2013221403.tif 000038
【手続補正４０】
【補正対象書類名】図面
【補正対象項目名】図５７
【補正方法】変更
【補正の内容】
【図５７】
2013221403.tif 000039
【手続補正４１】
【補正対象書類名】図面
【補正対象項目名】図５８
【補正方法】変更
【補正の内容】
【図５８】
2013221403.tif 000040
【手続補正４２】
【補正対象書類名】図面
【補正対象項目名】図５９
【補正方法】変更
【補正の内容】
【図５９】
2013221403.tif 000041
【手続補正４３】
【補正対象書類名】図面
【補正対象項目名】図６０
【補正方法】変更
【補正の内容】
【図６０】
2013221403.tif 000042
【手続補正４４】
【補正対象書類名】図面
【補正対象項目名】図６１
【補正方法】変更
【補正の内容】
【図６１】
2013221403.tif 000043
【手続補正４５】
【補正対象書類名】図面
【補正対象項目名】図６２
【補正方法】変更
【補正の内容】
【図６２】
2013221403.tif 000044
【手続補正４６】
【補正対象書類名】図面
【補正対象項目名】図６３
【補正方法】変更
【補正の内容】
【図６３】
2013221403.tif 000045
【手続補正４７】
【補正対象書類名】図面
【補正対象項目名】図６４
【補正方法】変更
【補正の内容】
【図６４】
2013221403.tif 000046
【手続補正４８】
【補正対象書類名】図面
【補正対象項目名】図６５
【補正方法】変更
【補正の内容】
【図６５】
2013221403.tif 000047
【手続補正４９】
【補正対象書類名】図面
【補正対象項目名】図６６
【補正方法】変更
【補正の内容】
【図６６】
2013221403.tif 000048
【手続補正５０】
【補正対象書類名】図面
【補正対象項目名】図６７
【補正方法】変更
【補正の内容】
【図６７】
2013221403.tif 000049
【手続補正５１】
【補正対象書類名】図面
【補正対象項目名】図６８
【補正方法】変更
【補正の内容】
【図６８】
2013221403.tif 000050
【手続補正５２】
【補正対象書類名】図面
【補正対象項目名】図６９
【補正方法】変更
【補正の内容】
【図６９】
2013221403.tif 000051
【手続補正５３】
【補正対象書類名】図面
【補正対象項目名】図７０
【補正方法】変更
【補正の内容】
【図７０】
2013221403.tif 000052
【手続補正５４】
【補正対象書類名】図面
【補正対象項目名】図７１
【補正方法】変更
【補正の内容】
【図７１】
2013221403.tif 000053
【手続補正５５】
【補正対象書類名】図面
【補正対象項目名】図７２
【補正方法】変更
【補正の内容】
【図７２】
2013221403.tif 000054
【手続補正５６】
【補正対象書類名】図面
【補正対象項目名】図７３
【補正方法】変更
【補正の内容】
【図７３】
2013221403.tif 000055
【手続補正５７】
【補正対象書類名】図面
【補正対象項目名】図７４
【補正方法】変更
【補正の内容】
【図７４】
2013221403.tif 000056
【手続補正５８】
【補正対象書類名】図面
【補正対象項目名】図７５
【補正方法】変更
【補正の内容】
【図７５】
2013221403.tif 000057
【手続補正５９】
【補正対象書類名】図面
【補正対象項目名】図７６
【補正方法】変更
【補正の内容】
【図７６】
2013221403.tif 000058
【手続補正６０】
【補正対象書類名】図面
【補正対象項目名】図７７
【補正方法】変更
【補正の内容】
【図７７】
2013221403.tif 000059
【手続補正６１】
【補正対象書類名】図面
【補正対象項目名】図７８
【補正方法】変更
【補正の内容】
【図７８】
2013221403.tif 000060
【手続補正６２】
【補正対象書類名】図面
【補正対象項目名】図７９
【補正方法】変更
【補正の内容】
【図７９】
2013221403.tif 000061
【手続補正６３】
【補正対象書類名】図面
【補正対象項目名】図８０
【補正方法】変更
【補正の内容】
【図８０】
2013221403.tif 000062
【手続補正６４】
【補正対象書類名】図面
【補正対象項目名】図８１
【補正方法】変更
【補正の内容】
【図８１】
2013221403.tif 000063
【手続補正６５】
【補正対象書類名】図面
【補正対象項目名】図８２
【補正方法】変更
【補正の内容】
【図８２】
2013221403.tif 000064
【手続補正６６】
【補正対象書類名】図面
【補正対象項目名】図８３
【補正方法】変更
【補正の内容】
【図８３】
2013221403.tif 000065
【手続補正６７】
【補正対象書類名】図面
【補正対象項目名】図８４
【補正方法】変更
【補正の内容】
【図８４】
2013221403.tif 000066
【手続補正６８】
【補正対象書類名】図面
【補正対象項目名】図８５
【補正方法】変更
【補正の内容】
【図８５】
2013221403.tif 000067
【手続補正６９】
【補正対象書類名】図面
【補正対象項目名】図８６
【補正方法】変更
【補正の内容】
【図８６】
2013221403.tif 000068
【手続補正７０】
【補正対象書類名】図面
【補正対象項目名】図８７
【補正方法】変更
【補正の内容】
【図８７】
2013221403.tif 000069
【手続補正７１】
【補正対象書類名】図面
【補正対象項目名】図８８
【補正方法】変更
【補正の内容】
【図８８】
2013221403.tif 000070
【手続補正７２】
【補正対象書類名】図面
【補正対象項目名】図８９
【補正方法】変更
【補正の内容】
【図８９】
2013221403.tif 000071
【手続補正７３】
【補正対象書類名】図面
【補正対象項目名】図９０
【補正方法】変更
【補正の内容】
【図９０】
2013221403.tif 000072
【手続補正７４】
【補正対象書類名】図面
【補正対象項目名】図９１
【補正方法】変更
【補正の内容】
【図９１】
2013221403.tif 000073
【手続補正７５】
【補正対象書類名】図面
【補正対象項目名】図９２
【補正方法】変更
【補正の内容】
【図９２】
2013221403.tif 000074
【手続補正７６】
【補正対象書類名】図面
【補正対象項目名】図９３
【補正方法】変更
【補正の内容】
【図９３】
2013221403.tif 000075
【手続補正７７】
【補正対象書類名】図面
【補正対象項目名】図９４
【補正方法】変更
【補正の内容】
【図９４】
2013221403.tif 000076
【手続補正７８】
【補正対象書類名】図面
【補正対象項目名】図９５
【補正方法】変更
【補正の内容】
【図９５】
2013221403.tif 000077
【手続補正７９】
【補正対象書類名】図面
【補正対象項目名】図９６
【補正方法】変更
【補正の内容】
【図９６】
2013221403.tif 000078
【手続補正８０】
【補正対象書類名】図面
【補正対象項目名】図９７
【補正方法】変更
【補正の内容】
【図９７】
2013221403.tif 000079
【手続補正８１】
【補正対象書類名】図面
【補正対象項目名】図９８
【補正方法】変更
【補正の内容】
【図９８】
2013221403.tif 000080
【手続補正８２】
【補正対象書類名】図面
【補正対象項目名】図９９
【補正方法】変更
【補正の内容】
【図９９】
2013221403.tif 000081
【手続補正８３】
【補正対象書類名】図面
【補正対象項目名】図１００
【補正方法】変更
【補正の内容】
【図１００】
2013221403.tif 000082
【手続補正８４】
【補正対象書類名】図面
【補正対象項目名】図１０１
【補正方法】変更
【補正の内容】
【図１０１】
2013221403.tif 000083
【手続補正８５】
【補正対象書類名】図面
【補正対象項目名】図１０２
【補正方法】変更
【補正の内容】
【図１０２】
2013221403.tif 000084
【手続補正８６】
【補正対象書類名】図面
【補正対象項目名】図１０３
【補正方法】変更
【補正の内容】
【図１０３】
2013221403.tif 000085
【手続補正８７】
【補正対象書類名】図面
【補正対象項目名】図１０４
【補正方法】変更
【補正の内容】
【図１０４】
2013221403.tif 000086
【手続補正８８】
【補正対象書類名】図面
【補正対象項目名】図１０５
【補正方法】変更
【補正の内容】
【図１０５】
2013221403.tif 000087
【手続補正８９】
【補正対象書類名】図面
【補正対象項目名】図１０６
【補正方法】変更
【補正の内容】
【図１０６】
2013221403.tif 000088
【手続補正９０】
【補正対象書類名】図面
【補正対象項目名】図１０７
【補正方法】変更
【補正の内容】
【図１０７】
2013221403.tif 000089
【手続補正９１】
【補正対象書類名】図面
【補正対象項目名】図１０８
【補正方法】変更
【補正の内容】
【図１０８】
2013221403.tif 000090
【手続補正９２】
【補正対象書類名】図面
【補正対象項目名】図１０９
【補正方法】変更
【補正の内容】
【図１０９】
2013221403.tif 000091
【手続補正９３】
【補正対象書類名】図面
【補正対象項目名】図１１０
【補正方法】変更
【補正の内容】
【図１１０】
2013221403.tif 000092
【手続補正９４】
【補正対象書類名】図面
【補正対象項目名】図１１１
【補正方法】変更
【補正の内容】
【図１１１】
2013221403.tif 000093
【手続補正９５】
【補正対象書類名】図面
【補正対象項目名】図１１２
【補正方法】変更
【補正の内容】
【図１１２】
2013221403.tif 000094
【手続補正９６】
【補正対象書類名】図面
【補正対象項目名】図１１３
【補正方法】変更
【補正の内容】
【図１１３】
2013221403.tif 000095
【手続補正９７】
【補正対象書類名】図面
【補正対象項目名】図１１４
【補正方法】変更
【補正の内容】
【図１１４】
2013221403.tif 000096
【手続補正９８】
【補正対象書類名】図面
【補正対象項目名】図１１５
【補正方法】変更
【補正の内容】
【図１１５】
2013221403.tif 000097
【手続補正９９】
【補正対象書類名】図面
【補正対象項目名】図１１６
【補正方法】変更
【補正の内容】
【図１１６】
2013221403.tif 000098
【手続補正１００】
【補正対象書類名】図面
【補正対象項目名】図１１７
【補正方法】変更
【補正の内容】
【図１１７】
2013221403.tif 000099
【手続補正１０１】
【補正対象書類名】図面
【補正対象項目名】図１１８
【補正方法】変更
【補正の内容】
【図１１８】
2013221403.tif 000100
【手続補正１０２】
【補正対象書類名】図面
【補正対象項目名】図１１９
【補正方法】変更
【補正の内容】
【図１１９】
2013221403.tif 000101
【手続補正１０３】
【補正対象書類名】図面
【補正対象項目名】図１２０
【補正方法】変更
【補正の内容】
【図１２０】
2013221403.tif 000102
【手続補正１０４】
【補正対象書類名】図面
【補正対象項目名】図１２１
【補正方法】変更
【補正の内容】
【図１２１】
2013221403.tif 000103
【手続補正１０５】
【補正対象書類名】図面
【補正対象項目名】図１２２
【補正方法】変更
【補正の内容】
【図１２２】
2013221403.tif 000104
【手続補正１０６】
【補正対象書類名】図面
【補正対象項目名】図１２３
【補正方法】変更
【補正の内容】
【図１２３】
2013221403.tif 000105
【手続補正１０７】
【補正対象書類名】図面
【補正対象項目名】図１２４
【補正方法】変更
【補正の内容】
【図１２４】
2013221403.tif 000106
【手続補正１０８】
【補正対象書類名】図面
【補正対象項目名】図１２５
【補正方法】変更
【補正の内容】
【図１２５】
2013221403.tif 000107
【手続補正１０９】
【補正対象書類名】図面
【補正対象項目名】図１２６
【補正方法】変更
【補正の内容】
【図１２６】
2013221403.tif 000108
【手続補正１１０】
【補正対象書類名】図面
【補正対象項目名】図１２７
【補正方法】変更
【補正の内容】
【図１２７】
2013221403.tif 000109
【手続補正１１１】
【補正対象書類名】図面
【補正対象項目名】図１２８
【補正方法】変更
【補正の内容】
【図１２８】
2013221403.tif 000110
【手続補正１１２】
【補正対象書類名】図面
【補正対象項目名】図１２９
【補正方法】変更
【補正の内容】
【図１２９】
2013221403.tif 000111
【手続補正１１３】
【補正対象書類名】図面
【補正対象項目名】図１３０
【補正方法】変更
【補正の内容】
【図１３０】
2013221403.tif 000112
【手続補正１１４】
【補正対象書類名】図面
【補正対象項目名】図１３１
【補正方法】変更
【補正の内容】
【図１３１】
2013221403.tif 000113
【手続補正１１５】
【補正対象書類名】図面
【補正対象項目名】図１３２
【補正方法】変更
【補正の内容】
【図１３２】
2013221403.tif 000114
【手続補正１１６】
【補正対象書類名】図面
【補正対象項目名】図１３３
【補正方法】変更
【補正の内容】
【図１３３】
2013221403.tif 000115
【手続補正１１７】
【補正対象書類名】図面
【補正対象項目名】図１３４
【補正方法】変更
【補正の内容】
【図１３４】
2013221403.tif 000116
【手続補正１１８】
【補正対象書類名】図面
【補正対象項目名】図１３５
【補正方法】変更
【補正の内容】
【図１３５】
2013221403.tif 000117
【手続補正１１９】
【補正対象書類名】図面
【補正対象項目名】図１３６
【補正方法】変更
【補正の内容】
【図１３６】
2013221403.tif 000118
【手続補正１２０】
【補正対象書類名】図面
【補正対象項目名】図１３７
【補正方法】変更
【補正の内容】
【図１３７】
2013221403.tif 000119
【手続補正１２１】
【補正対象書類名】図面
【補正対象項目名】図１３８
【補正方法】変更
【補正の内容】
【図１３８】
2013221403.tif 000120
【手続補正１２２】
【補正対象書類名】図面
【補正対象項目名】図１３９
【補正方法】変更
【補正の内容】
【図１３９】
2013221403.tif 000121
【手続補正１２３】
【補正対象書類名】図面
【補正対象項目名】図１４０
【補正方法】変更
【補正の内容】
【図１４０】
2013221403.tif 000122
【手続補正１２４】
【補正対象書類名】図面
【補正対象項目名】図１４１
【補正方法】変更
【補正の内容】
【図１４１】
2013221403.tif 000123
【手続補正１２５】
【補正対象書類名】図面
【補正対象項目名】図１４２
【補正方法】変更
【補正の内容】
【図１４２】
2013221403.tif 000124
【手続補正１２６】
【補正対象書類名】図面
【補正対象項目名】図１４３
【補正方法】変更
【補正の内容】
【図１４３】
2013221403.tif 000125
【手続補正１２７】
【補正対象書類名】図面
【補正対象項目名】図１４４
【補正方法】変更
【補正の内容】
【図１４４】
2013221403.tif 000126
【手続補正１２８】
【補正対象書類名】図面
【補正対象項目名】図１４５
【補正方法】変更
【補正の内容】
【図１４５】
2013221403.tif 000127
【手続補正１２９】
【補正対象書類名】図面
【補正対象項目名】図１４６
【補正方法】変更
【補正の内容】
【図１４６】
2013221403.tif 000128
【手続補正１３０】
【補正対象書類名】図面
【補正対象項目名】図１４７
【補正方法】変更
【補正の内容】
【図１４７】
2013221403.tif 000129
【手続補正１３１】
【補正対象書類名】図面
【補正対象項目名】図１４８
【補正方法】変更
【補正の内容】
【図１４８】
2013221403.tif 000130
【手続補正１３２】
【補正対象書類名】図面
【補正対象項目名】図１４９
【補正方法】変更
【補正の内容】
【図１４９】
2013221403.tif 000131
【手続補正１３３】
【補正対象書類名】図面
【補正対象項目名】図１５０
【補正方法】変更
【補正の内容】
【図１５０】
2013221403.tif 000132
【手続補正１３４】
【補正対象書類名】図面
【補正対象項目名】図１５１
【補正方法】変更
【補正の内容】
【図１５１】
2013221403.tif 000133
【手続補正１３５】
【補正対象書類名】図面
【補正対象項目名】図１５２
【補正方法】変更
【補正の内容】
【図１５２】
2013221403.tif 000134
【手続補正１３６】
【補正対象書類名】図面
【補正対象項目名】図１５３
【補正方法】変更
【補正の内容】
【図１５３】
2013221403.tif 000135
【手続補正１３７】
【補正対象書類名】図面
【補正対象項目名】図１５４
【補正方法】変更
【補正の内容】
【図１５４】
2013221403.tif 000136
【手続補正１３８】
【補正対象書類名】図面
【補正対象項目名】図１５５
【補正方法】変更
【補正の内容】
【図１５５】
2013221403.tif 000137
【手続補正１３９】
【補正対象書類名】図面
【補正対象項目名】図１５６
【補正方法】変更
【補正の内容】
【図１５６】
2013221403.tif 000138
【手続補正１４０】
【補正対象書類名】図面
【補正対象項目名】図１５７
【補正方法】変更
【補正の内容】
【図１５７】
2013221403.tif 000139
【手続補正１４１】
【補正対象書類名】図面
【補正対象項目名】図１５８
【補正方法】変更
【補正の内容】
【図１５８】
2013221403.tif 000140
【手続補正１４２】
【補正対象書類名】図面
【補正対象項目名】図１５９
【補正方法】変更
【補正の内容】
【図１５９】
2013221403.tif 000141
【手続補正１４３】
【補正対象書類名】図面
【補正対象項目名】図１６０
【補正方法】変更
【補正の内容】
【図１６０】
2013221403.tif 000142
【手続補正１４４】
【補正対象書類名】図面
【補正対象項目名】図１６１
【補正方法】変更
【補正の内容】
【図１６１】
2013221403.tif 000143
【手続補正１４５】
【補正対象書類名】図面
【補正対象項目名】図１６２
【補正方法】変更
【補正の内容】
【図１６２】
2013221403.tif 000144
【手続補正１４６】
【補正対象書類名】図面
【補正対象項目名】図１６３
【補正方法】変更
【補正の内容】
【図１６３】
2013221403.tif 000145
【手続補正１４７】
【補正対象書類名】図面
【補正対象項目名】図１６４
【補正方法】変更
【補正の内容】
【図１６４】
2013221403.tif 000146
【手続補正１４８】
【補正対象書類名】図面
【補正対象項目名】図１６５
【補正方法】変更
【補正の内容】
【図１６５】
2013221403.tif 000147
【手続補正１４９】
【補正対象書類名】図面
【補正対象項目名】図１６６
【補正方法】変更
【補正の内容】
【図１６６】
2013221403.tif 000148
【手続補正１５０】
【補正対象書類名】図面
【補正対象項目名】図１６７
【補正方法】変更
【補正の内容】
【図１６７】
2013221403.tif 000149
【手続補正１５１】
【補正対象書類名】図面
【補正対象項目名】図１６８
【補正方法】変更
【補正の内容】
【図１６８】
2013221403.tif 000150
【手続補正１５２】
【補正対象書類名】図面
【補正対象項目名】図１６９
【補正方法】変更
【補正の内容】
【図１６９】
2013221403.tif 000151
【手続補正１５３】
【補正対象書類名】図面
【補正対象項目名】図１７０
【補正方法】変更
【補正の内容】
【図１７０】
2013221403.tif 000152
【手続補正１５４】
【補正対象書類名】図面
【補正対象項目名】図１７１
【補正方法】変更
【補正の内容】
【図１７１】
2013221403.tif 000153
【手続補正１５５】
【補正対象書類名】図面
【補正対象項目名】図１７２
【補正方法】変更
【補正の内容】
【図１７２】
2013221403.tif 000154
【手続補正１５６】
【補正対象書類名】図面
【補正対象項目名】図１７３
【補正方法】変更
【補正の内容】
【図１７３】
2013221403.tif 000155
【手続補正１５７】
【補正対象書類名】図面
【補正対象項目名】図１７４
【補正方法】変更
【補正の内容】
【図１７４】
2013221403.tif 000156
【手続補正１５８】
【補正対象書類名】図面
【補正対象項目名】図１７５
【補正方法】変更
【補正の内容】
【図１７５】
2013221403.tif 000157
【手続補正１５９】
【補正対象書類名】図面
【補正対象項目名】図１７６
【補正方法】変更
【補正の内容】
【図１７６】
2013221403.tif 000158
【手続補正１６０】
【補正対象書類名】図面
【補正対象項目名】図１７７
【補正方法】変更
【補正の内容】
【図１７７】
2013221403.tif 000159
【手続補正１６１】
【補正対象書類名】図面
【補正対象項目名】図１７８
【補正方法】変更
【補正の内容】
【図１７８】
2013221403.tif 000160
【手続補正１６２】
【補正対象書類名】図面
【補正対象項目名】図１７９
【補正方法】追加
【補正の内容】
【図１７９】
2013221403.tif 000161
【手続補正１６３】
【補正対象書類名】図面
【補正対象項目名】図１８０
【補正方法】変更
【補正の内容】
【図１８０】
2013221403.tif 000162
【手続補正１６４】
【補正対象書類名】図面
【補正対象項目名】図１８１
【補正方法】変更
【補正の内容】
【図１８１】
2013221403.tif 000163
【手続補正１６５】
【補正対象書類名】図面
【補正対象項目名】図１８２
【補正方法】変更
【補正の内容】
【図１８２】
2013221403.tif 000164
【手続補正１６６】
【補正対象書類名】図面
【補正対象項目名】図１８３
【補正方法】変更
【補正の内容】
【図１８３】
2013221403.tif 000165
【手続補正１６７】
【補正対象書類名】図面
【補正対象項目名】図１８４
【補正方法】変更
【補正の内容】
【図１８４】
2013221403.tif 000166
【手続補正１６８】
【補正対象書類名】図面
【補正対象項目名】図１８５
【補正方法】変更
【補正の内容】
【図１８５】
2013221403.tif 000167
【手続補正１６９】
【補正対象書類名】図面
【補正対象項目名】図１８６
【補正方法】変更
【補正の内容】
【図１８６】
2013221403.tif 000168
【手続補正１７０】
【補正対象書類名】図面
【補正対象項目名】図１８７
【補正方法】変更
【補正の内容】
【図１８７】
2013221403.tif 000169
【手続補正１７１】
【補正対象書類名】図面
【補正対象項目名】図１８８
【補正方法】変更
【補正の内容】
【図１８８】
2013221403.tif 000170
【手続補正１７２】
【補正対象書類名】図面
【補正対象項目名】図１８９
【補正方法】変更
【補正の内容】
【図１８９】
2013221403.tif 000171
【手続補正１７３】
【補正対象書類名】図面
【補正対象項目名】図１９０
【補正方法】変更
【補正の内容】
【図１９０】
2013221403.tif 000172
【手続補正１７４】
【補正対象書類名】図面
【補正対象項目名】図１９１
【補正方法】追加
【補正の内容】
【図１９１】
2013221403.tif 000173
【手続補正１７５】
【補正対象書類名】図面
【補正対象項目名】図１９２
【補正方法】追加
【補正の内容】
【図１９２】
2013221403.tif 000174
【手続補正１７６】
【補正対象書類名】図面
【補正対象項目名】図１９３
【補正方法】追加
【補正の内容】
【図１９３】
2013221403.tif 000175